(57)【要約】単離され、そして精製されたケモカインペプチド、その変異体及び誘導体、並びにケモカインペプチド類似体が提供される。【特許請求の範囲】
【請求項１】
ケモカイン（ＩＬ８又はＮＡＰ−２を除く）−誘発された活性に関連する徴候を予防し又は阻害するための方法であって、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記活性を予防し又は阻害するのに有効な量、前記徴候を有するか又は危険な状態の哺乳類に投与することを含んで成る方法。
【請求項２】
１つよりも多くのケモカインの活性を阻害するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、その必要な哺乳類に投与することを含んで成る方法。
【請求項３】
造血細胞補充に関連する徴候を予防し又は阻害するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記徴候の危険な状態にあるか又は有する哺乳類に投与することを含んで成る方法。
【請求項４】
好塩基又は肥満細胞からのヒスタミン開放に関連する徴候を予防し又は阻害するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記徴候の危険性があるか又は有する哺乳類に投与することを含んで成る方法。
【請求項５】
予備選択された生理学的部位での造血細胞のケモカイン−誘発された活性の調節方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを含んで成る、部位標的化成分に結合される投与形を、哺乳類に投与することを含んで成る方法。
【請求項６】
発作を予防し又は阻害するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、哺乳類に投与することを含んで成る方法。
【請求項７】
血管徴候、例えば冠状動脈疾患、心筋梗塞、不安定性狭心症、動脈硬化症又は脈管炎を予防し、又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項８】
低い骨鉱物密度を予防し又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項９】
自己免疫疾患を予防し又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項１０】
脊椎動物における腫瘍増殖を制御するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記脊椎動物に投与することを含んで成る方法。
【請求項１１】
哺乳類における乾癬を予防し、又は処理するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記哺乳類に投与することを含んで成る方法。
【請求項１２】
創傷治癒を増強するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、投与することを含んで成る方法。
【請求項１３】
ケモカイン−誘発された活性に関連する徴候を有するか、又は危険性の状態の哺乳類を処理するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記哺乳類に投与することを含んで成る方法。
【請求項１４】
ぜん息を予防し、又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項１５】
前記量がアラキドン酸経路における生成物又は中間体を阻害する請求項１記載の方法。
【請求項１６】
リューコトリエンが阻害される請求項１５記載の方法。
【請求項１７】
トロンボキサンが阻害される請求項１５記載の方法。
【請求項１８】
プロスタグランジンが阻害される請求項１５記載の方法。
【請求項１９】
高められたＴＮＦ−αに関連する徴候を予防し又は阻害するための方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、前記徴候を有するか、又は危険な状態である哺乳類に投与することを含んで成る方法。
【請求項２０】
器官移植片拒絶を予防し、又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項２１】
リウマチ様関節炎を予防し、又は処理するための治療の方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項２２】
アレルギーを予防し、又は処理するための治療方法であって、有効量の、
１）式  （ＸＩＩＩ），  （ＸＩＶ），  （Ｘ），  （ＸＩ），  （ＸＩＸ）又は（ＸＩＩ）で表される化合物；
２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせを、そのような治療の必要な哺乳類に投与することを含んで成る方法。
【請求項２３】
その対応するケモカインに対して低められた親和性を有する赤血球細胞のダッフィ抗原に結合する、式  （ＸＩＩＩ），  （ＸＩＶ），  （Ｘ），  （ＸＩ），  （ＸＩＸ）  又は（ＸＩＩ）の化合物、又はその医薬的に許容できる塩。
【請求項２４】
式  （ＸＩＩＩ），  （ＸＩＶ），  （Ｘ），  （ＸＩ），  （ＸＩＸ）  又は（ＸＩＩ）の化合物、又はその医薬的に許容できる塩。
【請求項２５】
ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体のサッカリド接合体；又はその医薬的に許容できる塩。
【請求項２６】
その対応するケモカインペプチド又はケモカインに対して低められた親和性を有する赤血球細胞のダッフィ抗原に結合する、式  （ＸＩＩＩ），  （ＸＩＶ），  （Ｘ），  （ＸＩ），  （ＸＩＸ）  又は（ＸＩＩ）の化合物、又はその医薬的に許容できる塩。
【請求項２７】
前記化合物が、その対応するケモカインペプチド又はケモカイン対して低められた親和性を有する赤血球細胞のダッフィ抗原に結合する請求項２５記載のサッカリド接合体。
【請求項２８】
抗原−誘発された再現応答を阻害する剤の同定方法であって、
ａ）１）式  （ＸＩＩＩ），  （ＸＩＶ），  （Ｘ），  （ＸＩ），  （ＸＩＸ）又は（ＸＩＩ）で表される化合物；及び２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせから選択された剤を、抗原に対して感作された哺乳類に投与し；そして
ｂ）前記剤が前記再現応答を阻害するかどうかを検出するか、又は決定することを含んで成る方法。
【請求項２９】
抗原に対する再現応答を予防し、又は阻害するための方法であって、前記抗原に対して感作された哺乳類に、前記哺乳類におけるＩＬ−４レベルを阻害するか又は低めるために効果的な量の剤を投与することを含んで成り、ここで前記剤が、１）式  （ＸＩＩＩ），  （ＸＩＶ），  （Ｘ），  （ＸＩ），  （ＸＩＸ）又は（ＸＩＩ）で表される化合物；及び２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせから選択されることを特徴とする方法。
【請求項３０】
抗原に対する再現応答を予防し、又は阻害するための方法であって、前記抗原に対して感作された哺乳類に、前記哺乳類における免疫グロブリンレベルを阻害するか又は低めるために効果的な量の剤を投与することを含んで成り、ここで前記剤が、１）式  （ＸＩＩＩ），  （ＸＩＶ），  （Ｘ），  （ＸＩ），  （ＸＩＸ）又は（ＸＩＩ）で表される化合物；及び２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせから選択されることを特徴とする方法。
【請求項３１】
免疫原性治療分子を用いる治療にゆだねられる哺乳類の免疫応答を制御するための方法であって、前記免疫原性治療分子に対する高原−誘発された再現応答を阻害するのに効果的な量の剤を、前記哺乳類に投与することを含んで成り、ここで前記剤が、１）式  （ＸＩＩＩ），  （ＸＩＶ），  （Ｘ），  （ＸＩ），  （ＸＩＸ）又は（ＸＩＩ）で表される化合物；及び２）ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物のサッカリド接合体；
又はその医薬的に許容できる塩；
又はその組み合わせから選択されることを特徴とする方法。
【請求項３２】
ケモカインペプチド３、その変異体、その誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＩ）の化合物、又は（ＸＩＸ）の化合物から選択された化合物のインビボ半減期を高めるために、前記化合物にサッカリドを結合することを含んで成る方法。
【請求項３３】
請求項３３記載のサッカリド結合された化合物。
【請求項３４】
哺乳類におけるケモカイン−関連炎症応答を高めるか又は増強するための方法であって、前記応答を高めるか又は増強するのに有効な量の式  （ＸＩＩＩ），  （ＸＩＶ），  （Ｘ），  （ＸＩ），  （ＸＩＸ）  又は（ＸＩＩ）の化合物、又はその組合せを前記哺乳類に投与することを含んで成る方法。
【請求項３５】
免疫応答を増大するための方法であって、免疫原成分、及び前記免疫原成分に対して哺乳類の免疫応答を増強するのに有効な量の式  （ＸＩＩＩ），  （ＸＩＶ），  （Ｘ），  （ＸＩ），  （ＸＩＸ）  又は（ＸＩＩ）の化合物、又はその組合せを、哺乳類に投与することを含んで成る方法。
【請求項３６】
レンチウィルス感染又は複製を予防し、又は阻害するための治療方法であって、有効量の式  （ＸＩＩＩ），  （ＸＩＶ），  （Ｘ），  （ＸＩ），  （ＸＩＸ）  又は（ＸＩＩ）の化合物、又はその組合せを、そのような治療の必要な哺乳類に投与することを含んで成る方法。
【請求項３７】
前記レンチウィルスがＨＩＶである請求項３６記載の方法。
【請求項３８】
前記化合物又はその組合せの投与の前、その間及び／又はその後、抗ウィルス剤を投与することをさらに含んで成る請求項３７記載の方法。
【請求項３９】
脊椎動物における寄生性感染を阻害するための方法であって、有効量の式  （ＸＩＩＩ），  （ＸＩＶ），  （Ｘ），  （ＸＩ），  （ＸＩＸ）  又は（ＸＩＩ）の化合物、又はその組合せを、前記動物に投与することを含んで成る方法。
【請求項４０】
前記動物がマラリアを有するヒトである請求項３９記載の方法。
【請求項４１】
腫瘍部位での造血細胞−関連活性を高めるか又は増強するための方法であって、有効量の式  （ＸＩＩＩ），  （ＸＩＶ），  （Ｘ），  （ＸＩ），  （ＸＩＸ）  又は（ＸＩＩ）の化合物、又はその組合せを、投与することを含んで成る方法。
【請求項４２】
免疫原成分及び一定量の式  （ＸＩＩＩ），  （ＸＩＶ），  （Ｘ），  （ＸＩ），  （ＸＩＸ）  又は（ＸＩＩ）の化合物、又はその組合せを含んで成る免疫原組成物。
【請求項４３】
サイトカイン−誘発された活性に関連する哺乳類における病理学的状態又は症状の処理のための医薬の製造のためへの式  （ＸＩＩＩ），  （ＸＩＶ），  （Ｘ），  （ＸＩ），  （ＸＩＸ）  又は（ＸＩＩ）の化合物、又はその組合せの使用。
【請求項４４】
赤血球細胞上のダッフィ抗原に結合する、式  （ＸＩＩＩ），  （ＸＩＶ），  （Ｘ），  （ＸＩ），  （ＸＩＸ）  又は（ＸＩＩ）の化合物、及び医薬的に許容できるキャリヤーを含んで成る医薬組成物。
【請求項４５】
前記化合物が生物学的活性分子により結合される請求項４４記載の医薬組成物。
【請求項４６】
前記生物学的活性分子が、ペプチド、ポリペプチド又はタンパク質である請求項４５記載の医薬組成物。
【請求項４７】
前記生物学的活性成分が、ヒト成長ホルモン又はインスリンである請求項４６記載の医薬組成物。
【請求項４８】
前記生物学的活性成分が、免疫原である請求項４５記載の医薬組成物。
【請求項４９】
前記生物学的活性成分が、前記化合物により結合されない場合、循環から急速にクリアランスされる請求項４５記載の医薬組成物。
【請求項５０】
前記化合物及び生物学的活性成分が共有結合される請求項４５記載の医薬生物。
【請求項５１】
前記化合物が、検出できる分子により結合される請求項４５記載の医薬組成物。
【請求項５２】
生物学的活性成分の薬物動力学を調節するための方法であって、生物学的活性分子と、赤血球細胞上のダッフィ抗原に結合する、式  （ＸＩＩＩ），  （ＸＩＶ），  （Ｘ），  （ＸＩ），  （ＸＩＸ）  又は（ＸＩＩ）の化合物とを結合することを含んで成り、ここで前記結合された生物学的活性分子の薬物動力学的性質が、前記生物学的活性分子のみの薬物動力学的性質とは異なることを特徴とする方法。
【請求項５３】
哺乳類における生物学的活性分子の薬物動力学を変更するための方法であって、赤血球細胞上のダッフィ抗原に結合する、式  （ＸＩＩＩ），  （ＸＩＶ），  （Ｘ），  （ＸＩ），  （ＸＩＸ）  又は（ＸＩＩ）の化合物と共に、前記生物学的活性分子を哺乳類に投与することを含んで成る方法。
【請求項５４】
その対応するケモカインに対する低められた親和性を有する、赤血球細胞上のダッフィ抗原に結合する式  （ＸＩＩＩ），  （ＸＩＶ），  （Ｘ），  （ＸＩ），  （ＸＩＸ）  又は（ＸＩＩ）の化合物。
【請求項５５】
その対応するケモカインペプチド又はケモカインに対する低められた親和性を有する、赤血球細胞上のダッフィ抗原に結合する式  （ＸＩＩＩ），  （ＸＩＶ），  （Ｘ），  （ＸＩ），  （ＸＩＸ）  又は（ＸＩＩ）の化合物。
【請求項５６】
少なくとも１つのケモカイン受容体に対する成分の結合に関して、ダッフィ抗原に対して少なくとも約１０倍、低められた親和性を有する、赤血球細胞のダッフィ抗原に結合する成分。
【請求項５７】
少なくとも１つのケモカイン受容体に対する成分の結合に関して、ダッフィ抗原に対して少なくとも約１０倍、高められた親和性を有する。赤血球細胞のダッフィ抗原に結合する成分。
【請求項５８】
ケモカインペプチド、その変異体、誘導体又は類似体に結合するケモカイン受容体の領域を同定するための方法であって、
（ａ）ケモカイン受容体と、一定量のケモカインペプチド、その変異体、誘導体又は類似体とを接触せしめ、前記受容体と前記ケモカインペプチド、その変異体、誘導体又は類似体との間で複合体をもたらし；そして
（ｂ）前記受容体の領域が前記ケモカインペプチド、その変異体、誘導体又は類似体に結合されるかどうかを決定することを含んで成る方法。
【請求項５９】
特定のケモカインペプチド、その変異体、誘導体又は類似体により結合される、ケモカイン受容体の領域に結合する分子の同定方法であって、
（ａ）一群の分子と前記領域とを接触せしめ；そして
（ｂ）前記一群の分子の少なくとも１つの分子が前記領域に特異的に結合するかどうかを検出するか又は決定することを含んで成る方法。
【請求項６０】
ケモカイン受容体に結合するが、しかし前記受容体に結合する少なくとも１つのケモカインと共にヘテロダイマーを形成しない分子の同定方法であって、
（ａ）前記ケモカイン受容体と前記分子とを、その受容体と分子との間で複合体を形成するために、接触せしめ；
（ｂ）前記複合体と少なくとも１つのケモカインとを接触せしめ；そして
（ｃ）前記複合体における分子が前記ケモカインと共にヘテロダイマーを形成するかどうかを検出するか又は決定することを含んで成る方法。
【請求項６１】
ケモカイン受容体に結合するが、しかし前記受容体ン結合するケモカインと共にヘテロダイマーを形成しない分子の同定方法であって、
（ａ）前記ケモカイン受容体と前記分子及び少なくとも１つのケモカインとを接触せしめ；そして
（ｂ）前記分子が前記ケモカインと共にヘテロダイマーを形成するかどうかを検出するか又は決定することを含んで成る方法。
【請求項６２】
ケモカイン活性を阻害するが、しかしその受容体に対して生来のケモカインと競争しない剤の同定方法であって、
（ａ）生来のケモカインを結合する受容体を含んで成る細胞と前記剤とを接触せしめ；そして
（ｂ）前記剤が、生来のケモカインを結合する受容体ではない受容体に特異的ない結合し、そしてケモカイン活性を阻害するかどうかを検出するか又は決定することを含んで成る方法。
本発明の治療薬を含む薬理学的組成物、デリバリー系、キットも提供される。
本発明によりさらに、ケモカイン関連疾患の治療法も提供される。例えば、本発明により、ケモカイン誘導活性に伴う疾患を予防または抑制する方法が提供される。この方法は、その疾患に悩んでいる、あるいはその疾患にかかる危険性のある哺乳類に対し、その活性を予防または抑制するのに効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。このペプチドは、ＩＬ−８ペプチド、ＮＡＰ−２ペプチド、またはＰＦ４ペプチドではないことが好ましい。投与は、１つよりも多いケモカインの活性を抑制するのに効果的であることが好ましい（すなわち、このペプチドは全選択インヒビターである）。好ましいケモカイン・インヒビターは、ＷＶＱのアナログ（例えばＹＩＩ（５４ページ参照））、ＷＩＱのアナログ、ＷＧＱのアナログ（例えばＡＩＩ（５６ページ参照））、ロイシン４イソロイシン１１ペプチド３（３〜１２）［ＭＣＰ−１］、ロイシン４イソロイシン１１ペプチド３（１〜１２）［ＭＣＰ−１］、ＣＲＤシステイン１３ロイシン４イソロイシン１１ペプチド３（３〜１２）である。これら薬剤は、多発性硬化症、喘息、乾癬、アレルギー、関節リューマチ、臓器移植の拒絶、自己免疫疾患などの疾患を治療するのに役立つ。こうした疾患を治療または抑制するのに有効な好ましいケモカイン・ペプチドとしては、ＭＣＰ−１、ＭＣＰ−２、ＭＣＰ−３、ＭＣＰ−４、ＲＡＮＴＥＳ、ＭＩＰ１α、ＥＮＡ７８、ＭＩＧ、ＧＲＯα、ＧＲＯβ、ＧＲＯγ、ＧＣＰ−１、ＨＣＣ−１、Ｉ−３０９、ＳＣＭ−１、エオタキシン、ＩＰ１０、ＭＩＰβ、ＳＤＦ−１に由来するペプチド２および／またはペプチド３が挙げられる。
さらに、ペプチド３としては、その変異体や誘導体が、Ｔｈ２応答を減少させるとともにＴｈ１応答を増加させる可能性がある。これら化合物は、Ｔｈ２応答の減少とＴｈ１応答の増加が起こる特定の疾患を治療または予防するのに特に有効である可能性がある。
本発明により、好塩基球またはマスト細胞からのヒスタミン放出に伴う疾患を予防または治療する方法も提供される。この方法は、その疾患疾患に悩んでいる、あるいはその疾患にかかる危険性のある哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。
また、単球、マクロファージ、好中球、Ｂ細胞、Ｔ細胞、または好酸球の増加、あるいはＢ細胞またはＴ細胞の活性化または増殖に伴う疾患を予防または抑制する方法も提供される。この方法は、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。例えば、ケモカイン・ペプチド３その変異体、またはその誘導体は、自己免疫疾患または肉芽腫を予防または利用するのに有効である可能性がある。
さらに、血管疾患を予防または治療するために、そのような治療を必要としている哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含む治療法であって、その疾患が、心臓動脈疾患、心筋梗塞、不安定狭心症、アテローム性動脈硬化症、血管炎、具体的には、ベーチェット症候群、巨大細胞動脈炎、リューマチ性多発筋痛、ヴェグナー肉芽腫、チャーグ−ストラウス症候群、ヘノッホ−シェーンライン紫斑病、川崎病などであることを特徴とする治療法も提供される。本発明のこの実施態様において好ましいケモカイン・ペプチドとしては、ＭＣＰ−１、ＲＡＮＴＥＳ、ＧＲＯα、ＧＲＯβ、ＧＲＯγ、ＧＣＰ−１、ＨＣＣ−１、Ｉ−３０９、ＳＣＭ−１、ＭＩＰ１α、ＩＰ１０、ＭＣＰ−４、ＭＩＰ１βのケモカイン・ペプチドが挙げられる。
本発明により、自己免疫疾患を予防または治療する方法も提供される。この方法は、そのような治療を必要としている哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。自己免疫疾患の予防または治療に有効なペプチド３の好ましい変異体は、ロイシン４イソロイシン１１ペプチド３（１〜１２）［ＭＣＰ−１］（配列ＩＤ番号１４）またはＷＶＱを有するペプチド３である。多発性硬化症の予防または治療に用いられる好ましいケモカイン・ペプチド３としては、ＳＥＥやペプチド３（１〜１４）［ＭＩＰ１α］（配列ＩＤ番号４２）などがある。その他の好ましいペプチドは、ＲＡＮＴＥＳのケモカイン・ペプチドである。
さらに、マクロファージ、Ｂ細胞、Ｔ細胞、またはそれ以外の造血細胞、例えば好中球、好酸球、またはマスト細胞のケモカイン誘導活性を所定の生理学的部位で調節する方法も提供される。この方法は、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを含む投与形態を投与する操作を含んでおり、その投与形態が、ターゲット部位と共有結合または非共有結合で結合していることを特徴としている。ターゲット部位は、所定の生理学的部位において、細胞要素、例えば腫瘍細胞に対して特異的な抗原と結合する。
さらに、ある種の薬剤は全ケモカイン・インヒビターというよりは選択的なケモカイン・インヒビターであるため、本発明の薬剤がターゲット部位となることが可能である。例えば、本発明の薬剤、例えばペプチド３は、同位体やその他の細胞毒性分子を所定の細胞に送り込むのに役立つ可能性がある。同様に、特定のタイプの細胞を特にターゲットとする本発明の薬剤は、診断に役立つ可能性がある。したがって、関節リューマチや糖尿病（タイプＩ）などの疾患における炎症部位を画像化するための診断用画像装置（例えばＭＲＩやＣＡＴ）で有効な薬剤を、放射線で標識したり（キアネッリ他、Ｎｕｃｌ．  Ｍｅｄ．  Ｃｏｍｍ．、第１８巻、４３７ページ、１９９７年）、またはそれ以外の任意の検出可能な信号で標識したりすることができる。
本発明により、喘息を予防または抑制する方法も提供される。この方法は、そのような治療を必要としている哺乳類に対し、空気経路の反応性を抑制するのに効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。以下の実施例１２で説明するように、本発明のペプチドは、オボアルブミンに暴露したマウスの肺の中で細胞の炎症とＩｇＥ応答を抑制した。本発明のこの実施態様では、治療用薬剤を上気道および／または下気道に投与することが好ましい。本発明のこの実施態様において有効な好ましいペプチドは、ＲＡＮＴＥＳ、ＭＣＰ−１、ＭＩＰ１αのケモカイン・ペプチドである。
さらに、ポックスウイルス、ヘルペスウイルス（例えばヘルペスウイルス・サミリ）、サイトメガロウイルス（ＣＭＶ）、レンチウイルスなどのウイルスの感染または複製を予防または抑制するための治療法も提供される。この方法は、そのような治療を必要としている哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。この治療薬は、ＨＩＶを予防または治療するのに用いられることが好ましい。さらに好ましいのは、この治療薬を、ＨＩＶ  ＡＺＴなどの抗ウイルス薬、非ヌクレオシド逆転写酵素インヒビター、プロテアーゼ・インヒビター、またはこれらの組み合わせを投与する前、最中、または後に投与することである。ケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、または式（ＸＩＸ）の化合物を組み合わせたものを、抗ウイルス法および本発明の組成物で利用することも考えられる。ウイルスの感染を予防または抑制するのに有効な好ましいケモカイン・ペプチドは、ＩＰ１０、ＭＩＰ１α、ＭＩＰ１β、ＳＤＦ−１、ＩＬ−８、ＧＲＯα、ＧＲＯβ、ＧＲＯγ、ＧＣＰ−１、ＨＣＣ−１、Ｉ−３０９、ＳＣＭ−１、ＲＡＮＴＥＳ、ＭＣＰ−１に由来するケモカイン・ペプチドである。
低い骨塩密度を予防または治療するための治療法も提供される。この方法は、そのような治療を必要としている哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。低い骨塩密度を予防または治療するためのペプチド３の変異体の好ましい誘導体は、ＣＲＤ−システイン１３ロイシン４イソロイシン１１ペプチド３（３〜１２）［ＭＩＰ−１］である。低い骨塩密度を予防または治療するのに有効な配列ＩＤ番号１の好ましい断片は、ＫＱＫである。
脊椎動物において腫瘍の成長を抑制する方法も提供される。この方法は、その脊椎動物に対し、治療効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。この方法により、マクロファージ、Ｂ細胞、Ｔ細胞、またはそれ以外の免疫細胞に付随した活性が、腫瘍部位で増加または増大することが好ましい。本発明のこの実施態様で用いるのが好ましいペプチドは、ＭＣＰ−１ペプチドである。
哺乳類において関節リューマチを予防または治療する方法も提供される。この方法は、その哺乳類に対し、治療に効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。本発明のこの実施態様における好ましいペプチドは、ＭＣＰ−１、ＭＩＰ１α、ＭＩＰ１β、ＧＲＯα、ＥＮＡ７８の各ペプチドである。
例えば腎臓移植患者における臓器移植の拒絶、および／または、臓器または移植片の機能遅延を予防または治療する方法も提供される。この方法は、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。
哺乳類において乾癬を予防または治療する方法も提供される。この方法は、その哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。乾癬を予防または治療するのに好ましいペプチドは、ＭＣＰ−１、ＲＡＮＴＥＳ、ＭＩＰ１α、ＭＩＧ、ＩＰ１０、ＧＲＯβ、ＧＲＯα、ＧＲＯγ、ＧＣＰ−１、ＨＣＣ−１、Ｉ−３０９、ＳＣＭ−１、ＭＣＰ−３である。乾癬を予防または治療するための好ましい誘導体は、ペプチド３のＣＲＤ誘導体である。
傷の治癒を促進する方法も提供される。この方法は、哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。
例えばマラリア、結核、または細胞内寄生物によって引き起こされるその他の疾患を治療するため、本発明によりケモカイン誘導活性を変化させる方法も提供される。この方法は、哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。
さらに、哺乳類におけるアレルギーを予防または治療する方法も提供される。この方法は、その哺乳類に対し、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。アレルギーを予防または治療するのに好ましいペプチドとしては、ＲＡＮＴＥＳ、ＭＩＰ１α、ＭＣＰ−１、ＭＣＰ−２、ＭＣＰ−３、ＭＣＰ−４、エオタキシン、ＭＩＰ１βなどが挙げられる。
本発明のさらに別の実施態様は、ＴＮＦ−αの上昇に付随した疾患を予防または抑制する方法である。この方法は、効果的な量のケモカイン・ペプチド３、その断片、その変異体、その誘導体、式（ＩＶ）の化合物、式（Ｖ）の化合物、式（ＶＩ）の化合物、式（ＶＩＩ）の化合物、式（ＶＩＩＩ）の化合物、式（ＩＸ）の化合物、式（Ｘ）の化合物、式（ＸＩ）の化合物、式（ＸＩＩ）の化合物、式（ＸＩＶ）の化合物、式（ＸＶ）の化合物、式（ＸＩＸ）の化合物、またはこれらの組み合わせを投与する操作を含んでいる。
本発明により、ケモカイン誘導活性に伴う疾患に悩んでいる、あるいはその疾患にかかる危険性のある哺乳類に対して本発明の核酸分子を投与する方法も提供される。本発明により、ケモカイン・ペプチド、その変異体、その誘導体、またはそのアナログと結合するケモカイン受容体領域を同定する方法も提供される。この方法は、ケモカイン受容体を所定量のケモカイン・ペプチド、その変異体、その誘導体、またはそのアナログと接触させ、受容体とケモカイン・ペプチド、その変異体、その誘導体、またはそのアナログとの間に複合体を形成させる操作を含んでいる。次に、その受容体のどの領域がケモカイン・ペプチド、その変異体、その誘導体、またはそのアナログと結合するかを調べる。
さらに本発明により、特定のケモカイン・ペプチド、その変異体、その誘導体、またはそのアナログによってケモカイン受容体領域と結合する分子を同定する方法も提供される。この方法により、その領域を分子群と接触させ、その分子群中の少なくとも１つの分子がその領域と特異的に結合するかどうかを検出または決定する。
本発明のさらに別の実施態様は、ケモカイン受容体と結合するが、その受容体と結合する少なくとも１つのケモカインとはヘテロ二量体を形成しない分子を同定する方法である。この方法は、ケモカイン受容体を分子と接触させ、その受容体とその分子の間に複合体を形成させる操作を含んでいる。この複合体を少なくとも１つのケモカインと接触させる。次に、複合体中のその分子がそのケモカインとヘテロ二量体を形成するかどうかを調べる。
本発明のさらに別の実施態様は、ケモカイン受容体と結合するが、その受容体と結合する１つのケモカインとはヘテロ二量体を形成しない分子を同定する方法である。この方法は、ケモカイン受容体をその分子および少なくとも１つのケモカインと接触させ、その受容体とそのケモカインとヘテロ二量体を形成するかどうかを検出または決定する操作を含んでいる。
本発明により、抗原誘導記憶応答（ｒｅｃａｌｌ  ｒｅｓｐｏｎｓｅ）を抑制する薬剤を同定する方法も提供される。この方法は、抗原に感作させた哺乳類に対し、１）式（ＸＩＶ）、（Ｘ）、（ＸＩ）、または（ＸＩＩ）の化合物、２）ケモカイン・ペプチド３、その変異体、その誘導体、式（ＩＶ）の化合物、式（Ｖ）の化合物、式（ＶＩ）の化合物、式（Ｘ）の化合物、式（ＸＩ）の化合物、式（ＸＩＩ）の化合物、式（ＸＩＶ）の化合物、または式（ＸＩＸ）の化合物の糖類複合体；またはその塩類で薬理学的に受容可能なもの；またはこれらの組み合わせの中から選択した薬剤を投与する操作を含んでいる。次に、この薬剤が記憶応答を抑制するかどうかを調べる。
さらに本発明により、抗原に対する記憶応答を予防または抑制する方法も提供される。この方法は、抗原に感作させた哺乳類に対し、その哺乳類においてＩＬ−４のレベルを抑制または低下させるか、あるいはその哺乳類において免疫グロブリンのレベルを抑制または低下させるのに効果的な量の薬剤を投与する操作を含んでいる。薬剤は、１）式（ＸＩＶ）、（Ｘ）、（ＸＩ）、または（ＸＩＩ）の化合物、２）ケモカイン・ペプチド３、その変異体、その誘導体、式（ＩＶ）の化合物、式（Ｖ）の化合物、式（ＶＩ）の化合物、式（Ｘ）の化合物、式（ＸＩ）の化合物、式（ＸＩＩ）の化合物、式（ＸＩＶ）の化合物、または式（ＸＩＸ）の化合物の糖類複合体；またはその塩類で薬理学的に受容可能なもの；またはこれらの組み合わせの中から選択する。
本発明のさらに別の実施態様は、免疫原性のある治療用分子を用いた治療法を適用した哺乳類の免疫応答を抑制する方法である。この方法は、その哺乳類に対し、抗原によって免疫原性のあるその治療用分子に対して誘起される記憶応答を抑制するのに効果的な量の薬剤を投与する操作を含んでいる。薬剤は、１）式（ＸＩＶ）、（Ｘ）、（ＸＩ）、または（ＸＩＩ）の化合物、２）ケモカイン・ペプチド３、その変異体、その誘導体、式（ＩＶ）の化合物、式（Ｖ）の化合物、式（ＶＩ）の化合物、式（Ｘ）の化合物、式（ＸＩ）の化合物、式（ＸＩＩ）の化合物、式（ＸＩＶ）の化合物、または式（ＸＩＸ）の化合物の糖類複合体；またはその塩類で薬理学的に受容可能なもの；またはこれらの組み合わせの中から選択する。
本発明により、ケモカインの活性を抑制するがその受容体に対する元のケモカインとは競合しない薬剤を同定する方法も提供される。この方法は、元のケモカインと結合する受容体を含む細胞を薬剤と接触させ；薬剤が、元のケモカインと結合してケモカインの活性を抑制する受容体ではない受容体と特異的に結合するかどうかを検出または決定する操作を含んでいる。
本発明により、脳卒中を予防または抑制する方法も提供される。この方法は、哺乳類に対し、効果的な量の１）式（ＸＩＶ）、（Ｘ）、（ＸＩ）、または（ＸＩＩ）の化合物、または２）ケモカイン・ペプチド３、その変異体、その誘導体、式（ＩＶ）の化合物、式（Ｖ）の化合物、式（ＶＩ）の化合物、式（Ｘ）の化合物、式（ＸＩ）の化合物、式（ＸＩＩ）の化合物、式（ＸＩＶ）の化合物、または式（ＸＩＸ）の化合物の糖類複合体；またはその塩類で薬理学的に受容可能なもの；またはこれらの組み合わせを投与する操作を含んでいる。
本発明によりさらに、ケモカイン・ペプチド３、その断片、その変異体、その誘導体、式（ＩＶ）の化合物、式（Ｖ）の化合物、式（ＶＩ）の化合物、式（ＸＩＶ）の化合物、式（Ｘ）の化合物、式（ＸＩ）の化合物、式（ＸＩＸ）の化合物、式（ＸＩＩ）の化合物の中から選択した化合物の生体内での半減期を増大させる方法も提供される。この方法は、糖類をその化合物と結合させる操作を含んでいる。本発明により、上記の方法により調製された、糖類と結合した化合物も提供される。
【発明の詳細な説明】
【０００１】
関係する出願に対する相互参照
この出願は、米国特許出願Ｎｏ．０９／２７１，１９２、１９９９年３月１７日提出の一部継続出願（その開示は引用することによって本明細書の一部とされる）である。
【０００２】
発明の背景
マクロファージ／単球のリクルートメントは、広いスペクトルの疾患、例えば、自己免疫疾患、肉芽腫性疾患、アレルギー性疾患、感染症、骨阻鬆症および冠状動脈性疾患においてある役割を演ずる。例えば、脂肪性病変の間におけるアテローム性動脈硬化症の初期において、循環する単球は初発プラークをオーバーレイする活性化された内皮に接着する。適当な条件下に、次いで単球は発生する内膜の中に移動する。内膜において、マクロファージはリポタンパク質を蓄積し、プロテアーゼインヒビターに関して過剰のプロテアーゼを外分泌する。リポタンパク質が酸化される場合、リポタンパク質はマクロファージに対して毒性であり、これによりマクロファージは死に、不安定な、壊死性、細胞外脂肪プールを増加させる。過剰のプロテアーゼは細胞外基質を喪失させ、線維質プラークを脱安定化する。プラークの不安定性は心筋梗塞の急性な原因である。
【０００３】
損傷または障害の部位に対する単球または他の炎症性細胞の型のリクルートメントに必要な多数の分子が同定されてきている。これらの分子は単球のリクルートメントの阻害のためのターゲットを表す。このような分子の１つのクラスは、単球のための接着性分子、例えば、レセプターである。分子の他のクラスは、炎症メディエイタ、例えば、ＴＮＦ−αおよび関係する分子、インターロイキン、例えば、ＩＬ−１β、およびケモカイン、例えば、単球化学誘引因子プロテイン−１（ＭＣＰ−１）を包含する。その結果、ケモカインの作用をモジュレートする因子は、広い範囲の疾患を予防および治療するために有効であるように思われる。例えば、Ｒｏｌｌｉｎｓ他（米国特許第５，４５９，１２８号）は、一般に、内因性ＭＣＰ−１の単球化学誘引因活性を抑制するＭＣＰ−１のアナローグを開示している。内因性ＭＣＰ−１を抑制するために有効なアナローグは、２８−チロシン、２４−アルギニン、３−アスパラギン酸塩において修飾されたおよび／またはＭＣＰ−１の残基２〜８間のアミノ酸において修飾されたアナローグとして開示されている。特に、Ｒｏｌｌｉｎｓ他は次のように述べている：「ＭＣＰ−１が下記の方法の１またはそれ以上の修飾されている、活性の有望な抑制が見出された：ａ）２８−チロシンがアスパラギン酸塩で置換されている、ｂ）２４−アルギニンがフェニルアラニンで置換されている、ｃ）３−アスパラギン酸塩がアラニンで置換されているおよび／またはｄ）２〜８アミノ酸配列が欠失されている」（第１欄、第４９〜５４行）。ＭＣＰ−１のアミノ酸２〜８の欠失（「ＭＣＰ−１（△２−８）」）は不活性であるポリペプチドを生ずる、すなわち、ＭＣＰ−１（△２−８）は化学誘引物質ではない（第５欄、第２２〜２３行）。Ｒｏｌｌｉｎｓ他が開示している唯一の有効なＭＣＰ−１インヒビターはＭＣＰ−１（△２−８）である。
【０００４】
最近の研究は、ＭＣＰ−１（△２−８）が優勢な陰性作用を示す、すなわち、それは生物学的作用を誘発することができない野生型ＭＣＰ−１とヘテロダイマーを形成する、ことを示唆している（Ｚｈａｎｇ他、Ｊ．  Ｂｉｏｌ．  Ｃｈｅｍ．  ２６９、１５９１８（１９９４）；Ｚｈａｎｇ他、Ｍｏｌ．  Ｃｅｌｌ．  Ｂｉｏｌ．、１５、４８５１（１９９５））。こうして、ＭＣＰ−１（△２−８）は古典的レセプターアンタゴニストの特性を示さない。そのうえ、ＣＰ−１（△２−８）は望ましくない薬力学的特性を有する大きいポリペプチドであるので、ｉｎ  ｖｉｖｏにおけるＭＣＰ−１活性の阻害のために広く有効であるように思えない。さらに、ＭＣＰ−１（△２−８）が炎症に関連する他のケモカインの優勢な陰性インヒビターとして活性であるかどうかは知られていない。
【０００５】
したがって、ケモカイン誘導マクロファージおよび／または単球のレクルートメントを阻害または増強しかつ望ましい薬力学的特性を有する因子が要求されている。そのうえ、他の細胞型、例えば、リンパ球、好中球または好酸球のケモカイン誘導活性を阻害または増強することが要求されている。さらに、完全な選択的ケモカインインヒビターである因子を同定することが要求されている。
【０００６】
発明の要約
本発明は、単離され、精製されたケモカインペプチド、ケモカインペプチド変異型、ケモカインアナローグ、またはそれらの誘導体を含んでなる治療剤を提供する。好ましくは、本発明の治療剤は２以上のケモカインの活性を阻害するが、治療剤はすべてのケモカインの活性を同一程度に阻害することができないことがある。あるいは、本発明の好ましい治療剤は１つのケモカインの活性を他のケモカインよりも大きい程度に特異的に阻害する。本発明のなお他の好ましい治療剤はあるケモカインの活性を模擬する、例えば、それはアゴニストとして作用する。こうして、ケモカインアンタゴニストおよびアゴニストである治療剤は本発明の範囲内に入る。本発明のそれ以上の好ましい治療剤は、ケモカインの活性を阻害または模擬しないが、ケモカインのレセプターにまたはその付近に結合する因子である、すなわち、中性因子である。
【０００７】
本発明の好ましい態様は、単離され、精製されたＣＣケモカインペプチド３、例えば、成熟ＭＣＰ−１（「ペプチド３［ＭＣＰ−１］」）の約残基４６〜約残基６７に対応するＭＣＰ−１に由来するペプチド、その変異型、アナローグ、または誘導体である。ケモカインペプチド３、その変異型、アナローグ、または誘導体はケモカインレセプターアンタゴニストであることが考えられるが、これらの治療剤は異なるメカニズムにより、例えば、アラキドジオンン酸経路を阻害する（例えば、ロイコトリエン、トロンボキサン、またはプロスタグランジンの合成または安定性を阻害する）か、あるいはＴＧＦ−ベータのレベルを増加させるか、あるいは２以上のメカニズムによって、それらの作用を発揮することができる。
【０００８】
本発明の好ましいペプチド３は、式（Ｉ）の化合物である：
［［（Ｘ２）−（Ｘ３）−Ｃ−（Ｘ）−（Ｘ７）−Ｐ］ａ−［（Ｘ４）−（Ｚ）−（Ｘ５）−Ｗ−（Ｘ１）−（Ｘ６）］ｂ］ｃ
式中Ｘ２はＥ、Ｑ、Ｄ、Ｎ、Ｌ、Ｐ、ＩまたはＭであり、Ｘ３はＩ、Ｖ、Ｍ、Ａ、Ｐ、ノルロイシンまたはＬであり、ＸはＡ、Ｌ、Ｖ、Ｍ、Ｐ、ノルロイシンまたはＩであり、Ｘ４はＫ、Ｓ、Ｒ、Ｑ、ＮまたはＴであり、ＺはＱ、Ｋ、Ｅ、Ｎ、Ｒ、Ｉ、Ｖ、Ｍ、Ａ、Ｐ、ノルロイシンまたはＬであり、Ｘ７はＤまたはＰであり、Ｘ５はＫ、Ｅ、Ｒ、Ｓ、Ｑ、Ｄ、Ｔ、Ｇ、ＨまたはＮであり、Ｘ１はＶ、Ｌ、Ｍ、Ｐ、Ａ、ノルロイシン、またはＩであり、Ｘ６はＱ、Ｎ、ＫまたはＲであり、ａは０〜６であり、ｂは０〜６であり、そしてｃは１〜６であり、ただしａおよびｂの両方は０であることはできない。Ｘ、ＹまたはＺではない式（Ｉ）〜（ＩＩＩ）における文字は第９図に示すペプチジル残基を表す。
【０００９】
本発明のより好ましいペプチド３は式（Ｉ）の化合物である：
［［（Ｘ２）−（Ｘ３）−Ｃ−（Ｘ）−Ｄ−Ｐ］ａ−［（Ｘ４）−（Ｚ）−（Ｘ５）−Ｗ−（Ｘ１）−（Ｘ６）］ｂ］ｃ
式中Ｘ２はＥ、ＱまたはＭであり、Ｘ３はＩ、ＶまたはＬであり、ＸはＡ、ＬまたはＩであり、Ｘ４はＫ、ＳまたはＴであり、ＺはＱ、Ｋ、ＥまたはＬであり、Ｘ５はＫ、Ｅ、Ｒ、ＳまたはＴであり、Ｘ１はＶまたはＩであり、Ｘ６はＱまたはＲであり、ａは０〜６であり、ｂは０〜６であり、そしてｃは１〜６であり、ただしａおよびｂの両方は０であることはできない。
【００１０】
本発明のなお他の好ましいペプチド３は式（ＩＩ）の化合物である：
［［（Ｘ４）−（Ｚ）−（Ｘ５）］ａ−［Ｗ−（Ｘ１）−（Ｘ６）］ｂ］ｃ
式中Ｘ４はＫ、ＳまたはＴであり、ＺはＱ、Ｋ、ＥまたはＬであり、Ｘ５はＫ、Ｅ、Ｒ、ＳまたはＴであり、Ｘ１はＶまたはＩであり、Ｘ６はＱまたはＲであり、ａは０〜６であり、ｂは０〜６であり、そしてｃは１〜６であり、ただしａおよびｂの両方は０であることはできない。
【００１１】
本発明の他の好ましいペプチド３は式（ＩＩ）の化合物である：
［［（Ｘ４）−（Ｚ）−（Ｘ５）］ａ−［Ｗ−（Ｘ１）−（Ｘ６）］ｂ］ｃ
式中Ｘ４はＫ、Ｓ、Ｒ、Ｑ、ＮまたはＴであり、ＺはＱ、Ｋ、Ｅ、Ｎ、Ｒ、Ｉ、Ｖ、Ｍ、Ａ、Ｐ、ノルロイシンまたはＬであり、Ｘ５はＫ、Ｅ、Ｒ、Ｓ、Ｑ、Ｄ、Ｔ、Ｇ、ＨまたはＮであり、Ｘ１はＶ、Ｌ、Ｍ、Ｐ、Ａ、ノルロイシン、またはＩであり、Ｘ６はＱ、Ｎ、ＫまたはＲであり、ａは０〜６であり、ｂは０〜６であり、そしてｃは１〜６であり、ただしａおよびｂの両方は０であることはできない。
【００１２】
本発明のより好ましいペプチド３は、式（ＸＩＩＩ）の化合物である：
（Ｘ８）−（Ｘ）−Ｄ−（Ｘ２）−（Ｘ４）−（Ｚ）−（Ｘ５）−Ｗ−（Ｘ１）−（Ｘ７）
式中ＸはＡ、Ｌ、ＶまたはＩであり、Ｘ２はＰ、ＧまたはＬであり、Ｘ４はＫ、Ｔ、ＲまたはＮであり、ＺはＱ、Ｋ、ＡまたはＬであり、Ｘ５はＫ、Ｅ、Ｒ、Ｒ、ＱまたはＰであり、Ｘ１はＶ、Ｌ、Ａ、Ｍ、ＦまたはＩであり、そしてＸ８およびＸ７は独立してＣであるか、あるいは存在しない。
【００１３】
本発明の好ましい態様は、単離され、精製されたＣＣケモカインペプチド３、例えば、配列番号１（「ペプチド３（１−１２）［ＭＣＰ−１］」）または配列番号７（「ペプチド３（３−１２）［ＭＣＰ−１］」）、それらのフラグメント、変異型、アナローグ、または誘導体に対応するＭＣＰ−１に由来するペプチドである。後述するように、ペプチド３（１−１２）［ＭＣＰ−１］およびペプチド３（３−１２）［ＭＣＰ−１］は、生物学的に利用可能な、完全なケモカインインヒビターであり、望ましい薬物速度を有する。本発明の他の好ましいＣＣケモカインペプチド３は、配列番号４２に対応するアミノ酸配列を有するペプチド３［ＭＣＰ１α］であり、最も好ましくはペプチド３（１−１２）［ＭＣＰ１α］、その変異型、アナローグ、フラグメントまたは誘導体である。
【００１４】
本発明のさらに好ましい態様は、ＣＣケモカインペプチド３、例えば、ペプチド３（１−１２）［ＭＣＰ−４］（例えば、配列番号６５）、ペプチド３（１−１２）［ＭＣＰ−３］（例えば、配列番号６６）、ペプチド３（１−１２）［ＭＣＰ−２］（例えば、配列番号６７）、ペプチド３（１−１２）［エオタキシン］（例えば、配列番号６８）、ペプチド３（１−１２）［ＭＣＰ１α］（例えば、配列番号４２）、ペプチド３（１−１２）［ＭＣＰ１β］（例えば、配列番号４３）、ペプチド３（１−１２）［ＲＡＮＴＥＳ］（例えば、配列番号４４）、またはそれらのフラグメントである。
【００１５】
本発明の他の好ましい態様は、ＣＸＣケモカインペプチド３、その変異型、アナローグ、または誘導体である。本発明の好ましいＣＸＣケモカインペプチド３は、式（ＩＩＩ）の化合物である：
［［（Ｘ２）−（Ｘ３）−Ｃ−Ｌ−（Ｘ）−（Ｘ７）−Ｐ］ａ−［（Ｘ４）−（Ｚ）−（Ｘ５）−（Ｘ８）−（Ｘ１）−（Ｘ６）］ｂ］ｃ
式中Ｘ２はＥまたはＫであり、Ｘ３はＩ、Ａ、ＲまたはＩであり、ＸはＤまたはＮであり、Ｘ７はＱ、ＰまたはＬであり、Ｘ４はＥ、Ｋ、Ｄ、ＡまたはＱであり、ＺはＡ、Ｒ、ＳまたはＥであり、Ｘ５はＰ、ＮまたはＫであり、Ｘ８はＦ、Ｗ、Ｒ、Ｉ、Ｍ、ＬまたはＡであり、Ｘ１はＬ、Ｖ、ＹまたはＩであり、Ｘ６はＫまたはＱであり、ａは０〜６であり、ｂは０〜６であり、そしてｃは１〜６であり、ただしａおよびｂの両方は０であることはできない。
【００１６】
本発明のそれ以上の好ましい態様は、ＣＸＣケモカインペプチド３、例えば、ペプチド３（１−１２）［ＩＬ８］（例えば、配列番号４０）、ペプチド３（１−１２）［ＳＤＦ−１］（例えば、配列番号３８）、ペプチド３（１−１２）［ＥＮＡ−７８］（例えば、配列番号４１）、ペプチド３（１−１２）［ＧＲＯα］（例えば、配列番号７２）、ペプチド３（１−１２）［ＧＲＯβ］（例えば、配列番号７３）、ペプチド３（１−１２）［ＧＲＯγ］（例えば、配列番号７４）、またはそれらの官能基である。
【００１７】
本発明のなお他の好ましい態様は、ＣＸ２Ｃ、ＣＸ３ＣまたはＣケモカインペプチド３、それらの変異型、アナローグ、または誘導体である。
【００１８】
好ましくは、ケモカインペプチド３、その変異型、アナローグ、または誘導体は、トロンボキサン、プロスタグランジン、ロイコトリエン、またはそれらの任意の組合わせの、アラキドジオンン酸経路、例えば、合成または安定性を阻害する。
【００１９】
本発明の他の好ましい態様は、少なくともトリペプチドであるケモカインペプチド３、その変異型、アナローグ、または誘導体を包含する。本発明の好ましい態様は、ＭＣＰ−１に特異的に阻害するが、ＭＣＰ１α、ＩＬ８およびＳＤＦ１α、ケモカイン誘導活性を阻害しない、ＭＣＰ−１トリペプチドＫＱＫ（すなわち、ペプチド３（９−１２）［ＭＣＰ−１］である。本発明の他の好ましい態様は、それぞれ、ＩＬ８、ＭＣＰ１α、ＳＤＦ１、ＭＣＰ−１、ＭＣＰ−２、ＭＣＰ−３、およびＭＣＰ１β、例えば、ＫＥＮ、ＳＥＥ、ＫＬＫ、ＫＫＥ、ＫＥＲ、ＴＱＲ、およびＳＥＳを特異的に阻害する、単離され、精製されたケモカイントリプトンである。本発明のそれ以上の好ましい態様は、２以上のケモカイン、例えば、ＷＶＱまたはＷＩＱの活性を阻害するケモカインペプチド３トリペプチドである。好ましくは、本発明のトリペプチドはＲＦＫではない。
【００２０】
本発明のなお他の態様はアミノ酸配列ＫＸＫを含むポリペプチドであり、ここでＸはアミノ酸、好ましくは２０の天然に存在するアミノ酸の１つであり、そして前記ペプチドはＴＧＦ−ベータ（ＴＧＦ−ベータ１、ＴＧＦ−ベータ２、ＴＧＦ−ベータ３、またはそれらの組合わせ）を活性化するケモカインアンタゴニスト、またはそれらの組合わせである。好ましくは、このペプチドはＴＧＦ−ベータ１の活性化を増加する。アミノ酸配列ＫＸＫを含むペプチドは約１５、好ましくは約１０、より好ましくは約８より小さいアミノ酸残基長さであることが好ましい。好ましくは、ペプチドはＫＫＦＫまたはＲＫＰＫではない。本発明のそれ以上の態様は、塩基性アミノ酸残基、次いでフェニルアラニン、次いで他の塩基性残基を含むペプチドであり、ここでペプチドはＲＦＫではなく、ＫＲＦＫではないか、あるいはＲＦＫまたはＫＲＦＫを含有しない。
【００２１】
本発明の他の好ましいペプチドは、式（ＶＩＩ）の化合物である：
（Ｘ１）−（Ｙ）−（Ｋ）−（Ｘ２）−Ｋ−（Ｘ３）
式中Ｘ２はＶ、Ａ、Ｄ、Ｅ、Ｐ、Ｒ、Ｃ、Ｈ、Ｍ、Ｆ、Ｋ、Ｌ、Ｎ、Ｑ、Ｙ、またはＩであり、Ｙは存在しないか、あるいはＲまたはＫではないアミノ酸であり、そしてＸ１およびＸ３は独立して０〜２０アミノ酸残基であるか、あるいは存在しない。好ましくは、Ｘ２はＦ、Ｋ、Ｌ、Ｎ、Ｑ、Ｙ、またはＩである。より好ましくは、Ｘ２はＦ、Ｋ、Ｌ、Ｎ、Ｑ、Ｙ、またはＩであり、そしてＹ、Ｘ１およびＸ３は存在しない。
【００２２】
本発明の方法において有用な本発明のペプチドを同定するために、種々の異なる種からの研究下のレセプターリガンドの配列を比較し、次いでヒトレセプターに対する各種からのレセプターリガンドの交差反応性を評価する。次いで対応するヒトレセプターリガンドに対する最低の配列相同性を有するが、なおヒトレセプターに結合しかつそれを通してシグナルを発生する、１またはそれ以上の好ましい配列を種から得られる。この最も発散するが、なお機能的であるレセプターリガンドの配列をヒト配列と整列させて、保存された領域を同定する。このような保存された領域は、本発明の方法において有用な本発明のペプチドを表す。例えば、このプロセスは、例えば、アンタゴニスト、アゴニストまたは中性の特性を有するヒトＭＣＰ−１におけるペプチドを同定するために適用された。このようなペプチドは、ペプチド３、ペプチド２（後述する）または関係する分子（下文参照）を包含するが、これらに限定されない。
【００２３】
他の例は、アンタゴニスト、アゴニスト、または中性レセプター結合特性を有するケモカインＴＧＦ−ベータの配列中のペプチドの同定である。ヒトＴＧＦ−ベータのアミノ酸配列をクセノプス（Ｘｅｎｏｐｕｓ）のそれと比較した。この方法により同定されたペプチドは、ＬＹＩＤＦＲＱＤＬＧＷＫＷ（「Ｔ１」；配列番号１１１）；ＨＥＰＫＧＹＨＡＮＦＣ（「Ｔ２」；配列番号１１２）；ＶＹＹＶＧＲＫ（「Ｔ３」；配列番号１１３）およびＫＶＥＱＬＳＮＭＶＶＫＳＣ（「Ｔ４」；配列番号１１４）を包含する。ビオチニル化Ｔ１はＴＨＰ−１細胞のＴＧＦ−ベータレセプターに１８μＭのＥＤ５０で結合し、レセプター中性因子である（すなわち、アゴニストではなくまたアンタゴニストではない）。ビオチニル化Ｔ２はＴＨＰ−１細胞のＴＧＦ−ベータレセプターに３０μＭのＥＤ５０で結合し、弱いレセプターアンタゴニストである。
【００２４】
また、単離され、精製されたケモカインペプチド変異型、またはその誘導体が提供される。ケモカインペプチド変異型は、対応する自然ケモカインのアミノ酸配列に対して少なくとも、約５０％、好ましくは少なくとも約８０％、より好ましくは少なくとも約９０％であるが、１００％より低い、隣接アミノ酸配列の相同性または同一性を有する、例えば、Ｓｅｒ７ペプチド３（１−１２）［ＭＣＰ１］（配列番号１１）は、ＭＣＰ−１の対応するアミノ酸配列、すなわち、配列番号１を有するペプチドに対して１００％より低い隣接相同性を有する。好ましいペプチド３変異型は、ＬｅｕａＩｌｅ１１ペプチド３（３−１２）［ＭＣＰ−１］である、すなわち、それはペプチド３（３−１２）［ＭＣＰ−１］に由来する１０アミノ酸のペプチドであり、ペプチド３（３−１２）［ＭＣＰ−１］のアミノ酸残基１および２を欠如しかつペプチド３（３−１２）［ＭＣＰ−１］の位置４にアラニンではなくロイシンを有しかつペプチド３（３−１２）［ＭＣＰ−１］の位置７にバリンではなくイソロイシンを有する。
【００２５】
本発明は、また、ケモカインペプチドおよびペプチド変異型の誘導体を提供する。好ましい誘導体は、本発明のケモカインペプチド、その種々のまたはアナローグの環状逆方向配列Ｄ異性体（ＣＲＤ）誘導体である。例えば、ＣＲＤ−Ｃｙｓ１３Ｌｅｕ１１ペプチド３（３−１２）［ＭＣＰ−１］は、後述するように、本発明の方法の実施において特に有用である、本発明の化合物である。
【００２６】
また、ケモカインのある種のアナローグが提供される。特に、ケモカインペプチド３のアナローグ、またはその変異型が考えられる。ケモカインペプチド３の好ましいアナローグはＷＩＱのアナローグであり、式（ＩＶ）の化合物をまたはその薬学上許容される塩を包含する：
【００２７】
【化１】
2005506947.tif 000002
【００２８】
式中、
Ｒ１はアリール、ヘテロアリール、アリール（Ｃ１−Ｃ３）アルキル、ヘテロアリール（Ｃ１−Ｃ３）アルキル、クマリル（Ｃ１−Ｃ３）アルキル、クロマニルまたはクロマニル（Ｃ１−Ｃ３）アルキルであり；ここでアリールまたはヘテロアリール基、あるいはクロマニルまたはクロマニル基のベンズ環は下記のものから成る群から選択される１，２または３つの置換基により置換されていてもよい：ハロ、ニトロ、シアノ、ヒドロキシ、（Ｃ１−Ｃ６）アルキル、（Ｃ１−Ｃ６）アルコキシ、（Ｃ２−Ｃ６）アルカノイルオキシ、−Ｃ（＝Ｏ）（Ｃ１−Ｃ６）アルコキシ、（＝Ｏ）ＮＲｇＲｈ、ＮＲｉＲｊ；
Ｒ２は（Ｃ１−Ｃ１０）アルキル、（Ｃ３−Ｃ６）シクロアルキル、（Ｃ３−Ｃ６）シクロアルキル（Ｃ１−Ｃ６）アルキル、（Ｃ１−Ｃ１０）アルコキシ、（Ｃ３−Ｃ６）シクロアルキル（Ｃ１−Ｃ６）アルコキシまたはＮ（Ｒａ）（Ｒｂ）であり；
Ｒ３は（Ｃ１−Ｃ１０）アルキル、（Ｃ３−Ｃ６）シクロアルキル、（Ｃ３−Ｃ６）シクロアルキル（Ｃ１−Ｃ６）アルキル、（Ｃ１−Ｃ１０）アルコキシ、（Ｃ３−Ｃ６）シクロアルキル（Ｃ１−Ｃ６）アルコキシまたはＮ（Ｒｃ）（Ｒｄ）であり；
Ｙはオキソまたはチオキソであり；
Ｚは（Ｃ１−Ｃ１５）アルキル、（Ｃ３−Ｃ６）シクロアルキル、（Ｃ３−Ｃ６）シクロアルキル（Ｃ１−Ｃ６）アルキル、（Ｃ１−Ｃ１５）アルコキシ、（Ｃ３−Ｃ６）シクロアルキル（Ｃ１−Ｃ６）アルコキシまたはＮ（Ｒｃ）（Ｒｆ）であり；そして
Ｒａ〜Ｒｊの各々は独立して水素、（Ｃ１−Ｃ１０）アルキル、（Ｃ１−Ｃ１０）アルコキシ、フェニル、ベンジル、またはフェネチルであるか、あるいはＲａおよびＲｂ、ＲｃおよびＲｄ、ＲｅおよびＲｆ、ＲｇおよびＲｈ、またはＲｉおよびＲｊはそれらが結合する窒素原子と一緒になってピロリジン、ピペリジノ、またはモルホリノから成る群から選択される環を形成する。
【００２９】
式（ＩＶ）の化合物の好ましい態様は、Ｒ１がアリール、ヘテロアリール、クマリル、またはクロマニルである、式（ＩＶ）の化合物である。好ましくは、アリールはフェニルであり、そしてヘテロアリールはインドリルまたはピリジニルである。式（ＩＶ）の化合物の他の好ましい態様は、Ｒ２がＮ（Ｒａ）（Ｒｂ）であり、かつＲ３がＮ（Ｒｃ）（Ｒｄ）である、式（ＩＶ）の化合物である。式（ＩＶ）の化合物のなお他の好ましい態様は、Ｚが（Ｃ１−Ｃ１５）アルキルである、式（ＩＶ）の化合物を包含する。
【００３０】
式（ＩＶ）の他の好ましい化合物は、Ｒ１がアリール、ヘテロアリール、クマリルまたはクロマニルであり、Ｒ２がＮ（Ｒａ）（Ｒｂ）であり、Ｒ３がＮ（Ｒｃ）（Ｒｄ）であり、Ｙがオキソまたはチオオキソであり、Ｚが（Ｃ１−Ｃ１５）アルキルであり、Ｒａ〜Ｒｄの各々が独立して水素、（Ｃ１−Ｃ１０）アルキル、（Ｃ１−Ｃ１０）アルカノイル、フェニル、ベンジルまたはフェネチルであるか、あるいはＲａおよびＲｂ、またはＲｃまたはＲｄがそれらが結合する窒素原子と一緒になってピロリジノ、ピペリジノまたはモルホリノ環を形成する、式（ＩＶ）の化合物またはその薬学上許容される塩である。
【００３１】
それ以上の好ましい化合物は、Ｒ１がインドリルであり、Ｒ２がＮ（Ｒａ）（Ｒｂ）であり、Ｒ３がＮ（Ｒｃ）（Ｒｄ）であり、ＹがＳであり、Ｚは水素化であり、そしてＲａ、Ｒｂ、Ｒｃ、およびＲｄの各々がメチルである、式（ＩＶ）の化合物である。
【００３２】
ＷＩＱのそれ以上の好ましいアナローグは、式（ＸＩＶ）の化合物またはその薬学上許容される塩である：
【００３３】
【化２】
2005506947.tif 000003
【００３４】
式中、
Ｒ１はＯ（Ｒａ）（ここでＲａはＨ、（Ｃ１−Ｃ６）アルキル、（Ｃ１−Ｃ６）アルカノイル、（Ｃ１−Ｃ６）アルカノイルオキシ、（Ｃ６−Ｃ１０）アリールまたは（Ｃ６−Ｃ１０）ヘテロアリールである）またはＮ（Ｒｂ）（Ｒｃ）（ここで各ＲａおよびＲｃは独立してＨまたは（Ｃ１−Ｃ６）アルキルである）であり；
Ｒ２はＯ（Ｒａ）（ここでＲａはＨ、（Ｃ１−Ｃ６）アルキル、（Ｃ１−Ｃ６）アルカノイル、（Ｃ１−Ｃ６）アルカノイルオキシ、（Ｃ６−Ｃ１０）アリールまたは（Ｃ６−Ｃ１０）ヘテロアリールである）またはＮ（Ｒｂ）（Ｒｃ）（ここで各ＲａおよびＲｃは独立してＨまたは（Ｃ１−Ｃ６）アルキルである）であり；
Ｒ３はＨ、Ｃ（＝Ｏ）またはＣ（＝Ｓ）であり；
Ｒ４はＨ、Ｃ（＝Ｏ）、Ｃ（＝Ｓ）、Ｏ（Ｒａ）またはＮ（Ｒｂ）（Ｒｃ）であり；各Ｒａは独立してＨ、（Ｃ１−Ｃ６）アルキル、（Ｃ１−Ｃ６）アルカノイルオキシ、（Ｃ１−Ｃ６）アルカノイル、（Ｃ６−Ｃ１０）アリールまたは（Ｃ６−Ｃ１０）ヘテロアリールであり；各ＲａおよびＲｃは独立してＨまたは（Ｃ１−Ｃ６）アルキルであり；そして
ｎは０〜６の整数であり、
任意の（Ｃ６−Ｃ１０）アリール、（Ｃ１−Ｃ６）アルキル、（Ｃ１−Ｃ６）アルカノイルオキシ、（Ｃ６−Ｃ１０）ヘテロアリールまたは（Ｃ１−Ｃ６）アルカノイルまたは式（ＸＩＶ）中のベンゾ環は下記のものから成る群から選択される少なくとも１つ（例えば、１、２、３または４つ）の置換基により置換されていてもよい：ハロ、シアノ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、メトキシジオキシ、ヒドロキシ、Ｃ（＝Ｏ）、スルフィノ（ＳＯ２Ｈ）、スルホ（ＳＯ３Ｈ）、およびＮ（Ｒｂ）（Ｒｃ）。
【００３５】
ＷＩＱの他の好ましいアナローグは、各記号が下記の意味を有する式（ＸＩＶ）の化合物またはその薬学上許容される塩である：Ｒ１はＯ（Ｒａ）、アミノ酸、またはＮ（Ｒｂ）（Ｒｃ）であり；Ｒ２はＯ（Ｒａ）またはＮ（Ｒｂ）（Ｒｃ）であり；Ｒ３はＨ、オキソまたはチオオキソであり、Ｒ４はＨ、オキソ、チオオキソ、Ｏ（Ｒａ）またはＮ（Ｒｂ）（Ｒｃ）であり；ｎは０、１、２、３、４、５または６であり；相対湿度Ｒａは独立してＨ、（Ｃ１−Ｃ６）アルキル、（Ｃ１−Ｃ６）アルカノイル、アリール、ヘテロアリール、またはサッカリドであり；ＲｂおよびＲｃの各々は独立してＨまたは（Ｃ１−Ｃ６）アルキルであり；ここで任意の（Ｃ１−Ｃ６）アルキル、（Ｃ１−Ｃ６）アルカノイル、（Ｃ１−Ｃ６）アルカノイルオキシ、アリールまたはヘテロアリールは下記のものから成る群から選択される１またはそれ以上（例えば、１、２、３または４つ）の置換基により置換されていてもよく：ハロ、シアノ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、ヒドロキシ、オキソ、スルフィノ（ＳＯ２Ｈ）、スルホ（ＳＯ３Ｈ）、およびＮ（Ｒｂ）（Ｒｃ）。
【００３６】
式（ＸＩＶ）の化合物について、Ｒ１は特にＮ（Ｒｂ）（Ｒｃ）であることができ；ここでＲｂはＨでありかつＲｃはＨであり；Ｒ２は特にＯ（Ｒａ）であることができ、ここで各ＲａはＨ、−ＣＨ２Ｃ（ＯＨ）Ｃ（ＯＨ）Ｃ（ＯＨ）Ｃ（ＯＨ）ＣＨＯまたは−ＣＨ２Ｃ（ＯＨ）Ｃ（ＯＨ）Ｃ（ＯＨ）Ｃ（ＮＨ２）ＣＨＯであり；Ｒ３は特にＨであることができ；Ｒ４は特にＨであることができ；そしてｎは特に１であることができる。
【００３７】
式（ＸＩＶ）の他の特定の化合物は、式（ＸＩＶ）のベンゾ環が置換されている化合物である。
【００３８】
式（ＸＩＶ）の好ましい化合物はイオヒンンビンの環立体化学はが、本発明は、また、アロイオヒンンビンおよびランホルシン環系を有する式（ＸＩＶ）の化合物を提供する。
【００３９】
本発明の化合物は、好ましくは、下記の化合物を排除する：Ｒ１がβ−アミノ、ヒドロキシ、またはメトキシであり、ｎが０であるとき、Ｒ２がα−メトキシであり、Ｒ３が水素であり、そしてＲ４がヒドロキシである、式（ＸＩＶ）の化合物（Ｂａｘｔｅｒ他、Ｊ．  Ａｍ．  Ｃｈｅｍ．  Ｓｏｃ．、１９９０、１１２、７６８２−７６９２）；Ｒ１がメトキシであり、ｎが０であるとき、Ｒ２がヒドロキシまたはアセトキシであり、Ｒ３が水素であり、そしてＲ４が水素である、式（ＸＩＶ）の化合物（Ｓｚａｎｔａｙ他、Ｃｈｅｍ．  Ｂｅｒ．、１９７６、１０９、１７３７−１７４８；Ｔｏｋｅ他、Ｊ．  Ｏｒｇ．  Ｃｈｅｍ．、１９７３、３８、２４９６−２５００および２５０１−２５０９）；Ｒ１がメトキシまたはアミノであり、ｎが０であるとき、Ｒ２がヒドロキシであり、Ｒ３が水素であり、そしてＲ４が水素である、式（ＸＩＶ）の化合物（Ｔｏｋｅ他、Ｊ．  Ｏｒｇ．  Ｃｈｅｍ．、１９７３、３８、２５０１−２５０９；Ｔｏｋｅ他、Ｃｈｅｍ．  Ｂｅｒ．、１９６９、１０２、３２４９−３２５９）；およびＲ１がβ−Ｏ（Ｒａ）またはＮ（Ｒｂ）（Ｒｃ）であり、ここでＲａが水素または（Ｃ１−Ｃ６）アルキルでありそしてＲｂおよびＲｃの各々が水素であり、ｎが０であるとき、Ｒ２がα−Ｏ（Ｒａ）であり、ここでＲａが水素、（Ｃ１−Ｃ６）アルキル、または（Ｃ１−Ｃ６）アルカノイルであり、Ｒ３が水素であり、そしてＲ４が水素である、式（ＸＩＶ）の化合物（米国特許第５，８０７，４８２号）。
【００４０】
本発明の方法において有用なＷＧＱの他のアナローグは、式（Ｘ）の化合物またはそのその薬学上許容される塩である：
【００４１】
【化３】
2005506947.tif 000004
【００４２】
式中、
Ｒ１は（Ｃ１−Ｃ１５）アルキル、（Ｃ２−Ｃ１５）アルケニル、（Ｃ２−Ｃ１５）アルキニル、（Ｃ１−Ｃ１５）アルコキシ、アリール、ヘテロアリール、アリール（Ｃ１−Ｃ６）アルキル、ヘテロアリール（Ｃ１−Ｃ６）アルキルであり；そして
Ｒ２は水素または（Ｃ１−Ｃ１５）アルキルであるか、あるいは
Ｒ１およびＲ２はそれらが結合する原子と一緒になって４または５個の炭素原子を含んでなる５または６員の複素環式環を形成し、前記環は炭素上でオキソで置換されていてもよく、融合ベンゾ基で置換されていてもよく；
Ｒ３はヒドロキシ、（Ｃ１−Ｃ６）アルコキシ、またはＮ（Ｒａ）（Ｒｂ）であり；そして
Ｒ４はヒドロキシ、（Ｃ１−Ｃ６）アルコキシ、またはＮ（Ｒａ）（Ｒｂ）であるか、あるいは
Ｒ３およびＲ４はそれらが結合する原子と一緒になって４または５個の炭素原子およびＮ（Ｒｃ）を含んでなる５または６員の複素環式環を形成し；
Ｒ５は水素または（Ｃ１−Ｃ６）アルキルであり；
Ｒ６は水素またはオキソであり；
Ｘは直接結合、Ｎ（Ｈ）、またはメチレン（−ＣＨ２−）であり；
各ＲａおよびＲｃは独立して水素、（Ｃ１−Ｃ６）アルキル、（Ｃ１−Ｃ６）アルカノイル、（Ｃ１−Ｃ６）アルコキシカルボニル、アリール、アリール（Ｃ１−Ｃ６）アルキル、アリール（Ｃ１−Ｃ６）アルコキシ、アリール（Ｃ１−Ｃ６）アルカノイル、アリール（Ｃ１−Ｃ６）アルコキシカルボニル、ヘテロアリール、ヘテロアリール（Ｃ１−Ｃ６）アルキル、ヘテロアリール（Ｃ１−Ｃ６）アルコキシ、ヘテロアリール（Ｃ１−Ｃ６）アルカノイル、またはヘテロアリール（Ｃ１−Ｃ６）アルコキシカルボニルであり；そして
Ｒ６は水素または（Ｃ１−Ｃ６）アルキルであり；
ここでＲ１の任意の（Ｃ１−Ｃ１５）アルキル、（Ｃ２−Ｃ１５）アルケニル、または（Ｃ１−Ｃ１５）アルコキシは下記のものから成る群から選択される１またはそれ以上の置換基により置換されていてもよく：ハロ、シアノ、ニトロ、カルボキシ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、ヒドロキシ、オキソ、およびＮ（Ｒｂ）（Ｒｃ）；そして
ここでＲ２、Ｒａ、およびＲｂの任意のアリール、ヘテロアリール、またはベンゾは下記のものから成る群から選択される１、２、３、または４つの置換基により置換されていてもよい：ハロ、シアノ、ヒドロキシ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、スルフィノ（ＳＯ２Ｈ）、スルホ（ＳＯ３Ｈ）、およびメチレンジオキシ。
【００４３】
式（Ｘ）の化合物の好ましいグループは、各記号が下記の意味を有する化合物である：Ｒ１は９−デセニル、ｔ−ブトキシ、フェニル、４−ヒドロキシフェニル、ｔ−ブトキシカルボニルアミノメチル、ベンゾイルアミノメチル、４−ヒドロキシベンジルオキシカルボニルアミノメチルであり；そしてＲ２は水素であるか、あるいはＲ１およびＲ２はそれらが結合する原子と一緒になって２−（１，３−ジオキソ−１Ｈ−イソインドリル）であり；Ｒ３はアミノまたはヒドロキシであり；そしてＲ４はヒドロキシ、アミノ、または４−ヒドロキシベンジルアミノであるか、あるいはＲ３およびＲ４はそれらが結合する原子と一緒になって５個の炭素原子およびＮ（Ｈ）を含んでなる６員の複素環式環を形成し；Ｒ５は水素であり；そしてＲ６は水素である。好ましくは、＊でマークする中心は式（Ｘ）の化合物における（Ｓ）絶対立体配置を有する。
【００４４】
式（Ｘ）の化合物の好ましいグループは、Ｒ５が（Ｃ１−Ｃ６）アルキルである化合物である。
【００４５】
本発明の方法において有用なＷＧＱの他のアナローグは、式（ＸＩ）の化合物またはその薬学上許容される塩である：
【００４６】
【化４】
2005506947.tif 000005
【００４７】
式中、
ＡはＣ（Ｒ２）またはＮであり；
Ｒ１は（Ｃ１−Ｃ１５）アルキル、（Ｃ２−Ｃ１５）アルケニル、（Ｃ２−Ｃ１５）アルキニル、（Ｃ１−Ｃ１５）アルコキシ、（Ｃ１−Ｃ１５）アルカノイル、（Ｃ２−Ｃ１５）アルケニルカルボニル、（Ｃ２−Ｃ１５）アルキニルカルボニル、（Ｃ１−Ｃ１５）アルコキシカルボニル、またはＮ（Ｒａ）（Ｒｂ）であり；そして
Ｒ２、Ｒ３、およびＲ４の各々は独立して水素、ハロ、シアノ、ヒドロキシ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、スルフィノ（ＳＯ２Ｈ）またはスルホ（ＳＯ３Ｈ）であり；
Ｒ５は水素または（Ｃ１−Ｃ６）アルキルであり；
Ｘは直接結合またはメチレン（−ＣＨ２−）であり；
各ＲａおよびＲｃは独立して水素、（Ｃ１−Ｃ１５）アルキル、（Ｃ２−Ｃ１５）アルケニル、（Ｃ２−Ｃ１５）アルキニル、（Ｃ１−Ｃ１５）アルカノイル、（Ｃ１−Ｃ１５）アルコキシカルボニル、（Ｃ２−Ｃ１５）アルケニルカルボニル、（Ｃ２−Ｃ１５）アルキニルカルボニルであり；
ここでＲ１の任意の（Ｃ１−Ｃ１５）アルキル、（Ｃ２−Ｃ１５）アルケニル、（Ｃ２−Ｃ１５）アルキニル、または（Ｃ１−Ｃ１５）アルコキシは下記のものから成る群から選択される１またはそれ以上（例えば、１、２、３、または４）の置換基により置換されていてもよい：ハロ、シアノ、ニトロ、カルボキシ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、ヒドロキシ、オキソ、およびＮ（Ｒｂ）（Ｒｃ）。
【００４８】
式（ＸＩ）の化合物について、Ｒ１は特に（Ｃ６−Ｃ１５）アルケニル、（Ｃ６−Ｃ１５）アルケニルカルボニル、またはＮ（Ｒａ）（Ｒｂ）であることができ、ここでＲａは水素でありそしてＲｂは（Ｃ６−Ｃ１５）アルケニル、または（Ｃ６−Ｃ１５）アルケニルカルボニルであるか、あるいはＲ１は特に１０−ウンデセノイルアミノまたは９−デセノイルであることができ；Ｒ２は特に水素であることができ；Ｒ３は特にスルホであることができ；Ｒ４は特に水素であることができ；そしてＲ５は特に水素であることができる。
【００４９】
本発明の方法において有用なＷＡＱのアナローグは、式（ＸＩＩ）の化合物またはそのその薬学上許容される塩である：
【００５０】
【化５】
2005506947.tif 000006
【００５１】
式中、
Ｒ１は水素または（Ｃ１−Ｃ６）アルキルであり；
Ｒ２は水素、（Ｃ１−Ｃ６）アルキル、（Ｃ１−Ｃ６）アルカノイル、アミノ酸、（アミノ酸）（Ｃ１−Ｃ６）アルキル、（アミノ酸）（Ｃ１−Ｃ６）アルカノイル、またはＮ（Ｒａ）（Ｒｂ）であり、ここで各ＲａおよびＲｂは独立して水素、（Ｃ１−Ｃ６）アルカノイル、アミノ酸、フェニル、ベンジルまたはフェネチルであり；
Ｒ３は水素、（Ｃ１−Ｃ６）アルキル、（Ｃ１−Ｃ６）アルカノイル、フェニル、ベンジル、またはフェネチルであり；そして
−−−により表される結合は存在しないか、あるいは存在し；
ここで式（ＸＩＩ）のベンゼン環は下記のものから成る群から選択される１、２、または３つの置換基により置換されていてもよい：ハロ、シアノ、ヒドロキシ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、スルフィノ（ＳＯ２Ｈ）、スルホ（ＳＯ３Ｈ）、およびメチレンジオキシ。
【００５２】
式（ＸＩＩ）の特定の化合物は、下記式の化合物またはそのその薬学上許容される塩である：
【００５３】
【化６】
2005506947.tif 000007
【００５４】
式中、
Ｒａは水素または（Ｃ１−Ｃ６）アルキルであり；そして
Ｒｂは水素またはアミノ酸である。
【００５５】
式（ＸＩＩ）の化合物について、Ｒ１は特にメチルまたはエチルであることができ；そしてＲ２は特にアミノ窒素を通して結合してアミドを形成するグルタミンであることができる。
【００５６】
式（ＸＩＩ）の特定の化合物は、Ｒ２を有する炭素がＲ絶対立体配置を有する化合物であるが、本発明は、また、Ｓ絶対立体配置の対応する化合物を提供する。
【００５７】
式（ＸＩＩ）の特定の化合物は、Ｒ２が−Ｃ（＝Ｏ）（Ｎ−グルタミン）、またはＮ（Ｒａ）（Ｒｂ）であり、ここでＲａが水素でありそしてＲｂがカルボキシ末端を通してＮに結合してアミドを形成するグルタミンである、化合物である。
【００５８】
式（ＸＩＩ）の特定の化合物は、Ｒ３が水素である化合物である。
【００５９】
本発明の他の化合物は、式（ＶＩＩＩ）の化合物またはそのその薬学上許容される塩を包含する：
【００６０】
【化７】
2005506947.tif 000008
【００６１】
式中、
Ｒは（Ｃ１−Ｃ６）アルキル、（Ｃ１−Ｃ６）アルカノイル、アリール、ヘテロアリール、（Ｃ１−Ｃ６）アルコキシカルボニル、またはベンジルオキシカルボニルであり、ここでアリール、ヘテロアリール、およびベンジルオキシカルボニルのフェニル環は１またはそれ以上（例えば、１、２、３、または４）のハロ、ヒドロキシ、シアノ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ２−Ｃ６）アルカノイルオキシまたは（Ｃ１−Ｃ６）アルコキシカルボニルで置換されていてもよく；
Ｒ’は（Ｃ１−Ｃ６）アルコキシ、アリールオキシ、またはＮＲａＲｂであり、ここでＲａおよびＲａの各々は独立して水素、（Ｃ１−Ｃ６）アルキル、アリール、ベンジル、またはフェネチルであるか、あるいはＲａおよびＲｂはそれらが結合する窒素原子と一緒になって５〜６員の複素環式環（例えば、ピロリジノ、ピペリジノ、またはモルホリノ）を形成し；そして
各Ｒ”は独立して水素、（Ｃ１−Ｃ６）アルキル、フェニル、ベンジル、またはフェネチルである。
【００６２】
好ましくは、Ｒはベンジルオキシカルボニルであり、そしてＲ’はジメチルアミノまたはジエチルアミノであるか、あるいはＲはベンジルオキシカルボニルであり、そしてＲ’はベンジルオキシである。
【００６３】
本発明の他の化合物は、式（ＩＸ）の化合物またはそのその薬学上許容される塩を包含する：
【００６４】
【化８】
2005506947.tif 000009
【００６５】
式中、
Ｒは（Ｃ１−Ｃ６）アルキル、（Ｃ１−Ｃ６）アルカノイル、アリール、ヘテロアリール、（Ｃ１−Ｃ６）アルコキシカルボニル、またはベンジルオキシカルボニルであり、ここでアリール、ヘテロアリール、およびベンジルオキシカルボニルのフェニル環は１またはそれ以上（例えば、１、２、３、または４）のハロ、ヒドロキシ、シアノ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ２−Ｃ６）アルカノイルオキシまたは（Ｃ１−Ｃ６）アルコキシカルボニルで置換されていてもよく；
Ｒ’は（Ｃ１−Ｃ６）アルコキシ、アリールオキシ、またはＮＲａＲｂであり、ここでＲａおよびＲａの各々は独立して水素、（Ｃ１−Ｃ６）アルキル、アリール、ベンジル、またはフェネチルであるか、あるいはＲａおよびＲｂはそれらが結合する窒素原子と一緒になって５〜６員の複素環式環（例えば、ピロリジノ、ピペリジノ、またはモルホリノ）を形成し；そして
各Ｒ”は独立して水素、（Ｃ１−Ｃ６）アルキル、フェニル、ベンジル、またはフェネチルである。
【００６６】
好ましくは、Ｒはベンジルオキシカルボニルであり、そしてＲ’はジメチルアミノまたはジエチルアミノであるか、あるいはＲはベンジルオキシカルボニルであり、そしてＲ’はベンジルオキシである。
【００６７】
ケモカインペプチド３の他の好ましいアナローグはＫＸＫのアナローグである。こうして、本発明は式（Ｖ）の化合物またはそのその薬学上許容される塩を包含する：
【００６８】
【化９】
2005506947.tif 000010
【００６９】
式中、
Ｒ４はＮＲｋＲｌであり；
Ｒ５はＮＲｍＲｎであり；
Ｒ６はＮＲｏＲｐであり；
Ｒ７は天然または非天然のアミノ酸の側鎖であるか、あるいは−（ＣＨ２）３Ｃ（＝Ｏ）ＮＲｑＲｒであり；
Ｒ８は水素、ヒドロキシ、（Ｃ１−Ｃ１０）アルキル、（Ｃ３−Ｃ６）シクロアルキル、（Ｃ３−Ｃ６）シクロアルキル（Ｃ１−Ｃ６）アルキル、（Ｃ１−Ｃ１０）アルコキシ、（Ｃ３−Ｃ６）シクロアルキル（Ｃ１−Ｃ６）アルコキシ、ＮＲｓＲｔ、アミノ酸のアミノ末端または２〜約２５アミノ酸残基のペプチドのＮ末端残基であり；
Ｒｋ、Ｒｌ、Ｒｏ、およびＲｐの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルカノイル、フェニル、ベンジルまたはフェネチルであり；
ＲｍおよびＲｎの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ１−Ｃ１０）アルカノイル、（Ｃ１−Ｃ１０）アルコキシカルボニル、９−フルオレニルメトキシカルボニル、フェニル、ベンジル、フェネチル、アミノ酸のＣ末端残基または２〜約２５アミノ酸残基のペプチドのＮ末端残基であり；
ＲｑおよびＲｒの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、フェニル、ベンジルまたはフェネチルであり；
ここでＲｓおよびＲｌの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、フェニル、ベンジルまたはフェネチルである。
【００７０】
好ましくは、Ｒｋ、Ｒｌ、Ｒｏ、およびＲｐの各々は水素であり；ＲｍおよびＲｎの各々は独立して水素、アセチル、（Ｃ１−Ｃ１０）アルキル、（Ｃ３−Ｃ６）シクロアルキル、プロポキシ、ブトキシ、ｔ−ブトキシカルボニル、９−フルオレニルメトキシカルボニルまたはアミノ酸のＣ末端または２〜約２５アミノ酸残基のペプチドであり；そしてＲｑおよびＲｒの各々は独立して水素、（Ｃ１−Ｃ１０）アルキルまたは（Ｃ３−Ｃ６）シクロアルキルである。
【００７１】
好ましくは、Ｒ７は−（ＣＨ２）２Ｃ（＝Ｏ）ＮＲｑＲｒである。
【００７２】
好ましくは、Ｒ７はメチル、３−グアジニノプロピル、アミノカルボニルメチル、カルボキシメチル、メルカプトメチル、（２−カルボキシル−２−アミノエチル）ジチオメチル、２−カルボキシエチル、２−（アミノカルボニル）エチル、水素、５−イミダゾイルメチル、４−アミノ−３−ヒドロキシプロピル、２−ブチル、２−メチルプロプ−１−イル、４−アミノブチル、２−（メチルチオ）エチル、ベンジル、ヒドロキシメチル、１−ヒドロキシエチル、３−インドリルメチル、４−ヒドロキシベンジル、またはイソプロピルである。
【００７３】
より好ましくは、Ｒ７は水素、ベンジル、４−ヒドロキシベンジル、メチル、２−ヒドロキシメチル、またはメルカプトメチルである。
【００７４】
式（Ｖ）の好ましい化合物は、ＫＧＫ、ＫＦＫ、ＫＹＫ、ＫＡＫ、ＫＳＫ、ＫＣＫまたはＫＱＫのアナローグを包含する。例えば、ＫＱＫのアナローグは、式（Ｖ）の化合物またはそのその薬学上許容される塩を包含する：
【００７５】
【化１０】
2005506947.tif 000011
【００７６】
式中、
Ｒ４はＮＲｋＲｌであり；
Ｒ５はＮＲｍＲｎであり；
Ｒ６はＮＲｏＲｐであり；
Ｒ７はＮＲｑＲｒであり；
Ｒ８は水素、ヒドロキシ、（Ｃ１−Ｃ１０）アルキル、（Ｃ３−Ｃ６）シクロアルキル、（Ｃ３−Ｃ６）シクロアルキル（Ｃ１−Ｃ６）アルキル、（Ｃ１−Ｃ１０）アルコキシ、（Ｃ３−Ｃ６）シクロアルキル（Ｃ１−Ｃ６）アルコキシ、ＮＲｓＲｔ、アミノ酸のアミノ末端または２〜約２５アミノ酸残基のペプチドのＮ末端残基であり；
Ｒｋ、Ｒｌ、Ｒｏ、およびＲｐの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルカノイル、フェニル、ベンジルまたはフェネチルであり；
ＲｍおよびＲｎの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ１−Ｃ１０）アルカノイル、（Ｃ１−Ｃ１０）アルコキシカルボニル、９−フルオレニルメトキシカルボニル、フェニル、ベンジル、フェネチル、アミノ酸のＣ末端残基または２〜約２５アミノ酸残基のペプチドのＮ末端残基であり；
ＲｑおよびＲｒの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、フェニル、ベンジルまたはフェネチルであり；
ＲｓおよびＲｌの各々は独立して水素、（Ｃ１−Ｃ１０）アルキル、（Ｃ３−Ｃ６）シクロアルキル、（Ｃ３−Ｃ６）シクロアルキル（Ｃ１−Ｃ１０）アルキル、フェニル、ベンジルまたはフェネチルである。
【００７７】
好ましくは、Ｒｋ、Ｒｌ、Ｒｏ、およびＲｐの各々は水素であり；ＲｍおよびＲｎの各々は独立して水素、アセチル、（Ｃ１−Ｃ１０）アルキル、（Ｃ３−Ｃ６）シクロアルキル、プロポキシ、ブトキシ、ｔ−ブトキシカルボニル、９−フルオレニルメトキシカルボニルまたはアミノ酸のＣ末端または２〜約２５アミノ酸残基のペプチドであり；そしてＲｑおよびＲｒの各々は独立して水素、（Ｃ１−Ｃ１０）アルキルまたは（Ｃ３−Ｃ６）シクロアルキルである。
【００７８】
ケモカインペプチド３の他の好ましいアナローグはＷＶＱのアナローグである。こうして、本発明は式（ＶＩ）の化合物またはそのその薬学上許容される塩を提供する：
【００７９】
【化１１】
2005506947.tif 000012
【００８０】
式中、
Ｒ１０はＮＲｉＲｊであり；
Ｒ１１はアリール、ヘテロアリール、アリール（Ｃ１−Ｃ３）アルキル、ヘテロアリール（Ｃ１−Ｃ３）アルキル、クマリル、クマリル（Ｃ１−Ｃ３）アルキル、クロマニルまたはクロマニル（Ｃ１−Ｃ３）アルキルであり；
ここでアリールまたはヘテロアリール基、あるいは任意のクマリルまたはクロマニル基のベンゾ環は下記のものから成る群から選択される１、２、または３つの置換基により置換されていてもよく：ハロ、ニトロ、シアノ、ヒドロキシ、（Ｃ１−Ｃ６）アルキル、（Ｃ１−Ｃ６）アルコキシ、（Ｃ１−Ｃ６）アルカノイル、（Ｃ２−Ｃ６）アルカノイルオキシ、−Ｃ（＝Ｏ）（Ｃ１−Ｃ６）アルコキシ、Ｃ（＝Ｏ）ＮＲｇＲｈ、ＮＲｅＲｆ；
Ｒ１２は（Ｃ１−Ｃ６）アルキルであり；
Ｒ１３は（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ３−Ｃ６）シクロアルキル（Ｃ１−Ｃ１０）アルコキシ、ヒドロキシ、またはＮ（Ｒｉｉ）（Ｒｂ）であり；
Ｒ１４は（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ３−Ｃ６）シクロアルキル（Ｃ１−Ｃ１０）アルコキシまたはＮ（Ｒｃ）（Ｒｄ）であり；
Ｙはオキソまたはチオオキソであり；
ここでＲａ〜Ｒｊの各々は独立して水素、（Ｃ１−Ｃ１０）アルキル、（Ｃ１−Ｃ１０）アルカノイル、フェニル、ベンジル、またはフェネチルであるか、あるいは
ＲａおよびＲｂ、ＲｃおよびＲｄ、ＲｅおよびＲｆ、ＲｇおよびＲｈまたはＲｌおよびＲｊはそれらが結合する窒素原子と一緒になってピロリジノ、ピペリジノ、またはモルホリノから選択される環を形成する。
【００８１】
好ましくは、Ｒ１０はアミノであり、Ｒ１１は２−ベンズイミダゾリルであり、Ｒ１２は（Ｃ１−Ｃ６）アルキルであり、Ｒ１３はヒドロキシであり、そしてＲ１４はアミノである。
【００８２】
また、式（ＶＩ）の化合物またはそのその薬学上許容される塩が提供される：
【００８３】
【化１２】
2005506947.tif 000013
【００８４】
式中、
Ｒ１０はＮＲｉＲｊであり；
Ｒ１１はアリール、ヘテロアリール、アリール（Ｃ１−Ｃ３）アルキル、ヘテロアリール（Ｃ１−Ｃ３）アルキル、クマリル、クマリル（Ｃ１−Ｃ３）アルキル、クロマニルまたはクロマニル（Ｃ１−Ｃ３）アルキルであり；
ここでアリールまたはヘテロアリール基、あるいは任意のクマリルまたはクロマニル基のベンゾ環は下記のものから成る群から選択される１、２、または３つの置換基により置換されていてもよく：ハロ、ニトロ、シアノ、ヒドロキシ、（Ｃ１−Ｃ６）アルキル、（Ｃ１−Ｃ６）アルコキシ、（Ｃ１−Ｃ６）アルカノイル、（Ｃ２−Ｃ６）アルカノイルオキシ、−Ｃ（＝Ｏ）（Ｃ１−Ｃ６）アルコキシ、Ｃ（＝Ｏ）ＮＲｇＲｈ、ＮＲｅＲｆ；
Ｒ１２は（Ｃ１−Ｃ６）アルキルであり；
Ｒ１３は（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ３−Ｃ６）シクロアルキル（Ｃ１−Ｃ１０）アルコキシ、ヒドロキシ、またはＮ（Ｒｉｉ）（Ｒｂ）であり；
Ｒ１４は（Ｃ１−Ｃ１０）アルキル、（Ｃ３−Ｃ６）シクロアルキル、（Ｃ３−Ｃ６）シクロアルキル（Ｃ１−Ｃ１０）アルキル、（Ｃ１−Ｃ１０）アルコキシ、（Ｃ３−Ｃ６）シクロアルキル（Ｃ１−Ｃ１０）アルコキシまたはＮ（Ｒｃ）（Ｒｄ）であり；
Ｙはオキソまたはチオオキソであり；
ここでＲａ〜Ｒｊの各々は独立して水素、（Ｃ１−Ｃ１０）アルキル、（Ｃ１−Ｃ１０）アルカノイル、フェニル、ベンジル、またはフェネチルであるか、あるいは
ＲａおよびＲｂ、ＲｃおよびＲｄ、ＲｅおよびＲｆ、ＲｇおよびＲｈまたはＲｌおよびＲｊはそれらが結合する窒素原子と一緒になってピロリジノ、ピペリジノ、またはモルホリノから選択される環を形成する。
【００８５】
ケモカインペプチド３のなお他のアナローグはＷＧＱのアナローグである。こうして、本発明は式（ＸＶ）の化合物またはそのその薬学上許容される塩を提供する：
【００８６】
【化１３】
2005506947.tif 000014
【００８７】
式中、
Ｒ１はアリール、ヘテロアリール、アリール（Ｃ１−Ｃ１０）アルキル、アリール（Ｃ１−Ｃ１０）アルカノイル、ヘテロアリール（Ｃ１−Ｃ１０）アルキル、またはヘテロアリール（Ｃ１−Ｃ１０）アルカノイルであり；
Ｒ２は水素、（Ｃ１−Ｃ１５）アルキル、（Ｃ３−Ｃ８）シクロアルキル、（Ｃ３−Ｃ８）シクロアルキル（Ｃ１−Ｃ１０）アルキル、アリール、またはアリール（Ｃ１−Ｃ１０）アルキルであり；
Ｒ３は水素、または（Ｃ１−Ｃ１０）アルキルであり；
Ｒ４は水素、または（Ｃ１−Ｃ１０）アルキルであり；
Ｒ５はＮ（Ｒａ）（Ｒｂ）であり；
Ｒ６はＮ（Ｒａ）（Ｒｂ）であり；そして
各ＲａおよびＲｂは独立して水素、（Ｃ１−Ｃ１０）アルキル、（Ｃ１−Ｃ１０）アルカノイル、またはアリール（Ｃ１−Ｃ１０）アルキルであるか、あるいは
ＲａおよびＲｂはそれらが結合する窒素原子と一緒になってピロリジノ、ピペリジノ、またはモルホリノから選択される環を形成し；
ここでアリールまたはヘテロアリール基は下記のものから成る群から選択される１、２、３または４つの置換基により置換されていてもよい：ハロ、シアノ、ヒドロキシ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、およびメチレンジオキシ。
【００８８】
式（ＸＶ）の化合物について、Ｒ１は特に３−インドリルメチルであることができ；Ｒ２は特にイソプロピル、ｔ−ブチル、またはフェニルであることができ；Ｒ３は特にメチルであることができ；Ｒ４は水素であることができ；Ｒ５は特にアミノであることができ；そしてＲ６は特にジメチルアミノ、ベンジルアミノ、または加水分解ベンジルアミノであることができる。
【００８９】
本発明の方法において有用なＷＧＱのなお他のアナローグは、式（ＸＩＸ）の化合物またはそのその薬学上許容される塩である：
【００９０】
【化１４】
2005506947.tif 000015
【００９１】
式中、
Ｒ１は（Ｃ７−Ｃ１５）アルキル、（Ｃ７−Ｃ１５）アルケニル、（Ｃ７−Ｃ１５）アルキニル、（Ｃ７−Ｃ１５）アルコキシ、アリール（Ｃ５−Ｃ１０）アルキル、またはヘテロアリール（Ｃ５−Ｃ１０）アルキルであり；
Ｒ２は水素、または（Ｃ１−Ｃ１５）アルキルであり；そして
Ｒ３は水素、（Ｃ１−Ｃ６）アルコキシ、またはＮ（Ｒａ）（Ｒｂ）であり、ここで各ＲａおよびＲｂは独立して水素、（Ｃ１−Ｃ６）アルキル、（Ｃ１−Ｃ６）アルカノイル、（Ｃ１−Ｃ６）アルコキシカルボニル、アリール、アリール（Ｃ１−Ｃ６）アルキル、アリール（Ｃ１−Ｃ６）アルコキシ、アリール（Ｃ１−Ｃ６）アルカノイル、アリール（Ｃ１−Ｃ６）アルコキシカルボニル、ヘテロアリール、ヘテロアリール（Ｃ１−Ｃ６）アルキル、ヘテロアリール（Ｃ１−Ｃ６）アルコキシ、ヘテロアリール（Ｃ１−Ｃ６）アルカノイル、またはヘテロアリール（Ｃ１−Ｃ６）アルコキシカルボニルであり；
ここでＲ１の任意の（Ｃ７−Ｃ１５）アルキル、（Ｃ７−Ｃ１５）アルケニル、（Ｃ７−Ｃ１５）アルキニル、または（Ｃ７−Ｃ１５）アルコキシは下記のものから成る群から選択される１またはそれ以上の置換基により置換されていてもよく：ハロ、シアノ、ニトロ、カルボキシ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、ヒドロキシ、オキソ、およびＮ（Ｒａ）（Ｒｂ）；そして
ここでＲ１、Ｒａ、およびＲｂの任意のアリールまたはヘテロアリールは下記のものから成る群から選択される１、２、３または４つの置換基により置換されていてもよい：ハロ、シアノ、ヒドロキシ、ニトロ、トリフルオロメチル、トリフルオロメトキシ、（Ｃ１−Ｃ６）アルキル、（Ｃ１−Ｃ６）アルコキシ、（Ｃ１−Ｃ６）アルカノイル、（Ｃ１−Ｃ６）アルカノイルオキシ、（Ｃ１−Ｃ６）アルコキシカルボニル、スルフィノ（ＳＯ２Ｈ）、スルホ（ＳＯ３Ｈ）、およびメチレンジオキシ。
【００９２】
式（ＸＩＸ）の化合物の好ましいグループは、Ｒ１が９−デセノイルであり、Ｒ２が水素であり、そしてＲ３がヒドロキシ、アミノ、またはメトキシである、化合物である。式（ＸＩＸ）の化合物のより好ましいグループは、Ｒ１が９−デセノイルであり、Ｒ２が水素であり、そしてＲ３アミノである、化合物またはそのその薬学上許容される塩である。
【００９３】
本発明の治療剤は、光学的に活性な形態およびラセミ体の形態である単離することができる、キラル中心を有する化合物を包含する。
【００９４】
発明の詳細な説明
定義
“ケモカイン”とは、マクロファージ、Ｂ細胞、Ｔ細胞、好中球、好酸球、好塩基球、マスト細胞、例えば血管平滑筋細胞の様な平滑筋細胞等に作用する（例えばそれらの移動、増殖又は脱顆粒に影響すること、あるいはＴ細胞のＴｈ１及びＴｈ２サブタイプへの発生の免疫変調に影響することによる）前炎症性シグナル伝達成分のファミリーを意味する。好ましいケモカインは霊長類、例えばヒト起源であるが、本発明にはウシ、ヒツジ、ウマ、イヌ、ネコ又は齧歯類起源のものも、又ウイルスにコードされたケモカインも含まれている。ケモカインはＭＣＰ−１（配列番号１６）、ＭＣＰ−２（配列番号１７）、ＭＣＰ−３（配列番号１８）、ＭＩＧ（配列番号４５）、ＭＩＰ１α（配列番号１９）、ＭＩＰ１ベータ（配列番号２０）、ＲＡＮＴＥＳ（配列番号２１）、ＰＦ４（配列番号４６）、Ｉ−３０９（配列番号４７）、ＨＣＣ−１（配列番号４８）、エオタキシン（配列番号２５）、Ｃ１０（配列番号４９）、ＣＣＲ−２（配列番号５０）、ＥＮＡ−７８（配列番号５２）、ＧＲＯα（配列番号２４）、ＧＲＯβ（配列番号５３）、ＩＬ−８（配列番号２３）、ＩＰ、例えばＩＰ−１０（配列番号５４）、ＳＤＦ１α（配列番号２２）、ＳＤＦ１β（配列番号５６）、ＧＲＯα（配列番号５７）、ＭＩＰ３α、ＴＣＡ−３、ＣＴＡＰＩＩＩ、ＮＡＰ、ＭＡＲＣ／ＦＹＫ、β−トロンボグロブリン、ＧＣＰ、例えばＧＣＰ−２、ＰＢＰ、ＨＣ１４、ＭＤＣ、Ｚｓｉｇ−３５、β−６、ＴＥＣＫ、ＰＡＲＣ、６Ｃｋｉｎｅ、フラクタキン（ｆｒａｃｔａｋｉｎｅ）、ＤＣ−ＣＫ１、ＬＩＸ、ＬＫＮ、ＴＡＲＣ、ＬＡＲＣ、ＳＣＭ−１、ＳＴＣＰ１、ＬＫＮ、ＳＬＣ、ＬＭＣ、ＩＢＩＣＫ、ＩＬＩＮＣＫ、ＭＣＩＦ、ＭＰＩＦ、ＭＩＧ、Ｚｃｈｅｍｏ−８（ＷＯ９８／５４３２６号参照）、Ｃｋβ、例えばＣＫβ３、ＣＫβ４及びＣＫβ１３、ＣＣＦ１８．ＭＲＰ−２、ＣＣＩＩＩ、ＣＫα２、ＥＮＡ、Ｈ１３０５、ＨＣＣ、Ｄｉｖｅ−１、ＭＧＳＡ、ＤＧＷＣＣ、ＴＣＡ４、デンドロキン（ＷＯ９７／２９１９２号参照）、ＣＣ２／ＨＣＣ１、ＣＣ３及びＭＩＰ１τ及び、ＥＬＣ、ｖＭＩＰ−１、ｖＭＩＰ−ＩＩ及びｖＭＩＰ−ＩＩＩの様なウイルスにコードされたケモカイン（Ｋｌｅｄａｌら、Ｓｃｉｅｎｃｅ，  ２７７、１６５６（１９９７）参照）が含まれるが、これらに限定されるものではない。“ＣＸＣ”又は“α”ケモカインは、ＩＬ−８、ＰＦ４、ＩＰ１０、ＮＡＰ−２、ＧＲＯα、ＧＲＯβ、ＧＲＯγ、ＳＤＦ１、ＭＩＰ２、ＭＧＳＡ、γＩＰ、ＣＴＡＰＩＩＩ、β−トロンボグロブリン、ＭＩＧ、ＰＢＰ、ＮＡＰ−２及びＥＮＡ７８を含むが、これらに限定されない。“ＣＣ”又は“β”ケモカインは、ＭＣＰ−１、ＭＣＰ−２、ＭＣＰ−３、ＭＣＰ−４、ＭＣＰ−５、ＲＡＮＴＥＳ、エタキシン、ＬＡＲＣ、ＴＡＲＣ、Ｃ１０、ＭＩＰ１α、ＭＩＰ１β、）Ｉ３０９、ＨＣＣ−１、ＣＫβ８、ＣＣＦ１８／ＭＲＰ−２、ＭＩＰ１τを含むが、これらに限定されない。ケモカインの第３の型はああ“Ｃ”ケモカイン、例えばリンホタクチンである。ケモカインの第４の型はフラクタキン（ｆｒａｃｔａｋｉｎｅ）又はニューロタクチン（ｎｅｕｒｏｔａｃｔｉｎ）の様な“ＣＸ３Ｃ”ケモカインである（Ｒｏｌｌｉｎｓら、Ｂｌｏｏｄ、９０、４０４（１９９７））。ケモカインの第５の型、ＣＸ２ＣケモカインはＣＣＩＩＩを含む。
【００９５】
“ペプチド３”はケモカインのカルボキシル末端側半分内に一般に局在し（由来し）、且つ当分野既知の方法により決定された場合に少なくとも対応する原型のケモカインの活性を阻害するケモカイン由来ペプチドを意味する。ペプチド３はせいぜい３０、好ましくは約３ないし約２５、より好ましくは約３ないし約１５、そして更により好ましくは約３ないし約１１の、対応する原型ケモカイン、好ましくは例えばヒトケモカインの様な霊長類ケモカインである哺乳動物ケモカイン又はウイルスにコードされたケモカインのアミノ酸配列に対し相同である、あるいは同一である１００％連続したアミノ酸配列を有するペプチジル残基を含む。例えばＭＣＰ−１の活性を少なくとも阻害するＭＣＰ−１の好ましいペプチド３は例えば配列番号１に対応するアミノ酸配列を有するペプチド又はその断片あるいは誘導体であるペプチド（１−１２）［ＭＣＰ−１］である。発明の別の好ましい実施態様は、例えば配列番号７に対応するアミノ酸配列を有するペプチド又はその断片あるいは誘導体であるペプチド３（３−１２）［ＭＣＰ−１］である。好ましくは、発明のケモカインペプチド３はＩＬ−８、ＰＦ−４又はＮＡＰ−２のペプチドを含まない。
【００９６】
表１に示すアラインメントの様なケモカインアミノ酸配列のアラインメントは、型もカイン内のペプチド３配列の局在を同定する一般的方法を提供する。一般に、非ＭＣＰ−１ケモカイン内のペプチド３は、成熟型ヒトＭＣＰ−１の約残基４６ないし約残基６７に相当している。更に、ペプチド３はケモカイン活性を阻害するアミノ酸以外の成分、例えば原型ケモカイン中に存在しないアミノ酸残基（即ち融合蛋白質）、核酸分子又は抗体又はその断片あるいはビオチンの様な標的化成分の様なアミノ酸を、それらがペプチド３の生物学的活性を本質的に減少させない範囲で含んでもよい。活性の本質的減少とは、活性が約９９％より大きく減少することを意味する。
【００９７】
同様の好ましくは、発明のペプチド、変異体、類似体又は誘導体は少なくとも１種類のケモカイン受容体に対し高い親和性、例えば約１μＭないし約１ｎＭ、より好ましくは約１ｎＭないし約１ｐＭを有し、さらに好ましくは原型（“野生−型”）配列を持つ対応ペプチドに比べ、又は対応原型型もカインに比べ低いダッフィ結合を有する。しかし、特定の集団ダッフィを持つ個人を含んでおり、例えばアフリカ出身米国人は一定の率でダッフィ−である。即ち、これら集団の治療に有用な作用物質は、対応する原型ケモカインに比べ同等またはそれ以上のダフィ結合親和性を有するだろう。
【００９８】
ここで使用する場合、“分離され／又は精製された”とは、発明の治療作用物質のインビトロ調製、分離及び／又は精製を意味しており、従ってインビボの物質は関連しない。即ち、“分離された核酸分子”に関しては、それはゲノミック、ｃＤＮＡ、又は合成起源のポリヌクレオチド、又はその幾つかの組合せを含み、“分離された拡散分子”は、（１）“分離された核酸分子”が天然に見いだされるポリヌクレオチドの全てまたは一部と関連しておらず、（２）天然には連結していないポリヌクレオチドと作動可能に連結しており、又は（３）天然にはより大きな配列の一部として生じないものである。分離された拡散分子は、少なくとも１０塩基長の、リボヌクレオチドまたはデオキシリボヌクレオチド、あるいは何れかの型のヌクレオチドの修飾型であるヌクレオチドの重合形状を意味する。本用語は単鎖又は二本鎖型ＤＮＡを含む。用語“オリゴヌクレオチド”とは、ここでは天然に生じた、及び天然に生ずる、及び非天然に生ずるオリゴヌクレオチド結合により一つに連結した修飾型ヌクレオチドを含む。オリゴヌクレオチドは長さが２００塩基以下のポリヌクレオチドのサブセットである。好ましくは、オリゴヌクレオチドは１０ないし６０塩基長であり、最適には１２、１３、１４、１５、１６、１７、１８、１９又は２０ないし４０塩基長である。オリゴヌクレオチドは例えば変異体構築に関しては２本鎖でもよいが、通常例えばプローブに関しては単鎖である。発明のオリゴヌクレオチドはセンス又はアンチセンスオリゴヌクレオチドのいずれも利用できる。用語“天然に生ずるヌクレオチド”とは、ここではデオキシリボヌクレオチド及びリボヌクレオチドを含むことを意味する。用語“修飾型ヌクレオチド”とは、ここでは修飾型又は弛緩型糖グループを持つヌクレオチドを含むことを意味する。用語“オリゴヌクレオチド結合”とは、ここではホスホロチオ酸エステル、ホスホロジチオ酸エステル、ホスホロセレノン酸エステル、ホスホロジセレノン酸エステル、ホスホロアニロチオ酸エステル、ホスホルアニラデート、ホスホルアニデート等の様なオリゴヌクレオチド結合を含むことを意味する。オリゴヌクレオチドは必要に応じ検出のための標識体を含むことができる。
【００９９】
用語“分離されたポリペプチド”はｃＤＮＡ又は組換え体ＲＮＡによりコードされたポリペプチドを意味し、又は合成起源、あるいはそれらの幾つかの組合せであり、前記分離されたポリペプチドは（１）天然に見いだされる蛋白質とは関連せず、（２）同一源からのその他蛋白質を含まず、例えばヒト蛋白質を含まず、（３）異なる種からの細胞により発現され、又は（４）天然には生じないものである。
【０１００】
用語“配列相同性”とは、２つのアミノ酸配列間で一致した塩基の割合、又は２アミノ酸配列間で一致するアミノ酸の割合を意味する。配列相同性をパーセンテージ、例えば５０％と表す場合、このパーセンテージはその他の複数の配列と比較されるモカイン由来配列の全長にわたっての一致数の割合を表す。一致を最大にするためのギャップは許可されている（２配列のいずれかに）；通常１５塩基以下の長さのギャップが利用され、６塩基以下が好ましく、更に２塩基以下がより好ましい。オリゴヌクレオチドをプローブ又は処理剤として利用する場合、標的核酸とオリゴヌクレオチド配列間の配列相同性は一般には可能なオリゴヌクレオチド塩基対組合せ２０当たり１７以上の標的塩基が適合する（８５％）；好ましくは可能塩基対合１０あたり９以上の適合（９０％）であり、そして更に好ましくは可能塩基対合２０当たり１９以上が適合する（９５％）。
【０１０１】
用語“選択的ハイブリダイズ”とは、検出可能且つ特異的な結合を意味する。発明のポリヌクレオチド、オリゴヌクレオチド及び断片は、非特異的核酸への検出可能な結合の測定可能な量を最小限にするハイブリダイゼーション及び洗浄の条件の下で、核酸鎖に選択的にハイブリダイズする。高厳密条件を利用することで、当分野既知であり、ここに論議されている選択的ハイブリダイゼーション条件を達成することができる。一般に発明のポリヌクレオチド、オリゴヌクレオチド及び断片と、興味の対象の核酸配列との間の核酸配列相同性は少なくとも６５％であり、そして典型的には相同性が少なくとも約７０％、約９０％、約９５％、約９８％及び１００％と増加することが好ましい。
【０１０２】
２つのアミノ酸配列の間に部分的、又は完全な一致がある場合、これら配列は相同である。例えば相同性８５％とは、２つの配列を最大一致を得るように並置した場合に、アミノ酸の８５％が同一であることを意味する。一致を最大にするためにギャップが許されている（対合される２配列のいずれか）；ギャップの長さは５以下であることが好ましく、２以下がより好ましい。あるいは、ここでは２蛋白質の配列（またはそれらに由来する長さ少なくとも３０アミノ酸のポリペプチド配列）が、変異体データマトリックス及びギャップペナルティー６以上のプログラムＡＬＩＧＮを利用したとき、アラインメントスコアが５以上（標準偏差単位で）である場合も、これら配列はここで用いられた用語の意味にて相同である。Ｄａｙｈｏｆｆ、Ｍ．Ｏ．，  ｉｎ  Ａｔｌａｓ  ｏｆ  Ｐｒｏｔｅｉｎ  Ｓｅｑｕｅｎｃｅ  ａｎｄ  Ｓｔｒｕｃｔｕｒｅ，１９７２、５巻、Ｎａｔｉｏｎａｌ  Ｂｉｏｃｈｅｍｉｃａｌ  Ｒｅｓｅａｒｃｈ  Ｆｏｕｎｄａｔｉｏｎ、ｐｐ．１０１−１１０及び同巻の付録２、ｐ１−１０を参照せよ。２配列またはその一部は、ＡＬＩＧＮプログラムを用い最適に並置された場合にそれらのアミノ酸が５０％以上同一であれば、より好ましく相同的である。
【０１０３】
用語“対応する”とはここではポリペプチド配列が参照ポリペプチド配列の全て、または一部に対し相同であること（即ち、同一であり、厳密ではなく進化的に関連している）、又はポリペプチド配列が参照ポリペプチド配列に同一であることを意味するときに用いられている。これと区別し、ここでは用語“相補的である”とは、相補的配列が参照ポリヌクレオチド配列の全て、又は一部に対し相同的であることを意味するのに用いられる。例示すると、ヌクレオチド配列“ＴＡＴＡＣ”は参照配列“ＴＡＴＡＣ”に対応し、参照配列“ＧＴＡＴＡ”に相補的である。
【０１０４】
以下の用語は２またはそれ以上のポリヌクレオチド間の配列の関係を記載するのに用いられ：“参照配列”、“比較ウインドウ”、“配列同一性”、“配列同一性のパーセンテージ”、及び“本質的に同一”。“参照配列”とは、配列比較のための基礎になるものとして用いられる規定された配列である；参照配列はより大きな配列、例えば完全長ｃＤＮＡの断片又は配列表内に掲載された遺伝子配列の様な配列のサブセットであるか、又は完全ｃＤＮＡまたは遺伝子配列を含むであろう。一般に、参照配列は少なくとも２０ヌクレオチド長であり、大抵は少なくとも２５ヌクレオチド長、そして多くは少なくとも５０ヌクレオチド長である。２ポリヌクレオチドがそれぞれ（１）２ポリヌクレオチド間で同様である配列（即ち、完全なポリヌクレオチド配列の一部）を含み、そして（２）更に２ポリヌクレオチド間で異なる配列を含んでいる場合、２（またはそれ以上）ポリヌクレオチド間の配列比較は、典型的には２ポリヌクレオチドの配列を“比較ウインドウ”を通し比較することで実施され、配列類似性の局所領域を特定し、比較が行われる。
【０１０５】
“比較ウインドウ”とは、ここでは少なくとも２０連続ヌクレオチドからなる概念上の断片を意味し、そして２配列を最適に並置するためにこの比較ウインドウ内のポリヌクレオチド配列の一部には参照配列に比べて２０％以下の付加又は欠失（即ちギャップ）を持っている。比較ウインドウを並置するための配列の最適並置は、ＳｍｉｔｈとＢａｔｅｒｍａｎ（１９８１）Ａｄｖ  Ａｐｐｌ  Ｍａｔｈ２：４８２の局所相同性アルゴリズム、ＮｅｅｄｌｍａｎとＷｕｎｓｃｈ（１９７０）  Ｊ．Ｍｏｌ．Ｂｉｏｌ．４８：４４３の相同的アラインメントアルゴリズム、ＰｅａｒｓｏｎとＬｉｐｍａｎ（１９８８）Ｐｒｏｃ．Ｎａｔｌ．Ａｃａｄ．Ｓｃｉ（ＵＳＡ）８５：２４４による類似性検索法、これらアルゴリズムのコンピューター化された手法（Ｗｉｓｃｏｎｓｉｎ  Ｇｅｎｅｔｉｃｓ  Ｓｏｆｔｗａｒｅ  Ｐａｃｋａｇｅ  Ｒｅｌｅａｓｅ  ７．０、Ｇｅｎｅｔｉｃｓ  Ｃｏｍｐｕｔｅｒ  Ｇｒｏｕｐ，５７５  ＳｃｉｅｎｃｅＤｒ．，Ｍａｄｉｓｏｎ、ＷｉｓのＧＡＰ、ＢＥＳＴＦＩＴ、ＦＡＳＴＡ及びＴＦＡＳＴＡ）又は検定により実施され、そして各種方法により得られた最適アラインメント（即ち比較ウインドウを通し最高の相同性パーセンテージを得たもの）が選別される。
【０１０６】
用語“配列同一性”とは、２ポリヌクレオチド配列が配列ウインドウ全体を通し同一であること（即ち、ヌクレオチド−ヌクレオチドを基礎に）を意味する。用語“配列同一性のパーセンテージ”は、比較ウインドウ全体に随意並置された２配列を比較し、同一核酸塩基（例えばＡ、Ｔ、Ｃ、Ｇ、Ｕ又はＩ）が両配列に存在している位置番号を決定し適合位置数を得て、適合位置の数を比較ウインドウ中にある位置の総数で除し、その結果に１００を乗ずることで配列同一性のパーセンテージを得ることで、計算される。ここでは用語“本質的に同一”とは、少なくとも２０、より多くは少なくとも２０−５０ヌクレオチドの比較ウインドウに関し、参照配列と比較してポリヌクレオチド配列が少なくとも８５％の配列同一性を、好ましくは少なくとも９０ないし９５％配列同一性を、より一般的には少なくとも９９％の配列同一性を有している特徴にあって、前記配列同一性のパーセンテージが比較ウインドウ全体にて参照配列の２０％以下である欠失又は付加を含んでいるかもしれないポリヌクレオチド配列と参照配列とを比較することで計算される上記ポリヌクレオチドの特徴を意味する。参照配列は例えばヒトＭＣＰ−１の断片の様なより大型の配列のサブセットであろう、
ポリペプチドに用いたと同様に、用語“本質的に同一”とは、２ポリペプチド配列をデフォルトのギャップ荷重を用いたプログラムＧＡＰ又はＢＥＳＴＦＩＴの様なもので最適に並置した場合に、これらポリペプチドが少なくとも約８０％の配列同一性を、好ましくは約９０％の配列同一性を、更に好ましくは少なくとも約９５％の配列同一性を、最も好ましくは少なくとも約９９％の配列同一性を有することを意味する。
【０１０７】
ここで用いる場合、用語“標識体”または“標識化”とは検出可能なマーカーの取り込み、例えば放射線標識されたアミノ酸の取り込み、又は標識化アビジン（例えば光学的又は比色法により検出可能な蛍光マーカー又は酵素活性を含むストレプトアビジン）により検出可能なビオチニル化成分のポリペプチドに結合させることを意味する。ポリペプチドを標識する各種方法が当分野で知られており、また利用されている。ポリペプチドに適した標識体例には以下があるが、これに限定されない；放射性同位元素（例えば３Ｈ、１４Ｃ、３５Ｓ、１２５Ｉ、１３１Ｉ）、蛍光標識体（例えばＦＩＴＣ、ローダミン、ランタ二ド、燐光体）、酵素標識体（西洋ワサビパーオキシダーゼ、β−ガラクトシダーゼ、ルシフェラーゼ、アルカリフォスファターゼ）、化学発光体、ビオチニル化基、二次レポーターにより認識される所定ポリペプチドエピトープ（例えばロイシンジッパーペア配列、二次抗体の結合部位、金属結合ドメイン、エピトープタグ）。幾つかの実施態様では、標識体は立体障害を減じるために各種長さのスペーサーアームにより結合される。
【０１０８】
ここで用いられる“本質的に純粋な”とは、対象種が存在する主要種であり（即ち、モルベースで組成体中のその他個々の種に比べより豊富である）、好ましくは本質的に純粋な分画は、目的種が少なくとも存在する全ての高分子種の約５０％（モルベース）を構成している組成体である。一般に本質的に純粋な組成体は、組成体中に存在する全高分子種の約８０％より多くを、より好ましくは約８５％、約９０％、約９５％及び約９５％より多くを構成している。最適には、目的種は本質的に均一（通常の検出法により組成体中に汚染種が検出されない）に精製され、前記組成体は本質的に単一高分子種により成る。
【０１０９】
ペプチド３またはペプチド２の単離「ケモカインペプチド変異体」は、対応するネイティブケモカインのアミノ酸配列と少なくとも５０％、好ましくは少なくとも約８０％、さらに好ましくは少なくとも約９０％ではあるが１００％未満の連続アミノ酸配列相同性または同一性を有する３０以下、好ましくは約３〜約２５、さらに好ましくは約３〜約１８、さらに好ましくは約３〜約１１のペプチジル残基を含むペプチドであり、例えば、Ｓｅｒ，ペプチド３（１−１２）［ＭＣＰ１］（配列番号１１）は、ＭＣＰ−１、即ちペプチド３（１−１２）［ＭＣＰ−１］（配列番号１）の対応するアミノ酸配列と１００％未満の相同性を有する。本発明の変異体は、対応するネイティブケモカイン中に存在しないアミノ酸残基、および対応するネイティブケモカインに比較して内部欠失を含み得る。ケモカインペプチド変異体は、少なくとも１つのＤ−アミノ酸を有するペプチドを含む。
【０１１０】
化学修飾、例えばエステル化、アミド化、還元、保護化等を施されるケモカインペプチドまたはペプチド変異体は、ケモカイン「誘導体」と呼ばれる。例えば、ｉｎ  ｖｉｖｏでのペプチドの安定性および生物学的利用能を改良することが知られている修飾は、例えば、１つ又はそれ以上のジスルフィド結合によるペプチドの環化である。好ましい修飾は、本発明のペプチドの環状逆配列誘導体（ＣＲＤ）の合成である。線状ペプチドは、ペプチドの逆（即ち、Ｃ末端からＮ末端へ）配列を用いて、すべてＤ−形態のアミノ酸で合成される。必要な場合には、付加的システイン残基がＮおよびＣ末端に付加され（ペプチド配列がすでにＮおよびＣ末端ｃｙｓ残基を有する場合）、それにより酸化的環化を可能にする。しかしながら、「ＣＲＤ」という用語は、他のメカニズムによる、例えばペプチジル結合等による環化を含む。本発明の好ましい誘導体は、ＣＲＤ−Ｃｙｓ０Ｃｙｓ１３Ｌｅｕ４Ｉｌｅ１１ペプチド３［ＭＣＰ−１］またはＣＲＤ−Ｃｙｓ１３Ｌｅｕ４Ｉｌｅ１１ペプチド３（３−１２）［ＭＣＰ−１］である。
【０１１１】
線状逆Ｄ（ＬＲＤ）および環化前進Ｌ（ＣＦＬ）誘導体も、「誘導体」という用語の範囲内に含まれる。ＬＲＤ誘導体は、すべてＤ型のアミノ酸を有するペプチドの逆（即ち、Ｃ末端からＮ末端へ）配列を有するが、環化されない。ＣＦＬ誘導体は、すべてＬ型アミノ酸を有するペプチドの前進（即ち、Ｎ末端からＣ末端へ）配列を有するが、付加的ＮおよびＣ末端ｃｙｓ残基（ペプチド配列がすでにｃｙｓ残基をＮまたはＣ末端位置に有する場合）を伴い、その後、酸化的環化または代替的方法による環化を伴う。本発明の他の「誘導体」としては、分枝鎖ペプチド、環状分枝鎖および分枝鎖環状ペプチドが挙げられる。
【０１１２】
「ケモカイン類似体」とは、ケモカイン誘導性活性模倣するかまたは阻害する、あるいはケモカイン受容体と結合するかまたはそれに近接するが、しかしケモカイン活性を模倣しないかまたは阻害しない（中性）部分を意味するが、この場合、ケモカイン郵送性活性を模倣または阻害するか、あるいは受容体と結合するかまたは近接するが、中性である部分の一部分はペプチドではなく、そしてこの場合、類似体の活性部分は核酸分子ではない。本明細書中で用いる場合、「模倣する」という用語は、その部分がネイティブケモカインにより誘導される活性を誘導するが、しかし類似体による誘導がネイティブケモカインによる活性の誘導と必ずしも同一の大きさのものではないことを意味する。
【０１１３】
本発明のケモカインペプチド、それらの変異体、類似体および誘導体は、シグナリング、例えばペプチドまたはポリペプチド分子、例えば抗体またはその断片または融合ペプチド、核酸分子、糖、脂質、脂肪、検出可能シグナル分子、例えば放射性同位元素、例えばγ線、常磁性分子または音波エミッター、小型化学物質、金属、塩、合成ポリマー、例えばポリラクチドおよびポリグリコリド、界面活性剤およびグリコサミノグルカン（これらは、他の部分がペプチド、変異体、類似体または誘導体の生物学的活性を変えない限りは、好ましくは、ケモカイン誘導性活性を模倣または阻害するペプチド、変異体、類似体Ｍたは誘導体と共有結合されるかまたは結合される）を引き出すかまたは阻害することなく、ケモカイン活性を阻害または模倣するか、あるいはケモカイン受容体と結合するかまたは近接する一部分以外の部分を包含し得る、ということも意図される。前記の部分と非共有的に会合するケモカインペプチド、変異体、類似体または誘導体も意図される。
【０１１４】
本明細書中で用いる場合、「糖」とは、単糖、二糖、三糖および多糖を含む。その用語は、グルコース、スクロース、フルクトースおよびリボース、ならびにデオキシ糖、例えばデオキシリボース等を含む。糖誘導体は、国際特許出願ＷＯ９６／３４００５およびＷＯ９７／０３９９５に記載されたように都合よく調製され得る。糖は、エーテル結合を介して、式Ｉの残りの化合物と都合よく連結され得る。
【０１１５】
本明細書中で用いる場合、ハロは、フルオロ、クロロ、ブロモまたはヨードである。アルキルおよびアルコキシという用語は、直鎖および分枝鎖基の両方を意味するが、しかし個々の基、例えば「プロピル」に関しては、直鎖基のみを包含し、分枝鎖異性体、例えば「イソプロピル」は、特定的に言及される。アリールは、約９〜１０個の環原子を有し、その中の少なくとも１つの環が芳香族であるフェニル基またはオルト縮合二環式カルボ環式基を意味する。ヘテロアリールは、炭素および非ペルオキシド酸素、硫黄およびＮ（Ｒ４）（式中、Ｒ４は存在しないかまたは水素、（Ｃ１〜Ｃ４）アルキル、フェニルまたはベンジルである）、ならびにそれから誘導される、特にベンズ誘導性の約８〜１０個の環原子のオルト縮合二環式複素環の基、あるいはプロピレン、トリメチレンまたはテトラメチレン二ラジカルをそこに縮合することにより得られるものから成る群から選択される１〜４個の異種原子からなる５または６個の環原子を含有する一環式芳香族環の環炭素を介して結合される基を包含する。
【０１１６】
本発明の好ましいケモカイン類似体は、式（ＩＶ）：
【０１１７】
【化１５】
2005506947.tif 000016
【０１１８】
（式中、Ｒ１は、アリール、ヘテロアリール、アリール（Ｃ１〜Ｃ３）アルキル、クマリル、クマリル（Ｃ１〜Ｃ３）アルキル、クロマニルまたはクロマニル（Ｃ１〜Ｃ３）アルキルであって、この場合、任意のアリールまたはヘテロアリール基、あるいは任意のクマリルまたはクロマニル基のベンズ環は、ハロ、ニトロ、シアノ、ヒドロキシ、（Ｃ１〜Ｃ６）アルキル、（Ｃ１〜Ｃ６）アルコキシ、（Ｃ１〜Ｃ６）アルカノイル、（Ｃ２〜Ｃ６）アルカノイルオキシ、−Ｃ（＝Ｏ）（Ｃ１〜Ｃ６）アルコキシ、Ｃ（＝Ｏ）ＮＲｇＲｈ、ＮＲｉＲｊから成る群から選択される１、２または３つの置換基で任意に置換され、
Ｒ２は、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、（Ｃ１〜Ｃ１０）アルコキシ、（Ｃ３〜Ｃ６）シクロアルキル（Ｃ１〜Ｃ６）アルコキシまたはＮ（Ｒａ）（Ｒｂ）であり、
Ｒ３は、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、（Ｃ１〜Ｃ１０）アルコキシ、（Ｃ３〜Ｃ６）シクロアルキル（Ｃ１〜Ｃ６）アルコキシまたはＮ（Ｒｃ）（Ｒｄ）であり、
Ｙは、オキソまたはチオキソであり、
Ｚは、（Ｃ１〜Ｃ１５）アルキル、（Ｃ３〜Ｃ６）シクロアルキル、（Ｃ３〜Ｃ６）シクロアルキル（Ｃ１〜Ｃ６）アルキル、（Ｃ１〜Ｃ１５）アルコキシ、（Ｃ３〜Ｃ６）シクロアルキル（Ｃ１〜Ｃ６）アルコキシまたはＮ（Ｒｅ）（Ｒｆ）であり、そして
Ｒａ〜Ｒｊは各々別々に、水素、（Ｃ１〜Ｃ１０）アルキル、（Ｃ１〜Ｃ１０）アルカノイル、フェニル、ベンジルまたはフェネチルであり、あるいはＲａとＲｂ、ＲｃとＲｄおよびＲｅとＲｆ、ＲｇとＲｈまたはＲｉとＲｊは、それらが結合される窒素と一緒になって、ピロリジノ、ピペリジノまたはモルホリノから選択される環を形成する）
の化合物、あるいは製薬上許容可能なその塩である。
【０１１９】
式（ＩＶ）の化合物の好ましい実施態様は、Ｒ１がアリール、ヘテロアリール、クマリルまたはクロマニルである式（ＩＶ）の化合物を含む。好ましくは、アリールはフェニルであり、ヘテロアリールはインドリルまたはピリジニルである。式（ＩＶ）の化合物の別の好ましい実施態様は、Ｒ２がＮ（Ｒａ）（Ｒｂ）であり、そしてＲ３がＮ（Ｒｃ）（Ｒｄ）である式（ＩＶ）の化合物を含む。式（ＩＶ）の化合物のさらに別の好ましい実施態様は、Ｚが（Ｃ１〜Ｃ１５）アルキルである式（ＩＶ）の化合物を含む。
【０１２０】
さらに好ましい化合物は、Ｒ１がインドリルであり、Ｒ２がＮ（Ｒａ）（Ｒｂ）であり、Ｒ３がＮ（Ｒｃ）（Ｒｄ）であり、ＹがＳであり、Ｚが水素であり、そしてＲａ、Ｒｂ、ＲｃおよびＲｄが各々メチルである式（ＩＶ）の化合物である。
【０１２１】
式（ＩＶ）のさらに別の好ましい化合物としては、Ｒ１が２−ベンズイミダゾリルであり、Ｒ２がＮ（Ｒａ）（Ｒｂ）であり、Ｒ３がＮ（Ｒｃ）（Ｒｄ）であり、Ｙがオキソであり、そしてＺがＮ（Ｒｅ）（Ｒｆ）である化合物、あるいは製薬上許容可能なその塩が挙げられる。式（ＩＶ）の別の好ましい化合物は、Ｒ１が２−ベンズイミダゾリルであり、Ｒ２がＮ（Ｍｅ）２であり、Ｒ３がＮ（Ｍｅ）２であり、Ｙがオキソであり、そしてＺがＮ（Ｍｅ）２である化合物、あるいは製薬上許容可能なその塩である。
【０１２２】
本発明の別の好ましいケモカイン類似体は、式（Ｖ）：
【０１２３】
【化１６】
2005506947.tif 000017
【０１２４】
（式中、Ｒ４はＮＲｋＲｌであり、Ｒ５はＮＲｍＲｎであり、Ｒ６はＮＲｏＲｐであり、Ｒ７はＮＲｑＲｒであり、Ｒ８は、水素、ヒドロキシ、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、（Ｃ１〜Ｃ１０）アルコキシ、（Ｃ３〜Ｃ６）シクロアルキル（Ｃ１〜Ｃ６）アルコキシ、ＮＲｓＲｔ、アミノ酸のアミノ末端または２〜約２５アミノ酸残基のペプチドのＮ末端残基であり、ここで、Ｒｋ、Ｒｌ、ＲｏおよびＲｐは各々別々に、水素、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、（Ｃ１〜Ｃ１０）アルカノイル、フェニル、ベンジルまたはフェネチルであり、ＲｍおよびＲｎは各々別々に、水素、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、（Ｃ１〜Ｃ１０）アルコキシ、（Ｃ１〜Ｃ１０）アルカノイル、（Ｃ１〜Ｃ１０）アルコキシカルボニル、９−フルオレニルメトキシカルボニル、フェニル、ベンジル、フェネチル、アミノ酸または２〜約２５アミノ酸残基のペプチドのＣ末端であり、ＲｑおよびＲｒは各々別々に、水素、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、フェニル、ベンジルまたはフェネチルであり、  ＲｓおよびＲｔは各々別々に、水素、（Ｃ１〜Ｃ１０）アルキル、（Ｃ３〜Ｃ６）シクロアルキル、（Ｃ３〜Ｃ６）シクロアルキル（Ｃ１〜Ｃ６）アルキル、フェニル、ベンジルまたはフェネチルである）
の化合物、あるいは製薬上許容可能なその塩である。
【０１２５】
好ましくは、  Ｒｋ、Ｒｌ、ＲｏおよびＲｐは各々別々に、水素であり、ＲｍおよびＲｎは各々別々に、水素、アセチル、（Ｃ１〜Ｃ１０）アルキル、（Ｃ３〜Ｃ６）シクロアルキル、プロポキシ、ブトキシ、ｔｅｒｔ−ブトキシカルボニル、９−フルオレニルメトキシカルボニル、アミノ酸または２〜約２５のアミノ酸残基のペプチドのＣ末端であり、ＲｑおよびＲｒは各々別々に、水素、（Ｃ１〜Ｃ１０）アルキルまたは（Ｃ３〜Ｃ６）シクロアルキルである。
【０１２６】
【化１７】
2005506947.tif 000018
【０１２７】
ケモカインの別の好ましい類似体は、式（ＸＩＩＩ）：
【０１２８】
【化１８】
2005506947.tif 000019
【０１２９】
（式中、Ｒ１は、アリール、ヘテロアリール、アリール（Ｃ１〜Ｃ１０）アルキル、アリール（Ｃ１〜Ｃ１０）アルカノイル、ヘテロアリール（Ｃ１〜Ｃ１０）アルキルまたはヘテロアリール（Ｃ１〜Ｃ１０）アルカノイルであり、Ｒ２は、水素、（Ｃ１〜Ｃ１５）アルキル、（Ｃ３〜Ｃ８）シクロアルキル、（Ｃ３〜Ｃ８）シクロアルキル（Ｃ１〜Ｃ１０）アルキル、アリールまたはアリール（Ｃ１〜Ｃ１０）アルキルであり、Ｒ３は、水素または（Ｃ１〜Ｃ１０）アルキルであり、Ｒ４は、水素または（Ｃ１〜Ｃ１０）アルキルであり、Ｒ５はＮ（Ｒａ）（Ｒｂ）であり、Ｒ６はＮ（Ｒａ）（Ｒｂ）であり、そしてＲａおよびＲｂは各々別々に、水素、（Ｃ１〜Ｃ１０）アルキル、（Ｃ１〜Ｃ１０）アルカノイルまたはアリール（Ｃ１〜Ｃ１０）アルキルであるか、あるいはＲａおよびＲｂはそれらが結合される窒素と一緒になってピロリドン、ピペリジノまたはモルホリノ環を形成するが、この場合、あらゆるアリールまたはヘテロアリールが、ハロ、シアノ、ヒドロキシ、ニトロ、トリフルオロメチル、トリフルオロメトキシ、（Ｃ１〜Ｃ６）アルキル、（Ｃ１〜Ｃ６）アルコキシ、（Ｃ１〜Ｃ６）アルカノイル、（Ｃ１〜Ｃ６）アルカノイルオキシおよびメチレンジオキシから成る群から別々に選択される１、２、３または４つの置換基で任意に置換される）
の化合物、あるいは製薬上許容可能なその塩である。
【０１３０】
式（ＸＩＩＩ）の化合物に関しては、Ｒ１は特に３−インドリルメチルであり、Ｒ２は特にイソプロピル、ｔｅｒｔ−ブチルまたはフェニルであり、Ｒ３は特にメチルであり、Ｒ４は特に水素であり、Ｒ５は特にアミノであり、Ｒ６は特にジメチルアミノ、ベンジルアミノまたはヒドロキシベンジルアミノであり得る。
【０１３１】
本発明の別の好ましい類似体は、式（ＸＩ）：
【０１３２】
【化１９】
2005506947.tif 000020
【０１３３】
（式中、Ｒ１は、Ｏ（Ｒａ）（ここで、ＲａはＨ、（Ｃ１〜Ｃ６）アルキル、（Ｃ１〜Ｃ６）アルカノイル、（Ｃ１〜Ｃ６）アルカノイルオキシ、（Ｃ６〜Ｃ１０）アリールまたは（Ｃ６〜Ｃ１０）ヘテロアリールである）、またはＮ（Ｒｂ）（Ｒｃ）（ここで、ＲｂおよびＲｃは各々別々に、Ｈまたは（Ｃ１〜Ｃ６）アルキルである）であり、Ｒ２は、Ｏ（Ｒａ）（ここで、ＲａはＨ、（Ｃ１〜Ｃ６）アルキル、（Ｃ１〜Ｃ６）アルカノイル、（Ｃ１〜Ｃ６）アルカノイルオキシ、（Ｃ６〜Ｃ１０）アリールまたは（Ｃ６〜Ｃ１０）ヘテロアリールである）、またはＮ（Ｒｂ）（Ｒｃ）（ここで、ＲｂおよびＲｃは各々別々に、Ｈまたは（Ｃ１〜Ｃ６）アルキルである）であり、Ｒ３は、Ｈ、Ｃ（＝Ｏ）またはＣ（＝Ｓ）であり、Ｒ４は、Ｈ、Ｃ（＝Ｏ）、Ｃ（＝Ｓ）、Ｏ（Ｒａ）（ここで、ＲａはＨ、（Ｃ１〜Ｃ６）アルキル、（Ｃ１〜Ｃ６）アルカノイルオキシ、（Ｃ１〜Ｃ６）アルカノイル、（Ｃ６〜Ｃ１０）アリールまたは（Ｃ６〜Ｃ１０）ヘテロアリールである）、またはＮ（Ｒｂ）（Ｒｃ）（ここで、ＲｂおよびＲｃは各々別々に、Ｈまたは（Ｃ１〜Ｃ６）アルキルである）であり、ｎは、０〜６のそれぞれを含む整数であって、ここで、あらゆる（Ｃ６〜Ｃ１０）アリール、（Ｃ１〜Ｃ６）アルキル、（Ｃ１〜Ｃ６）アルカノイルオキシ、（Ｃ６〜Ｃ１０）ヘテロアリールまたは（Ｃ１〜Ｃ６）アルカノイルは、ハロ、シアノ、ニトロ、トリフルオロメチル、トリフルオロメトキシ、（Ｃ１〜Ｃ６）アルキル、（Ｃ１〜Ｃ６）アルコキシ、（Ｃ１〜Ｃ６）アルカノイル、（Ｃ１〜Ｃ６）アルカノイルオキシ、（Ｃ１〜Ｃ６）アルコキシカルボニル、メトキシジオキシ、ヒドロキシ、Ｃ（＝Ｏ）およびＮ（Ｒｂ）（Ｒｃ）（ここで、ＲｂおよびＲｃは各々別々に、Ｈまたは（Ｃ１〜Ｃ６）アルキルである）から成る群から選択される少なくとも１角置換基で任意に置換される）
の化合物、あるいは製薬上許容可能なその塩である。
【０１３４】
式ＸＩＶの特定の化合物を、以下の表に示す：
【０１３５】
【表１】
2005506947.tif 000021
【０１３６】
式（Ｘ）の特定の化合物を、以下の表に示す：
【０１３７】
【表２】
2005506947.tif 000022
【０１３８】
式（Ｘ）のその他の特定の化合物としては、［３Ｓ］−３−（ウウデク−１０−エノイルアミノ）ピペリジン−２，６−ジオン（化合物５８，４）およびＮ−ベンゾイル−１−ピログルタメート（化合物５８，１２）が挙げられる。
【０１３９】
式（Ｘ）のその他の特定の化合物を、以下の表に示す：
【０１４０】
【表３】
2005506947.tif 000023
【０１４１】
式（ＸＩ）の特定の化合物を、以下の表に示す：
【０１４２】
【表４】
2005506947.tif 000024
【０１４３】
式（ＸＩＩ）の特定の化合物は以下の表に示される。
【０１４４】
【表５】
2005506947.tif 000025
【０１４５】
式（ＩＶ）、（Ｖ）、（ＶＩ）、（ＸＩＩＩ）、（ＸＩＶ）、（Ｘ）、（ＸＩ）、（ＸＩＸ）および（ＸＩＩ）の化合物、およびキラルセンターを有するペプチドである本発明の化合物は、光学的活性体およびラセミ体の形態において存在すると共に単離しうることが、当業者には理解されるであろう。例えば、本発明の化合物は、ＤまたはＬ形態のα−アミノ酸残留物またはそれらの混合物を含む。いくつかの化合物は多形性を示すことが可能である。本発明が、本明細書において記載される有用な特性を有する本発明の化合物の、あらゆるラセミ体、光学的活性体、多形性、または立体異性体の形態、あるいはそれらの混合物を包含することは、理解されるはずである。光学的活性体の製造の仕方は技術上よく知られている（例えば、再結晶化技術によるラセミ体の分離によるか、光学的活性出発材料からの合成によるか、キラル合成によるか、またはキラル固定相を用いるクロマトグラフ分離による）。本明細書に記載された標準試験を用いて、または技術上よく知られている他の試験を用いて、化学運動性（ｃｈｅｍｏｋｉｎｅ）誘導活性を抑制するか、または増進するための化合物の能力を測定する仕方も、技術上よく知られている。
【０１４６】
ラジカル、置換基および範囲に対する本明細書において一覧された、特定の、および好ましい値は、説明用のみであり、それらは他の決定値またはラジカルおよび置換基に対する決定範囲内の他の値を排除しない。特に、（Ｃ１〜Ｃ１５）アルキルはメチル、エチル、プロピル、イソプロピル、ブチル、イソ−ブチル、ｓ−ブチル、ペンチル、３−ペンチル、ヘキシル、ヘプチル、オクチル、ノニル、デシル、ウンデシル、９−メチルウンデシル、ドデシルであることが可能である；（Ｃ１〜Ｃ６）アルキルはメチル、エチル、プロピル、イソプロピル、ブチル、イソ−ブチル、ｓ−ブチル、ペンチル、３−ペンチル、またはヘキシルであることが可能である；（Ｃ１〜Ｃ３）アルキルはメチル、エチル、またはプロピルであることが可能である；（Ｃ３〜Ｃ６）シクロアルキルはシクロプロピル、シクロブチル、シクロペンチル、またはシクロヘキシルであることが可能である；（Ｃ１〜Ｃ１０）アルコキシはメトキシ、エトキシル、プロポキシ、イソプロポキシ、ブトキシ、イソ−ブトキシ、ｓ−ブトキシ、ペントキシ、３−ペントキシ、ヘキシルオキシ、ヘプチルオキシ、オクチルオキシ、ノニルオキシ、またはデシルオキシであることが可能である；（Ｃ１〜Ｃ６）アルコキシはメトキシ、エトキシル、プロポキシ、イソプロポキシ、ブトキシ、イソ−ブトキシ、ｓ−ブトキシ、ペントキシ、３−ペントキシ、またはヘクスオキシであることが可能である；（Ｃ１〜Ｃ１０）アルカノイルはホルミル、アセチル、プロパノイル、ブタノイル、ペンタノイル、ヘキサノイル、ヘプタノイル、オクタノイル、ノナノイル、またはデカノイルであることが可能である；（Ｃ１〜Ｃ６）アルカノイルはホルミル、アセチル、プロパノイル、ブタノイル、ペンタノイル、またはヘキサノイルであることが可能である；（Ｃ２〜Ｃ６）アルカノイルオキシはアセトキシ、プロパノイルオキシ、ブタノイルオキシ、ペンタノイルオキシ、またはヘキサノイルオキシであることが可能である；アリールはフェニル、インデニル、またはナフチルであることが可能である；およびヘテロアリールはフリル、イミダゾリル、テトラゾリル、ピリジル、（またはそのＮ−酸化物）、チエニル、ベンズイミダゾリル（またはそのＮ−酸化物）、ピリミジニル（またはそのＮ−酸化物）、インドリル、またはキノリル（またはそのＮ−酸化物）であることが可能である。
【０１４７】
さらに、本発明の薬剤（例えば、ペプチド３、それの変異体または誘導体、式（ＩＶ）の化合物、式（Ｖ）の化合物、式（ＶＩ）の化合物、式（ＸＩＩＩ）の化合物、式（ＸＩＶ）の化合物、式（Ｘ）の化合物、式（ＸＩ）の化合物、式（ＸＩＸ）の化合物、または式（ＸＩＩ）の化合物）は、「サッカリド共役」を生成するために、ヒドロキシル、アミドおよび／またはエステル基において、Ｏ−連結糖および糖鎖（例えば、サッカリド）を含むように変性することが可能であることが、理解される。好ましいサッカリド共役は、１個以上のサッカリドに連結されたペプチド誘導体ＣＲＤ−Ｌｅｕ４ＩＩｅ１１Ｃｙｓ１３ペプチド３（３〜１２）［ＭＣＰ−１］である。例えば、ペプチド誘導体は、アミノ端末および１個または両方のリシンε−アミノ基（例えば、実施例１８において製造されたような）のいずれか、または両方へのアミノ配糖体結合によりサッカリドに連結することが可能である。
【０１４８】
好ましくは、本発明の治療薬剤は、生物学的に活性である。化学運動性のペプチド、ペプチド変異体、それの類似体または誘導体の生物学的活性度は、いくつかは以下に述べられる技術上知られた方法により測定することが可能である。例えば、本発明の範囲内に入る生物学的に活性なペプチド３［ＭＣＰ−１］変異体は、対応する自然のペプチド配列、例えば、ペプチド３（１〜１２）［ＭＣＰ−１］（ＳＥＱ  ＩＤ  ＮＯ：１）、または自然の化学運動体、例えば、［ＭＣＰ−１］（ＳＥＱ  ＩＤ  ＮＯ：１６）の活性度の少なくとも約１％、好ましくは少なくとも約１０％、さらに好ましくは少なくとも約５０％、およびまださらに好ましくは少なくとも約９０％を有する。従って、本発明の範囲内に入るペプチド３変異体、例えば、Ｌｅｕ４ＩＩｅ１１Ｃｙｓ１３ペプチド３（３〜１２）［ＭＣＰ−１］は、１００μＭでのペプチド３（１〜１２）［ＭＣＰ−１］（ＳＥＱ  ＩＤ  ＮＯ：１）の最大活性度の少なくとも約１％、好ましくは少なくとも約１０％、さらに好ましくは少なくとも約５０％、およびまださらに好ましくは少なくとも約９０％である抑制のためのＥＤ５０を有する。
【０１４９】
本明細書において用いられる「化学運動体誘導活性度」は、活性度が変更できるように、化学運動体、本発明の治療薬剤、または他の成分例えば、ウイルス性蛋白質を化学運動体受容体に結合すること、または物理的にごく近接している治療薬剤または成分を受容体に結合することを通して引き出される活性度を含むが、それには限定されない。化学運動体受容体は、ＣＣＲ１（ＣＣ−ＣＫＲＩ）、ＣＣＲ２ａ、ＣＣＲ２ｂ、ＣＣＲ３、ＣＣＲ４、ＣＣＲ５、ＣＣＲ６、ＣＣＲ７、ＣＣＲ８、ＨＧＢＥＲ３２（ＷＯ９８／０９１７１）、ＣＸＣＲ１（ＩＲ８ＲＩ）、ＣＸＣＲ２、ＣＸＣＲ３、ＣＸ３ＣＲ１、ＣＸＣＲ４およびＣＸＣＲ５を含むが、それらに限定されない。化学走性物受容体は、細胞移動、細胞活性化、ウイルスまたは寄生虫浸入、および代わりの炎症性化合物の放出などにおいて役割を果たす。
【０１５０】
本明細書において用いられる「化学運動体誘導活性度に関係する適応症」は、アテローム性動脈硬化症、および例えば、ベーチェット症候群、巨細胞性動脈炎、多発性筋痛リウマチ、ウエゲネル肉芽腫症、チャーグ−ストラウス症候群脈管炎、ヘーノホ−シェーンライン紫斑病、カワサキ病、マイクロスコピック多発性アングリチス、タカヤス動脈炎、本態性寒冷グロブリン血症脈管炎、白血球クラスチックアングリチス、多発性動脈炎ノドサ、一次性肉芽腫性中枢神経系脈管炎、薬剤導入抗好中球細胞形質自己抗体（ＡＮＣＡ）関係の脈管炎、寒冷グロブリン血症脈管炎、狼瘡脈管炎、リウマチ脈管炎、シェーグレン症候群脈管炎、低補体血症性蕁麻疹脈管炎、グッドパスチャー症候群、血清病脈管炎、薬剤導入免疫複合体脈管炎、異常新生小血管脈管炎（例えば、リンパ芽球増殖性新生物誘導脈管炎、骨髄芽球増殖性新生物誘導脈管炎、および癌腫導入脈管炎）、および炎症性腸疾患脈管炎、心筋梗塞、脳卒中、アテローム性動脈硬化症に続く急性虚血などの疾患；高血圧；再潅流傷害（Ｋｕｍａｒ  ｅｔ  ａｌ．，  Ｃｉｒｃｕｌａｔｉｏｎ，  ９５，  ６９３  （１９９７））；大動脈瘤；静脈移植増殖（Ｓｔａｒｋ  ｅｔ  ａｌ．，  Ａｔｈｅｒｏ．，  Ｔｈｒｏｍｂｏｓｉｓ．  ａｎｄ  Ｖａｓｃｕｌａｒ  Ｂｉｏｌｏｇｙ，  １７，  １６１４  （１９９７））；脈管形成；高コレステロール血症；うっ血性心不全；カワサキ病；特に、血管形成術を受けている患者における狭窄症または再狭窄；骨粗しょう症などの病理的低骨ミネラル密度（Ｐｏｓｎｅｒ  ｅｔ  ａｌ．，  Ｂｏｎｅ，  ２１，  ３２１  （１９９７））；潰瘍性大腸炎；慢性閉塞性肺疾患；脳卒中；ヒト免疫欠損ウイルス（ＨＩＶ）、化学運動体受容体を介しての細胞浸入という同じ機構による他のレンチウイルスまたはレトロウイルスでの感染、または他のウイルス、例えば、サイトメガロウイルス（Ｓｏｚｚａｎｉ  ｅｔ  ａｌ．，  Ｊ．Ｌｅｕｋｏｃ．  Ｂｉｏｌ，  ６２，  ３０  （１９９７））による感染、またはウイルス性髄膜炎をもたらすウイルス感染；急性移植除去または遅延移植機能、同種移植片拒否および移植片対受容体疾患；移植脈管病；マラリアおよびプラスモジウムに関係する寄生虫による他の感染の結果；喘息；アトピー（ＩｇＥ−介在成分）、アレルギー性鼻炎、アトピー性皮膚炎、過敏症、アレルギー性気管支肺アスペルギルス症（ＩｇＥ−介在）、および過敏症肺臓炎（高ＩｇＥおよび反応性Ｔセル）（鳩ブリーダー病、農民の肺疾患、加湿器肺疾患、麦芽取扱い者の肺疾患）；例えば、犬および猫など家の動物の、蚊に噛まれること、または他の昆虫にさされるアレルギー、毒アイビー、毒オーク、毒ウルシ、または他の皮膚抗原を含む抗原との接触などによる、哺乳動物におけるノミアレルギー性皮膚炎を含むアレルギー；蕁麻疹；湿疹；特発性の肺繊維症などの肺繊維症；嚢胞性繊維症；溶血尿毒症症候群（Ｖａｎ  Ｓｅｔｔｅｎ  ｅｔ  ａｌ．，  Ｐｅｄｉａｔｒ，  Ｒｅｓ．，  ４３，  ７５９  （１９９８））；１型糖尿病、クローン病、多発性硬化症、関節炎、リウマチ様動脈炎（Ｏｇａｔａ  ｅｔ  ａｌ．，  Ｊ．Ｐａｔｈｏｌ．，  １８２，  １０６  （１９９７）；  Ｇｏｎｇ  ｅｔ  ａｌ．，  Ｉ．Ｅｘｐ．  Ｍｅｄ．，  １８６，  １３１  （１９９７））、系統的狼瘡エリテマトーデス、自己免疫（ハシモトの）甲状腎炎、肝炎および原発性胆汁性肝硬変などの自己免疫肝臓疾患、甲状腺機能亢進症（グレーブズ病；甲状腺中毒症）、耐インスリン糖尿病、自己免疫アデイソン病（アデイソン疾患）、自己免疫卵巣症、自己免疫睾丸症、自己免疫溶血性貧血、発作性冷間ヘモグロビン尿症、ベチェット病、自己免疫血小板減少症、自己免疫好中球減少症、悪性貧血、赤芽球ろう貧血、自己免疫凝結異常、重症筋無力症、実験的アレルギー性脳脊髄炎、自己免疫多発神経炎、天疱瘡および他の水疱性疾患、リウマチ性心臓炎、グッドパスチャー症候群、心術後症候群、ショーグレン症候群、多発性筋炎、皮膚筋炎、および強皮症に限定されないがそれらを含む自己免疫疾患；ブドウ膜炎または失明ヘルペス間質角膜炎などの眼の疾患；肝臓疾患；エルリキオシス（ｅｒｈｌｉｃｈｉｏｓｉｓ）またはライム関節炎を含むライム病；異常造血；例えば、犬および猫などの家の動物用の局所的な耳掃除用として配合されることからの外耳炎；腹膜内癒着、例えば、術後、特に婦人科学の、または腸の手術後に成長する癒着（Ｚｅｙｎｅｌｏｇｕ  ｅｔ  ａｌ．，  Ａｍ．  Ｊ．Ｏｂｓｔｅｔ  Ｇｙｎｅｃｏｌ．，  １７９，  ４３８  （１９９８））；手術後の傷跡；照射誘導繊維症；腎臓異常；外傷後の炎症、例えば、アテレクトミー、循環系手術、および組織置換、および人工器官の移植材料；例えば、常染色体優性多発性のう胞腎、糖尿病腎臓病、ＩｇＡ腎臓病、間質性繊維症、または狼瘡による腎炎；不適当な炎症からもたらされる他の疾患状態のみならず、例えば、過敏な、または炎症性腸症候群（Ｍａｚｚｕｃｃｈｅｌｌｉ  ｅｔ  ａｌ．，  Ｊ．Ｐａｔｈｏｌ．，  １７８，  ２０１  （１９９６））、乾癬などの皮膚疾患（Ｇｉｌｌｉｔｚｅｒ  ｅｔ  ａｌ．，  Ａｒｃｈ．  Ｄｅｒｍａｔｏｌ．  Ｒｅｓ．，  ２８４，  ２６  （１９９２））および扁平苔癬、遅れ型過敏症、アルツハイマー病（Ｊｈｏｎｓｔｏｎｅ  ｅｔ  ａｌ．，  Ｊ．Ｎｅｕｒｏｉｍｍｕｎｏｌ．，  ９３，  １８２  （１９９９））、慢性肺炎症、例えば、肺胞炎および肺肉芽腫、歯肉炎症または他の歯周病、および歯肉治療学的外傷に関係する骨性の炎症（Ｖｏｌｅｊｎｉｋｏｖａ  ｅｔ  ａｌ．，  Ａｍ．  Ｊ．Ｐａｔｈｏｌ．，  １５０，  １７１１  （１９９７））、過敏症肺臓炎などの過敏症肺臓疾患（Ｓｕｇｉｙａｍａ  ｅｔ  ａｌ．，  Ｅｕｒ．  Ｒｅｓｐｉｒ．  Ｊ．，  ８，  １０８４  （１９９５））、およびマスト細胞からのヒスタミン放出（Ｇａｌｌｉ  ｅｔ  ａｌ．，  Ｃｉｂａ  Ｆｏｕｎｄａｔｉｏｎ  Ｓｙｍｐｏｓｉｕｍ，  １４７，  ５３  （１９８９））のアレルギー性鼻炎、またはマスト細胞腫瘍、１型過敏症反応（過敏症、皮膚アレルギー、蕁麻疹、アレルギー性鼻炎、およびアレルギー性胃腸炎）などの好塩基球からのヒスタミン放出に関係する炎症（Ｄｖｏｒａｋ  ｅｔ  ａｌ．，  Ｊ．Ａｌｌｅｒｇｙ  Ｃｌｉｎ．  Ｉｍｍｕｎｏｌ．，  ９８，  ３５５  （１９９６））；糸球体腎炎（Ｇｅｓｕａｌｄｏ  ｅｔ  ａｌ．，  Ｋｉｄｎｅｙ  Ｉｎｔｅｒｎａｔｉｏｎａｌ，  ５１，  １５５  （１９９７））；腹膜透析に関係する炎症（Ｓａｃｈ  ｅｔ  ａｌ．，  Ｎｅｐｈｒｏｌ．  Ｄｉａｌ．  Ｔｒａｎｓｐｋｌａｎｔ，  １２，  ３１５  （１９９７））；肺気腫；および膵臓炎を含むがそれらに限定されない。
【０１５１】
本発明の範囲に包含されるその他の適応は、新生物形成、例えば組織球症、神経膠腫、肉腫、骨肉腫、骨腫（Ｚｈｅｎｇ等、Ｊ．Ｃｅｌｌ  Ｂｉｏｃｈｅｍ．，７０，１２１（１９９８））、黒色腫、カポジ肉腫、小細胞肺ガン、および卵巣癌ならびに化学療法に伴う骨髄抑制および粘膜炎；肺の炎症性偽腫瘍；例えばｄｉｓｃ手術後の脳または脊髄外傷（Ｇｈｉｒｎｉｋａｒ等、Ｊ．Ｎｅｕｒｏｓｃｉ．Ｒｅｓ．，４６，７２７（１９９６）；Ｂｅｒｍａｎ等、Ｊ．Ｉｍｍｕｎｏｌ．，１５６，３０１７（１９９６）；痛風；肺疾患、例えば人間、牛、豚等の呼吸器シンシチウムウイルス感染、または肺傷害によるもの（Ｌｕｋａｃｓ等、Ａｄｖ．Ｉｍｍｕｎｏｌ．，６２，２５７（１９９６））；成人呼吸窮迫症候群（Ｒｏｂｂｉｎｓ，  Ｐａｔｈｏｌｏｇｉｃ  Ｂａｓｉｓ  ｏｆ  Ｄｉｓｅａｓｅ，  Ｃｏｔｒａｎ等編、第５版）；卒中；レフラー症候群；慢性好酸球肺炎；肺線維症；創傷治癒；細菌感染、例えば細菌性腹膜炎、髄膜炎またはグラム陰性敗血症；トキシックショック症候群；肉芽腫症、例えばマイコバクテリア症、ニューモシスティス症、ヒストプラスマ症、ブラストミセス症、コクシジオイデス症、クリプトコックス症、アスペルギルス症、肉芽腫性腸炎、カンジダ症、異物肉芽腫症および腹膜炎、肺肉芽腫症、ウェゲナー肉芽腫症（Ｄｅｌ  Ｐａｐａ等、Ａｒｔｈｒｉｔｉｓ  Ｒｈｅｕｍ．，３９，７５８（１９９６））、らい病、梅毒、ネコひっかき病、住血吸虫症（Ｊａｃｏｂｓ等、Ａｍ．Ｊ．Ｐａｔｈｏｌ，１５０，２０３３（１９９７））、珪肺症、サルコイドーシス（Ｉｉｄａ等、Ｔｈｏｒａｘ，  ５２，４３１（１９９７）；Ｃａｒ等、Ａｍ．Ｊ．Ｒｅｓｐｉｒ．Ｃｒｉｔ．Ｃａｒｅ  Ｍｅｄ．，１４９，６５５（１９９４））およびベリリウム症；致死性内毒血症（Ｚｉｓｍａｎ等、Ｊ．Ｃｌｉｎ．Ｉｎｖｅｓｔ．９９，２８３２（１９９７））；ならびに、弱い炎症反応に伴う適応、例えば寄生虫感染、例えばリーシュマニア症（Ｍｏｌｌ，  Ｂｉｌ．Ａｂｓ．，１０４，２１７６５（１９９７））、トリパノソーマ類、Ｍｙｃｏｂａｃｔｅｒｉｕｍ  ＩｅｐｒａｅまたはＭｙｃｏｂａｃｔｅｒｉｕｍ  ｔｕｂｅｒｃｕｌｏｓｉｓ感染、蠕虫感染、例えば線虫（回虫）；（鞭虫症、蟯虫症、回虫症、鉤虫、糞線虫症、旋毛虫症、フィラリア症）；吸虫類（下痢）（住血吸虫症、肺吸虫症）、条虫（サナダムシ）（エキノコックス症、無鉤条虫症、胞虫症）；ｖｉｓｃｅｒａｌ  ｗｏｒｋｓ、内臓幼虫移行症（例えばトキソカラ属）、好酸球性胃腸炎（例えば、Ａｎｉｓａｋｉ種、Ｐｈｏｃａｎｅｍａ種）、皮膚幼虫移行症（Ａｎｃｙｌｏｓｔｏｍａ  ｂｒａｚｉｌｉｅｎｓｅ、Ａｎｃｙｌｏｓｔｏｍａ  ｃａｎｉｎｕｍ）、または真菌感染症、を包含するが、これらに限定される訳ではない。
【０１５２】
本発明に係るペプチドはさらに、避妊薬として、または流産の誘発に、急性呼吸窮迫症候群、およびステロイドが常套的に使用される疾患（例えば、Ｂｅｈｅｃｒｓ  ｃｏｌｉｔｉｓおよび喘息の再発）に対して有用である。
【０１５３】
さらに、腫瘍壊死因子α（ＴＮＦα）と結びついている適応、例えば慢性関節リウマチまたは内毒血症、またはＴＮＦαのレベルの上昇に付随する適応もまた本発明の範囲内に包含される。これらの適応は、エンドトキシンショック；クローン病；発熱、およびインフルエンザ様症状；急性間質性肺炎；敗血症および非敗血症性ショック；急性呼吸窮迫症候群；血栓塞栓状態；骨再吸収；関節炎；急性移植片対宿主病；らい病；マラリア；大脳マラリア；結核または癌の悪液質；および特発性線維症が包含されるがこれらに限定されない。
【０１５４】
Ｉ．本発明の範囲に包含される治療物質の同定
本発明の実施に有用な物質は、ケモカインにより誘発される活性、例えば単球またはマクロファージの補充を、阻害または低減させ（例えばケモカインレセプターアンタゴニスト）、または増加、増大もしくは増強させる（例えばケモカインレセプターアゴニスト）物質を包含する。これらの物質は、例えば下に記載するようなインビトロおよびインビボ検定によって同定することができる。本発明の範囲に包含される物質が全てインビトロおよびインビボでケモカインにより誘発される活性を阻害または増強できる訳ではないことが理解できるであろう。本発明に係る治療物質は、直接的なレセプター結合アゴニストおよび／またはアンタゴニストであってよく、または異なった機構、例えばアンチセンス核酸とケモカインｍＲＮＡとの二本鎖の形成によって、または１以上の機構によって作用して、その結果、ケモカインにより誘発される活性の変化を導くことができる。
【０１５５】
Ａ．ペプチド、変異体、誘導体および類似体
１．インビトロ走化性
或る物質がケモカインにより誘発される活性、例えばマクロファージ補充を阻害するかどうかを決定するために、この物質の様々な量を、既知の化学誘引物質の存在下で細胞と混合する。例えば、或る既知の濃度範囲の物質、例えばケモカインペプチドを、トランスウェル平板の上部コンパートメントのウェル一つ一つで、所定の数（例えば１０４−１０６）のヒトＴＨＰ−１単球細胞と共にインキュベートする。トランスウェル移動検定でＴＨＰ−１細胞の有意な移動を惹起することがわかっている濃度のケモカイン（例えばＭＣＰ−１，ＭＩＰ１α、ＩＬ８またはＳＤＦ−１α）を下部コンパートメントに入れる（図１）。次に細胞を、移動を起こさせるに充分な時間、例えば４時間、３７℃でインキュベートする。インキュベーションの後、細胞をピペットで静かにフィルターの上部から取り、単純ＰＢＳ中の２０ｍＭ  ＥＤＴＡ  ２０μＬを各々の上部ウェルに加え、４℃で２０分間インキュベートする。培地を穏やかに流しながらフィルターを注意深く洗い流し、取り外す。ＴＨＰ−１細胞の２倍希釈系列（２９μＬ中）より成る標準曲線を調製して、移動した細胞数を正確に定量する。ＭＴＴ保存染色溶液３μＬを各ウェルに直接加え（ＲＰＭＩ−１６４０中５ｍｇ／ｍＬ、フェノールレッド無し。Ｓｉｇｍａ  Ｃｈｅｍｉｃａｌ  Ｃｏ．。）、３７℃で４時間インキュベートすることにより、移動した細胞を染色した。培地を各ウェルから注意深く吸引し、変換された色素をＤＭＳＯ  ２０μＬによって可溶化する。変換された色素の吸光度をＥＬＩＳＡ平板読み取り機を用いて５９５ｎｍの波長で測定する。次いで標準曲線への内挿により、各ウェルにおいて移動した細胞の数を決定する（Ｉｍａｉ等、Ｊ．Ｂｉｏｌ．Ｃｈｅｍ．２７２，１５０３６（１９９７）をも参照されたい）。
【０１５６】
細胞を数えるために好適な任意の方法、例えば、血球計を用いる計数、細胞をＭＴＴと共にインキュベーション（上記を参照されたい）、またはＦＡＣＳ分析を使用することができる。ＴＧＦ−βまたはその他の非ケモカイン化学誘引物質（例えばＩＬ１βまたはＴＮＦα）を使用する負の対照検定もまた実施する。その物質が細胞毒性であるかどうかを評価するため、同濃度の物質をＴＨＰ−１細胞と共にインキュベートする。１）移動を阻害するレベルでは細胞毒性でない、２）負の対照により誘導される移動の阻害について無効である、そして３）ケモカインにより誘導されるＴＨＰ−１移動を低減または阻害する、物質が、本発明の範囲に包含される物質である。
【０１５７】
ヒト好中球、好酸球、肥満細胞、好塩基球、血小板、リンパ球または単球を使用する走化性検定で物質をスクリーニングすることもできる。単球については、新鮮な血液９ｍＬを３．８％クエン酸ナトリウム１ｍＬを入れた試験管に移し、室温で１５分間放置する。この抗凝固血液５ｍＬをＰｏｌｙｍｏｒｐｈｐｒｅｐ（商標）（Ｎｙｃｏｍｅｄ  Ｐｈａｒｍａ、オスロ）３．５ｍＬ上に注意深く積層し、製造者の指示に従って５００ｇで３５分間遠沈する。試料／媒質界面にある上部バンドは単球を含んでいる。この単球をガラスピペットで注意深く取り除き、当初の容量（５ｍＬ）に再構成する。細胞をＰＢＳ＋１０％牛胎児血清で洗浄し、４００ｇで１０分間遠沈する。洗浄工程を３回反復した後、細胞を計数する。細胞をＲＰＭＩ−１６４０＋１０％牛胎児血清（ＦＣＳ）中、１ｘ１０７細胞／ｍＬで再懸濁する。この単球を５％ＣＯ２の加湿雰囲気下に３７℃で２日間培養する。
【０１５８】
２日目に細胞を計数し、遠沈し、Ｇｅｙの均衡塩類溶液＋牛血清アルブミン（ＢＳＡ）１ｍｇ／ｍＬ中で１ｘ１０７細胞／ｍＬに再構成する。単球、好中球または好酸球については５−８μｍポリカーボネートフィルター、そしてリンパ球については３μｍのフィルターを取り付けた４８または９６ウェル使い捨て走化性チェンバー内で、走化性を誘導する（Ｕｇｕｃｃｉｏｎｉ等、Ｅｕｒ．Ｊ．Ｉｍｍｕｎｏｌ．，２５，６４（１９９５）；Ｌｏｅｔｓｃｈｅｒ等、Ｊ．Ｅｘｐ．Ｍｅｄ．，１８４，５６９（１９９６）；Ｗｅｂｅｒ等、Ｊ．Ｉｍｍｕｎｏｌ．，４１６６（１９９５））（無ＰＶＰ、ＣｈｅｍｏＴＸ、Ｎｅｕｒｏｐｒｏｂｅ  Ｉｎｃ．、キャビンジョン、ＭＤ）。各ウェルの下部コンパートメントに２９μＬの化学誘引物質または対照を加える。枠付けしたフィルターをフィルター枠の角の穴に並べ、ウェルの上に位置させる。Ｇｅｙの均衡塩類溶液２５μＬ＋ＢＳＡ  １ｍｇ／ｍＬに入れた単球２．５ｘ１０５を上部コンパートメントに加える。物質をＭｉｌｌｉＱ水に溶解し、Ｇｅｙの均衡塩類溶液で連続希釈する。大抵の場合、連続希釈した物質を走化性チェンバーの上部コンパートメントに加える。このチェンバーは５％ＣＯ２の加湿雰囲気下に３７℃で１．５時間インキュベートする。
【０１５９】
２．酵素の放出
単球からのＮ−アセチル−β−Ｄ−グルコサミニダーゼの放出を利用して、或る治療物質がサイトカイン関連活性を阻害するかどうかを決定する。前もって加温した培地（１３６ｍＭ  ＮａＣｌ、４．８Ｍｍ  ＫＣｌ、１．２ｍＭ  ＫＨ２ＰＯ４，１ｍＭ  ＣａＣｌ２，２０ｍＭ  Ｈｅｐｅｓ、ｐＨ７．４，５ｍＭ  Ｄ−グルコース、および１ｍｇ／ｍＬ無脂肪酸ＢＳＡ）４ｍＬ中の単球１．２ｘ１０６の試料をサイトカラシンＢ（２．７ｍｇ／ｍＬ）で２分間前処理し、次に、治療物質の存在下または不在下でケモカインにより刺激する。氷冷および遠沈により反応を３分後に停止させ、上清中の酵素活性を決定する（Ｕｇｕｃｃｉｏｎｉ等、Ｅｕｒ．Ｊ．Ｉｍｍｕｎｏｌ．，２５，６４（１９９５））。
【０１６０】
或る治療物質がサイトカイン関連活性を阻害するかどうかを決定するために、好中球からのエラスターゼの放出を利用することもできる（Ｐｅｒｅｒｉ等、Ｊ．Ｅｘｐ．Ｍｅｄ．，１５４７（１９８８）；Ｃｌａｒｋ−Ｌｅｗｉｓ等、Ｊ．Ｂｉｏｌ．Ｃｈｅｍ．，２６９，１６０７５（１９９４））。
【０１６１】
３．無サイトゾルＣａ２＋濃度（［Ｃａ２＋］）変化
Ｆｕｒａ−２（０．１ｎｍｏｌ／１０５細胞）をロードした単球、好酸球、好中球およびリンパ球を、治療物質の存在下または不在下でケモカインによって刺激し、［Ｃａ２＋］ｉに関連する蛍光の変化を記録する（Ｖｏｎ  Ｔｓｃｈａｎｎｅｒ等、Ｎａｔｕｒｅ，  ３２４，３６９（１９８６））。例えば、単球中のサイトゾルＣａ２＋濃度を決定するため、１％アルブミン（ｗ／ｖ）および１ｍＭ  ＣａＣｌ２を添加したｐＨ７．４，３７℃のＨＥＰＥＳ緩衝化塩水（１４５ｍＭ  ＮａＣｌ、５ｍＭ  ＫＣｌ、１ｍＭ  ＭｇＣｌ２，１０ｍＭ  ＨＥＰＥＳ、および１０ｍＭグルコース）中で、単球をＦｕｒａ−２／ＡＭ  ０．５μＭと、３７℃で３０分間インキュベートする。Ｆｕｒａ−２をロードした後、細胞を３００ｘｇで５分間遠沈し、次にアルブミンを添加していない緩衝液に１．５ｘ１０６細胞／ｍＬの細胞密度まで再懸濁し、使用時まで室温で保存する。このプロトコルの結果、サイトゾルＦｕｒａ−２濃度は約１００ｎＭとなった。ＰＢＳ＋０．１％アルブミン（ｗ／ｖ）中のケモカインの連続希釈液（無菌濾過する）を細胞懸濁液のアリコート（０．７ｍＬ）に加える。単球懸濁液のＦｕｒａ−２蛍光を、４℃で単一励起、単一発光（５００ｎｍ）波長のＰｅｒｋｉｎ−Ｅｌｍｅｒ  ＬＳ５蛍光計で測定する。３４０ｎｍの単一励起波長で測定した蛍光の変化から、［Ｃａ２＋］ｉを算出する。
【０１６２】
対応する非形質転換細胞では発現されない、分子クローニングされたケモカインレセプターで安定的に形質転換された細胞における［Ｃａ２＋］ｉの測定は、本質上上記のように実施する。Ｆｕｒａ−２／ＡＭをロードした後、細胞（１ｘ１０６／ｍＬ）は氷冷媒地（１１８ｍＭ  ＮａＣｌ、４．６ｍＭ  ＫＣｌ、２５ｍＭ  ＮａＨＣＯ３，１ｍＭ  ＫＨ２ＰＯ４，１１ｍＭグルコース、５０ｍＭ  ＨＥＰＥＳ、１ｍＭ  ＭｇＣｌ２，１ｍＭ  ＣａＣｌ２，０．１％ゼラチン（ｐＨ７．４）中に維持する。細胞懸濁液のアリコート（２ｍＬ）を前もって３ｍＬプラスチックキュベット中で５分間３７℃に加温し、マグネチックスターラーを使用し温度を３７℃に管理して、蛍光を蛍光計（Ｊｏｈｎｓｏｎ  Ｆｏｕｎｄａｔｉｏｎ  Ｂｉｏｍｅｄｉｃａｌ  Ｇｒｏｕｐ）で測定する。励起を３４０ｎｍに設定し、発光を５１０ｎｍに設定する。［Ｃａ２＋］ｉは上記のように算出する。
【０１６３】
カルシウム反応の交差脱感作時についての単球の研究のために、ケモカインを２分間隔で連続的に添加し、［Ｃａ２＋］ｉの経過を記録する。このタイプの研究で使用する濃度は各ケモカインによって異なり、［Ｃａ２＋］ｉ運動性の最大反応を誘導することがわかっているレベルに設定する（Ｆｏｒｓｓｍａｎｎ等、ＦＥＢＳ  Ｌｅｔｔ．，４０８，２１１（１９９７）；Ｓｏｚｚａｎｉ等、Ｊ．Ｌｅｕｋｏｃ．Ｂｉｏｌ．，５７，７８８（１９９５）；Ｂｅｒｋｈｏｕｔ等、Ｊ．Ｂｉｏｌ．Ｃｈｅｍ．，２７２，１６４０４（１９９７））。
【０１６４】
４．ケモカイン結合および結合置換
４．ケモカイン結合およびケモカイン結合変位
一般に、特定の結合は、コールドコンピティターなしで結合した被標識剤の量マイナスコールドコンピティターの存在下で結合した被標識剤の量として計算される。変化する量のコールドコンピティター存在下での特定の結合の量は、例えば、スキャチャード分析を用いて、その被標識剤のセル上の結合箇所の数はもちろんのこと、被標識剤の会合常数を決定するのに使用できる。この試剤は放射線標識法〔例えば、ヨウ素化〕あるいは適当な生化学タグ（例えば、ビオチン）、あるいは光活性化可能架橋グループの添加により標識できる。１００μＭより低い会合定数の試剤、すなわち、これは１００μＭの会合定数の試剤よりもより強力に結合し、またケモカイン受容体を表現する一つ以上の細胞タイプに対して、細胞当たり、約２５００以上、好ましくは約１００００以上、より好ましくは、２５０００を超える結合箇所を有する試剤は、本発明の範囲に入る。ＴＨＰ−１細胞は、細胞当たり少なくとも約５０００  ＭＣＰ−１受容体を有する。
【０１６５】
例えば、単球を０．２％親ウシ血清および０．１％アジドを含む重炭酸無しのＲＰＭＩ  １６４０培地に懸濁させる。放射線標識したケモカインペプチドを、増加する濃度の非標識ケモカイン（ＭＣＰ−１，  ＭＣＰ−３，  ＭＣＰ−４，  ＲＡＮＴＥＳあるいはＭＩＰ−１α）の存在下あるいは不存在下で、３７℃で１５分間，  ９６−ウエルプレート中、０．２ｍｌ〔例えば、ＰＢＳ  ＋  ０．５％  ＦＣＳ〕の最終体積で、１−２  ｘ  １０６  細胞、例えば、ＴＨＰ−１細胞で培養する。培養後、０．５ｍｌの氷冷洗浄緩衝液（２０  ｍＭ  Ｔｒｉｓ，  ０．５  Ｍ  ＮａＣｌ，  ｐＨ  ７．４）を添加し、ブランドールセルハービスターを用いて、細胞をポリエチレンイミン処理したホットマンＧＦ／Ｃフイルター上に集める。フイルターを４ｍｌの冷たい洗浄緩衝液で洗浄し、ガンマーカウンターで、フイルターに結合している放射能をカウントする。
【０１６６】
競合（ｃｏｍｐｅｔｉｔｉｏｎ）研究のために、４パラメターのロジスチック（ｃｐｍｂｏｕｎｄ  ＝  ｃｐｍｍａｘ／（１  ＋  （［Ｌ］／ＩＣ５０）ｓ）  ＋  ｃｐｍｎｓ，  （ここに、ｃｐｍｍａｘはコンピティター無しの結合を、［Ｌ］はコンピティター濃度を、ｃｐｍｎｓは非特定結合を、またｓは勾配係数を、それぞれ表す。））を使い、ＩＣ５０を、カーブフィッティングプログラム（ＧｒＦｉｔ，  Ｅｒｉｔｈａｃｕｓ  Ｓｏｆｔｗａｒｅ，  Ｌｏｎｄｏｎ）で計算する。ｃｐｍｂｏｕｎｄは、細胞無し対照に対し補正する。Ｋｄと特定の結合と結合する能力を得るために、ＧｒａＦｉｔ  ｂｅｓｔ  ｆｉｔ  ｐｒｏｇｒａｍを用い、ホモロガス変位実験からのデータを単一箇所リガンド結合方程式に適合させる。
【０１６７】
ケモカインの、分子的にクローン化したケモカイン受容体で安定的に変換した細胞への結合は、放射線標識化した試剤を非標識ケモカインで希釈する点を除けば、本質的に、上述のようにして行われる。細胞は、放射線標識化した試剤プラスあるいはマイナス非標識ケモカインで３７℃で３０分間培養する（イマイら、上記；ソザー二ら（１９９５）、上記；ベルクハウトら、上記；ＷＯ９７／２２６９８を参照）。
【０１６８】
５．対ケモカインダッフイー抗原受容体との結合（ＤＡＲＣ）
治療剤のＤＡＲＣに対する親和度、例えば、放射ヨウ素化ＭＣＰ−１の赤血球の結合を抑制する治療剤の能力は、任意の従来法により決定できる。ケモカイン受容体に結合するよりもより低い会合定数〔すなわち、より強い結合〕でＤＡＲＣへ結合する治療剤（すなわち、ＤＡＲＣ選択比が１より小）であり、１００μＭよりも低い、好ましくは、１０μＭよりも低い、より好ましくは１μＭよりも低い会合定数でＤＡＲＣ  と結合する治療剤は、本発明の具体的な実施態様に有用である。対照的に、ＤＡＲＣと結合しないか、あるいはケモカイン受容体に対する親和度よりも大きな親和度で（すなわち、選択比が１より大）ではＤＡＲＣと結合しない治療剤は本発明の他の実施態様に有用である。
【０１６９】
６．ケモカインのコマイトジェン活動の抑制
多くのケモカインは低濃度のＦＣＳはコマイトジェン的である、例えば、５０ｎｇ／ｍｌ  ＭＣＰ−１  ＋  ０．５％  ＦＣＳは滑らかな筋肉細胞に対しては、マイトジェンである。治療剤の存在下あるいは不存在下で適当な細胞〔例えば、滑らかな筋肉細胞〕の上での普通のケモカインプラス低濃度（＜５％）のＦＣＳにより引き起こされるＤＮＡ合成を決定する当該技術分野で良く知られた検定は、このような抑制活動について治療剤をスクリー二ングするのに用いられる。ポレッカら（Ｊ．  Ｖａｓｅ．  Ｒｅｓ．，  ３４，  ５８  （１９９７））を参照されたい。その開示は、参考文献としてここにあげる。
【０１７０】
７．アゴニスト
発明の治療剤がケモカイン受容体アゴニストかどうかを決定するために、標識をつけた〔例えば、ビオチニル化した〕いろいろな量の治療剤を受容体を表わす細胞と混合する。例えば、ＴＨＰ−１細胞はＭＣＰ−１，  ＭＩＰ１ａ，  ＳＤＦ−１ａおよびＩＬ−８を表わし、Ｊｕｒｋａｔ細胞はＳＤＦ−１に対する機能的受容体を表わす。ついで、細胞に対する被標識治療剤の親和度を決定する。かなりの親和度で受容体と結合し、シグナリングを誘起することにより受容体と相互作用する治療剤は本発明の範囲に入る。アゴニストあるいはアンタゴニストには入らないが、受容体と結合しあるいは受容体に近づくが、応答を引き出さない治療剤も本発明の範囲入り、中性治療剤と呼ぶ。
【０１７１】
アゴニスト活動を有する治療剤はトランスウエルマイグレーションアッセイを用いて同定することもできる。このアッセイでは、細胞を治療剤のない上部の区画（図１を参照）に入れ、治療剤、例えば、ペプチド２［ＭＣＰ−１］はいろいろな濃度でケモカインの代りに、低い区画に入れる。もし治療剤がアゴニスト活動を有するならば、アッセイの終わりには、低部の区画の、非活動性の対照を含む、すなわち、治療剤あるいは培地のみを含むウエル中よりは治療剤を含むウエル中で見出される。好ましくは、アゴニスト活動を有する治療剤はトランスウエルマイグレーションアッセイにおいては、プライマリー人間細胞、例えば、単球の移動をも刺激する。
【０１７２】
さらに、弱い或いは中性のアゴニスト（受容体と結合するが、ネイティブケモカインとの結合とそれに続くシグナリングを抑制しない治療剤であり、シグナリングも誘起しない治療剤である）は、ＨＩＶ  ｇｐ１２０の結合を移動させる、特に、ｇｐ１２０のＶ３ループをＴＨＰ−１（Ｊｕｒｋａｔ細胞）の表面に移動させる能力について治療剤をスクリーニングする事によって同定できる。いろいろな濃度の治療剤の存在下或いは不存在下で、細胞は、ビールス受容体と結合するのに効果的な量の、標識をつけた〔例えば、放射性ヨウ素化した〕組換えｇｐ１２０プロテインと培養する。ｇｐ１２０結合を減少させるか、無くす治療剤は、本発明の範囲に入るアゴニスト或いは中性のアゴニストである。
【０１７３】
８．インビボ
本発明の物質が炎症性の応答を阻害するか、それとも増大するかを判定するための迅速な方法は、本発明の物質の存在または不在下で動物の皮膚に選定されたケモカインを注射することである。或るのちの時点で適時動物を犠牲にし、ケモカインと試験物質の両者に曝露された動物のケモカイン注射部位の炎症細胞数と、ケモカインのみに曝露された動物のケモカイン注射部位の炎症細胞数とを対照動物に対して、例えば定量免疫蛍光により比較する。
【０１７４】
Ｂ．本発明の核酸分子
１．本発明の核酸分子の供給源
本発明の核酸分子がケモカインペプチド、その変異体、またはその核酸補体をコード化するヌクレオチド配列の供給源には、当業界で周知の方法によりｃＤＮＡを取り出すことができる任意の真核の、好ましくは哺乳類の細胞源由来の完全またはポリＡ  ＲＮＡがある。本発明のＤＮＡ分子の別の供給源には任意の真核細胞源から取り出されたゲノムライブラリーがある。さらに、本発明のＤＮＡ分子はインビトロで、例えばオリゴヌクレオチド約１００個、好ましくは約７５個、より好ましくは約５０個、さらに一層好ましくは約４０個をヌクレオチドの長さに合成することにより、あるいは特定のケモカインをコード化するＤＮＡセグメントの部分をサブクローニングすることにより調製することができる。
【０１７５】
２．ケモカインをコード化する遺伝子の単離
ケモカインをコード化する核酸分子は、Ｓａｍｂｒｏｏｋ等の論文、Ｍｏｌｅｃｕｌａｒ  Ｃｌｏｎｉｎｇ：Ａ  Ｌａｂｏｒａｔｏｒｙ  Ｍａｎｕａｌ，  Ｃｏｌｄ  Ｓｐｒｉｎｇ  Ｈａｒｂｏｒ，  ＮＹ  （１９８９）に記載されているような標準的な方法を用いて同定し、単離することができる。例えば、逆転写酵素ＰＣＲ（ＲＴ−ＰＣＲ）を使用してケモカインｃＤＮＡを単離し、クローニングすることができる。オリゴ−ｄＴを逆転写酵素反応のプライマーとして使用して興味の対象のＲＮＡ配列を包含する単離されたＲＮＡ、例えばヒトの組織から単離された完全ＲＮＡから第一鎖ｃＤＮＡを調製することができる。ＲＮＡは当業界で周知の方法により、例えばＴＲＩＺＯＬ（登録商標）試薬（ＧＩＢＣＯ−ＢＲＬ／Ｌｉｆｅ  Ｔｅｃｈｎｏｌｏｇｉｅｓ，  Ｇａｉｔｈｅｒｓｂｕｒｇ，  ＭＤ）を用いて単離することができる。次いで得られた第一鎖ｃＤＮＡをＰＣＲ反応で増幅する。
【０１７６】
「ポリメラーゼ連鎖反応」すなわち「ＰＣＲ」は、核酸、ＲＮＡ、および／またはＤＮＡの予め選択された断片量を米国特許第４，６８３，１９５号の記載に従って増幅する手順または方法を意味する。一般には興味の対象の領域の末端またはそれを越える領域に由来する配列情報を使用して少なくとも７〜８個のヌクレオチドを含むオリゴヌクレオチドプライマーを設計する。これらのプライマーは、配列が増幅される鋳型の向き合っている鎖と同一または類似であるはずである。ＰＣＲを用いて特定のＲＮＡ配列；完全なゲノムＤＮＡ由来の特定のＤＮＡ配列；および完全な細胞ＲＮＡ、バクテリオファージ、もしくはプラスミド配列から転写されたｃＤＮＡ；などを増幅することができる。全般的には、Ｍｕｌｌｉｓ等の論文、Ｃｏｌｄ  Ｓｐｒｉｎｇ  Ｈａｂｏｒ  Ｓｙｍｐ．  Ｑｕａｎｔ．  Ｂｉｏｌ．，  ５１，  ２６３  （１９８７）；Ｅｒｌｉｃｈ編、ＰＣＲ  Ｔｅｃｈｎｏｌｏｇｙ，  （Ｓｔｏｃｋｔｏｎ  Ｐｒｅｓｓ，  ＮＹ，  １９８９）  を参照されたい。したがってＰＣＲに基づくクローニング手法は、関係のある遺伝子またはポリペプチド配列の並びから推論される保存配列に依拠している。
【０１７７】
プライマーは同定され、比較されたポリペプチドまたはヌクレオチドの高度保存配列に対応するように作成され、例えば別の真核ケモカインの配列比較によりプライマーを生成する。ケモカインをコード化するＤＮＡ分子については、アンチセンス鎖とアニールすることが予想される一つのプライマーが調製され、またセンス鎖とアニールすることが予想される別のプライマーが調製される。
【０１７８】
各ＰＣＲ反応の生成物を、アガロースゲルを介して分離し、全てをむらなく増幅した生成物をゲル精製し、周知のプラスミドベクターなどの適切なベクターに直接クローニングする。得られたプラスミドに制限エンドヌクレアーゼを加え、二重鎖プラスミドＤＮＡのジデオキシシークエンシングにかける。
【０１７９】
ケモカインをコード化するｃＤＮＡを同定し、単離し、クローニングする別の手法は、ｃＤＮＡライブラリーをスクリーニングするものである。ケモカインをコード化するｃＤＮＡの全体または一部をコード化するＤＮＡ断片のスクリーニングは、ケモカインと関係があると考えられる遺伝子、例えば異なる種由来の特定のケモカインの相同染色体の間に高度に保存されている配列を有するプローブでライブラリーを探査することにより、あるいはケモカインを特異的に認識する抗体と結合するプラークをスクリーニングすることにより達成することができる。ケモカインと関係のあるまたはケモカインに対する抗体と免疫反応性のある配列を有するプローブと結合するＤＮＡ断片を適切なベクターにサブクローニングし、そしてシークエンシングを行ないおよび／またはケモカインの全体または一部をコード化する別のｃＤＮＡを同定するためのプローブとして用いることができる。
【０１８０】
本明細書で使用されているように、「単離されたおよび／または精製された」という用語は、インビトロにおける天然の細胞環境由来のＤＮＡまたはポリペプチド分子、および核酸またはポリペプチドのように細胞の他の要素に結合しているものに由来するＤＮＡまたはポリペプチド分子の単離について言及したもので、シークエンス、複製、および／または発現されることが可能である。例えば、Ｓａｍｂｒｏｏｋら、前掲に明確にされているように、当該技術分野においてよく知られた方法として、「単離されたケモカイン核酸」は、少なくともケモカインの一部、またはその変異体、あるいはケモカインをコードする各々のＲＮＡ  またはＤＡＮに対する相補鎖またはハイブリダイズであり、過酷な条件下でも安定して結合している相補的なＲＮＡまたはＤＮＡをコードする９対以上の連続した核酸塩基、好ましくは３６対以上、さらに好ましくは４５対、またはそれ以上の核酸塩基からなるＲＮＡまたはＤＮＡである。このように、通常天然試料のＲＮＡまたはＤＮＡに付随する核酸の汚染が１分子もなく、且つ好ましくは、実質的にその他のほ乳動物のすべてのＲＮＡまたはＤＮＡがないという点で、ＲＮＡまたはＤＮＡは「単離」されている。「通常、核酸試料に付随する核酸分子の汚染がない」という語句は、核酸は試料または天然の細胞に再導入されるものの、別の染色体に存在する、またはそうでない場合は、原料となる細胞に通常認められない核酸配列によってフランクされる場合を含む。単離されたケモカイン核酸の例  としては、ヒトＭＣＰ−１をコードし、ＳＥＱ  ＩＤ  ＮＯ：１６を有するＭＣＰ−１ポリペプチドと約８０％、好ましくは少なくとも約９０％、さらに好ましくは約９５％の同一配列を共有するＲＮＡまたはＤＮＡである。
【０１８１】
本明細書で使用されているように、「組み換え核酸」または「前もって選択された核酸」という用語は、例えば「組み換えＤＮＡの配列または断片」または「前もって選択されたＤＮＡ配列または断片」のように、核酸のこと指す。例えば、適当な組織材料に由来するかまたは単離され、次いでインビトロで化学的に改変され、その結果、その配列が天然に存在しないか、または外因性ＤＮＡによって形質転換されていないゲノムでみられるような位置には存在しないであろう、天然の配列に相当する。試料に「由来」する前もって選択されたＤＮＡの例としては、与えられている生物内で有用な断片として同定され、それから本質的に精製された形で化学的に合成されるＤＮＡ配列であろう。このように試料から「単離された」ＤＮＡの例は、制限酵素のエンドヌクレアーゼを使用するなどの化学的手段によって該試料から切り出す、または取り出され、その結果更に本発明で使用するために遺伝子工学の方法論によって増幅するというような操作を行っているＤＮＡ配列で有用なものと思われる。
【０１８２】
このように、制限酵素による切断から得られたＤＮＡ断片の回収または単離は、ポリアクリルアミドゲルまたはアガロースゲル上で分離し、既知の分子量を持つマーカーＤＮＡ断片の移動度と比較することで重要な断片を同定し、所望の断片を含むゲル片を取り出してＤＮＡからゲル片を分離することで行うことができる。Ｌａｗｎら、Ｎｕｃｌｅｉｃ  Ａｃｉｄ  Ｒｅｓ．，  ９，  ６１０３（１９８１）、および  Ｇｏｅｄｄｅｌら、Ｎｕｃｌｅｉｃ  Ａｃｉｄ  Ｒｅｓ．，８  ４０５７，  （１９８０）を参照のこと。従って「前もって選択されたＤＮＡ」は、完全には合成のＤＮＡ配列、半合成のＤＮＡ配列、生物試料から単離されたＤＮＡ配列、およびＲＮＡに由来するＤＮＡ配列、そしてこれらの混合物を含む。
【０１８３】
本明細書で使用されているように、ＲＮＡ分子に関して「由来する」という用語は、ＲＮＡ分子が特定のＤＮＡ分子に対して相似の相補的な配列を有することを指している。
【０１８４】
３．本発明における核酸分子の変異
ケモカインペプチドのアミノ酸配列における変異をコードする核酸分子は、様々な当該技術分野においてよく知られている方法により作成される。これらの方法には、天然の試料（天然に存在するアミノ酸の配列変異の場合）からの単離、またはオリゴヌクレオチドを介する（サイトーダイレクト）突然変異による作成、ＰＣＲによる突然変異、初期に作成された変異体のカッセト突然変異またはケモカインペプチドの非変異体が含まれるが、これに限定するものではない。
【０１８５】
オリゴヌクレオチドを介する突然変異はケモカインペプチドのアミノ酸の置換変異体を作成するのに好ましい方法である。この技術はＡｄｅｌｍａｎら、ＤＮＡ，２  １８３  （  １９８３  ）によって述べられているように、当該技術分野でよく知られている。簡単に説明すると、ケモカインＤＮＡは、改変されてないか、または天然のケモカインＤＮＡの配列を含むプラスミドまたはバクテリオファージの１本鎖からなるテンプレートＤＮＡに、所望の突然変異をコードするオリゴヌクレオチドをハイブリダイゼーションさせることによって改変される。ハイブリダイゼーション後に、ＤＮＡポリメラーゼは、オリゴヌクレオチドプライマーを組み込み、ケモカインＤＮＡの選択された改変をコードすることになるテンプレートの二番目の相補鎖を合成するために使用される。
【０１８６】
一般的に、少なくとも２５塩基の長さを持つオリゴヌクレオチドが使用される。最適なオリゴヌクレオチドは１２から１５塩基で、突然変異をコードするヌクレオチドの片側で、テンプレートに対して完全に相補的である。このオリゴヌクレオチドは、Ｃｒｅａら、Ｐｒｏｃ．  Ｎａｔｌ．  Ａｃａｄ．  Ｓｃｉ．  Ｕ．Ｓ．Ａ．  ７５，５７６５（１９７８）  によって述べられたように当該技術分野でよく知られた技術を使って容易に合成される。
このＤＮＡテンプレートは、バクテリオファージＭ１３のベクター（市販されているＭ１３ｍｐ１８およびＭ１３ｍｐ１９が適当である）、またはＶｉｅｒａら、  Ｍｅｔｈ．  ｅｎｚｙｍｏｌ．，１５３，３（１９８７）によって述べられたように１本鎖ファージの複製起点を含むベクターのどちらかに由来するベクターによって作成される。このように、突然変異を起こさせた本ＤＮＡは１本鎖テンプレートを作成するためにこれらのベクターの一つに挿入されてもよい。１本鎖テンプレートの産生はＳａｍｂｒｏｏｋら、Ｍｏｌｅｃｕｌａｒ  Ｃｌｏｎｉｎｇ：  Ａ  Ｌａｂｏｒａｔｏｒｙ  Ｍａｎｕａｌ（Ｃｏｌｄ  Ｓｐｒｉｎｇ  Ｈａｒｂｏｒ  Ｌａｂｏｒａｔｏｒｙ  Ｐｒｅｓｓ，  Ｎ．Ｙ．１９８９）  第４章２１−４１に述べられている。
【０１８７】
あるいは、１本鎖ＤＮＡテンプレートは標準技術を使って２本鎖プラスミド（または他の）ＤＮＡの変性によって作成してもよい。
【０１８８】
天然のＤＮＡ配列の改変（例えば、アミノ酸配列における変異体を作成する）ために、オリゴヌクレオチドが適切なハイブリダイゼーションの条件下で１本鎖テンプレートにハイブリダイズされる。ＤＮＡを重合する酵素は、たいていＤＮＡポリメラーゼ  Ｉのクレノウ断片であるが、合成のためのプライマーとしてオリゴヌクレオチドを使い、テンプレートの相補鎖を合成する。ヘテロ２本鎖分子がこのように形成されるので、１本鎖ＤＮＡはケモカインの突然変異体をコードし、他方（元来のテンプレート）は天然のままで、改変されていないケモカイン配列をコードしている。このヘテロ２本鎖は、一般的に大腸菌ＪＭ１０１のように、適当な宿主細胞である原核生物に形質転換を起こさせる。細胞が成長した後アガロースプレートで培養し、突然変異を起こしたＤＮＡを含む細菌の集落を同定するために３２Ｐで標識したオリゴヌクレオチドプライマーを使ってスクリーニングする。突然変異を生じた部位が取り出され、一般的に宿主の形質転換に用いられる代表的な発現ベクターで、適当なペプチドまたはポリペプチド産生ベクターに組み込まれる。
【０１８９】
上記に述べた方法は、両方のＤＮＡ鎖に突然変異（複数の突然変異を含む）を持つプラスミドを使い、ホモ２本鎖を作成するというように変更してもよい。その変更点は以下のようなものである；１本鎖のオリゴヌクレオチドは、上記に述べたように１本鎖のテンプレートにアニーリングされる。デオキシリボアデノシン（ｄＡＴＰ）、デオキシリボグアノシン（ｄＧＴＰ）、デオキシリボチミジン（ｄＴＴＰ）の３種類のデオキシヌクレオチドの混合物が、ｄＣＴＰ−（αＳ）（アマシャムコーポレーションから入手可能）と呼ばれる修飾されたチオデオキシリボシトシンと組み合わされる。この混合物は、テンプレート−オリゴヌレオチド複合体に加えられる。この混合物にＤＮＡポリメラーゼを添加すると、突然変異した塩基を除いてテンプレートと同一のＤＮＡ鎖が作成される。加えて、この新しいＤＮＡ鎖はｄＣＴＰのかわりにｄＣＴＰ−（αＳ）を含み、制限酵素のエンドヌクレアーゼによる切断からＤＮＡ鎖を保護する働きがある。ヘテロ２本鎖のうちテンプレートとなる鎖に適当な制限酵素でニックを入れた後で、テンプレート鎖は突然変異が誘発される部位を含む領域をこえて、ＥＸｏＩＩＩヌクレアーゼ  または別の適当なヌクレアーゼで切断することができる。その後、一部分だけ１本鎖の分子を残すために反応が停止される。完全なＤＮＡヘテロ２本鎖は、４種類すべてのデオキシリボヌクレオチド三リン酸、ＡＴＰおよびＤＮＡリガーゼの存在下でＤＮＡポリメラーゼを使って合成される。それから、このホモ２本鎖分子は大腸菌ＪＭ１０１のような適切な宿主に形質転換さることができる。
【０１９０】
例えば、本発明の好ましい態様は、単離され、精製されたＤＮＡ分子で、ＳＥＱ  ＩＤ  ＮＯ  ：１を持つペプチド３（１−１２）［ＭＣＰ−１］をコードする、前もって選択されたＤＮＡ断片からなり、このＤＮＡ断片は「サイレント」（図８参照）なヌクレオチド置換を持つＳＥＱ  ＩＤ  ＮＯ：  ７６またはＳＥＱ  ＩＤ  ＮＯ：７６の変異体からなる。つまり、サイレントなヌクレオチドの置換がコドン内に存在するときは、同じアミノ酸は置換のないコドンによってコードされるように、ヌクレオチド置換を持つコドンによってコードされる。例えば、バリンは  ＧＴＴ、ＧＴＣ、ＧＴＡ、ＧＴＧのコドンでコードされる。成熟ポリペプチドにおいてＳＥＱ  ＩＤ  ＮＯ：７９の１０番目のコドンにおける変異体（ＳＥＱ  ＩＤ  ＮＯ：７９におけるＧＴＣ）は、ＧＴＣのかわりにＧＴＴ、ＧＴＡまたはＧＴＧを含む。一方、ＳＥＱ  ＩＤ  ＮＯ：１を持つペプチド３（１−１２）［ＭＣＰ−１］をコードするＳＥＱ  ＩＤ  ＮＯ：  ７６における「サイレント」なヌクレオチドの置換は、Ｓａｍｂｒｏｏｋら、によるＭｏｌｅｃｕｌａｒ  Ｃｌｏｎｉｎｇ：  Ａ  Ｌａｂｏｒａｔｏｒｙ  Ｍａｎｕａｌ（１９８９）の図８および付表ＤのページＤ１を参照することで達成することができる。ヌクレオチドの置換は当該分野で知られた方法によりＤＮＡ断片に導入されることができる。Ｓａｍｂｒｏｏｋら、前掲を参照のこと。同様に、他のほ乳類、好ましくはヒトのケモカインをコードする核酸分子は同様の方法によって変更してもよい。例えば、ＭＣＰ−２  （ＳＥＱ  ＩＤ  ＮＯ：８０），  ＭＣＰ−３  （ＳＥＱ  ＩＤ  ＮＯ：８１），  ＭＣＰ−４２  （ＳＥＱ  ＩＤ  ＮＯ：１００），  ＭＩＰ１α  （ＳＥＱ  ＩＤ  ＮＯ：８２），  ＭＩＰ１β  （ＳＥＱ  ＩＤ  ＮＯ：８３），  ＲＡＮＴＥＳ  （ＳＥＱ  ＩＤ  ＮＯ：８４），  ＳＤＦ１α  （ＳＥＱ  ＩＤ  ＮＯ：８５），  ＩＬ８  （ＳＥＱ  ＮＯ：８６），  ＧＲＯα  （ＳＥＱ  ＩＤ  ＮＯ：８７），  ｅｏｔａｘｉｎ  （ＳＥＱ  ＩＤ  ＮＯ：８８），  ＭＩＧ  （ＳＥＱ  ＩＤ  ＮＯ：８９），  ＰＦ−４  （ＳＥＱ  ＩＤ  ＮＯ：９０），  Ｉ３０９  （ＳＥＱ  ＩＤ  ＮＯ：９１），  ＨＣＣ−１  （ＳＥＱ  ＩＤ  ＮＯ：９２５），  Ｃ１０  （ＳＥＱ  ＩＤ  ＮＯ：９３），  ＣＣＲ−２  （ＳＥＱ  ＩＤ  ＮＯ：９４），  ＥＮＡ−７８  （ＳＥＱ  ＩＤ  ＮＯ：９５），  ＧＲＯβ  （ＳＥＱ  ＩＤ  ＮＯ：９６），  ＩＰ１０  （ＳＥＱ  ＩＤ  ＮＯ：９７），  ＳＤＦ１β  （ＳＥＱ  ＩＤ  ＮＯ：９８），  ＧＲＯα  （ＳＥＱ  ＩＤ  ＮＯ：９９），  ＭＩＰ３α，  ＴＣＡ−３，  ＣＴＡＰＩＩＩ．  ＭＡＲＣ／ＦＹＫ，  β−トロンボグロブリン，  ＧＣＰ−２，  ＰＢＰ，  ＨＣ１４，  ＭＤＣ，  ＴＥＣＫ，  ＰＡＲＣ，  ＣＣＦ１８／ＭＲＰ−２，  ＣＣＩＩＩ，  ＣＫα２，  Ｈ１３０５，  Ｄｖｉｃ−１，  ＤＧＷＣＣ，  ＴＣＡ４，  ｄｅｎｄｒｏｋｉｎｅ，  ＣＣ２／ＨＣＣ１，  ＣＣ３，  ａｎｄ  ｍｉｐ１γ、これに加えてウイルスによってコードされたケモカインであるｖＭＩＰ−Ｉ、ｖＭＩＰ−ＩＩ、ｖＭＩＰ−ＩＩＩ、またはこれらに対する補体など、このように、少なくともタンパク質をコードする核酸分子は、アミノ酸の置換を生ずるようなサイレントなヌクレオチドの置換を有する本発明における核酸分子を産生するために変更されてもよい（下記のペプチド変異体を参照）。
【０１９１】
Ｃ．インビボ試験
特定の作用物質が本発明の実施において有用であるかどうかをさらに決定するために、動物モデルをヒト疾患のために同定する。ヒト疾患のためのトランスジェニック動物モデルを、本発明の方法において有用な作用物質を同定するために使用することもできる。例えば、ヒト・アテローム性動脈硬化症に関係するケモカイン誘導マクロファージ漸増のモデルは、非限定的に、アポリポプロテインＥ（ａｐｏＥ）遺伝子のホモ接合欠失をもつマウス、ヒト・アポＢを過剰発現するマウス、及びワタナベ遺伝性高脂血症ラビットを含む。自己免疫疾患のためのモデルは、ＤＢＡ／１マウスにおけるコラーゲン誘導関節炎及びミエリン塩基性タンパク質誘導実験自己免疫脳脊髄炎を含む。骨粗しょう症のためのモデルは、卵巣切除雌モット、マウス、サル、ラットであってヘパリン又はグルココルチコイドにより処理されたもの、並びにラットにおける懸濁液誘導骨粗しょう症を含む。ＨＩＶ  感染のためのモデルは、ＳＩＶ  、ＳＩＶ  単離物、ＨＩＶ  又はＨＩＶ  単離物によるサルの感染、ＨＩＶ又はＨＩＶ単離物に感染したＳＣＩＤ−Ｈｕ  マウス、又はＨＩＶ  又はＨＩＶ  単離物に感染したウサギを含む。レンチウイルス感染のための他の動物は、ＦＩＶ  に感染したネコ、ＥＩＡＶに感染したウマ、そして（関節炎のための動物モデルでもある）ＣＡＥＶに感染したヤギを含む。
【０１９２】
抗炎症治療のための本発明の作用物質の効果は、炎症の程度、又は罹患組織のマクロファージ浸潤の程度により評価されうる。マクロファージ浸潤は、マクロファージを特異的に検出する抗体（例えば、ｍａｃ−１  抗血清）で組織切片を染色することにより検出されうる。炎症又は疾患の他の兆候は、当業者に周知の技術を用いて、適当な臨床パラメーターを計測することにより検出されうる。例えば、ａｐｏＥノックアウト・マウスを、作用物質、例えばＣＲＤ−Ｌｅｕ４ｉｌｅ１１  ペプチド３により、例えば腹腔内注射により１２週間の期間にわたり処理する。一方、対照の同腹子は、生物学的活性の知られていない好適な対照ペプチドを受容する。１２週間の終わりに、上記動物を殺し、そして上記作用物質の効果を、ｍａｃ−１  抗血清を用いた定量的免疫組織化学による血管壁内のマクロファージ漸増の減少を計測することにより、そしてＰａｉｇｅｎ，  Ａｒｔｅｒｉｏｓｃｌｅｒｏｓｉｓ，  １０，  ３１６  （１９９０）に従ってオイル・レッドＯ染色を用いた組織化学による血管脂質病変形成の程度における減少を計測することにより評価する。
【０１９３】
Ａｐｏ（ａ）トランスジェニック・マウスは、脂質に富む食餌を摂取するとき発病する。これらの疾変は、マクロファージを全く含まない。これに反し、Ｃ５７Ｂ１６同系マウスは、ａｐｏ（ａ）トランスジェニック・マウスにおけるものと同様のサイズ及び重度の脂質病変を顕出する。マクロファージに富む脂質病変を顕出する、ａｐｏ（ａ）マウス、Ｃ５７Ｂ１６マウス、及び６の他のマウス株の病変を、炎症促進仲介物質、例えば、ＴＮＦ−α、ＭＣＰ−１、ＭＩＰ−１α、ＩＬ１β  、ＩＣＡＭ−１、ＶＣＡＭ−１、及びＰ−セレクチンのレベルについての定量的免疫蛍光によりスクリーニングした。ＴＮＦ−α、ＭＩＰ−１α、ＩＬ１β  、ＩＣＡＭ−１、ＶＣＡＭ−１、及びＰ−セレクチンは、全て、上記ａｐｏ（ａ）マウス病変及びＣ５７Ｂ１６病変において同一レベルで発現された。従って、上記炎症促進仲介物質は浸潤に必要であるけれども、それらだけでは十分でない。全く反対に、ＭＣＰ−１  は、ａｐｏ（ａ）マウスの病変からは全く存在しなかったが、マクロファージ増加病変をもつ他のマウスの全てからの病変において高レベルで発現された。
【０１９４】
ＳＭ−α−アクチンに特異的な抗体（平滑筋細胞；ＩＡ４  抗体）、マクロファージ（Ｍａｃ−１  抗体）、及びＭＣＰ−１  で３重染色された病変をもつ血管壁の切片の共黒顕微鏡分析は、ＭＣＰ−１  がマクロファージだけにより発現されていないことを示した。すなわち、平滑筋細胞とマクロファージの両者がＭＣＰ−１  を発現した。従って、ＭＣＰ−１  は、アテローム性動脈硬化症のａｐｏ（ａ）マウス・モデルにおける失われた“炎症仲介物質”でありうる。これらの結果は、ａｐｏ（ａ）マウス病変におけるＭＣＰ−１  の欠如が、マクロファージの不存在の結果ではなく、その代わり、単球浸潤の欠如の原因に貢献しうることを示唆する。その上、これらの結果は、ケモカインＭＣＰ−１  がアテローム性動脈硬化症の血管炎症において役割を演じているという証拠を提供する。従って、ＭＣＰ−１  は、上記ケモカインの漸増活性をブロックするアナログのための基礎を提供しうる。
【０１９５】
ＭＣＰ−１  以外のケモカインも、マクロファージ漸増、炎症及びアテローム性動脈硬化症の病因に、そして不適当な増殖に関係する他の病気に関係する。例えば、ＭＩＰ１αは、多発性硬化症における不適当な炎症に関係している。従って、ＭＩＰ１αからのペプチド２と３に類似の配列は、多発性硬化症の治療又は予防に特に有用でありうる。それ故、特定のケモカインが特定の病気に関係するとき、その特定のケモカインからの配列は、その病気を治療又は予防するために特に有用でありうる。本発明の範囲内の好ましい作用物質は、２以上のケモカイン、そして好ましくは全てのケモカインのシブナリングの阻害剤である。従って、特定の疾患プロセスに関係するもの以外のケモカインからの配列をもつケモカイン・ペプチド・アナログを調製することが好ましい。特定の疾患を治療するための特定の作用物質の選択は、生物学的利用能、毒性、ＤＡＲＣ結合又は他の同様の基準に基づくことができる。
【０１９６】
他のモデルは、非限定的に、肺損傷についてＬｕｋａｃｓ  （Ａｄｖ，  Ｉｍｍｕｎｏｌ．，  ｐｐ．  ２５７−３０４，  Ａｃａｄｅｍｉｃ  Ｐｒｅｓｓ  （１９９６））  ；  腎炎についてＬｌｏｙｄ  ｅｔ  ａｌ．  （Ｊ．Ｌｅｕｋｏ．  Ｂｉｏｌ．，  １８５，  １３７１  （１９９７））及びＴａｍ  ｅｔ  ａｌ．  （Ｋｉｄ．  Ｉｎｔ．，  ４９，  ７１５  （１９９６））  ；  骨についてＶｏｌｅｊｎｉｋｏｖａ  （Ａｍ．  Ｊ．Ｐａｔｈｏｌ．，  １５０，  １７１１  （１９９７）  ；  脳についてＧｈｉｎｉｋａｒ  ｅｔ  ａｌ．  （Ｊ．Ｎｅｕｒｏｓｃｉ．  Ｒｅｓ．，  ４６，  ７２７  （１９９６））及びＲａｎｓｏｈｏｌｆ  ｅｔ  ａｌ．  （Ｊ．Ｌｅｕｋｏ  Ｂｉｏｌ．，  ６２，  ６４５  （１９９７））  ；  マラリアについてＫａｕｌ  ｅｔ  ａｌ．  （Ａｍ．  Ｊ．Ｔｒｏｐ．  Ｍｅｄ．  Ｈｙｇ．，  ５８，  ２４０  （１９９５））  ；  腹膜炎についてＡｊｅｕｂａｒ  ｅｔ  ａｌ．  （Ｊ．Ｌｅｕｋｏ．  Ｂｉｏｌ．，  ６３，  １０８  （１９９８））  ；  全身性狼瘡についてＦｕｒｕｋａｗａ  ｅｔ  ａｌ．  （Ｌｕｐｕｓ，  ６，  １９３  （１９９７））  ；  Ｓｕｚｕｋｉ  ｅｔ  ａｌ．  （Ｊ．Ｈｅａｒｔ  ＆  Ｌｕｎｇ  Ｔｒａｎｓｐｌ．，  １６，  １１４１  （１９６７）），  Ａｂｂｏｔｔ  ｅｔ  ａｌ．  （Ａｒｃｈ．  Ｓｕｒｇ．，  ８９，  ６４５  （１９６４）），  Ｃｏｒｒｙ  ｅｔ  ａｌ．  （Ｔｒａｎｓｐｌ．，  １６，  ３４３  （１９７３）），  Ｄｗｏｒｋｉｎ  ｅｔ  ａｌ．  （Ｊ．Ｈｅａｒｔ  Ｌｕｎｇ  Ｔｒａｎｓｐｌ．，  １０，  ５９１  （１９９１）），  Ｌａｄｅｎ  ｅｔ  ａｌ．  （Ａｒｃｈ．  Ｐａｔｈ．，  ９３，  ２４０  （１９７２））及びＭｉｔｃｈｅｌｌ  ｅｔ  ａｌ．  （Ｔｒａｎｓｐｌ．，  ４９，  ８３５  （１９９０））（移植についてのもの）；Ｕ．Ｓ．Ｐａｔｅｎｔ  Ｎｏ．５，６６１，１３２（外傷治癒についてのもの）；Ｂｕｒｈａｒｄｔ  ｅｔ  ｌ．  （Ｒｈｅｕｍ．  Ｉｎｔ．，  １７，  ９１  （１９９７））（炎症についてのもの）；Ｅｌｓｏｎ  ｅｔ  ａｌ．  （Ｇａｓｔｒｏｅｎｔｅｒ．，  １０９，  １３４４  （１９９８））（炎症性腸疾患についてのもの）；Ｈａｙｅｓ  ｅｔ  ａｌ．  （Ａｒｔｅｒｉｏ．  Ｔｈｒｏｍｂ．  Ｖａｓｃ．  Ｂｉｏｌ．，  １８，  ３９７  （１９９８））及びＷａｎｇ  ｅｔ  ａｌ．  （Ａｒｔｅｒｉｏ．  Ｔｈｒｏｍｂ．，  １１，  １１６６  （１９９１））（心臓血管疾患についてのもの）；Ｗｅｇｎｅｒ  ｅｔ  ａｌ．  （Ｓｃｉｅｎｃｅ，  ２４７，  ４５６  （１９９０）（肺へのエオシン好性浸潤についてのもの）；Ｂｒａｈｎ  （Ｃｉｉｎｏｒｔｈ  ａｎｄ  Ｒｅｌ．  Ｒｅｓ．，  ２６５，  ４２  （１９９１）），  Ｗｏｏｌｅｙ  （Ｃｕｒｒ．  Ｏｐ．  Ｒｈｅｕｍ．，  ３，  ４０７  （１９９１））及びＧａｙ  ｅｔ  ａｌ．  （Ｃｕｒｒ．  Ｏｐ．  Ｒｈｅｕｍ．，  ７，  １９９  （１９９５），  ＳＣＩＤ−ｈｕｍａｎ  ｓｙｎｏｖｉａｌ  ｉｍｐｌａｎｔ  ｍｏｄｅｌ））（リウマチ様関節炎についてのもの）；Ｂｅａｍｅｒ  ｅｔ  ａｌ．  （Ｂｌｏｏｄ，  ８６，  ３２２０  （１９９８）），  Ｎａｋａｇｕｍａ  （Ｉｎｔ．  Ｊ．Ｅｘｐ．  Ｐａｔｈ．，  ７６，  ６５  （１９９８）），  Ｎａｎｎｅｙ  ｅｔ  ａｌ．  （Ｊ．Ｉ���ｖｅｓｔ．  Ｄｅｒｍａｔ．，  １０６，  １１６９  （１９９６）），  Ｎｉｃｋｏｆｆ  ｅｔ  ａｌ．  （ＡＪＰ，  １４６，  ５８０  （１９９５）），  Ｓｕｎｄｂｅｒｇ  ｅｔ  ａｌ．  （Ｐａｔｈｏｂｉｏｌ．，  ６５，  ２７１  （１９９７）），及びＷｏｌｆ  ｅｔ  ａｌ．  （Ｉｎｔ．  Ｊ．Ｄｅｒｍａｔ．，  ３０，  ４４８  （１９９８））（乾癬についてのもの）；及びＣｏｎｔｉ  ｅｔ  ａｌ．  （Ｂｌｏｏｄ，  ８９，  ４１２０  （１９９７）），  Ｇｏｎｚａｌｏ  ｅｔ  ａｌ．  （ＪＣＩ，  ９８，  ２３３２  （１９９６）），  Ｔｅｉｙｅｉｒａ  ｅｔ  ａｌ．  （ＪＣＩ，  １００，  １６５７  （１９９７）），  Ｃｅｒｉ  ｅｔ  ａｌ．  （Ａｌｌｅｒｇｙ，  ５２，  ７３９  （１９９７）），  Ｆｒｅｅｄ  （Ｅｕｒ．  Ｒｅｓ．  Ｊ．，  ８，  １７７０  （１９９８）），  Ｇｒｉｆｆｉｔｂｓ−Ｊｏｈｎｓｏｎ  ｅｔ  ａｌ．  （Ｍｅｔｈ．  Ｅｎｚｙ．，  ２８８，  ２４１  （１９９１）），  Ｈｅｒｚ  ｅｔ  ａｌ．  （Ｎｅｗ  Ｈｏｒｉｚｏｎｓ  ｉｎ  Ａｌｌｅｒｇｙ  Ｉｍｍｕｎｏｔｈ．，  ２５−３２  Ｐｌｅｎｕｍ  Ｐｒｅｓｓ，  １９９６）及びＫａｎｅ  （Ｅｕｒ．  Ｒｅｓｐ．  Ｊ．，  ７，  ５５５  （１９９１））（アレルギーについてのもの）により報告されたものを含む。
ＩＩ．本発明の範囲内の作用物質の調製
Ａ．核酸分子
１．キメラ発現カセット
本発明における形質転換のための発現カセットを調製するためには、組換え又は事前選択ＤＮＡ  配列又はセグメントは、環状又は線状、２本鎖又は１本鎖であることができる。ケモカインをコードするｍＲＮＡ配列に実質的に相補的なｍＲＮＡ配列をコードする事前選択ＤＮＡ  配列は、典型的には、反対方向（すなわち、５′→３′よりも３′→５′）にカセット内にクローン化された“センス”ＤＮＡ  配列である。一般に、事前選択されたＤＮＡ  配列又はセグメントは、キメラＤＮＡ  、例えばプラスミドＤＮＡ  の形態にあり、これは、得られた細胞系内に存在する事前選択されたＤＮＡ  の発現を促進する制御配列により隣接されたコーディング領域を含むこともできる。
【０１９７】
本明細書中に使用するとき、“キメラ”は、少なくとも２つの異なる種からのＤＮＡ  、又は同一種からのＤＮＡ  であって、その種の“天然”又は野生型には生じないようなやり方で連結又は会合されたものを含むベクターを意味する。
【０１９８】
ケモカイン又はその部分の転写単位として役立つ事前選択されたＤＮＡ  配列とは別に、その事前選択されたＤＮＡ  の部分は転写されず、調節又は構造機能を発揮することもできる。例えば、事前選択されたＤＮＡ  はそれ自体、哺乳動物細胞内で活性なプロモーターを含むことができ、又は形質転換標的であるゲノム内に既に存在するプロモーターを利用することもできる。このようなプロモーターは、ＣＭＶ  プロモーター、並びにＳＶ４０後期プロモーター、及びレトロウイルスＬＴＲｓ（ロング・ターミナル・リピート・エレメント）を含む。但し、本分野に周知の多くの他のプロモーター要素も本発明の実施において使用されうる。
【０１９９】
宿主細胞内で働く他の要素、例えばイントロン、エンハンサー、ポリアデニレーション配列等も上記事前選択されたＤＮＡ  の部分でありうる。このような要素は、上記ＤＮＡ  の機能のために必要であってもなくてもよいが、転写、ｍＲＮＡの安定性等に影響を及ぼすことによりそのＤＮＡ  の改良された発現を提供しうる。このような要素は、細胞内の形質転換性ＤＮＡ  の最適な性能を得るために適宜上記ＤＮＡ  内に含まれうる。
【０２００】
“制御配列”は、特定の宿主生物内の作用可能に連結されたコーディング配列の発現のために必要なＤＮＡ  配列を意味すると定義される。原核細胞のために好適な制御配列は、例えば、プロモーター、並びに場合によりオペレーター配列、及びリボソーム結合部位を含む。真核細胞は、プロモーター、ポリアデニレーション・シグナル、及びエンハンサーを利用することが知られている。
【０２０１】
“作用可能に連結された”とは、核酸が他の核酸配列と機能的な関係をもって配置されていることを意味すると定義される。例えば、プレ配列又は分泌リーダーのためのＤＮＡ  は、ペプチド又はポリペプチドの分泌に参加するプレタンパク質として発現される場合、そのペプチド又はポリペプチドのためのＤＮＡ  に作用可能に連結され；プロモーター又はエンハンサーは、配列の転写に影響を及ぼす場合にそのコーディング配列に作用可能に連結され；又はリボソーム結合部位は、翻訳を容易にするように配置される場合、コーディング配列に作用可能に連結される。一般に、“作用可能に連結された”とは、連結されているＤＮＡ  配列が連続しており、そして分泌リーダーの場合、連続的であり、かつ、リーディング相にあることを意味する。しかしながら、エンハンサーは連続である必要はない。連結は、便利な制限部位におけるライゲーションにより行われる。このような部位が存在しない場合、合成オリゴヌクレオチド・アダプター又はリンカーが慣用法により使用される。
【０２０２】
細胞内に導入されるべき事前選択されたＤＮＡ  は一般に、形質転換しようとする細胞の集団から形質転換された細胞の識別及び選択を容易にするために選択マーカー遺伝子又はリポーター遺伝子又は両者を含むであろう。あるいは、選択マーカーは、別個のＤＮＡ  片上に担持され、そして共同形質転換手順において使用されうる。両選択マーカー及びリポーター遺伝子が、宿主細胞内での発現を可能にするために適当な調節配列と隣接されうる。有用な選択マーカーは本分野において周知であり、そして例えば、抗生物質及び除草剤耐性遺伝子、例えば、ｎｅｏ，  ｈｐｔ，  ｄｈｆｒ，  ｂａｒ，  ａｒｏＡ，  ｄａｐＡ  等を含む。Ｌｕｎｄｑｕｉｓｔ  ｅｔ  ａｌ．  （米国特許第  ５，８４８，９５６号）の表１に列記された遺伝子をも参照のこと。
【０２０３】
リポーター遺伝子は、形質転換された可能性のある細胞を同定し、そして調節配列の機能を評価するために使用される。容易にアッセイされうるタンパク質をコードするリポーター遺伝子は本分野において周知である。一般に、リポーター遺伝子は、受容体生物又は組織中に存在せず又はそれにより発現されず、かつ、その発現がいくつかの容易に検出されうる特性、例えば酵素活性により顕出されるところのタンパク質をコードする遺伝子である。好ましい遺伝子は、Ｅ．  ｃｏｌｉ  のＴｎ９  からのクロラムフェニコール・アセチル・トランスフェラーゼ遺伝子（ｃａｔ  ）、Ｅ．  ｃｏｌｉ  のｕｉｄＡ座のベーターグルクロニダーゼ遺伝子（ｇｕｓ  ）、及びホタル・フォチナス・ピラリス（Ｐｈｏｔｉｎｕｓ  ｐｙｒａｌｉｓ）からのルシフェラーゼ遺伝子を含む。上記リポーター遺伝子の発現は、そのＤＮＡ  が受容体細胞内に導入された後の好適な時機にアッセイされる。
【０２０４】
標的細胞を形質転換することができる組換えＤＮＡ  を構築するための一般方法は当業者に周知であり、そして同じ組成物及び構築方法か本発明において有用なＤＮＡ  を製造するために使用されうる。例えば、Ｊ．  Ｓａｍｂｒｏｏｋ  ｅｔ  ａｌ．，  Ｍｏｌｅｃｕｌａｒ  Ｃｌｏｎｉｎｇ  ：  Ａ  Ｌａｂｏｒａｔｏｒｙ  Ｍａｎｕａｌ，  Ｃｏｌｄ  Ｓｐｒｉｎｇ  Ｈａｒｂｏｒ  Ｌａｂｏｒｏｔｏｒｙ  Ｐｒｅｓｓ  （２ｄ  ｅｄ．，  １９８９）  は、好適な構築方法を提供する。
【０２０５】
２．宿主細胞内への形質転換
組換えＤＮＡ  は、ケモカインをコードするＤＮＡ  又はその相補体を含む発現ベクターによる形質転換により、特定の細胞内への導入のために有用ないずれかの手順、例えば、物理的又は生物学的方法により、宿主細胞、例えば哺乳動物、バクテリア、酵母又は皆虫細胞内に容易に導入されることができ、そのゲノム内に安定して組み込まれた組換えＤＮＡ  をもつ形質転換された細胞が得られ、そうして本発明のＤＮＡ  分子、配列、又はセグメントはその宿主細胞により発現される。
【０２０６】
宿主細胞内に事前に選択されたＤＮＡ  を導入するための物理的な方法は、リン酸カルシウム沈降、リポフェクション、電子銃、マイクロインジェクション、エレクトロポレーション等を含む。宿主細胞内に着目のＤＮＡ  を導入するための生物学的な方法は、ＤＮＡ  及びＲＮＡ  ウイルス・ベクターの使用を含む。物理的方法の主要な利点は、それらがウイルスの病理学的又は癌遺伝子のプロセスと関係しないということである。しかしながら、それらは、あまり正確でなく、しばしば多コピー挿入、ランダム組み込み、外来及び内因遺伝子配列の破壊、及び予想外の発現をもたらす。哺乳動物の遺伝子治療のためには、宿主ゲノム内に単一コピー遺伝子を正確に挿入する効率的な手段を使用することが望ましい。ウイルス・ベクター、そして特にレトロウイルス・ベクターは、哺乳動物、例えばヒト細胞内に遺伝子を挿入するためも最も広く用いられる方法になっている。他のウイルス・ベクターは、ボックスウイルス、単純ヘルペス・ウイルスＩ型、アデノウイルス及びアデノ随伴ウイルス、等に由来することができる。
【０２０７】
本明細書中に使用するとき、用語“細胞系”又は“宿主細胞”は、細胞のよく特徴付けされた均質な、生物学的に純粋な集団をいうと意図される。これらの細胞は、新形成である真核細胞又は本分野において知られた方法によりインビトロにおいて“不死化”されたもの、並びに１次細胞、又は原核細胞であることができる。上記細胞系又は宿主細胞は、好ましくは哺乳動物起源であることができるが、植物、皆虫、酵母、真菌又はバクテリア源を含む非哺乳動物起源の細胞系又は宿主細胞も使用されうる。一般に、事前選択されたＤＮＡ  配列は、宿主細胞のゲノム内に在るか、発現されない、又は高くは発現されない、又は過剰発現されるＤＮＡ  配列に関係する。
【０２０８】
“トランスフェクト”又は“形質転換”は、そのゲノムが、少なくとも１の事前選択されたＤＮＡ  配列の存在により変更され又は高められているところのいずれかの宿主細胞又は細胞系を含むために本明細書中に使用され、そのＤＮＡ  は、遺伝子工学の分野においては、“異種ＤＮＡ  ”、“組換えＤＮＡ  ”、“外来ＤＮＡ  ”、“遺伝子操作された”、“非天然”、又は“外来ＤＮＡ  ”といわれ、そのＤＮＡ  は単離され、そして遺伝子工学の方法により宿主細胞又は細胞系のゲノム内に導入されている。本発明の宿主細胞は、典型的には、プラスミド発現ベクター、ウイルス発現ベクター、又は単離された線状ＤＮＡ  配列によるトランスフェクションにより作られる。好ましくは、トランスフェクトされたＤＮＡ  は染色体内に組み込まれた組換えＤＮＡ  配列であり、これは、ケモカインをコードする遺伝子又はその相補体を含み、その宿主細胞は、自己又は“天然”ケモカインのかなりのレベルを発現してもしなくてもよい。
【０２０９】
宿主細胞内の上記事前選択されたＤＮＡ  配列の存在を確認するために、さまざまなアッセイを行うことができる。このようなアッセイは、例えば、当業者に周知の“分子生物学”アッセイ、例えばサザン及びノーザン・ブロッティング、ＲＴ−ＰＣＲ、及びＰＣＲ  ；“生物学的”アッセイ、例えば、免疫学的手段により（ＥＬＩＳＡｓ  及びウェスタン・ブロット）又は本発明の範囲内にある作用物質を同定するために先に記載したアッセイにより、例えば、特定のケモカインの有無を検出することを含む。
【０２１０】
導入された事前選択されたＤＮＡ  セグメントから作られたＲＮＡ  を検出及び定量するために、ＲＴ−ＰＣＲを使用しうる。ＰＣＲ  の適用においては、酵素、例えば逆転写酵素を用いてまずＲＮＡ  をＤＮＡ  に逆転写し、そして次に慣用のＰＣＲ  技術の使用を通じてそのＤＮＡ  を増幅することが必要である。ほとんどの場合、ＰＣＲ  技術は、有用ではあるが、そのＲＮＡ  産物の完全性を示さないであろう。ＲＮＡ  産物についてのさらなる情報は、ノーザン・ブロッティングにより得られうる。この技術は、ＲＮＡ  種の存在を示し、そしてそのＲＮＡ  の完全性についての情報を与える。ＲＮＡ  種の存在又は不存在は、ドット又はスロット・ブロット・ノーザン・ハイブリダイゼーションを用いても決定されうる。これらの技術は、ノーザン・ブロッティングの変法であり、そしてＲＮＡ  種の有無のみを示す。
【０２１１】
着目の事前選択されたＤＮＡ  セグメントを検出するためにサザン・ブロッティング及びＰＣＲ  が使用されうるが、それらは、その事前選択されたＤＮＡ  セグメントが発現されているかどうかに関する情報を提供しない。発現は、導入された事前選択されたＤＮＡ  配列のペプチド産物を特異的に同定し、又は宿主細胞内の導入された事前選択されたＤＮＡ  セグメントの発現によりもたらされた表現型の変化を評価することにより評価されうる。
【０２１２】
Ｂ．ペプチド、ペプチド変異体、及びそれらの誘導体
本発明の単離され、精製されたケモカイン・ペプチド、ペプチド変異体又はそれらの誘導体は、例えば、固相ペプチド合成法により又は組換えＤＮＡ  アプローチ（上記参照）により、インビトロにおいて合成されうる。固相ペプチド合成法は、確立されており、そして広く使用される方法であり、これは、以下の文献：Ｓｔｅｗａｒｔ  ｅｔ  ａｌ．，  Ｓｏｌｉｄ  Ｐｈａｓｅ  Ｐｅｐｔｉｄｅ  Ｓｙｎｔｈｅｓｉｓ，  Ｗ．Ｈ．  Ｆｒｅｅｍａｎ  Ｃｏ．，  Ｓａｎ  Ｆｒａｎｃｉｓｃｏ  （１９６９）  ；  Ｍｅｒｒｉｆｉｅｌｄ，  Ｊ．  Ａｍ．  Ｃｈｅｍ．  Ｓｏｃ．，  ８５  ２１４９  （１９６３）  ；  Ｍｅｉｅｎｈｏｆｅｒ  ｉｎ“Ｈｏｒｍｏｎａｌ  Ｐｒｏｔｅｉｎｓ  ａｎｄ  Ｐｅｐｔｉｄｅｓ，”ｅｄ．  ；  Ｃ．Ｈ．  Ｌｉ，  Ｖｏｌ．２  （Ａｃａｄｅｍｉｃ  Ｐｒｅｓｓ，  １９７３），  ｐｐ．４８−２６７  ；  Ｂａｖａａｙ  ａｎｄ  Ｍｅｒｒｉｆｉｅｌｄ，“Ｔｈｅ  Ｐｅｐｔｉｄｅｓ，”ｅｄｓ．  Ｅ．  Ｇｒｏｓｓ  ａｎｄ  Ｆ．  Ｍｅｉｅｎｈｏｆｅｒ，  Ｖｏｌ．２  （Ａｃａｄｅｍｉｃ  Ｐｒｅｓｓ，  １９８０）  ｐｐ．３−２８５  ；  及び  Ｃｌａｒｋ−Ｌｅｗｉｓ  ｅｔ  ａｌ．，  Ｍｅｔｈ．  Ｅｎｚｙｒｎｏｌ．，  ２８７，  ２３３  （１９９７）中に記載されている。これらのペプチドはさらに、免疫アフィニティー又はイオン交換カラムの分画；エタノール沈降；逆相ＨＰＬＣ；シリカ上又はアニオン交換樹脂、例えばＤＥＡＥ±のクロマトグラフィー；クロマトフォーカシング；ＳＤＳ−ＰＡＧＥ；硫酸アンモニウム沈降；例えばＳｅｐｈａｄｅｘ  Ｇ−７５  を用いたゲルろ過；又はリガンド・アフィニティー・クロマトグラフィーによりさらに精製されることができる。
【０２１３】
一旦、単離され、そして特徴付けられれば、与えられたケモカイン・ペプチドの、誘導体、例えば化学的誘導体は容易に作られることができる。例えば、本発明のケモカイン・ペプチド又はケモカイン・ペプチド誘導体のアミドは、カルボン酸基又は前駆体をアミドに変換するために本分野に周知の技術により調製されることもできる。Ｃ末端カルボキシル基におけるアミド形成のための好ましい方法は、適当なアミンを用いて固体支持体からそのペプチドを解裂させること、又はアルコールの存在下で解裂させて、エステルを得、その後所望のアミンによるアミノリシスを行うことである。
【０２１４】
本発明のペプチド又はペプチド変異体のカルボキシル基の塩は、上記ペプチドを、所望の塩基、例えば水酸化金属塩基、例えば水酸化ナトリウム；炭酸又は重炭酸金属塩基、例えば炭酸ナトリウム又は重炭酸（炭酸水素）ナトリウム；又はアミン塩基、例えばトリエチルアミン、トリエタノールアミン等の１以上の等価物と、接触させることにより常法により調製されうる。
【０２１５】
上記ケモカイン・ペプチド又はペプチド変異体のアミノの基のＮ−アシル誘導体は、最終的な縮合のためにＮ−アシル保護されたアミノ酸を使用することにより、又は保護された又は保護されていないペプチドをアシル化することにより調製されうる。Ｏ−アシル誘導体は、例えば、遊離ヒドロキシ・ペプチド又はペプチド樹脂のアシル化により調製されうる。いずれのアシル化も、標準的なアシル化試薬、例えばハロゲン化アシル、無水物、アシル・イミダゾール等を用いて行うことができる。両Ｎ−及びＯ−アシル化が適宜共に行われうる。
【０２１６】
ホルミル−メチオニン、ピログルタミン、及びトリメチル−アラニンが、上記ペプチド又はペプチド変異体のＮ−末端残基において置換されうる。他のアミノ末端修飾は、アミノオキシペンタン修飾を含む（Ｓｉｍｍｏｎｓ  ｅｔ  ａｌ．，  Ｓｃｉｅｎｃｅ，  ２７６，  ２７６  （１９９７）を参照のこと）。
【０２１７】
さらに、ケモカイン・ペプチドのアミノ酸配列も、ケモカイン・ペプチド変異体をもたらすように修飾されうる。この修飾は、そのペプチド内の少なくとも１のアミノ酸残基を別のアミノ酸残基で置換すること、Ｌ型からＤ型を用いる置換、並びに他の周知のアミノ酸アナログ、例えば非天然アミノ酸、例えばα，α−２置換アミノ酸、Ｎ−アルキル・アミノ酸、乳酸、等を用いるような置換を含む。これらのアナログは、ホスホセリン、ホスホトレオニン、ホスホチロシン、ヒドロキシプロリン、ガンマ−カルボキシグルタメート；馬尿酸、オクタヒドロインドール−２−カルボン酸、スタチン、１，２，３，４−テトラヒドロイソキノリン−３−カルボン酸、ペニシラミン、オルニチン、シトルリン、α−メチル−アラニン、パラ−ベンゾイル−フェニルアラニン、フェニルグリシン、プロパルギルグリシン、サルコシン、ε−Ｎ，Ｎ，Ｎ−トリメチルリジン、ε−Ｎ−アセチルリジン、Ｎ−アセチルセリン、Ｎ−ホルミルメチオニン、３−メチルヒスチジン、５−ヒドロキシリジン、ω−Ｎ−メチルアルギニン、そして他の類似のアミノ酸及びイミノ酸及びｔｅｒｔ−ブチルグリシンを含む。
【０２１８】
上記ペプチドの残基の中の１以上が、そのペプチドが生物学的に活性である限り変更されうる。例えば、ペプチド３［ＭＣＰ−１  ］変異体、例えば、Ｓｅｒ７ペプチド３（１−１２）［ＭＣＰ−１  ］に関しては、その変異体が対応の非変異体ペプチド、例えば配列番号１をもつペプチドの生物学的活性の少なくとも約１０％をもつことが好ましい。保存的アミノ酸置換が好ましい。すなわち、例えば、酸性アミノ酸としてのアスパラギン−グルタミン酸；塩基性アミノ酸としてのリジン／アルギニン／ヒスチジン；疎水性アミノ酸としてのロイシン／イソロイシン、メチオニン／バリン、アラニン／バリン；親水性アミノ酸としてのセリン／グリシン／アラニン／トレオニンである。保存的アミノ酸置換は、側鎖に基づく分類をも含む。例えば、脂肪族側鎖をもつアミノ酸の群は、グリシン、アラニン、バリン、ロイシン、及びイソロイシンであり；脂肪族−ヒドロキシル側鎖をもつアミノ酸の群は、セリン、及びトレオニンであり；アミド含有側鎖をもつアミノ酸の群は、アスパラギン、及びグルタミンであり；芳香族側鎖をもつアミノ酸の群は、フェニルアラニン、チロシン、及びトリプトファンであり；塩基性側鎖をもつアミノ酸の群は、リジン、アルギニン、及びヒスチジンであり；そして硫黄含有側鎖をもつアミノ酸の群は、システイン、及びメチオニンである。例えば、イソロイシン又はバリンによるロイシンの置換、グルタミン酸によるアスパラギン酸の置換、セリンによるトレオニンの置換、又は構造的に関連のあるアミノ酸によるあるアミノ酸の同様の置換が、得られた変異体ポリペプチドの特性に大きな影響を及ぼさないであろうと思われる。アミノ酸の変更が機能的なペプチドをもたらすかどうかは、そのペプチド変異体の比活性をアッセイすることにより容易に決定されうる。アッセイは、本明細書中に詳細に記載されている。
【０２１９】
保存性置換を、典型的な置換の見出しの下に図９に示す。より好ましい置換は好ましい置換の下に示す。置換を導入した後、変異体を生物活性についてスクリーニングする。
【０２２０】
本発明の範囲内にあるアミノ酸置換は、一般に、（ａ）置換の領域内のペプチド骨格の構造、（ｂ）標的部位における分子の電荷もしくは疎水性、又は（ｃ）側鎖のバルクを維持することへのそれらの効果において有意に異ならない置換を選択することにより行われる。天然の残基は共通の側鎖特性に基づいてグループに分けられる：
（１）疎水性：ノルロイシン、Ｍｅｔ，  Ａｌａ，  Ｖａｌ，  Ｌｅｕ，  Ｉｌｅ；
（２）中性親水性：Ｃｙｓ，  Ｓｅｒ，  Ｔｈｒ；
（３）酸性：Ａｓｐ，  Ｇｌｕ；
（４）塩基性：Ａｓｍ，  Ｇｌｍ，  Ｈｉｓ，  Ｌｙｓ，  Ａｒｇ；
（５）鎖の方向に影響を与える残基：Ｇｌｙ，  Ｐｒｏ；及び
（６）芳香族；Ｔｒｐ，  Ｔｙｒ，  Ｐｈｅ
本発明は、非保存性置換を伴うペプチド変異体も包含する。非保存性置換は、上述のクラスの１つのメンバーを別のものに交換することを伴う。
【０２２１】
ペプチドもしくは変異体ペプチドの又はペプチドもしくは変異体ペプチドのアミノ酸残基の酸付加塩は、そのペプチド又はアミンに、１又は複数の等価の要求される無機又は有機酸、例えば塩酸を接触させることにより調製することができる。ペプチドのカルボキシル基のエステルは、当業界の知られた通常の方法のいずれかによっても調製することができる。
【０２２２】
更に、本発明の剤、例えばケモカインペプチドは、生体内でのそれらの安定性、例えば半減期又はバイオアベイラビリティーを増加させる様式で改変される。これらの改変された剤は“誘導体”と呼ばれる。このような誘導体を調製するための方法は当業界で公知である。ペプチドを安定化するための１つの方法は、還化ペプチドである誘導体を調製することである（ＥＰＡ  ４７１，４５３  （アミド結合）、例えばリシンとアスパラギン酸側鎖との間；ＥＰＡ  ４６７，７０１  （ジスルフィド結合）；ＥＰＡ  ４６７，６９９  （チオエーテル結合）を参照のこと）。生体内安定性を増加させることができる他の改変は、Ｊａｍｅｃｏｎら（Ｎａｔｕｒｅ，  ３６８，  ７４４  （１９９４）；米国特許第  ４，９９２，４６３；米国特許  ５，５９６，０７８及び米国特許  ５，０９１，３９６）に開示される。本発明の好ましい実施形態は、ケモカインペプチド又はそのペプチドのＮ及び／又はＣ末端への１又は複数のシステイン残基の付加により還化されている変異体、並びにＤ型アミノ酸の逆の配列（即ちＣ末端からＮ末端に読む）から構成されるペプチドである。この発明のより好ましい実施形態は、還化され、及びＤ型アミノ酸の逆配列で構成されたペプチド、即ちＣＲＤ  誘導体である。
【０２２３】
本発明は、本発明の治療剤に特異的な抗体も含む。例えば、ウサギは、（ＲＤ−Ｌｅｕ４Ｉｌｅ１１Ｃｙｓ１３  ペプチド３（３−１２）［ＭＣＰ−１  ］で免疫化した。得られた抗血清は高いタイターを有したが、ＭＣＰ−１  と交差反応しなった。その抗体は、（ＲＤ−Ｌｅｕ４Ｉｌｅ１１Ｃｙｓ１３  ペプチド３（３−１２）［ＭＣＰ−１  ］を検出するためのイムノアッセイに役立つ。
【０２２４】
Ｃ．ケモカインアナログ
ケモカインアナログは、対応するペプチドのものと類似した特性を有する。これらのアナログは、“ペプチド擬態物（ｍｉｍｅｔｉｃｓ）”又は“ペプチドミメティクス”と呼ぶことができ（引用により本明細書に組み込まれるＦａｕｃｈｅｒｅ，  Ｊ．  （１９８６）  Ａｄｖ．  Ｄｒｕ．  Ｒｅｓ  １５  ：  ２９  ；  Ｖｅｂｅｒ  ａｎｄ  Ｆｒｅｉｄｉｎｇｅｐ  （１９８５）  ＴＩＮＳ  ｐ．３９２；及びＥｖａｎｓ  ら  （１９８７）  Ｊ．  Ｍｅｄ．  Ｃｈｅｍ．  ３０  ：  １２２９）、コンピューターでの分子キデリングにより開発することができる。これらのアナログは、当業界で知られた方法により、−ＣＨ２ＮＨ−，  −ＣＨ２Ｓ−，  −ＣＨ２−ＣＨ２−，  −ＣＨ＝ＣＨ−  （ｃｉｓ及びｔｒａｎｓ），  −ＣＨ＝ＣＦ−（ｔｒａｎｓ），  −ＣｏＣＨ２−，  −ＣＨ（ＯＨ）ＣＨ２−、及び−ＣＨ２ＳＯ−からなる群から選択された結合により任意に置換された１又は複数のペプチド結合を有する構造を含み、以下の引用文献に更に記載される：Ｓｐａｔｏｌａ，  Ａ．Ｆ．  ｉｎ“Ｃｈｅｍｉｓｔｒｙ  ａｎｄ  Ｂｉｏｃｈｅｍｉｓｔｒｙ  ｏｆ  Ａｍｉｎｏ  Ａｃｉｄｓ，  Ｐｅｐｔｉｄｅｓ，  ａｎｄ  Ｐｒｏｔｅｉｎｓ，”Ｂ．Ｗｅｉｎｓｔｅｉｎ，  ｅｄｓ．  Ｍａｒｃｅｌ  Ｄｅｋｋｅｒ，  Ｎｅｗ  Ｙｏｒｋ，  Ｐ．２６７  （１９８３）  ；  Ｓｐａｔｏｌａ，  Ａ．Ｆ．，  Ｖｅｇａ  Ｄａｔａ  （Ｍａｒｃｈ  １９８３），  Ｖｏｌ．１，  Ｉｓｓｕｅ  ３，“Ｐｅｐｔｉｄｅ  Ｂａｃｋｂｏｎｅ  Ｍｏｄｉｆｉｃａｔｉｏｎｓ”（ｇｅｎｅｒａｌ  ｒｅｖｉｅｗ）  ；  Ｍｏｒｌｅｙ，  Ｊ．Ｓ．，  Ｔｒｅｎｄｓ  Ｐｈａｒｍ．  Ｓｃｉ  （１９８０）  ｐｐ．４６３−４６８  （ｇｅｎｅｒａｌ  ｒｅｖｉｅｗ）  ；  Ｈｕｄｓｏｎ，  Ｄ．  ｅｔ  ａｌ．，  Ｉｎｔ．  Ｊ．  Ｐｅｐｔ．  Ｐｒｏｔ．  Ｒｅｓ．  （１９７９）  １４  ：  １７７−１８５  （−ＣＨ２ＮＨ−，  ＣＨ２ＣＨ２−）  ；  Ｓｐａｔｏｌａ，  Ａ．Ｆ．  ｅｔ  ａｌ．，  Ｌｉｆｅ  Ｓｃｉ  （１９８６）  ３８  ：  １２４３−１２４９  （−ＣＨ２−Ｓ）  ；  Ｈａｎｎ，  Ｍ．Ｍ．，  Ｊ．  Ｃｈｅｍ．  Ｓｏｃ  Ｐｅｒｋｉｎ  Ｔｒａｎｓ  Ｉ  （１９８２）  ３０７−３１４  （−ＣＨ−ＣＨ−，  ｃｉｓ  ａｎｄ  ｔｒａｎｓ）  ；  Ａｌｍｑｕｉｓｔ，  Ｒ．Ｇ．  ｅｔ  ａｌ．，  Ｊ．  Ｍｅｄ．  Ｃｈｅｍ．  （１９８０）  ２３  ：  １３９２−１３９８  （−ＣＯＣＨ２−）  ；  Ｊｅｎｎｉｎｇｓ−Ｗｈｉｔｅ，  Ｃ．  ｅｔ  ａｌ．，  Ｔｅｔｒａｈｅｄｒｏｎ  Ｌｅｔｔ．  （１９８２）  ２３  ：  ２５３３  （−ＣＯＣＨ２−）  ；  Ｓｚｅｌｋｅ，  Ｍ．  ｅｔ  ａｌ．  Ｅｕｒｏｐｅａｎ  Ａｐｐｌｎ．  ＥＰ  ４５６６５  （１９８２）  ＣＡ  ；  ９７  ：  ３９４０５  （１９８２）  （−ＣＨ（ＯＨ）ＣＨ２−）  ；  Ｈｏｌｌａｄａｙ，  Ｍ．Ｗ．  ｅｔ  ａｌ．，  Ｔｅｔｒａｈｅｄｒｏｎ  Ｌｅｔｔ．  （１９８３）  ２４  ：  ４４０１−４４０４  （−Ｃ（ＯＨ）ＣＨ２−）  ；  及びＨｒｕｂｙ，  Ｖ．Ｊ．，  Ｌｉｆｅ  Ｓｃｉ  （１９８２）  ３１  ：  １８９−１９９  （−ＣＨ２Ｓ−）。これらの各々は引用により本明細書に組み込まれる。特に好ましいペプチド結合は−ＣＨ２ＮＨ−である。このようなアナログは、より大きな化学的安定性、増強された薬理特性（半減期、吸収、効力、効能等）、変化した特異性（例えば、広範囲の生物活性）、減少した抗原性、及び経済的に調製できることを有し得る。アナログの標識化は、通常、定量的構造−活性データ及び／又は分子モデリングにより予測されるアナログ上の非干渉位置への、直接的又はスペーサー（例えばアミド基）を介しての１又は複数のラベルの共有結合に関する。このような非干渉位置は、一般に、アナログが結合して治療効果を作り出す高分子との直接的接触を形成しない位置である。同じ型のＤ−アミノ酸での共通配列の１又は複数のアミノ酸の系統的置換（例えばＬ−リシンのかわりのＤ−シリン）も、より安定なペプチドを生成するために用いることができる。
【０２２５】
１．ケモカイントリペプチドのアイソスター（式（ＩＶ）の化合物）
Ｚ＝ＣＨ３  ；Ｒ１  ＝インドリル；Ｙ＝Ｏ；及びＸ＝ＣＨ３  である式（ＩＶ）の化合物は、Ｎ−ｔＢｏｃ−Ｎｉｎ  ＢＯＣ−Ｌ−トリプトファン−ＯＨ  及びシクロヘキセノンから調製することができる。例えば、２−シクロヘキセン−１−オンは、ジメチル銅酸リチウムと、トリメチルシリルクロライドの存在下で、反応に用いる用に、当業者に公知の方法（例えばＨｏｕｓｅ  ら、Ｊ．  Ｏｒｇ．  Ｃｈｅｍ．，  ４０，  １４６０  （１９７５））により反応させることができる。オルガノクプレートによるα−β不飽和ケトンの付加は、例えばＨｏｕｓｅ  ら、Ｊ．  Ｏｒｇ．  Ｃｈｅｍ．  ３１，  ３１２８  （１９６６）  に記載される。同様に、トリメチルシリルクロライドによるエノレートの捕獲は、Ｈｏｕｓｅ  ら、Ｊ．  Ｏｒｇ．  Ｃｈｅｍ．  ３６，  ２３６１  （１９７１）  に記載される。そのトラップされたエノレートは、次に、例えばＲｕｂｏｔｔｏｍ  （Ｊ．  Ｏｒｇ．  Ｃｈｅｍ，  ４４，  １７３１  （１９７９））の方法に従って、アセトキシ−銀及びテトラブチルアンモニウムフルオライドの存在下でヨウ素分子の付加により、α−イオド誘導体に分解され、式  １００のトランス−二置換化シクロヘキサノンを供する。
【０２２６】
【化２０】
2005506947.tif 000026
【０２２７】
式  １００のヨウ化物の２級アルコールへの変換、及びエステル、例えば無水酢酸とのエステルの形成は、式  １０１の化合物を生成する。
【０２２８】
【化２１】
2005506947.tif 000027
【０２２９】
式  １０１の化合物は、かわりに、当業界で公知の手順を用いて、上述のトリメチルシリルエーテルエノレートの、α−ヒドロキシケトンへの変換、次のエステルの形成により調製することができる。
【０２３０】
式  １０１の化合物は、例えば、ビニルマグネシウムブロマイドで、標準条件下でアルキル化し、（例えばヨウ素分子及び熱の存在下で）脱水して、式  １０２のジェンを生成することができる。
【０２３１】
【化２２】
2005506947.tif 000028
【０２３２】
式  １０２のジェンとエチルアクリレート（Ａｌｄｒｉｃｈ  Ｅ９７０−６）との間のディールス−アンダー反応は、式  １０３の立体特異的かつ位置特異的生成物を供する。
【０２３３】
【化２３】
2005506947.tif 000029
【０２３４】
例えば、還化反応は、密閉されたチューブ内で式  １０２の化合物とエチルアクリレートとを混合し、本質的にＧｒｅｅｎ  ら（Ａｄｖ．  Ｐｅｓｔ．  Ｃｏｎｔｒｏｌ  Ｆｅｓ．  ３，  １２９  （１９６０））に記載されるように加熱することにより行うことができる。
【０２３５】
式  １０３の化合物中の二重結合の酸化物開裂は、式  １０４の二酸を供する。
【０２３６】
【化２４】
2005506947.tif 000030
【０２３７】
このような酸化的開裂は、便利には、オゾン分解により、又はクムム酸での酸化により行うことができる。例えば、酸中のＣｒＯ３を用いて、式  １０４の化合物は、本質的にＥｓｃｈｅｎｍｏｓｅｒ  ＆  Ｗｉｎｔｅｒ，  Ｓｃｉｅｎｃｅ，  １９６，  １４１０  （１９７７）  に記載されるように調製することができる。
【０２３８】
ＰＯＣｌ５  での二酸の活性化及び次のジメチルアミンとの反応は、式  １０５のジ−アミドを供する。
【０２３９】
【化２５】
2005506947.tif 000031
【０２４０】
式  １０５の化合物のアセトキシ基の加水分解、次のメシレート（又は他の好適な脱離基）の形成、及びＴＨＦ  中でのヨウ化ナトリウムの添加は、式  １０６の化合物を供する。
【０２４１】
【化２６】
2005506947.tif 000032
【０２４２】
式  １０６の化合物と式  １０７の化合物との、本質的にＬｙｇｏ  ａｎｄ  Ｒｕｄｄ  （Ｔｅｔｒａｈｅｄｒｏｎ  Ｌｅｔｔ，  ３６，  ３５７７  （１９９５））  に記載されるような乾燥ＤＭＦ  中無水炭酸カリウムの存在下での反応、次の例えばＳｍＩ２を用いるスルホネートの除去は、式  １０８の化合物を供し、それは、脱保護化して、アシル化し、Ｒ２  及びＲ３  がＮＭｅ２である式（ＩＶ）の化合物を供することができる。
【０２４３】
【化２７】
2005506947.tif 000033
【０２４４】
式  １０７の中間体は、便利には、フェニルメチルスルホンから得られるジアニオンとの反応により、保護されたトリプトファン（例えばＮ−α−ｔＢＯＣ−Ｎｉｎ  ｔＢＯＣ−Ｌ−トリプトファン−ＯＨ；Ｎｏｖａｂｉｏｃｈｅｍ  ０４−１２−０２０１）から調製することができる。
【０２４５】
【化２８】
2005506947.tif 000034
【０２４６】
式（ＩＶ）の化合物についての好ましい合成を以下の図に示す。
【０２４７】
【化２９】
2005506947.tif 000035
【０２４８】
チオケトン誘導体（Ｙ＝Ｓ）は、保護されたトリプトファン１０７  のβ−ケトスルホン誘導体とチオケトン誘導体に変換する付加反応の挿入により合成することができる。例えば、ジチオール、例えば１，２−エタンジチオールとの反応はチオアセタールを形成し、それは、Ｈ２Ｓ  の存在下で無水条件下で加水分解してチオケトンを生成することができる。
【０２４９】
【化３０】
2005506947.tif 000036
【０２５０】
その変換は、〔２，４−ビス（４−メトキシ−フェニル）−１，３−ジチア−２，４−ジホス−フェタン−２，４ジスルフィド〕（Ｌａｗｅｓｓｏｎ’ｓ  Ｒｅａｇｅｎｔ）を用いて行うこともできる。式  １０６の化合物のチオケトン誘導体の反応は、Ｙ＝Ｓである式（ＩＶ）の化合物を供する。
【０２５１】
インドリル以外のアリール置換基は、好適なアミノ酸の好適に保護されたβ−ケトスルホン誘導体を要求する。そのアミノ酸が直ちに利用できる場合、その反応は、例えばＮｏｖａｂｉｏｃｈｅｍ  からの、好適なｔＢＯＣ又はＦｍｏｃ保護化アミノ酸（各々フェニルアラニン及びチロシン）を用いて行うことができる。そのアミノ酸が直ちに利用できない場合（例えばＲ＝ｃｏｕｍａｒｙｌ）、好適に保護されたアミノ酸は、最初に、非標準的アミノ酸の合成について当業界で十分に確立された方法により調製しなければならない（例えば、Ｙｕａｒ及びＨｒｕｂｙ，  Ｔｅｔｒａｈｅｄｒｏｎ  Ｌｅｔｔ，  ３８，  ３８５３  （１９９７）を参照）。
【０２５２】
以下に示す通り、式（Ｖ）の化合物は、便利には、式１３のエステルから調製することができる。リチウムジイソプロピルアミドでの脱保護、次のブロマイド１４でのアルキル化は式１５の化合物を供する。エステルの、例えばジイソブチルアルミニウムヒドリドでの選択的還元は、式１６のアルデヒドを供し、それは、ＰＰｈ３＝ＣＦ２  とのウィッテ化反応によりジフルオロアルケン１７に変換することができる（Ｈａｙａｓｈｉ  ら、Ｃｈｅｍｉｓｔｒｙ  Ｌｅｔｔｅｒｓ，  １９８０，  ｐａｇｅ  ９３５−９３８  ）。
【０２５３】
【化３１】
2005506947.tif 000037
【０２５４】
アルデヒド１８は、フェニルトリメチルアンモニウムトリブロマイドでの処理、次の標準条件下でのアセタールの形成により、Ｖｉｓｗｅｓｗａｒｉａｈらに記載されるのと同様の手順を用いてブロマイド１９に変換することができる。そのブロマイドの対応するアルキルリチウムへの、ｎ−ブチルリチウムでの処理及び次のジフルオライド１７との反応による変換は、式２０の化合物を生成する（Ｃｈｅｍｉｓｔｒｙ  Ｌｅｔｔｅｒｓ，  １９８０、ページ９３５〜９４０  ）。酸性条件下での脱保護は、アルデヒド２１を供し、それは、ＰＰｈ３＝ＣＦ２  と反応させてトリフルオライド２２を供することができる。次の、ブロマイド２３から得られるアルキルリチウムでの２２の処理は、式（Ｖ）の化合物を生成する。他の知られた種々の保護基が上述の手順で利用できること、及び特定の保護基が基Ｒ４  〜Ｒ８  の構造に依存して他のものより好まれ得ることが当業者に理解されよう。
【０２５５】
【化３２】
2005506947.tif 000038
【０２５６】
式（ＸＩＩＩ）の化合物は、以下のスキームに示すように調製することができる。
【０２５７】
【化３３】
2005506947.tif 000039
【０２５８】
エステル１０８  の式  １０９のアミンとの反応は、式  １１０の酸を生成する。当業界で知られた技術を用いる（例えばＮ−ブロモスクシニミドでの）カルボン酸の活性化及び式１１のアミンのカップリングは式（ＸＩＩＩ）の化合物を生成する。
【０２５９】
式（ＸＩＶ）  の化合物は、当業者に知られた手順を用いて、ヨヒンビンから調製することができる。実施例２３に示すように、ヨヒンビンのナトリウムアミドでの処理は、Ｒ１  がアミノである式（ＸＩＶ）  の対応するアミドを供する。標準的条件を用いるこのアミドの更なるアルキル化又はアシル化は、式（ＸＩＶ）  の他の化合物を供する。
【０２６０】
Ｒ３  及びＲ４  が環を形成する式（Ｘ）の化合物は、以下の一般的スキームを用いて調製することができる。
【０２６１】
【化３４】
2005506947.tif 000040
【０２６２】
標準条件下でのアミン１１２  のアルシ化、次の閉環は、式  １１４の化合物を供し、それは、式（Ｘ）の化合物である。式  １１４の化合物は、他の式（Ｘ）の化合物を調製するための出発材料として用いることができる。
【０２６３】
Ｒ３  及びＲ４  が環を形成する式（Ｘ）の化合物は、以下の一般的スキームを用いて調製することもできる。
【０２６４】
【化３５】
2005506947.tif 000041
【０２６５】
例えばトリフルオロ酢酸を用いる、標準条件下でのカルバメート１１５  の加水分解は、Ｘが好適な対イオン（例えばトリフレート）である式  １１６の塩を生成する。必要とされる活性化酸（Ｒ，ＣＯＯＨ）でのアミン塩１１６  の処理は、式  １１７の化合物を供し、それは式（Ｘ）の化合物である。式  １１６のアミン塩は、式（Ｘ）の化合物を調製するための特に有用な中間体である。
【０２６６】
式（ＸＩＩ）  の化合物は、便利には、当業界で知られた方法と同様の手順を用いて、リセルグ酸から調製することができる。例えば、式（ＸＩＩ）  の化合物は、実施例２４に記載されるように調製することができる。
【０２６７】
他の有用なケモカインアナログは、上述の方法により同定することができる。特に、経口的にバイオアベイラブルで、安定でかつ効力あるケモカイン活性のインヒビターであるケモカインアナログが好ましい。
【０２６８】
Ｄ．治療剤の標的化
ケモカインペプチド、その変異体、類似体又は誘導体は、治療剤を、細胞成分に特異的に結合する部分、例えば抗体又はそのフラグメント、レクチン、トランスフェリン（肝臓ターゲッティングのため）及び小分子薬剤に結合させ、治療的複合体を形成せしめることによって、特異的治療部位に標的化されうる。本発明の治療剤の標的化は、特異的な解剖部位での前記治療剤の濃度の増大を生じうる。更に、本発明の治療剤が結合部分に連結することは、ｉｎ  ｖｉｒｏ  での前記治療剤の安定性を増大しうる。例えば、ＣＤ４  受容体に結合する抗ＣＤ４  模倣剤は、一部がＨＩＶ  補助受容体に結合する治療的複合体をもたらす様に、本発明の治療剤に連結しうる。これは、前記治療剤を特定の細胞型に対して標的化する能力を増強し、そしてその結果、その細胞型のＨＩＶ  感染を防ぎうる。
【０２６９】
異常増殖にとって、抗腫瘍抗体、例えばＮＲ−ＬＵ−１０（抗癌腫）、ＮＲ−ＭＬ−５  （抗黒色腫）、又は抗ＣＤ４５（抗リンパ腫）は、前記治療剤を特定の腫瘍型に局在化するのに有用でありうる。感染症にとって、病原特異的エピトープ、例えばｍＡｂ  １７．４１  （クリプトスポリジウム・パルバム（Ｃｒｙｐｔｏｓｐｏｒｉｄｉｕｍ  ｐａｒｖｕｍ））が適用されうる。関節リウマチを処置するための連合を標的化するために、抗滑膜又はコンドロイチン硫酸（例えばカタログ番号Ｃ８０３５，  Ｓｉｇｍａ  Ｃｈｅｍｉｃａｌ  Ｃｏ．，  Ｓｔ．  Ｌｏｕｉｓ，  ＭＯ）抗体は、本発明の治療剤に連結しうる。喘息又は肺等を処置又は予防するために、気管支上皮に対することは、本発明の方法の使用のための免疫複合体を製造するのに有用でありうる。
【０２７０】
特異的部位又は細胞型に対して本発明の治療剤を標的化するのに有用な他の抗体は、血管又はリンパ（例えば、Ｕｌｅｘ  ｅｕｒｏｐａｅｕｓ−Ｉレクチン、カタログ番号Ｕ４７５４，  Ｓｉｇｍａ  Ｃｈｅｍｉｃａｌ  Ｃｏ．，  Ｓｔ．  Ｌｏｕｉｓ，  ＭＯ）、血液凝塊又は血小板（例えば、カタログ番号Ｆ９９０２，  Ｆ４６３９，  Ｆ２５０６，  Ｆ８５１２，  Ｓｉｇｍａ  Ｃｈｅｍｉｃａｌ  Ｃｏ．，  Ｓｔ．  Ｌｏｕｉｓ，  ＭＯ）、Ｔ細胞（例えば、カタログ番号Ｃ７０４８  （ＣＤ３）  ；  Ｃ１８０５  （ＣＤ４）  ；  Ｃ７１７３  （ＣＤ５）  ；  及びＣ７２９８  （ＣＤ７）  ；  Ｓｉｇｍａ  Ｃｈｅｍｉｃａｌ  Ｃｏ．  Ｓｔ．  Ｌｏｕｉｓ，  ＭＯ）、脳（例えば、カタログ番号Ｓ２６４４及びＳ２４０７，  Ｓｉｇｍａ  Ｃｈｅｍｉｃａｌ  Ｃｏ．，  Ｓｔ．  Ｌｏｕｉｓ，  ＭＯ）、腫瘍（例えば、カタログ番号Ｃ２３３１，  Ｓｉｇｍａ  Ｃｈｅｍｉｃａｌ  Ｃｏ．，  Ｓｔ．  Ｌｏｕｉｓ，  ＭＯ）、上皮細胞（例えば、カタログ番号Ｅ６０１１及びＣ１０４１，  Ｓｉｇｍａ  Ｃｈｅｍｉｃａｌ  Ｃｏ．，  Ｓｔ．  Ｌｏｕｉｓ，  ＭＯ）、線維芽細胞（例えば、カタログ番号Ｆ４７７１及びＶ４６３０，  Ｓｉｇｍａ  Ｃｈｅｍｉｃａｌ  Ｃｏ．，  Ｓｔ．  Ｌｏｕｉｓ，  ＭＯ）、マクロファージ（例えば、カタログ番号Ｍ１９１９，  Ｓｉｇｍａ  Ｃｈｅｍｉｃａｌ  Ｃｏ．，  Ｓｔ．  Ｌｏｕｉｓ，  ＭＯ）、胃の内腔（例えば、カタログ番号Ｍ５２９３，  Ｓｉｇｍａ  Ｃｈｅｍｉｃａｌ  Ｃｏ．，  Ｓｔ．  Ｌｏｕｉｓ，  ＭＯ）、好中球（例えば、カタログ番号Ｎ１８９０及びＮ１７６８，  Ｓｉｇｍａ  Ｃｈｅｍｉｃａｌ  Ｃｏ．，  Ｓｔ．  Ｌｏｕｉｓ，  ＭＯ）、腱（例えば、カタログ番号Ｅ４０１３，  Ｓｉｇｍａ  Ｃｈｅｍｉｃａｌ  Ｃｏ．，  Ｓｔ．  Ｌｏｕｉｓ，  ＭＯ）、皮膚（例えば、カタログ番号Ｋ４２５２，  Ｓｉｇｍａ  Ｃｈｅｍｉｃａｌ  Ｃｏ．，  Ｓｔ．  Ｌｏｕｉｓ，  ＭＯ）、乳房の組織又は上皮（例えば、カタログ番号Ｃ６９３０，  Ｓｉｇｍａ  Ｃｈｅｍｉｃａｌ  Ｃｏ．，  Ｓｔ．  Ｌｏｕｉｓ，  ＭＯ）及び骨格筋（例えば、カタログ番号Ｄ８２８１及びＤ１０３３，  Ｓｉｇｍａ  Ｃｈｅｍｉｃａｌ  Ｃｏ．，  Ｓｔ．  Ｌｏｕｉｓ，  ＭＯ）に特異的な抗体を含む。
【０２７１】
亜性又はウイルス感染細胞を標的化するのに有用な免疫複合体を製造するために、亜性又はウイルス感染細胞上の表面抗原に特異性を有する抗体又はそのフラグメントは、本発明の治療剤に付着する。好ましくは、ケモカインペプチド又はその変異体は、抗体の重鎖のカルボキシル末端領域、例えばＣＨ３  に対するペプチド結合を介して付着する。前記免疫複合体は、遺伝子操作技術、すなわちキメラ様免疫複合体をコードする核酸コンストラクトの形成によって製造されうる。好ましくは、前記免疫複合体をコードする遺伝子コンストラクトは、５′から３′への配向において、重鎖の可変領域をコードするＤＮＡ  セグメント、重鎖の定常領域をコードするＤＮＡ  セグメント、及びケモカインペプチド、そのペプチド変異体、又は繰り返しをコードするＤＮＡ  セグメントを含む。融合遺伝子は、それを発現する適当な受取り細胞のトランスフェクションのための発現ベクターに挿入される。混成鎖は、一価及び二価の免疫複合体を形成するための軽鎖（又は重鎖）の対応物と組み合わさられうる。
【０２７２】
前記複合体のための重鎖の定常領域は、５つのアイソタイプ：アルファ、デルタ、イプシロン、ガンマ又はミューのいずれかから選択されうる。重鎖又は様々なサブクラス（例えば、ＩｇＧ  のサブクラス１〜４）が使用されうる。前記軽鎖はカッパー又はラムダのいずれかの定常鎖を有しうる。これらの免疫グロブリン領域のＤＮＡ  配列は当業界で公知である（例えば、Ｇｉｌｌｉｅｓ  ｅｔ  ａｌ．，  Ｊ．  Ｉｍｍｕｎｏｌ，  Ｍｅｔｈ．，  １２５，  １９１  （１９８９）  。
【０２７３】
好ましい態様において、前記可変領域は標的抗原（病気の細胞、例えばガン細胞又はウイルス感染細胞と関係する抗原）に特異的な抗体に由来し、そして前記定常領域はＣＨ１，  ＣＨ２及びＣＨ３  ドメインを含む。ケモカインペプチド又は変異体をコードする遺伝子は、例えば適当なリンカーによって、例えば（Ｇｌｙ４−Ｓｅｒ）３をコードするＤＮＡ  によって、直接的に又は遺伝子間領域を介して、そのいずれかで定常領域をコードする遺伝子（例えば、ＣＨ３  のエキソン）の３′末端に、読み枠通りに結合する。ある態様において、前記の遺伝子間領域は、タンパク質分解的開裂部位をコードするヌクレオチド配列を含んで成る。免疫グロブリンと、ケモカインペプチド又は変異体との間に入るこの部位は、標的部位での前記ケモカインペプチド又は変異体のタンパク質分解的放出を提供するために設計されうる。例えば、プロテアーゼに接触可能な部位での、リジン及びアルギニン残基の後のプラスミン及びトリプシン開裂は公知である。多くの他の部位特異的エンドプロテアーゼ及びそれらが攻撃するアミノ酸配列は公知である。
【０２７４】
前記核酸コンストラクトは、前記のキメラ様免疫グロブリン鎖の発現を制御するために、可変領域をコードする遺伝子のための内因性プロモーター及びエンハンサーを含みうる。例えば前記可変領域をコードする遺伝子は、リーダーペプチド、軽鎖の場合、ＶＪ遺伝子（結合している（Ｊ）セグメントで機能的に再編成されている可変（Ｖ）領域）又は重鎖の場合、ＶＤＪ  遺伝子、並びにこれらの遺伝子のための内因性プロモーター及びエンハンサーを含んで成るＤＮＡ  フラグメントとして得られうる。あるいは、前記可変領域をコードする遺伝子は、内因性の制御因子とは別に得られ、そしてこれらの因子を提供する発現ベクターにおいて使用されうる。
【０２７５】
可変領域遺伝子は、標準的なクローニング方法によって所望の抗体を産生する細胞から得られうる。特異的機能的に再編成した可変領域のためのゲノムライブラリーのスクリーニングは、適当なＤＮＡ  プローブ、例えばＪ領域のＤＮＡ  配列及び下流の配列を含むＤＮＡ  セグメントの使用によって達成されうる。続いて、正確なクローンの同定及び確認が、クローン化した遺伝子のＤＮＡ  配列決定及び前記配列と、完全長の適切にスプライシングされたｍＲＮＡの相当する配列との比較によって達成される。
【０２７６】
適当な可変領域をコードする遺伝子は、通常、Ｉｇ産生リンパ球から得られうる。例えば、腫瘍関連抗原又はウイルス抗原に特異的なＩｇに産生するハイブリドーマ細胞系は、標準的な体細胞ハイブリダイゼーション技術によって生成されうる。これらのＩｇ産生細胞系は、機能的に再編された型における可変領域遺伝子の供給源を提供する。前記可変領域遺伝子が典型的にマウス起源のものであるのは、マウスの系が広範な所望の特異性のＩｇの産生をそれ自身に与えるためである。
【０２７７】
機能的に再編成された可変領域を含むＤＮＡ  フラグメントは、所望の定常領域（又はその一部）をコードする遺伝子を含むＤＮＡ  フラグメントに連結する。Ｉｇ定常領域（重鎖及び軽鎖）は、標準的な遺伝子クローニング技術によって抗体産生細胞から得られうる。２つのクラスのヒト軽鎖及び５つのクラスのヒト重鎖のための遺伝子がクローン化され、そしてこの様に、ヒト起源の定常領域がこれらのクローンから容易に入手可能となる。
【０２７８】
混成ＩｇＨ  鎖をコードする融合遺伝子が構築されるか、又は受容細胞への組み込みのための発現ベクターに挿入される。プラスミドベクターへの遺伝子コンストラクトの導入は、標準的な遺伝子スプライシング技術によって達成されうる。
【０２７９】
キメラ様ＩｇＨ  鎖は、完全な免疫グロブリンが同時に発現し、そして構築される様に、相当するＬ鎖と一緒に共発現しうる。この目的のために、重鎖及び軽鎖は同一又は別々のベクターに据えられうる。
【０２８０】
受容細胞は通常リンパ球である。好ましい受容細胞はミエローマ（又はハイブリドーマ）である。ミエローマは、トランスフェクションした遺伝子によってコードされる免疫グロブリンを合成し、構築し、そして分泌することができ、そしてそれらはポリペプチドをグリコシル化することができる。特に好ましい受容細胞は、通常内因性の免疫グロブリンを産生しないＳｐ  ２／０ミエローマである。トランスフェクションしたとき、前記細胞はトランスフェクションした遺伝子コンストラクトによってコードされるＩｇのみを産生するだろう。トランスフェクションされたミエローマは、培養液又は分泌された免疫複合体が腹水から回収されうるマウスの腹膜において増殖しうる。他のリンパ球細胞、例えばＢリンパ球は受容細胞として使用されうる。
【０２８１】
キメラ様Ｉｇ鎖をコードする核酸コンストラクトを含むベクターを用いてリンパ球をトランスフェクションをする方法が複数存在する。ベクターをリンパ球に導入する好ましい方法は、スフェロブラスト融合によるものである（Ｇｉｌｌｉｅｓ  ｅｔ  ａｌ．，  Ｂｉｏｔｅｃｈｎｏｌ，  ７，  ７９８−８０４  （１９８９）  を参照のこと）。別の方法はエレクトロポレーション又はリン酸カルシウム沈澱を含む。
【０２８２】
前記免疫複合体を産生する他の有用な方法は、前記コンストラクトをコードするＲＮＡ  配列の調製及び適当なｉｎ  ｖｉｔｒｏ又はｉｎ  ｖｉｖｏ  系でのその翻訳を含む。
【０２８３】
組換え免疫グロブリンを精製するための方法は公知である。例えば、抗体を精製する公知な方法がプロテインＡ精製を含むのは、抗体のＦｃ領域に結合するプロテインＡの性質のためである。続いて、精製された免疫グロブリンの抗原結合活性が、当業界で公知の、例えばＧｉｌｌｅｓ  ｅｔ  ａｌ．，  （Ｊ．  Ｉｍｍｕｎｏｌ．  Ｍｅｔｈｏｌ．，  １２５，  １９１  （１９８９））に記載の方法によって測定されうる。例えば、免疫複合体活性は、直接結合又は競合アッセイのいずれかのフォーマットにおいて、抗原でコートしたプレートを用いて決定されうる。
【０２８４】
特に、ヒト化抗体が調製され、そして続いて抗原に結合するそれらの能力についてアッセイされることが好ましい。抗原に結合するヒト化抗体の能力を決定するための方法は、抗原−抗体の親和性をアッセイするための多くの既知の方法のうちのいずれかによって達成されうる。例えば、マウス抗体ＮＲ−ＬＵ−１３は、多くの癌腫で発現する約４０キロダルトンの糖タンパク質に結合する。この抗原は、Ｖａｒｋｉ  ｅｔ  ａｌ．，  Ｃａｎｃｅｒ  Ｒｅｓ．，  ４４，  ６８１  （１９８４）  ；  Ｏｋａｂｅ  ｅｔ  ａｌ．，  Ｃａｎｃｅｒ  Ｒｅｓ．，  ４４，  ５２７３  （１９８９）  において特徴づけられている。従って、ＮＲ−ＬＵ−１３  抗原に結合するヒト化抗体の能力を試験することは慣習的である。更に、この抗原のエピトープに結合する抗体の能力を評価するための方法が知られている。
【０２８５】
ヒト化抗体（又はそのフラグメント）は、治療目的のための方法において有用な道具である。治療目的のためにｉｎ  ｖｉｖｏ  で投与するためのヒト化抗体又は抗体複合体を適用するための基準を決定する場合、一般的に達成可能な標的化の比率が高く、そして腫瘍に運ばれる治療剤の絶対量が重大な腫瘍の応答を誘発するのに十分であることが望ましい。ヒト化抗体を利用する方法は、例えば米国特許４，８７７，８６８、５，１７５，３４３、５，２１３，７８７、５，１２０，５２６、及び  ５，２０２，１６９において見出すことができる。
【０２８６】
血管平滑筋細胞（ＶＳＭＣ）を標的化するために、ＶＳＭＣ結合タンパク質、例えば血管平滑筋細胞の細胞膜と会合するポリペプチド又は炭水化物、プロテオグリカンなどは治療的複合体を製造するために適用されうる。好ましい態様において、結合部分は、血管平滑筋細胞及び周皮細胞によって合成されるコロンドロイチン硫酸プロテオグリカン（ＣＳＰＧ）によって例証され、そして約  ２５０ｋＤの適当な分子量を有するＣＳＰＧ分子の別の部分（本明細書ではエピトープと称する）が特に好ましい。前記の  ２５０ｋＤの標的は、更に大きな  ４００ｋＤのプロテオグリカン複合体の成分であるＮ結合型糖タンパク質である。本発明の１つの現在好ましい態様において、血管平滑筋結合タンパク質は、血管平滑筋ＣＳＰＧ標的分子のエピトープに結合するＮＲ−ＡＮ−０１モノクローナル抗体（ＮＲ−ＭＬ−０５のサブカルチャー）によって提供される。ＮＲ−ＭＬ−０５と表されるモノクローナル抗体は、伝えるところによると黒色腫細胞によって合成される  ２５０ｋＤのＣＳＰＧに結合する（Ｍｏｒｇａｎ等の米国特許  ４，８９７，２５５）。平滑筋細胞及び周皮細胞も、伝えるところによると  ２５０ｋＤのＣＳＰＧ及び他のＣＳＰＧを合成する。平滑筋細胞に結合するＮＲ−ＭＬ−０５が開示された（Ｆｒｉｔｚｂｅｒｇ  の米国特許  ４，８７９，２５５）。サブカルチャーＮＲ−ＭＬ−０５、第８５−４１−４Ｉ−Ａ２号、フリーズ＃Ａ２１０６は、Ａｍｅｒｉｃａｎ  Ｔｙｐｅ  Ｃｕｌｔｕｒｅ  Ｃｏｌｌｅｃｔｉｏｎ，  Ｒｏｃｋｖｉｌｌｅ，  ＭＤに寄託され、そして受託番号ＨＢ−９３５０  が与えられた。ＮＲ−ＭＬ−０５は、本明細書で開示したサブクローンＮＲ−ＡＮ−０１に構造的かつ機能的に等しい親である。ＮＲ−ＡＮ−０１は、特異的に  ４００ｋＤのＣＳＰＧの標的と会合する血管平滑筋結合タンパク質、及びこの標的と会合する他の結合タンパク質のわずかな１つの例であり、そしてこの標的の他のエピトープも本発明の治療的複合体及び方法において有用である。
【０２８７】
本発明者が、本発明の治療的複合体における血管平滑筋結合タンパク質としての、ヒトモノクローナル抗体又は「ヒト化」マウス抗体の利用も考慮していることが認識されるだろう。例えば、マウスモノクローナル抗体は、マウスＦｖ領域をコードするヌクレオチド配列（すなわち抗原結合部位を含む）を、ヒト定常ドメイン領域及びＦｃ領域をコードするヌクレオチド配列で遺伝的に組み換えることによって、例えば欧州特許出願０，４１１，８９３  Ａ２に開示されているものと同じ方法で「キメラ化」されうる。ヒト化血管平滑筋が結合する相手は、宿主受容体における抗体又はポリペプチドの免疫反応性を低下せしめる利点を有することが認識され、そしてこのことは、それによってｉｎ  ｖｉｖｏ  での半減期を増大し、そして逆の免疫反応の可能性を低下するのに有用となるであろう。Ｎ．Ｌｏｎｂｅｒｇ  ｅｔ  ａｌ．（米国特許  ５，６２５，１２６；  ５，５４５，８０６及び  ５，５６９，８２５）；及びＳｕｒａｎｉ  ｅｔ  ａｌ．  （米国特許  ５，５４５，８０７）を参照のこと。
【０２８８】
本発明の態様の、ガンの処置に有用な結合ペプチドは、ガン細胞などの細胞膜及び細胞質のエピトープと会合するものを含む。これらの結合ペプチドは無傷な細胞の膜表面及び破壊された細胞のエピトープ内にそれぞれ局在し、そして同化作用のための治療剤を標的細胞に輸送する。要求性の腫瘍細胞型に局在している最小のペプチド、模倣の有機化合物及びヒト又はヒト化抗体も本発明の結合ペプチドとして有用である。その様な結合ペプチドは、既知の技術に従い同定され、そして構築又は単離されうる。本発明のこれらの態様の好ましい結合ペプチドは、少なくとも約１０−６Ｍの会合定数で標的ペプチドに結合する。
【０２８９】
抗体−ペプチド複合体を製造するのに有用な方法は当業界で公知である。例えば、米国特許  ５，６５０，１５０を参照のこと。この開示は引用によって本明細書に組み入れられる。前記治療剤を、共有又は非共有結合を介して標的部分に連結させるための代表的な「カップリング」方法は、前記治療剤の反応基（例えば、ヒドロキシル、アミノ、アミド、又はスルフヒドリル基）と、標的部分の他の反応基（類似の性質のもの）との間に結合を形成するために反応する、化学的な架橋剤及び異なる二機能の架橋化合物（すなわち「リンカー」）を含む。この結合は、例えばペプチド結合、ジスルフィド結合、チオエステル結合、アミド結合、チオエーテル結合などであってもよい。１つの例示的な例において、モノクローナル抗体と薬剤との複合体は、Ｍｏｒｇａｎ及びＦｏｏｎによって（Ｍｏｎｏｃｌｏｎａｌ  Ａｎｔｉｂｏｄｙ  Ｔｈｅｒａｐｙ  ｔｏ  Ｃａｎｃｅｒ  ：  Ｐｒｅｃｌｉｎａｌ  Ｍｏｄｅｌｓ  ａｎｄ  Ｉｎｖｅｓｔｉｇａｔｉｏｎｓ，  Ｂａｓｉｃ  ａｎｄ  Ｃｌｉｎｋａｌ  Ｔｕｍｏｒ  Ｉｍｍｕｎｏｌｏｇｙ，  Ｖｏｌ．２，  Ｋｌｕｗｅｒ  Ａｃａｄｅｍｉｃ  Ｐｕｂｌｉｓｈｅｒｓ，  Ｈｉｎｇｈａｍ，  ＭＡ）及びＵｈｒによって（Ｊ．  ｏｆ  Ｉｍｍｕｎｏｌ．  １３３  ；  ｉ−ｖｉｉ，  １９８４）要約された。前記複合体が放射性ヌクレオチドの細胞分裂停止剤を含む、別の例示的な例において、引用によって本明細書に組み入れられる、Ｆｒｉｔｚｂｅｒｇ  等の米国特許  ４，８９７，２５５は、有用であると思われるカップリング方法の教育的なものである。１つの態様において、治療的複合体は、ケモカインペプチド又は変異体に共有結合する血管平滑筋結合タンパク質を含む。この場合、連結の共有結合は、前記の血管平滑筋結合タンパク質の１又は複数のアミノ、スルフヒドリル、又はカルボキシル基と、前記ケモカインペプチド又は変異体との間に形成されうる。
【０２９０】
本発明の好ましい態様において、抗体複合体は、予備的な標的化方法に使用される。本質的に、その様な予備的な標的化方法は、従来のガン診断又は治療と比較して向上した標的化の比率又は標的細胞の部位に対する増大した絶対量によって特徴づけられる。予備的な標的化方法の一般的な記載は、米国特許  ４，８６３，７１３、  ５，５７８，８２７、及び  ５，６３０，９９６において見出すことができる。典型的な予備的標的化のアプローチを以下に要約する。
【０２９１】
予備的標的化方法は、２つの一般的な型：３段階の予備的標的化方法及び２段階の予備的標的化方法がある。３段階の予備的標的化のプロトコールは、標的部位で局在化し、そして循環において希釈することが許容される、標的化部分−リガンドの複合体の投与を含む。これに、標的化部分−リガンドの複合体に結合し、そして血液から結合していない標的化部分−リガンドの複合体を除き、同様に標的部位で標的化部分−リガンドの複合体に結合する、抗リガンドの投与が続く。従って、前記の抗リガンドは標的部位に結合しない標的化部分−リガンドの複合体を除くことによって２つの機能を果たし、同様に標的化部分−リガンド：抗リガンド複合体を形成するために標的部位に付着する。最終的に、素速い全身からの除去を示す治療剤−リガンド複合体が投与される。
【０２９２】
循環時の治療剤−リガンド複合体が標的部位に結合した、標的化部分−リガンド：抗リガンド複合体に極めて近くに接近するとき、前記複合体の抗リガンド部分は、循環している治療剤−リガンド複合体のリガンド部分に結合し、その結果、標的部位で、標的部分−リガンド：抗リガンド：リガンド−治療剤のサンドイッチを生成する。更に、結合していない治療剤が素速く除去されるリガンド（ゆっくりと除去される部分、例えば抗体又は抗体フラグメントではない）に付着するので、この技術は活性剤に対する標的でない暴露の低下を提供する。
【０２９３】
あるいは、２段階の予備的標的化方法は、上文の同定した抗リガンドを投与する段階を省略している。これらの「２段階」の方法は、リガンド／抗リガンドの対の反対のメンバーと複合する治療剤の投与が後に続く、標的化部分−リガンド又は標的化部分−抗リガンドの投与を特徴とする。
【０２９４】
２段階の予備的標的化方法における任意な段階として、除去機能を提供することを特異的に設計されるリガンド又は抗リガンドは、循環している標的化部分−リガンド又は標的化部分−抗リガンドの除去を容易にするために投与される。従って、２段階の予備的標的化のアプローチにおいて、除去される薬剤は、直接的に、あるいは標的化部分−抗リガンド又は標的化部分−リガンド複合体と結合した、あらかじめ投与した標的細胞を介して、そのいずれかで、標的細胞集団に結合する様にはならない。
【０２９５】
予備的標的化方法における標的化部分は、限定される標的細胞集団、例えば腫瘍細胞に結合する。これに関して有用な、好ましい標的化部分は抗体（ポリクローナル又はモノクローナル）、例えばヒトモノクローナル抗体、又は「ヒト化」マウス若しくはキメラ様抗体である。ヒト化抗体のいくつかの例は、ＣＨＯ  が産生するもの、宿主、例えば植物（例えばトウモロコシ、大豆、タバコなど）昆虫、哺乳類、酵母、及び細菌が産生するものを含む。前記ヒト化抗体は、抗体ＮＲ−ＬＵ−１３と結合した抗原に結合するものであってもよい。好ましくは、前記ヒト化抗体はＮ結合型グリコシル化をしておらず、又はそのＮ結合型グリコシル化が、免疫原性又は毒性を低下せしめる様に発現後に修飾されている。
【０２９６】
標的化プロトコールの使用に適したリガンド／抗リガンド対は、ビオチン／アビジン又はストレプトアビジン、ハプテン及びエピトープ／抗体、そのフラグメント又は類似体を含み、これは模倣体、レクチン／炭水化物、Ｚｎフィンガータンパク質／ｄｓＤＮＡ  フラグメント、酵素阻害剤／酵素；並びにその類似体及び誘導体を含む。好ましいリガンド及び抗リガンドは、少なくともＫＡ  ≧１０９  Ｍ−１又はＫＤ  ≦１０−９Ｍの親和性で互いに結合する。ビオチン／アビジン又はストレプトアビジンは、好ましいリガンド／抗リガンド対である。
【０２９７】
通常、その様な予備的標的化方法は、好ましくは除去機能を提供する抗リガンドの投与を含む。前記除去は、血液中で循環している複合体の架橋及び／又は凝集におそらく起因し、このことは受容体のＲＥＳ  （細網内皮系）による複合体／凝集物の除去をもたらす。この型の抗リガンドの除去は、好ましくは多価分子によって達成される。しかし、ＲＥＳ  によって除去されるのに十分な、それ自身に対する一価の分子も適用されうる。
【０２９８】
あるいは、受容体を基にした除去機構、例えばＡｓｈｗｅｌｌ  受容体又は他の受容体は、抗リガンド、抗リガンド複合体又はヒト化抗体の肝臓を介する除去を提供するために、ヘキソース残基、例えばガラクトース又はマンノース残基の追加によって利用されうる。その様な除去機構は、上述したＲＥＳ  複合体／凝集物の除去機構ほど、除去される薬剤の結合価に依存しない。
【０２９９】
例えば、前記の標的化部分−リガンド又は標的化部分−抗リガンドが、除去を提供するために誘導体化されているならば（すなわち、ヘキソース残基の追加）、除去剤は必要ないはずである。好ましい除去剤は、米国特許  ５，６２４，８９６及び  ５，６１６，６９０；並びにＰＣＴ  出願公開番号ＷＯ  ９５／１５９７８  に開示されている。
【０３００】
当業者は、本明細書の教示及び本明細書で引用した出願に基づいて、有効な治療的有効量及び処置のプロトコールを容易に決定しうる。このことは、要因、例えば特に選択される薬剤、輸送経路、標的部位の型、注目の標的部位についての標的部分の親和性、標的部分と正常な組織とのあらゆる交差反応性、患者の症状、数ある要因の中でも処置が単独で又は他の処置と組み合わせて有効であるかどうか、について依存するだろう。
【０３０１】
例えば、予備的標的化の戦略におけるヒト化抗体−アビジン又はストレプトアビジン複合体の場合、適当な投与量は約１０〜約２５００ｍｇ、更に好ましくは約５０〜１５００ｍｇ、及び最も好ましくは約  １００〜８００ｍｇ  に及ぶ。リガンド−治療剤複合体の投与量は、通常、約  ０．００１〜約１０ｍｇ、及び更に好ましくは約  ０．１〜２ｍｇに及ぶ。
【０３０２】
通常、その様な予備的標的化方法は、除去剤の投与を含む。前記除去剤の投与量は、循環からあらかじめ投与した複合体を実質的に除去するのに十分な、すなわち少なくとも約５０％、更に好ましくは少なくとも約９０％、及び最も好ましくはほぼ  １００％又は約  １００％除去される量である。通常、前記除去剤はヒト化抗体−ストレプトアビジン複合体の投与から数日後、好ましくは約１〜５日後、更に好ましくは少なくとも１〜２日後に投与される。通常、除去剤を投与する時期の決定は、標的の取り込み、及び標的部分複合体の内部での除去に依存する。特に好ましい除去剤は、Ａｓｈｗｅｌｌ  受容体が介在する除去を提供するもの、例えばガラクトシル化タンパク質、例えばガラクトシル化ビオチン化ヒト血清アルブミン（ＨＳＡ  ）並びにガラクトース及びビオチンを含む小分子除去剤である。ＨＳＡ  を基にした除去剤の場合、除去剤の典型的な投与量は約  １００〜１０００ｍｇ、及び更に好ましくは約  ２００〜５００ｍｇ  に及ぶだろう。除去剤が投与されるならば、リガンド−治療剤複合体は、好ましくは約２〜１２時間後に投与される。
【０３０３】
前記複合体は、既知の投与方法によって投与されうる。既知の投与方法は、例えば数ある中でも腹腔内注射、静脈内注射、筋肉内注射、鼻腔内投与を含む。静脈内投与が通常好ましい。
ＩＩＩ． 本発明の薬剤による処置を適用できる症状
本発明の薬剤は、ケモカイン誘導活性が関与する症状、例えば異常又は病理学的炎症過程に冒された哺乳動物の処置、そのおそれのある哺乳動物の予防、又はそのおそれのある哺乳動物を強化するのに有用である。これらのケモカインは生理学及び病理学の双方の多種多様な炎症過程に関与する。従って、広域ケモカイン阻害剤が多種多様な炎症疾患を処置又は予防するのに有用でありうる。更に、合理的にデザインされたケモカイン阻害剤、即ち、様々なケモカインに対する比特異性を有する阻害剤の利用は、広域ケモカイン阻害剤の慢性療法に関与する副作用を抑制又は阻害しうる。かくして、これらの阻害剤は特定の疾患を処置するようにデザインされることができ、これにより無関係な生理学的過程を中断することによる副作用を最小限とする。
【０３０４】
アテローム硬化症  アテローム硬化症の発症は平滑筋細胞、内皮細胞及び炎症細胞、そして特に単球由来組織マクロファージ、Ｂ又はＴ細胞の関与する複雑な過程による。内皮細胞が活性化されると、それらは炎症細胞の管外遊出にとって重要な接着分子を発現する。例えば、ＴＧＦβ１ノックアウト（−／−）マウスでは、このサイトカインの不在は内皮細胞の活性化をもたらす。この活性化内皮細胞は、あらゆる接着分子のうちとりわけＥ−セレクチン、Ｐ−セレクチン及びＩＣＡＭ−１を発現し、それらは白血球の管外遊出に関与する。潜在的なプロ炎症性サイトカインも初期の血管損傷部位で発現される。ＴＮＦ−α、ＩＬ−１、並びにいくつかのケモカイン、例えばＩＬ−８及びＭＣＰ−１  がアテローム硬化症損傷において高レベルで検出されている。上記の結果は、ケモカインＭＣＰ−１  が特にアテローム硬化性血管炎症において役割を果たしていることを示す。
【０３０５】
血管損傷の敏速な安定性は、総合的なプラーク負荷よりも、心筋梗塞の短期間、例えば数年間の危険性の重要な決定因子であることがよく知られている。マクロファージ浸潤の度合いがおそらくは比プラーク安定性の最大の決定因子であろう。少なくとも２つの要因がプラーク安定性に寄与している：マクロファージがその阻害剤を上まわる過剰量のマトリックス分解酵素（例えばマトリックス金属プロテイナーゼ）を分泌し、不安定な又は破裂したプラークの一般的な特徴であるマクロファージ濃厚なショルダー及び繊維状のキャップ領域における細胞外マトリックス（ＥＣＭ  ）の損失をもたらすこと；並びにマクロファージ由来の泡沫細胞がおそらくは脂質の毒性酸化性代謝物に応答して壊死性となりはじめ、局所的な血管壁構造を更に不安定にする脂質のつまった細胞外プールをもたらすこと。
【０３０６】
ケモカイン作用の阻害剤、そして特にＭＣＰ−１  の阻害剤はプラーク安定性を高め、それ故総合的なアテローム硬化性プラーク負担を抑える必要なく、心筋梗塞の危険性を敏速に下げることができうる。特に、本発明の薬剤は脂質損傷形成及び／又は脂質損傷進行を抑え、またプラーク安定性を高めることができうる（Ｂｏｒｉｎｇら、Ｎａｔｕｒｅ，  ３９４，  ８９４  （１９９８））。従って、本発明の薬剤、例えばペプチド３（１−１２）［ＭＣＰ−１  ］（ＳＥＱ  ＩＤ  ＮＯ：１）、ＫＱＫ  ペプチド３［７−１２］（ＳＥＱ  ＩＤ  ＮＯ：９）、並びに変異体、例えばＬｅｕ４Ｉｌｅ１１  ペプチド３（１−１２）［ＭＣＰ−１  ］（ＳＥＱ  ＩＤ  ＮＯ：１４）又はその誘導体（例えばＮＲ５８，４、Ｙ−ＩＩ及びＬ−ＩＩ）は不安定な狭心症、アテローム硬化症、並びにその他の局所もしくは全身性脈管炎を特徴とする疾患、並びに血管壁炎症に付随して生ずる症状及び疾患、例えば心筋梗塞の処置及び／又は予防に有用でありうる。
【０３０７】
更に、本発明の因子は脂質降下剤、例えばスタチン、又は  ＴＧＦ−ベータ高揚剤と組合せても有用である（例えば、その開示内容を引用して本明細書に組み込むＷＯ９６／４００９８を参照）。
【０３０８】
骨粗しょう症  往々にして骨粗しょう症へと分類される低骨鉱物密度は骨芽細胞による骨マトリックス沈着と破骨細胞によるその後の再吸収との間での不均衡による。これら２つの動的な過程間でのバランスが骨密度を決定する。骨密度を高める一つの戦略はタモキシフェンの類似体、例えばラロキシフェンの利用であり、それは骨に対するエストロゲンの作用を模倣し、それ故骨芽細胞の分化を促進し（骨マトリックス沈着を高める）、且つ破骨細胞の補給を抑制する（再吸収を低める）。別の戦略は破骨細胞が骨へと補給されるメカニズムを直接阻害することによりマトリックス再吸収を抑えることにある。血漿及び尿中の骨マトリックス分解産物（例えばコラーゲンのＮ末端及びＣ末端テロペプチド並びにピリジニウム架橋）の測定は骨再吸収が骨粗しょう症において高まることを確証し、それ故破骨細胞活性の阻害が有効な治療戦略であることを証明するようである。
【０３０９】
局所的に誘導される骨芽細胞とは異なり、破骨細胞は前駆細胞として骨に連続的に補給される。その前駆細胞は単球画分において循環し、そして単球と同一でありうる。補給されると、その前駆体は破骨細胞へと分化し、そして細胞死により死ぬまでマトリックスに吸収され続ける。従って、骨組織内の破骨細胞の数（それ故、破骨細胞活性）は破骨細胞補給過程を調節することにより敏速に調節できうる。
【０３１０】
多数の証拠は、骨への単球の補給が、アテローム発生の際に生ずる血管壁への病理単球補給と分子状平行な現象であることを示唆している。特に、ケモカインＭＣＰ−１  が双方の過程において関与している。従って、ＭＣＰ−１  阻害剤は単球補給を抑制し、それ故破骨細胞補給を抑制し、及び／又は破骨細胞へと分化する細胞の数を減らすのに作用し得、これは骨密度の急上昇を、例えば何年もではなく、数週間で達成せしめるであろう。本発明の治療剤の骨密度を高める能力は、骨密度の更なる低下は防ぐが骨密度を高めはしない既存の薬剤とは対照的である。従って、ペプチド３、例えばペプチド３（７−１２）［ＭＣＰ−１  ］並びにその変異体（例えばＬｅｕ４Ｉｌｅ１１  ペプチド３（１−１２）［ＭＣＰ−１  ］）及び誘導体（例えばＣＲＤ−Ｃｙｓ１３Ｌｅｕ４Ｉｌｅ１１ペプチド３（３−１２）［ＭＣＰ−１  ］）は低骨密度の抑制又は予防に有用でありうる。特に、ＣＣケモカインに対して特異性を有する誘導体、例えばＫＱＫ  類似体及びＷＡＱ  類似体が骨粗しょう症の処置に好適な薬剤である。
【０３１１】
ＨＩＶ  感染症及びＡＩＤＳ  ＣＤ４  レセプターの他に、更なる細胞表層分子（共レセプターと称する）がＨＩＶ  単離体による細胞の生産的感染のために必要とされる。ＨＩＶ  単離体は２つのサブタイプに分けることができ、それはそれらが単球／マクロファージ（Ｍ好性株）又はヘルパーＴリンパ球（Ｔ好性株）に感染できるかに依存する。ケモカインリガンドによる実験はケモカインレセプターがＨＩＶ  共レセプターとして機能することを示唆する：ＭＩＰ１α及びＲＡＮＴＥＳはＭ好性株による単球の感染を阻害し（Ｔ好性株によるＴ細胞の感染ではなく）、一方ＳＤＦ−１  はＴ細胞感染を阻害した（単球感染ではなく）。更なる分子解析は、ＭＩＰ１α／ＲＡＮＴＥＳレセプターＣＣＲ−５  が単球上のＨＩＶ  共レセプターであり、ＳＤＦ−１  レセプターＣＸＣＲ−４（ＬＥＳＴＲ  及びフシンとも称される）がＴ細胞上の共レセプターであることを確証する。感染の初期では、Ｍ好性ウィルスが主流であり、それは非シンシチウム形成性であり、毒性が弱く、そしてＴ−細胞を枯渇させないウィルスである。後期では、特異性はより毒性で、シンシチウム形成性のＴ好性株へと変換する。その株はヘルパーＴ細胞を枯渇させ、そして後天性免疫不全（ＡＩＤＳ）へと結びつく。その他のケモカインレセプター（例えばＣＣＲ２ａ  又はＣＣＲ３）を効率的に利用できるいくつかのＨＩＶ  単離体が報告されており、ＣＣＲ５を主に利用するその他の単離体はＣＣＲ２ａ  を低い効率でしか利用できない（Ｄｏｒａｎｚら、Ｃｅｌｌ，  ８５，  １１４９  （１９９６）  ；  Ｒｏｓｓら、Ｐｒｏｃ．  Ｎａｔｌ．  Ａｃａｄ．  Ｓｃｉ．  ＵＳＡ，  ９５，  ７６８２  （１９９８））。これらの発見は、少なくとも感染が樹立しており、且つウィルス負荷が比較的高いとき、いずれかのケモカインレセプターの遮断が無効でありうることを示唆する（Ｃａｉｒｎｓら、Ｎａｔ．  Ｍｅｄ．，  ４，  ５６３  （１９９８））。このことは、今日までに発表された少数のケモカインレセプターアンタゴニストの好適な効果を制約する（Ｃａｉｍｓ  ら、Ｎａｔ．  Ｍｅｄ．，  ４，  ５６３  （１９９８））。これらのアンタゴニストは全て一の、又は小さなサブセットのケモカインレセプターに対して特異的なものである。従って、ＨＩＶ  を阻害するのに有効な薬剤を提供するには、この薬剤は複数のレセプターに対するウィルス結合を阻害することが好ましく、即ち、薬剤はケモカインレセプターに対して広域特異性を有しなければならないであろう。
【０３１２】
遺伝子研究は、個体をＨＩＶ  感染に対して本質的に免疫するＣＣＲ５における突然変異を同定した。ＣＣＲ５Δ３２と称するこの突然変異はＣＣＲ−５  についての切頭型（トランケーション型）ｍＲＮＡをもたらす。切頭型ＣＣＲ−５  の発現は細胞表層上に任意の検出可能なＣＣＲ−５  タンパク質を生成しない。ＨＩＶ  感染症に対して血清陽性なホモ接合突然変異個体の一報の報告があるが、この欠損についてホモ接合性な個体はＨＩＶ  感染症に対し、極めて高いウィルス負荷への曝露のもとでも総合的に耐性であることが報告されている。従って、このような所見はＣＣＲ−５  レセプターの効果的な遮断が感染症を効果的に予防しうることを示す。更に、ＣＣＲ−５  媒介ケモカイン発信は正常な生理学において重要な役割をもたず、なぜなら  ＣＣＲ−５Δ３２ホモ接合体はＨＩＶ  耐性以外に検出可能な表現型をもたないからである。
【０３１３】
従って、ケモカインレセプターの阻害剤、例えばペプチド３、その変異体、類似体又は誘導体はＨＩＶ  感染を阻害することができ、なぜならこれらの薬剤は広域特異性を有するからである。以降に記述の通り（実施例５）、ペプチド３［ＭＣＰ−１  ］はＨＩＶ  結合、並びにジャーカット細胞及びマクロファージの感染を阻害した。ＨＩＶ  感染及び／又は複製を予防又は阻害する好適な薬剤はＣＲＤ−Ｃｙｓ１３Ｌｅｕ４Ｉｌｅ１１ペプチド３（３−１２）［ＭＣＰ−１  ］である。特に、ペプチド３、その変異体、類似体又は誘導体、例えばＣＲＤ−Ｃｙｓ１３Ｌｅｕ４Ｉｌｅ１１ペプチド３（３−１２）［ＭＣＰ−１  ］がＨＩＶ  のＭ好性株の感染を阻害するのに特に有用でありうる。
【０３１４】
ペプチド２、その変異体、類似体又は誘導体もＨＩＶ  感染及び／又は複製を予防又は阻害するのに有用であり、なぜならペプチド２はＴ細胞及びマクロファージ内でのＨＩＶ  複製を阻害するからである。好適な治療剤は天然又は野生型配列を有する対応のケモカイン又はペプチドと比べ、低いＤｕｆｆｙ  結合力及び高い共レセプター親和力（少なくともｎＭの域）（実施例５参照）を有する。好ましくは、ペプチド２、その変異体、類似体又は誘導体、例えばＬＲＤ  誘導体がＨＩＶ  のＴ好性株の阻害に有用である。
【０３１５】
従って、ペプチド３、その変異体、類似体又は誘導体と、ペプチド２、その変異体、類似体又は誘導体との組合せがＨＩＶ  感染の予防又は処置に極めて有用でありうる。
【０３１６】
かくして、これらの薬剤は、単独で、組合せて、又はその他の抗ウィルス療法との組合せで利用したとき、ＨＩＶ  血清陽性患者及びＡＩＤＳに対して血清陽性な患者の進行の処置及び予防に有用である。組合せ利用する場合、感染個体を予めウィルス阻害剤（例えば逆転写酵素及びウィルス性プロテアーゼ阻害剤のカクテル）で処置しておき、次いで所定用量の一般ケモカイン阻害剤、好ましくはペプチド３、ペプチド２、それらの変異体もしくは誘導体、より好ましくはペプチド２［ＭＩＰ１α］、その類似体又は誘導体を投与することが好ましい。更に、ウィルスの複製を理由にその他の療法（例えばプロテアーゼ阻害剤又は逆転写酵素阻害剤）に対する耐性が生じるため、ウィルス感染力を抑制する薬剤はこのような既存の療法の成功率を著しく高めうる。特に、全ての既に開拓された治療用標的、例えば逆転写酵素又はウィルス性プロテアーゼとは異なり、ケモカインアゴニスト及び／又はアンタゴニストは、ウィルス自体ではなく、感受性な細胞を標的とする。ウィルスは迅速に突然変異してウィルスを標的とする薬剤に対して耐性な株を発生させることができるが、細胞はあまり簡単には突然変異できず、そして、突然変異淘汰圧はあるにしてもわずかである。ケモカイン共レセプターの利用を回避するためにＨＩＶ  ウィルスの中で起こらなくてはならない突然変異の程度は、逆転写酵素を逆転写酵素阻害剤に対して耐性にするのに必要な突然変異よりもはるかに大きいようである。従って、ケモカイン類似体の投与は、単独でも、ウィルスを標的とする療剤との組合せでも有効であることを証明するようである。更に、ケモカイン阻害剤はｉｎ  ｖｉｖｏ  で限られた副作用、即ち、限られた生理学的効果しかもたないようであり、それ故ｉｎ  ｖｉｖｏ  で使用したときに良好な治療指数を有する。
【０３１７】
発作  炎症過程は発作又は大脳虚血症の病理に関与している。発作の後の炎症反応の作用は有害であり、それ故炎症反応を予防又は抑制することにより供される利益がある。活性化好中球は血管の閉塞及び細胞障害物質の産生により大脳虚血症損傷を促進する。例えば、早期後虚血症回復及び血管白血球、主に好中球の脳への流入は本発明の薬剤の治療標的を司る。中枢神経系細胞による選択的ケモカイン発現は後虚血症血管白血球ターゲッティングにとって重要であり、例えばＭＣＰ−１  及びその他のケモカインは発作患者の中枢神経系において上昇調節される。
【０３１８】
乾癬  乾癬はＭＣＰ−１  及び単球補給が関与する炎症障害である。本発明の治療剤、例えばペプチド３の局所塗布が乾癬の予防又は処置に好適であり、なぜならこのデリバリー方法は生体有用性の問題を軽減させるからである。局所投与される本発明の治療剤の誘導体、例えばＣＲＤ  ペプチドは非誘導対応物と比べて高い生体有用率を示しうる。他方、乾癬は本発明の薬剤、例えばＣＲＤ−Ｌｅｕ４Ｉｌｅ１１Ｃｙｓ１３−ペプチド３（３−１３）［ＭＣＰ−１  ］、ＮＲ５８，４、Ｙ−ＩＩ及びＬ−ＩＩ）の全身投与により処置されうる。
【０３１９】
自己免疫疾患  自己免疫疾患、例えば多発性硬化症、クーロン病、リウマチ様関節炎及び全身性エリテマトーデスは、自己反応性白血球により統合された免疫系の不適正な活性化を特徴とする。どの因子が自己抗原の当初の不適正な認識に結びつくかはまだ不明確ではあるが、数多くのプロ炎症性サイトカインが、組織崩壊の基となり、このような疾患が関与する死亡及び罹病へと結びつく持続性の炎症に関与している。このような炎症性サイトカインのうち、ＴＮＦ−α及びケモカイン（特にＭＩＰ−１α  ）が関与している。
【０３２０】
例えば、高いＭＩＰ−１  の発現が、ヒトの多発性硬化症といくつか共通の特徴を有するＴ細胞媒介自己免疫疾患のモデルである実験自己免疫脳脊髄炎において検出される。高いＭＩＰ１の活性は多発性硬化症を有する患者の大脳脊髄流体内でも検出される。ケモカインレベルを下げる抗体療法は自己免疫疾患の動物モデルにおいて有効であることが示されているが、この方法はタキフィラキシーを示し、そしてケモカインレベルを短期間しか低めず、そして人の治療には有効でないようである。対照的に、ケモカイン発信の一般のアンタゴニストは不適正な炎症を限りなく抑制するようである。従って、ペプチド３、その誘導体及び変異体は、限定することなく、Ｉ型糖尿病、多発性硬化症、リウマチ様関節炎及び全身性エリテマトーデス等の自己免疫疾患の予防及び／又は処置に有用でありうる。
【０３２１】
更に、様々なケモカイン発現パターンが様々な自己免疫疾患に関係していることがあり、従って各々の自己免疫疾患はペプチド３の異なる誘導体又は変異体を要しうる。例えば、ＭＩＰ１αは多発性硬化症において中心的な役割を果たしうる。従って、本発明のＣＣ−特異的薬剤の投与は多発性硬化症の処置に利用できうる（例えばＫＱＫ  化合物、式（Ｖ）の化合物、又はＳｅｒ７Ｇｌｕ８Ｇｌｕ９ペプチド３（１−１２）［ＭＣＰ−１  ］）。
【０３２２】
創傷を負った後、様々な細胞タイプの補給及び増殖、マトリックスの構築、並びに免疫監視の強化を包含する複雑な創傷治癒過程がある。胎児では（この場合、増強した免疫監視は必要でない）、この創傷治癒過程は正常な組織構造の完璧な回復に結びつく（例えば、正常な皮膚構造が切傷の後に回復する）。著しく対照的に、成人では、切傷は正常な皮膚構造が回復できない創傷治癒過程をもたらしてしまう。マトリックスは過剰量且つ不適正な立体的統合で構築される。これは傷跡をもたらす。状況によっては、例えば子供が火傷の如きひどい創傷を負ったときは、その傷跡は大過剰のマトリックス沈着を伴って肥大となり、そして特に醜くなる。
【０３２３】
成人では、創傷を負った後の感染症のおそれが高い。白血球、特に好中球がその創傷部位に迅速に供給されるが、単球／マクロファージが創傷を負ってから数日後に現われ、肉芽腫性組織の急速形成をもたらす。抗体による研究はＣＸＣ  ケモカイン、例えばＩＬ−８が創傷部位への好中球の引き寄せに重要な役割を果たすこと、そしてＩＬ−８産生の阻害が好中球の蓄積及びその後の傷跡形成の双方を抑えることを示唆する。ＣＣケモカインを遮断する実験は同様にそれらがマクロファージの創傷部位への引き寄せを司り、そしてこれらの細胞が創傷の質を犠牲にして迅速な治癒を促進しうることも示す。従って、ＣＸＣ  もしくはＣＣケモカインのいずれか、又はその双方の阻害は創傷誘導炎症反応の抑制をもたらし得、その結果迅速な治癒と皮膚構造の良好な回復のバランスを促進する。
【０３２４】
傷跡形成を予防もしくは抑制するため及び／又は創傷治癒を高めるため、本発明の好適な態様は創傷部位においてケモカイン作用を阻害する本発明の治療剤の局所塗布である。従って、広域ケモカイン阻害剤、例えばペプチド３（１−１２）［ＭＣＰ−１  ］、Ｌｅｕ４Ｉｌｅ１１  ペプチド３（１−１２）［ＭＣＰ−１  ］、ＣＲＤ−Ｌｅｕ４−Ｉｌｅ１１ペプチド３［ＭＣＰ−１  ］、ＮＲ５８，４、Ｙ−ＩＩ、Ｌ−ＩＩ又はＷＶＱ  、又はそれらの組合せを投与してよい。他方、ＩＬ−８の選択的な阻害剤、例えばＫＥＮ  、又はＭＣＰ−１  の選択的な阻害剤、例えばＫＱＫ  、並びにそれらの組合せを投与してよい。更に、広域阻害剤と選択的阻害剤との組合せを投与してよい。このようにして、創傷誘導化炎症過程の様々な成分が所望通りに調節でき、そして創傷はよりゆっくりと治癒されるようにすることができ（例えば抗生物質を同時に利用することにより、感染症から守られている条件下で）、しかも皮膚構造の回復を高めることができる。創傷治癒を処置又は増強する薬剤の効能の検討方法については、米国特許第  ５，２０２，１１８号参照のこと）。
【０３２５】
高血圧  高血圧はアテローム硬化症の危険因子である。本発明の薬剤が高血圧を抑制又は処置するのに有用であるかを検討するため、ウサギのモデルを採用する。ニュージーランド産白ウサギにアテローム発生食餌を３週間にわたり与え、プラーク形成を誘導する。各ウサギのグループの半分に本発明の薬剤を投与する。大動脈縮窄をウサギの一のグループにおいて、下胸大動脈の中央部のまわりにＤａｒｃｏｎバンドを巻きつけることで作成する（狭窄グループ）。別のウサギのグループには大動脈狭窄の生じない帯締め技術を施す。更に別のウサギグループは手術を施してないグループとする。大動脈内皮表層に結合する単球をバンドの基端及び遠端の標準の大動脈区画のエピフルオロセント顕微鏡観察で検討する。免疫組織化学は下記の抗体を用いて実施する：ＶＣＡＭ−１、ＲＡＭ１１  、ＣＤ１１ｂ  及びＶＩＩＩ因子。薬剤を与えていないウサギでは、狭窄付近の大動脈の高血圧領域、単球接着及び内皮ＶＣＡＭ−１発現が増大し、内膜厚化及びマクロファージの蓄積が伴う。薬剤処置ウサギでは、単球接着及び内皮ＶＣＡＭ−１発現、内膜厚化及びマクロファージの蓄積は薬剤未処置ウサギと比べ低かった。従って、本発明の薬剤（例えばＣＲＤ−Ｌｅｕ４Ｉｌｅ１１Ｃｙｓ１３−ペプチド３（３−１３）［ＭＣＰ−１  ］、ＮＲ５８，４、Ｙ−ＩＩ及びＬ−ＩＩ）はヒトの高血圧に結びつき、そして原因となりうる血管再形成を緩和するのに有用でありうる。ところで、高血圧を処置するのに利用される本発明の薬剤はアドレナリン受容体結合能をほとんど又は全く有さないのが好ましい。従って、高血圧を処置するのに好適な薬剤には式（ＸＩＶ）  の化合物が除かれうる。
【０３２６】
好塩基球媒介疾患  ぜん息は様々な細胞タイプ及び炎症媒介因子の流入に由来する過敏気路及び慢性炎症を特徴とする疾患である。ぜん息における全ての炎症媒介因子の相互作用及び因果関係は全体的に理解されていない。ＭＣＰ−１  はいくつかの異なるエフェクター機能、例えば単球補給、好塩基球補給、リンパ球補給、単球活性化、又は好塩基球もしくは休止肥満細胞からのヒスタミンの放出の誘導を通じてぜん息において役割を果たしうる（Ｂｉｓｃｈｏｆｆら、Ｊ．  Ｅｘｐ．  Ｍｅｄ．，  １７５  （５），  １２７１  （１９９２））。このような過程の阻害は疾患の症度を軽くするようである。ぜん息のようなアレルギー性疾患は単球／マクロファージ、リンパ球、並びに肥満細胞及び好塩基球から放出されたヒスタミン等の炎症媒介因子の複雑な相互作用を介して介入する。
【０３２７】
ぜん息に関わる症状の処置又は抑制のための本発明の治療剤の投与のための好適な方式は吸引による。赤血球は気管には通常存在しないため、治療剤のＤＡＲＣ特異性は、その他の投与の方式と比べ、気管への投与にとってはあまり重要でない。
【０３２８】
内毒血症  内毒血症はグラム陰性菌の細胞壁の主成分であるＬＰＳ  により往々にして媒介される急性全身性疾患である。ＬＰＳ  はプロ炎症性サイトカインの放出を刺激する。ＭＣＰ−１  及びＭＣＰ−２  は内毒血症において発現され、そして白血球を標的器官へと補給することによりその効果を発揮する。組換ネズミＭＣＰ−１  のＬＰＳ  負荷マウスへの腹腔内投与はそれらを内毒素死から守る（Ｚｉｓｍａｎら、Ｌ．  Ｃｌｉｎ．  Ｉｎｖｅｓｔ．，  ９９，  ２８３２  （１９９７））。従って、本発明のこの態様において利用するのに好適なペプチドはＭＣＰ−１  及びＭＣＰ−２  ペプチドである。
【０３２９】
心筋梗塞／急性虚血症  心筋梗塞は通常アテローム硬化性プラークの破裂に付随する血栓による冠状血管の急性閉塞の結果である。隣の心筋層への損傷及びその結果としての心不全は、虚血症時及び再灌流時に生ずる損傷に付随する。再灌流損傷は酸素フリーラジカル及び炎症媒介因子の増大に関与する。ＭＣＰ−１  は再灌流時に上昇調節され、そして炎症媒介因子の鍵となる（Ｋｕｍａｒ  ら、Ｃｉｒｃｕｌａｔｉｏｎ，  ９０，  １４２７  （１９９４）  ；  Ｋｕｍａｒら、Ｃｉｒｃｕｌａｔｉｏｎ，  ９５，  ６９３  （１９９７））。ＭＣＰ−１  及びその結果としての炎症因子の抑制は心筋層に対するその回復時での損傷を抑え、また心不全の発症率を低めうる。
【０３３０】
リウマチ様関節炎  リウマチ様関節炎は主として関節、しかしながら皮膚、血管、心臓、肺及び筋肉にも関与する多発−全身性炎症疾患である。リウマチ様関節炎の特徴的な病理には、関節内のマクロファージ及びリンパ球から成る非化膿性炎症細胞浸潤物の蓄積を包含する。ＭＣＰ−１  はリウマチ様関節炎における滑液細胞及び浸潤性単球／マクロファージの双方により産生され、そして関節内の炎症細胞の蓄積に寄与すると考えられている。天然ＭＣＰ−１  及びＭＣＰ−１  のアンタゴニスト（天然ＭＣＰ−１  の残基９−７６）を慢性関節炎のＭＲＬ−Ｌｐｒ  モデルで評価した。天然ＭＣＰ−１  ではなく、アンタゴニストＭＣＰ−１  （９−７６）による処置はこのモデルにおける慢性関節炎の症状及び組織病理を抑制した（Ｇｏｎｇら、Ｊ．  Ｅｘｐ．  Ｍｅｄ．，  １８６，  １３１  （１９９７）  ；  Ｐｌａｔｅｒ−Ｚｙｂｅｒｋ  ら、Ｉｍｍｕｎｏｌ．  Ｌｅｔｔ．，  ５７，  １１７  （１９９７）  ；  Ｗｉｌｄｅｒ，  Ｃｌｉｎ．  Ｒｈｅｕｍａｔ．，  １０，  ２５９  （１９９６））。従って、ペプチド３、その変異体、類似体及び誘導体はリウマチ様関節炎の処置又は予防に極めて有用でありうる。
【０３３１】
避妊  ＣＸＣＲ４  ケモカインレセプターについてのノックアウトマウスは胎芽死を示す。ＣＸＣＲ４  レセプター（実施例５参照）及びその他のケモカインレセプターをブロッキングする本発明の薬剤が同定された。従って、本発明の薬剤は流産を誘導する又は避妊薬を提供するのに有用でありうる。ＣＸＣＲ４  レセプターの遮断は伝統的な避妊の代替肢を供することができ、そして性交後に使用できうる。
ＩＶ．本発明の製剤の投与量、剤形及び投与経路
式（Ｉ）−（ＸＶ）及び（ＸＩＸ）  の化合物（その塩を含む）を含む本発明の医薬剤を、好ましくは、約０．０１ｐＭ〜約  １００ｎＭ、より好ましくは約０．０１ｐＭ〜約５ｎＭ、更により好ましくは約  ０．１ｐＭ〜約２ｎＭの本医薬剤の血清レベルに達する様に、投与する。このレベルを達成するために、少くとも約０．０１〜約  １００ｍｇ／ｋｇ体重、より好ましくは約  ０．１〜約３０ｍｇ／ｋｇ体重の投与量で本剤を投与してよいが、他の投与量でも有益な効果が得られよう。投与量は、種々の要因、例えば限定でなく、選択した製剤、予防のためか治療のためか、そして生体利用度及びインビボ安定性のために製剤が修飾されているかどうか、ということに応じて変化するだろう。
【０３３２】
センス又はアンチセンス核酸分子の投与は、その核酸分子を含んで成る発現カセット（ＷＯ９３／０２５５６参照）により形質転換された細胞の導入によって、あるいはその核酸分子の投与によって達成されうる（ｓｅｅ，  ｆｏｒ  ｅｘａｍｐｌｅ，  Ｆｅｌｇｎｅｒ  ｅｔ  ａｌ．，  Ｕ．Ｓ．  Ｐａｔｅｎｔ  Ｎｏ．  ５，５８０，８５９，  Ｐａｒｄｏｌｌ  ｅｔ  ａｌ．，  Ｉｍｍｕｎｉｔｙ，  ３，  １６５  （１９９５）  ；  Ｓｔｅｖｅｎｓｏｎ  ｅｔ  ａｌ．，  Ｉｍｍｕｎｏｌ．  Ｒｅｖ．，  １４５，  ２１１  （１９９５）  ；  Ｍｏｌｌｉｎｇ，  Ｊ．  Ｍｏｌ．  Ｍｅｄ．，  ７５，  ２４２  （１９９７）  ；  Ｄｏｎｎｅｌｌｙ  ｅｔ  ａｌ．，  Ａｎｎ．  Ｎ．Ｙ．  Ａｃａｄ．  Ｓｃｉ．，  ７７２，  ４０  （１９９５）  ；  Ｙａｎｇ  ｅｔ  ａｌ．，  Ｍｏｌ．  Ｍｅｄ．  Ｔｏｄａｙ，  ２，  ４７６  （１９９６）  ；  Ａｂｄａｌｌａｈ  ｅｔ  ａｌ．，  Ｂｉｏｌ．  Ｃｅｌｌ，  ８５，  １  （１９９５））。核酸投与のための医薬剤形、投与量及び投与経路は、一般的に、例えばＦｅｌｇｎｅｒ  ｅｔ  ａｌ．（前出）に開示されている。
【０３３３】
本医薬剤の投与量は、特定の症状を治療するために選択される。本医薬剤はまた、予防目的のための、好ましくは全身投与による、長期使用に用いることができる。
【０３３４】
本医薬剤の投与は、例えば患者の生理状態、投与目的が治療であるか予防であるか、そして医師に既知の他の因子に応じて、連続的でも間欠的でもよい。本剤の投与は、予め選択した期間にわたって本質的に連続的であってもよいし、又は間隔をあけた投与の連続であってもよい。局所投与及び全身投与の両方が考えられる。
【０３３５】
本医薬剤を含んで成る１又は複数の適当な単位投与剤形が、種々の経路、例えば経口、又は非経口、例えば直腸内、頬内、腔内及び舌下に、経皮、皮下、静脈内、筋内、腹腔内、気管内、肺内並びに鼻内に投与されうる。本剤は、場合により持続性放出のために製剤化されてもよい。本剤は、適宜、都合よく、個別の単位投与剤形であってよく、そして薬局に周知の任意の方法で調製されうる。この様な方法には、本医薬剤を、液体担体、固体基材、半固体担体、細分化された固体担体、又はそれらの組合せに組み込む過程、並びに、必要ならば、その生成物を希望の供給系に組み込む、又は成形する過程を含みうる。
【０３３６】
本医薬剤を、経口投与のために調製する場合、好ましくは、それを、医薬に適する担体、希釈剤又は賦形剤と混合して、医薬製剤又は単位投与剤を作る。前記製剤中の活性成分の総量は、重量で  ０．１〜９９．９％である。「医薬に適する」とは、その担体、希釈剤、賦形剤及び／又は塩が、製剤中の他の成分に適応すること、そして患者に有害でないことを意味する。経口投与のための活性成分は、粉末又は顆粒；溶液、懸濁液又は乳状液の剤形であってよく、あるいはチューイングガムから活性成分を摂取するための合成樹脂などの達成可能な基材中に含まれてもよい。本活性成分はまた巨丸剤、舐剤又はペースト剤でもよい。
【０３３７】
腔投与に適する剤形は、ペッサリー、タンポン、クリーム、ゲル、パスタ剤、灌注剤、滑沢剤、泡剤又はスプレー剤でよく、これらは、活性成分以外に、適当な担体を含んで成る。直腸投与に適する剤形は、座剤でよい。
【０３３８】
本医薬剤を含む医薬製剤を、当業界に既知の方法により、周知で且つ容易に入手できる成分を用いて、調製することができる。例えば、本剤を、一般的な賦形剤、希釈剤又は担体により製剤化して、錠剤、カプセル剤、懸濁液、散剤などに成形することができる。前記製剤に適する賦形剤、希釈剤及び担体の例は、下記の充填剤及び増量剤、例えばスターチ、糖、マンニトール、及びシリカ誘導体；結合剤、例えばカルボキシメチルセルロース、ＨＰＭＣ及びその他のセルロース誘導体、アルギナート、ゼラチン、及びポリビニルピロリドン；保湿剤、例えばグリセロール；崩壊剤、例えば炭酸カルシウム及び重炭酸ナトリウム；溶解遅延のための剤、例えばパラフィン；再吸収促進剤、例えば第四アンモニウム化合物；界面活性剤、例えばセチルアルコール、グリセロールモノステアレート；吸着性担体、例えばカオリン及びベントナイト；並びに滑沢剤、例えばタルク、カルシウム及びマグネシウムステアレート、及び固体ポリエチレングリコールである。
【０３３９】
例えば、本剤を含む錠剤又はカプレットは、緩衝剤、例えば炭酸カルシウム、酸化マグネシウム及び炭酸マグネシウムを含みうる。カプレット及び錠剤はまた不活性成分、例えばセルロース、ゲラチン化スターチ、二酸化ケイ素、ヒドロキシプロピルメチルセルロース、マグネシウムステアレート、微晶質セルロース、スターチ、タルク、二酸化チタン、安息香酸、クエン酸、コーンスターチ、鉱物油、ポリプロピレングリコール、リン酸ナトリウム、及び亜鉛ステアレートなどを含みうる。本剤を含む硬又は軟ゼラチンカプセルは、不活性成分、例えばゼラチン、微晶質セルロース、ナトリウムラウリルスルフェート、スターチ、タルク及び二酸化チタンなど、並びに液担担体、例えばポリエチレングリコール（ＰＥＧ  ）及び植物油を含みうる。更に、本剤を含む腸溶性コーティングしたカプセル又は錠剤は、胃での分解に抵抗性を示し、そして十二指腸の、より中性〜アルカリ性の環境内で溶解する様に設計されている。
【０３４０】
本医薬剤はまたエリキシール、又は通常の経口投与のための溶液、又は非経口投与、例えば筋内、皮下又は静脈内投与のための適当な溶液としても製剤化されうる。
【０３４１】
本医薬剤の製剤はまた水性又は無水の溶液又は分散液、あるいは乳状液又は懸濁液であってもよい。
【０３４２】
従って、本医薬剤は、非経口投与（例えば注射、例えば一回大量注射又は連続点滴）のために製剤化されてよく、そしてアンプル、充填済みシリンジ、小量の点滴容器としての単位投与形、あるいは保存剤を添加した多数回投与用容器の形であってよい。本活性成分は、油性又水性担体中の懸濁液、溶液又は乳状液の形をとってよく、そして製剤化のための剤、例えば懸濁剤、安定剤及び／又は分散剤を含んでよい。あるいは、本活性成分は、適当な担体、例えば滅菌した無パイロジェン水により使用前に再構成するための粉末の形でもよく、これは、滅菌固体の無菌的な単離又は溶液からの凍結乾燥により得られる。
【０３４３】
これらの製剤は、従来技術で周知である医薬に適する担体及び補助剤を含んでよい。例えば、水の他に、生理学的観点から容認される１又は複数の有機溶媒、例えばアセトン、エタノール、イソプロピルアルコール、グリコールエーテル、例えば商品名「Ｄｏｗａｎｏｌ  」、ポリグリコール及びポリエチレングリコール、短鎖の酸のＣ１  −Ｃ４  アルキルエステル、好ましくはエチル又はイソプロピル乳酸、脂肪酸トリグリセリド、例えば商品名「Ｍｉｇｌｙｏｌ  」、イソプロピルミリステート、動物油、鉱物油及び植物油、並びにポリシロキサンから選択された溶媒を用いて、溶液を調製することができる。
【０３４４】
本発明の組成物はまた濃化剤、例えばセルロース及び／又はセルロース誘導体を含んでよい。またそれらは、ゴム、例えばキサンタン、グアール又はカルボゴム、又はアラビアゴム、あるいはポリエチレングリコール、ベントン及びモンモリロナイトなどを含んでよい。
【０３４５】
必要ならば、酸化防止剤、界面活性剤、その他の保存剤、フィルム形成性のケラトリティック（ｋｅｒａｔｏｌｙｔｉｃ  ）又はコメドリティック（ｃｏｍｅｄｏｌｙｔｉｃ  ）な剤、芳香剤及び着色剤の中から選択される補助剤を加えることができる。また、その他の活性成分を、記載した症状又はその他の症状のために、加えてもよい。
【０３４６】
例えば、酸化防止剤として、ｔ−ブチルヒドロキノン、ブチル化ヒドロキシアニソール、ブチル化ヒドロキシトルエン、並びにα−トコフェロール及びその誘導体が考えられる。局所適用のために主に調合される製剤は、クリーム、ミルク、ゲル、分散液又は微小乳状液、大きく又は小さく濃化されたローション、含浸したパッド、軟こう又はスティック、あるいはスプレーのエアゾル剤形又は泡剤、あるいは一塊の石けんの形であってよい。
【０３４７】
更に、本剤は、持続放出する投与剤形などにも十分に適する。この製剤は、腸又は気管の特定の部分のみで、あるいは好ましくは前記部分で、可能ならば長期にわたって、本活性成分を放出する様に構成されうる。コーティング、外皮、及び保護マトリックスを、例えばポリマー物質、例えばポリラクチド−グリコレート、リポソーム、微小乳状液、ミクロ粒子、ナノ粒子又はワックスから作りうる。これらのコーティング、外皮、及び保護マトリックスは、内在型装置、例えばステント、カテーテル、腹腔用透析チューブなどをコーティングするために有用である。
【０３４８】
本医薬剤は、経皮投与のためにパッチを介して供給されうる。医薬剤の経皮供給に適するパッチの例について、米国特許  ５，５６０，９２２を参照のこと。経皮供給のためのパッチは、裏打ち層と、その中に医薬剤が分散又は溶解されたポリマーマトリックスと、１又は複数の皮膚透過促進剤を含んで成りうる。裏打ち層を、本剤が不透過である任意の適当な材料から作りうる。裏打ち層は、マトリックス層の保護カバーとして働き、且つ支持機能も提供する。この裏打ち層は、ポリマーマトリックスと本質的に同じサイズであるか、又はポリマーマトリックスの横側にまで広がり、又はポリマーマトリックスの横側を被い、そして裏打ち層の拡大表面が接着のためにのベースとなりうる様に、作製されうる。あるいは、ポリマーマトリックスは、接着性ポリマー、例えばポリアクリレート又はアクリレート／ビニルアセテートコポリマーを含み、又はそれにより製剤化されうる。長期間の適用のために、微小孔を有し、そして／又は呼吸可能な裏打ちラミネートを用いることができ、従って皮膚の水和又は浸軟を最小にすることができる。
【０３４９】
裏打ち層の作製に適する材料の例は、高及び低密度ポリエチレン、ポリプロピレン、ポリウレタン、ポリビニルクロライド、ポリエステル、例えばポリ（エチレンフタレート）のフィルム、金属箔、前記の適当なポリマーフィルムの金属箔ラミネートである。好ましくは、裏打ち層に用いられる材料は、金属箔、例えばアルミ箔を有する前記ポリマーフィルムのラミネートである。その様なラミネートでは、その中のポリマーフィルムは通常、接着性ポリマーマトリックスと接触している。
【０３５０】
裏打ち層は、希望の保護機能及び支持機能を付与する適当な厚みを有しうる。適当な厚さは約１０〜約  ２００ミクロンであろう。
【０３５１】
一般的には、生物学的に容認される接着ポリマー層を形成するために用いられるこれらのポリマーは、成形された本体、薄い壁又はコーティング層（そこを通して医薬剤が、調節された速度で通過しうる）を形成することができるものである。適当なポリマーは、生物学的に及び医薬上適合し、非アレルギー性であり、そしてこの装置が接触する体液又は組織中で不溶性且つ適合性を有する。可溶性ポリマーの使用は避けるべきである。なぜなら皮膚の湿気による当マトリックスの溶解又は侵食が医薬剤の放出速度、及び除去の簡便さのために、投与単位がその場に留まる能力に影響を与えうるからである。
【０３５２】
接着ポリマー層を作製するための典型的な例は、ポリエチレン、ポリプロピレン、ポリウレタン、エチレン／プロピレンコポリマー、エチレン／エチルアクリレートコポリマー、エチレン／ビニルアセテートコポリマー、シリコーンエラストマー、特に医薬等級のポリジメチルシロキサン、ネオプレンラバー、ポリイソブチレン、ポリアクリレート、塩化ポリエチレン、ポリビニルクロリド、ビニルクロリド−ビニルアセテートコポリマー、架橋ポリメタクリレートポリマー（水和ゲル）、ポリビニリデンクロリド、ポリ（エチレンテレフタレート）、ブチルラバー、エピクロロヒドリンラバー、エチレンビニルアルコールコポリマー、エチレンビニルオキシエタノールコポリマー；シリコーンコポリマー、例えばポリシロキサン−ポリカーボネートコポリマー、ポリシロキサン−ポリエチレンオキサイドコポリマー、ポリシロキサン−ポリメタクリレートコポリマー、ポリシロキサン−アルキレンコポリマー（例えばポリシロキサン−エチレンコポリマー）、ポリシロキサン−アルキレンシランコポリマー（例えばポリシロキサン−エチレンシランコポリマー）など；セルロースポリマー、例えば、メチル又はエチルセルロース、ヒドロキシプロピルメチルセルロース、及びセルロースエステル；ポリカーボネート；ポリテトラフルオロエチレン；並びこれらの類似物である。
【０３５３】
好ましくは、生物学的に容認される接着ポリマーマトリックスは、そのガラス転移温度が室温未満であるポリマーから選択されるべきだ。このポリマーは、必ずしも必要ではないが、室温で一定程度の結晶性を有しうる。架橋性モノマー単位又は部位を、前記ポリマーに組み込みうる。例えば、架橋性モノマーをポリアクリレートポリマーに組み込ことができ、その結果、そのポリマー内に医薬剤を分散した後にそのマトリックスを架橋するための部位が提供される。ポリアクリレートポリマーのための既知の架橋性モノマーは、ポリオールのポリメタクリルエステル、例えばブチレンジアクリレート及びジメタクリレート、トリメチルオールプロパントリメタクリレートなどを含む。前記部位を提供するその他のモノマーはアリルアクリレート、アリルメタクリレート、ジアリルマレエートなどを含む。
【０３５４】
好ましくは、可塑剤及び／又は湿潤剤を、接着ポリマーマトリックス内に分散する。水溶性ポリオールは一般的にこの目的に適する。製剤中の湿潤剤の組み込みにより、当該投与単位が皮膚表面上の湿気を吸着することができ、従って皮膚刺激性を減弱し、そして当該供給系の接着ポリマー層が失活することを抑さえることができる。
【０３５５】
経皮供給系から放出された医薬剤は皮膚の各層を通過できなければならない。医薬剤の通過率を上げるために、経皮供給系は、特に、皮膚の最外層、すなわち角質層（分子の透過に対して最も抵抗性を示す）の透過性を上げることができなければならない。医薬剤の経皮供給のためのパッチの作製は当業界に周知である。
【０３５６】
吸入による上気管（鼻腔）または下気管への投与のために、本発明の医薬剤を、簡便には、吸入器、ネブライザー、又は加圧パック、又はエアゾルスプレー供給のその他の通常の方法により供給する。加圧パックは、適当な噴射剤、例えばジクロロジフルオロメタン、トリクロロフルオロメタン、ジクロロテトラフルオロエタン、二酸化炭素又はその他適当なガスを含みうる。加圧エアゾルの場合、その投与単位は、一定量を供給するためのバルブによって決定されうる。
【０３５７】
あるいは、吸入又は吹き入れによる投与のために、当組成物は、乾燥粉末、例えば医薬剤と適当な粉末ベース、例えばラクトース又はスターチとの混合粉末の形であってよい。この粉末組成物は、例えばカプセル又はカートリッジ、あるいはゼラチン又はブリスターパックの形の単位投与形であってよく、それらから粉末が、吸入器、吹き入れ器又は定量式吸入器の助けを借りて、投与されうる。
【０３５８】
鼻内投与のために、医薬剤を、鼻点滴、液体スプレーを介して、例えばプラスチックボトルのアトマイザー又は定量式吸入器を介して、投与しうる。アトマイザーの典型はミストメーター（Ｍｉｓｔｏｍｅｔｅｒ）（Ｗｉｎｔｒｏｐ）  及びメディハラー（Ｍｅｄｉｈａｌｅｒ）（Ｒｉｋｅｒ）  である。
【０３５９】
本発明の医薬剤の局所供給はまた、疾患部位又はその近くに本剤を投与する種々の方法による。部位特異的又は標的化局所供給方法の例は、限定でなく、例示として、局所供給カテーテル、例えば注入型又は内在型カテーテル、例えば針式注入型カテーテル、シャント及びステント、又はその他の移植可能な装置、部位特異的担体、直接注入、又は直接投与である。
【０３６０】
局所投与のために、医薬剤を、標的領域への直接投与に関して当業界に知られている通りに、製剤化しうる。この目的のための通常の剤形は、外傷用治療材、コーティングされた包帯、又はその他のポリマー外皮、軟こう、クリーム、ローション、パスタ、ジェリー、スプレー及びエアゾル、並びに歯みがきペースト及び口内洗浄剤、又はその他の適当な形、例えばコーティングされたコンドーム、を含む。軟こう及びクリームは、例えば、水性又は油性ベースにより、適当な増量剤及び／又はゲル化剤を加えて、製剤化されうる。ローションは、水性又は油性ベースにより製剤化され、そして一般的には、１又は複数の乳化剤、安定剤、分散剤、懸濁剤、濃化剤、又は着色剤をも含むだろう。本活性成分はまた、米国特許  ４，１４０，１２２；４，３８３，５２９；４，０５１，８４２に開示された通り、イオン導入法によって供給されてもよい。局所用製剤中に存在する医薬剤の重量％の種々の要因によって変化し、しかし一般的には０．０１〜９５重量％、典型的には  ０．１〜２５重量％であろう。
【０３６１】
希望する場合、前記製剤を、本活性成分の持続放出性を付与する様に、ある種別の親水性ポリマーマトリックスとの組合せ、例えば天然ゲル、合成ポリマーゲル又はそらの混合物との組合せにより、適合させることができる。
【０３６２】
点滴剤、例えば眼用又は鼻用点滴剤を、水性又は非水性ベースにより製剤化することができ、またこれは、１又は複数の分散剤、溶解剤又は懸濁剤を含みうる。液体スプレーは、簡単には、加圧パックから供給されうる。点滴剤は、単純な眼点滴用キャップ付きボトル、又は液体を一滴ずつ供給する様に適合されたプラスチックボトル、又は特に成形された密閉容器を介して供給されうる。
【０３６３】
本医薬剤は、更に、口又はのどに局所投与するために製剤化されうる。例えば、本活性成分を、香り付きベース、通常スクロース及びアカシア又はトラガカントゴムを更に含むロゼンジ；不活性ベース、例えばゼラチン及びグリセリン又はスクロース及びアカシアゴム中に本組成物を含んで成るパステル；適当な液体担体中に本組成物を含んで成る口内洗浄剤；並びに、本発明の組成物を含んで成るパスタ及びゲル、例えば歯みがきペースト又はゲルとして製剤化しうる。
【０３６４】
本文に記載の製剤及び組成物は、その他の成分、例えば抗微生物剤又は保存剤を含んでもよい。更に、本活性成分を、その他の医薬剤、例えば経口避妊薬、気管支拡張剤、抗ウィルス剤、例えば  ｄｄＩ、ｄｄＣ、ＡＺＴ、プロテアーゼ阻害剤、又はそれらの任意の組合せ、ステロイド、ロイコトリエン阻害剤、シクロスポリンＡ、メトトレキセート、アザチオプレン、抗ＩｇＥ  、エンブレル（Ｅｎｂｒｅｌ）、キセナパックス（Ｘｅｎａｐａｘ  ）などと組合せて用いてもよい。
持続放出型投与製剤
本発明の持続放出型投与製剤は、その中に医薬剤が分散されたミクロ粒子及び／又はナノ粒子を含んで成りうる。このタイプの医薬投与製剤は、持続放出に適する任意の形態から成りうる。好ましい持続放出型投与製剤は１又は複数の下記特徴を有する。
・ミクロ粒子（例えば約  ０．５μｍ〜約  １００μｍの直径、好ましくは約  ０．５〜約２μｍ；又は約０．０１μｍ〜約  ２００μｍの直径、好ましくは約  ０．５〜約５０μｍ、より好ましくは約２〜約１５μｍ）又はナノ粒子（例えば、約  １．０ｎｍ〜約１０００ｎｍの直径、好ましくは約５０〜約  ２５０ｎｍ；又は、約０．０１ｎｍ〜約１０００ｎｍの直径、好ましくは約５０〜約  ２００ｎｍ）、自由流動する粉末構造。
・一定期間、好ましくは約  ０．５日〜約  １８０日、好ましくは約１−３日〜約  １５０日、又は約３〜約  １８０日、より好ましくは約１０〜約２１日で生物分解される様に設計された生物分解性構造；あるいは、約  ０．５〜約  １８０日、より好ましくは約３０〜約  １２０日、又は約３〜約  １８０日、好ましくは約１０〜約２１日の期間で、医薬剤の拡散が生じうる非生物分解性構造。
・製剤を投与する標的組織及び局所的生理学的環境に対する生体適合性。生体適合性の生物分解性産物。
・医薬剤の安定且つ再現性のある分散の促進。このましくは、下記経路の一方又は両方により活性医薬剤の放出がおこる医薬剤−ポリマーマトリックスの形成のため。（１）投与製剤を介した医薬剤の拡散（医薬剤が、製剤の寸法ほ規定する成形されたポリマー又はポリマー混合物中で可溶である場合）。又は（２）投与製剤の生物分解に伴う、医薬剤の放出。並びに／又は、
・標的型投与製剤のために、粒子表面面積  １５０平方Åあたり、投与製剤結合に対して、好ましくは約１〜約１００００  の結合タンパク質／ペプチドを有する、より好ましくは、投与製剤結合に対して最大で約１つの結合ペプチドを有する能力。投与製剤結合に対して結合するタンパク質／ペプチドの総数は、用いる粒子サイズに依る。結合タンパク質又はペプチドは、医薬投与製剤の粒子に、本文記載の通り、共有リガンドサンドイッチ又は非共有様式を介して結合することができる。
【０３６５】
ナノ粒子の持続放出型投与製剤は好ましくは生物分解され、そして場合により、血管平滑筋細胞に結合し、そして主にはエンドサイトーシスにより、それらの細胞に進入する。このナノ粒子の生物分解は、前記リソソーム小胞及びリソソーム内で経時的に（例えば３０〜１２０日  、又は１０〜２１日で）生じる。好ましい、より大きなミクロ粒子の投与製剤は、医薬剤を放出し、次に標的細胞に取り込まれる。その場合、ほんの少数のより小さなミクロ粒子が貧食により細胞に進入する。医師は、標的細胞が、本製剤を取り込み、そして代謝する正確な機構が、それらの細胞の形態、生理活性及び代謝プロセスに依存することを理解している。粒子の持続放出型製剤のサイズは、細胞取り込みの様式の点でも重要である。例えば、より小さなナノ粒子は、細胞間の間質液と共に流れ、そして注入された組織に貫入しうる。より大きなミクロ粒子は、注入された最初の組織の間質内により容易に捕捉される傾向があり、従って医薬剤にとって有用である。
【０３６６】
本発明の好適な持続的放出剤形は、生分解性マイクロ粒子、又はナノ粒子より成る。より好ましくは、生分解性マイクロ粒子、又はナノ粒子は、ランダムに、非酵素的に、治療薬を放出する加水分解性の開裂によって生分解される基質を含むポリマーにより形成され、それにより細孔のある粒子構造を形成する。
【０３６７】
アルファ・ヒドロキシカルボキシル酸の縮合により誘導され、そしてラクトンと同属であるポリマーは、本発明における使用に好適である。特に好適な部分は、熱可塑性ポリエステル（例えば、ポリラクチド、又はポリグリコリド）又はラクチドのコポリマーとグリコリド成分の混合物、例えばポリ（ラクチド−ｃｏ−グリコリド）により形成される。代表的な構造、ランダム・ポリ（ＤＬ−ラクチド−ｃｏ−グリコリド）を以下に示す、要求するマイクロ粒子、又はナノ粒子特性を達成するためにＸとＹの値は本分野の専門家によって操作できる。
【０３６８】
【化３６】
2005506947.tif 000042
【０３６９】
本発明の好適な粒子から成る剤形を形成する他の物資は、ポリオルソエステル、ポリアセタール（Ｐｏｌｙｍｅｒ  Ｌｅｔｔｅｒｓ、１８；２９３ページ（１９８０））、ポリオルソエステルカルボネート（米国特許番号４，０９３，７０９）、その他を含む。
【０３７０】
本発明の基質粒子を含む好適な乳酸／グリコール酸ポリマーは、エマルジョンに基づく方法により調製され、その方法は、溶媒抽出法の変法から構成される、例えばコウサー他、「ステロイドの徐放放出のためのポリ（ラクチド−ｃｏ−グリコリド）ミクロカプセル」、Ｍｅｔｈｏｄｓ  Ｅｎｚｙｍｏｌｏｇｙ、１１２：１０１〜１１６ページ、１９８５（マイクロ粒子中へのステロイドの包括）；エルドリッジ他、「毒素中和抗体のレベルを亢進するスタフィロコッカス・エンテロトキシンＢ類毒素のアジュバントとしての生分解性、及び生体適合性ポリ（ＤＬ−ラクチド−ｃｏ−グリコリド）微粒子」、Ｉｎｆｅｃｔｉｏｎ  Ｉｍｍｕｎｉｔｙ、５９：２９７８〜２９８６ページ、１９９１（類毒素の包括）；コーエン他、「乳酸／グリコール酸に基づく微粒子のタンパク質のための調節されたデリバリー・システム」、Ｐｈａｒｍａｃｅｕｔｉｃａｌ  Ｒｅｓｅａｒｃｈ、８（６）：７１３〜７２０ページ、１９９１（酵素の包括）；及びサンダース他、「ポリ（ＤＬ−ラクチド−ｃｏ−グリコリド）微粒子からの黄体形成ホルモン放出ホルモン類似物の徐放放出」、Ｊ．Ｐｈａｒｍａｃｅｕｔｉｃａｌ  Ｓｃｉｅｎｃｅ、７３（９）：１２９４〜１２９７ページ、１９８４（ペプチドの包括）に記載の方法を参照のこと。
【０３７１】
一般に、本発明の粒子剤形を形成するやり方は、ハロゲン化炭化水素溶媒への前記ポリマーの溶解、それらの中への治療薬液（好ましくは水溶性）の分散、そしてポリマーの溶媒ではなくハロゲン化炭化水素溶媒の溶媒として働く添加剤の添加を含む。前記ポリマーは、ポリマー−ハロゲン化炭化水素溶液から溶液を含む治療薬の液滴に沈降し、そして治療薬を包括する。好ましくは前記治療薬は、本発明の持続的放出剤形の内部に実質的に均一に分散する。粒子形成に続き、それらを有機溶剤において洗浄し、そして硬化させた。室温で減圧下での乾燥の前に、水洗及び水溶性非イオン性界面活性剤洗浄の段階が続く。
【０３７２】
生体適合性の目的において、前記粒子の基質中に分散した治療薬により特徴づけられた粒子剤形は、包装、貯蔵、又は投与に先立ち滅菌された。例えば、前記粒子には、構造、又は治療薬−ポリマー基質中に分散している治療薬の機能、又はそこに付着する結合タンパク質／ペプチドに不利な影響およぼさない放射線に対する被爆をもたらす、ガンマ放射線を照射できる。もし前記治療薬、又は結合タンパク質／ペプチドが非常に不利な影響をうけるならば、前記粒子剤形は無菌環境下で生産しうる。
【０３７３】
本発明の粒子剤形からの前記治療薬の放出は、拡散でも起きうるし粒子基質の侵食でも起きうる。生分解速度は、治療薬放出の動態に直接的に影響する。生分解速度は、前記持続的放出剤形の組成、又は構造の選択により調節される。例えば、本発明の好ましい剤形中のラクチド／グリコリド比の選択は、タイス他、「生分解性の徐放放出非経口系」、Ｐｈａｒｍａｃｅｕｔｉｃａｌ  Ｔｅｃｈｎｏｌｏｇｙ、２６〜３５ページ、１９８４に記載されるように；ケント他、「水溶活性ポリペプチドの微細封入」、米国特許番号４，６７５，１８９に記載の、加水分解ポリマー、例えばクエン酸、及び炭酸ナトリウムの比を変更した物質の封入により；  ラクチド／グリコリドポリマー中の治療薬の添加量（分解速度はそこに含まれる治療薬の量に反比例する）の変更により、上述主要部の添加量を変更するために異なる効果を表す、治療薬の共通ファミリーの好適な物質の慎重な選択により；そしてベック他、「ポリ（ＤＬ−ラクチド−ｃｏ−グリコリド）／ノルエチステロン・マイクロ・カプセル：注射可能な生分解性避妊薬」、Ｂｉｏｌ．  Ｒｅｐｒｏｄ．、２８：１８６〜１９５ページ、１９８３、に記載の、粒子サイズの変異、その他により行われることができる。全ての前記生分解速度調節の方法は、基質に含まれるポリマーの固有の粘性に影響を与え、それによりそれ自身の加水分解速度が変化する。
【０３７４】
前記好適なラクチド／グリコリド構造は、哺乳類の生理的な環境において生体適合性がある。また、それら好適な持続的放出剤形は、それらの生分解性は乳酸とグリコール酸より形成され、この両者は哺乳類の正常な代謝産物である点で価値をもつ。
【０３７５】
前記粒子剤形へのタンパク質／ペプチドの結合に必要な官能基は、粒子基質中に、又は粒子基質上に任意に含まれ、そしてそれらは、化学的分解が可能ではない重合体ユニット、又は化学的分解が可能な重合体ユニットに付着する。この目的に有用である、官能基は、ペプチドと作用するもの、例えばカルボキシル基、アミン基、スルフィドリル基、その他を含む。好適な結合増強成分は、基質を含む好適な（ラクチド−グリコリド）ポリマーの終端のカルボキシル基その他を含む。
Ｖ．生理液体における本発明の試薬（ａｇｅｎｔ  ）の検出
血液及び尿中のペプチド３の分析を半透膜（ＳＰＳ）  ＨＰＬＣカラム（制限されたアクセス媒体）で行った。血清または他のタンパク質含有サンプルをＳＰＳ  カラム（例えば、４．６ｍｍ×２５０ｍｍのカラムサイズのＳＰＳ−Ｃ１８  、可動相：Ａ：水中  ０．１％のＴＦＡ  、Ｂ：アセトニトリル中  ０．１％のＴＦＡ  ：０〜５分−５％Ｂ、５〜３０分−６０％Ｂ、３０〜４０分−５％Ｂ、検出器：２１５ｎｍ  、を用いる）。カラムの外側の相は半透膜を形成し、半透膜は大きな分子が内側相に達することを阻止する。小さい分子は半透膜を浸透して、内側の逆相と相互作用する。
【０３７６】
ＰＢＳ  中のペプチド３の標準（  １．５μｇ／ｍｌ〜１０００μｇ／ｍｌの範囲）を注入し、標準曲線を作った。２０μｌの血清及び尿を注入し、ペプチド３のピークの下方領域を得た。次いで、この標準曲線から濃度を計算した。この方法は生理液体サンプルにおける少なくとも約２０μｇ／ｍｌのペプチドを検出できる。
【０３７７】
本発明のペプチドも、ＬＣ−ＭＳ  を用いて、生理液体、例えば、尿または血清において、検出及び／または定量し得る。電子スプレイイオン化（ＥＳＩ  ）を用いて、ＬＣＱ  イオントラップ質量分析計（Ｔｈｅｒｍｏｑｕｅｓｔ  Ｆｉｎｎｉｇａｎ，  Ｓａｎ  Ｊｏｓｅ，  ＣＡ）を  ２００℃までに設定された加熱された毛細管を用いて、電子スプレイ針に４．２５ＫＶを適用して、陽イオンモードで操作する。シースガスの流量を５５単位に設定し、一方助剤ガスを止める。データは  ５００ｍｓの最大イオン時間及び１全マイクロ走査（ｔｏｔａｌ  ｍｉｃｒｏｓｃａｎ  ）で得られる。分析は  ２．０ａｍの分離幅及び２８％の衝突エネルギーに設定されたｍ／ｚ  ６８０．１を用いて、二重に荷電したイオンの破砕により発生した、ｍ／ｚ〔３３５−１４００〕を用いる全走査（ｆｕｌｌｓｃａｎ）ＭＳ及び／またはｍ／ｚ〔２８０−１５００〕を用いる全走査ＭＳ／ＭＳを用いて実施する。
【０３７８】
ＨＰＬＣ等級溶媒（Ｊ．Ｔ．  Ｂａｋｅｒ、フィリップスバーグ、ＮＪの「Ｂａｋｅｒ  Ａｎａｌｙｓｅｄ」）及びギ酸（９９％、ＡＣＳ、Ｓｉｇｍａ、セントルイス、ＭＯ）を用いた。Ｃ１８  カートリッジを含有する「ＳａｆｅＧｕａｒｄ」ガードカラム（Ｐｈｅｎｏｍｅｎｅｘ、トレンス、ＣＡ）を装備したＺｏｒｂａｘ  Ｅｃｌｉｐｓｅ  ＸＤＢ−Ｃ１８  ３．０×１５０ｍｍ、３．５μｍ（「Ｚｏｒｂａｘ」、Ｈｅｗｌｅｌｔ  Ｐａｃｋａｒｄ、パロアルト、ＣＡ）を３５℃のカラム温度及び  ４００バールの最大圧力で操作する。流量は  ０．５００ｍＬ／分に設定する。
【０３７９】
ＨＰ１１００二進数システム（Ｈｅｗｌｅｔｔ−Ｐａｃｋａｒｄ  、パロアルト、ＣＡ）は、０．０〜３．０分で、０％Ｂ（アセトニトリル）及び  １００％Ａ（水／  ０．１％ギ酸）から始まる２０分グラジエントを生じ、次いで  ３．５分で１５％Ｂまでの勾配を成し、１２．０分まで平等に進行する。この溶出段階に１２．０〜１４．０まで９５％Ｂまでの勾配を成し、一方流量が１４．１分で  ０．８００ｍＬ／分まで増加する、高有機洗浄段階が続く。１６．０〜１６．５分で、このシステムを０％Ｂに再設定し、  ３．５分間  ０．８００ｍＬ／分に再平衡させる。
【０３８０】
あるいは、１５分グラジエントを０〜２．５  分で９８％Ａ（水／  ０．１％ギ酸（アセトニトリル））から始め、次いで  ２．５分から１１分までで１７％Ｂまでの勾配を成し、次いで１１分で９５％Ｂまでの勾配を成す。流量は１１．１分で  ０．８００ｍＬ／分まで増加する。１３．２分で、このシステムを１５分まで１％Ｂに再設定する。ＬＣＱ  転換バルブを流れを８〜１１分の間検出器に向けるように設定する。１０μｌの各サンプルをＨＰ１１００オートサンプラー（Ｈｅｗｌｅｔｔ−Ｐａｃｋａｒｄ  、パロアルト、ＣＡ）を用いて注入する。最初の条件の設定下、ＣＲＤ−Ｌｅｕ４Ｉｌｅ１１Ｃｙｓ１３ペプチド３（３−１２）［ＭＣＰ−］が９．６９分の保持時間で溶出する。
【０３８１】
第２の設定で、ＣＲＤ−Ｌｅｕ４Ｉｌｅ１１Ｃｙｓ１３ペプチド３（３−１２）［ＭＣＰ−１  ］（トリ酢酸塩）が  ８．３分の保持時間で溶出するが、ＣＲＤ−Ｌ−Ｌｅｕ４Ｉｌｅ１１Ｃｙｓ１３ペプチド３（３−１２）［ＭＣＰ−１  ］（トリ酢酸塩）は  ８．９分で溶出した。
【０３８２】
標準分析物を種々のレベルのＣＲＤ−Ｌｅｕ４Ｉｌｅ１１Ｃｙｓ１３ペプチド３（３−１２）［ＭＣＰ−１  ］及び決まった量のＣＲＤ−Ｌ−Ｌｅｕ４Ｉｌｅ１１Ｃｙｓ１３ペプチド３（３−１２）［ＭＣＰ−１  ］トリ酢酸塩を、「Ｓｔｅｒｉｌｅ  Ａｃｒｏｄｉｓｃ  １３０．２μｍ」フィルター（Ｇｅｌｍａｎ  Ｓｃｉｅｎｃｅｓ，  Ｐｒｏｄ．  ＃  ４４５４  ）でろ過したラットの尿、または血清に加えることにより調製する。ラットの尿中の次のレベルの遊離塩基ＣＲＤ−Ｌｅｕ４Ｉｌｅ１１Ｃｙｓ１３ペプチド３（３−１２）［ＭＣＰ１］を各々３回注入し、ＬＣＱｕａｎを用いて処理し、次の標準曲線を生じさせた：０．０５μｇ／ｍＬ、  ０．１μｇ／ｍＬ、  ０．５μｇ／ｍＬ、  １．０μｇ／ｍＬ、  ２．０μｇ／ｍＬ、  ３．０μｇ／ｍＬ、  ５．０μｇ／ｍＬ、１０μｇ／ｍＬ、２０μｇ／ｍＬ、３０μｇ／ｍＬ及び５０μｇ／ｍＬ。上記のようにろ過した後ラットの尿サンプルを分析する。
【０３８３】
ラットの血清サンプルを、予備的な精製なしか、そうでなければ、氷冷アセトニトリルでの液／液抽出後、一夜のｓｐｅｅｄ  ｖａｃ  中での溶媒の除去及び水／ギ酸（  ０．１％）またはＨＰＬＣ等級の水で再構成した。速ふるい物（ｆａｓｔ  ｓｃｒｅｅｎ  ）について、上記のように分析する。例えば、  ４００μｌの氷冷アセトニトリルを血清（約  １００μｌ）と混合し、  １０，０００ｒｐｍで１０分間遠心する。  ４００μｌの上清を新しい管に移し、真空乾燥させ、８０μｌのＨＰＬＣ等級の水で再構成した。サンプルを  １０，０００ｒｐｍで１０分間回転させ、ＬＣ−ＭＳ  分析のために２ｍｌのＨＰＬＣバイアル中の  １００μｌのガラスインサートに７０μｌを移した。内部の標準、例えば、重水素化ＣＲＤ−Ｌｅｕ４Ｉｌｅ１１Ｃｙｓ１３ペプチド３（３−１２）［ＭＣＰ−１  ］をサンプル調製の間の損失を明らかにするために加えることができる。このようにして、標準曲線を作成する。
【０３８４】
本発明をさらに下記の実施例により説明するが、これらに限定するものではない。
【０３８５】
実施例１
Ｐａｎ  −ケモカインペプチド阻害剤の同定と特性化
ヒト及びマウスＭＣＰ−１  の両方をヒトケモカインレセプターに結合させ、かつ、ヒトケモカインレセプターにより、明確にシグナルを付与した。したがって、ヒトとネズミのＭＣＰ−１  の間の相同の領域は結合及び／またはシグナルに関与する領域を示すかもしれない。ヒト及びネズミのＭＣＰ−１  配列のアラインメントに基づき、ＭＣＰ−１  における３つの領域を同定し、それらは調査したすべての種の間で保存されていた。ヒトとマウスのＭＣＰ−１  配列（表１）の間で最も大きい配列相同性を有する３つのペプチド（１２〜１５マー）を製造し、９５％より高い純度まで精製した。これらのペプチドをｈＭＣＰ−１誘発ＴＨＰ−１  マイグレーションを阻害する能力についてスクリーニングした。非−ケモカイン、すなわち、  ＴＧＦ−βについて同様な分析をした。キセノプス・レビス（Ｘｅｎｏｐｕｓ  ｌａｅｖｅｓ）  ＴＧＦ−β１及び  ＴＧＦ−β−３並びにヒト  ＴＧＦ−β１及び  ＴＧＦ−β−３の配列を比較し、完全な相同性の３つの領域（各１０マー）を同定した。
【０３８６】
このアッセイのために、ＴＨＰ−１  細胞を１０％のウシ胎児血清＋２０μｍの２−メルカプトエタノールを補足したＲＰＭＩ−１６４０  中に１ｍｌ当り４×１０５  細胞の密度で維持した。５μＭのポリカーボネートフィルター（ＰＶＰ  なし、Ｃｈｅｍｏ  ＴＸ，  Ｎｅｕｒｏｐｒｏｂｅ  Ｉｎｃ．  Ｃａｂｉｎ  Ｊｏｈｎ）を取り付けた９６−ウェルの使い捨て走化性チャンバー中に走化性を誘発させた。各ウェルの低い方のコンパートメントに２９μｌの化学誘引物質（組み換えヒトケモカイン、５０ｎｇ／ｍｌ、すなわち、５．９ｍＭ  ）または対照（１００ｎｇ／ｍｌのＴＧＦβ）を加えた。フレームをつけたフィルターのフィルターフレームの角に穴を整列させ、ウェルの上に置いた。２５μｌのＲＰＭＩ−１６４０  中の５×１０４ＴＨＰ−１細胞を上方のコンパートメントに加えた。ペプチドをＭｉｌｌｉ  Ｑ  水に溶解し、次いで、媒体で連続的に希釈した。ほとんどの場合連続的に希釈したペプチドを走化性チャンバーの上方のコンパートメントに加える。チャンバーを５％のＣＯ２  の湿気を与えた雰囲気中で、３７℃で４時間インキュベートした。
【０３８７】
インキュベーション後、細胞をフィルターの上からピペットで静かに取り出し、各々の上のウェルに２０μｌのＰＢＳ  中の２０ｍＭのＥＤＴＡを加え、混合物を４℃で２０分間インキュベートした。次いで、フィルターを静から流れを用いて、培地で注意深く洗い流し、除去した。マイグレーションしたＴＨＰ−１  細胞の数を正確に定量するために標準曲線を作成した。曲線はＴＨＰ−１  細胞の２倍希釈シリーズに基づいた（上の標準２９μｌ中に  １００，０００細胞）。マイグレーションした、そして別々のウェル中の細胞、標準中の細胞を３μｌの  ＭＴＴストック溶液で染色した。この溶液は各ウェルに直接加え（ＲＰＭＩ  １６４０  中に５ｍｇ／ｍｌ、フェノールレッドを含まない。Ｓｉｇｍａ  Ｃｈｅｍｉｃａｌ  Ｃｏ．）、３７℃で４時間インキュベートした。各ウェルから媒体を注意深く吸引し、転換した染料を２０μｌのＤＭＳＯで溶解化した。転換した染料の吸収をＥＬＩＳＡ  プレートリーダーを用いて５９５ｎＭ  の波長で測定した。各ウェル中でマイグレーションした細胞の数を標準曲線の内挿により決定した。
【０３８８】
ペプチド１［ＭＣＰ−１  ］（表１参照、配列番号２）、すなわち、ヒトＭＣＰ−１  のＮ−末端ペプチドは、マイグレーション阻害アッセイにおいて、弱い活性を示すだけであった（ＥＤ５０＞１００μＭ、１００μＭで１０％阻害、Ｐ＝０．２７）。ペプチド２［ＭＣＰ−１  ］（表１、配列番号３）もケモカイン誘発マイグレーションの弱い阻害剤であった（ＥＤ５０＞１００μＭ、１００μＭで１９％阻害、Ｐ＝０．０９）。したがって、強いアゴニスト、すなわち、ＭＣＰ−１  の存在下では、弱いアゴニストである、配列番号３を有するペプチド２［ＭＣＰ−１  ］はそのレセプターからＭＣＰ−１  と置き換わる。しかしながら、強いアゴニスト、すなわち、ＭＣＰ−１  の不存在下には、ペプチド２［ＭＣＰ−１  ］は弱いアゴニスト特性を示し、すなわち、ペプチド２［ＭＣＰ−１  ］は走化性を刺激した。意外にもペプチド２（１−１５）［ＳＤＦ１α］は、強力な  ｐａｎ−ケモカインアンタゴニスト特性を有していた。
【０３８９】
対照的に、ペプチド３（１−１２）［ＭＣＰ−１  ］（表１、配列番号１）は、８±１μＭ（ｎ＝４）の５０％阻害（ＥＤ５０）を示す投与量でＭＣＰ−１  誘発ＴＨＰ−１  マイグレーションの高度に有効な阻害剤であった。典型的な投与量応答曲線を図２に示す。５０μＭより高い濃度では、配列番号３を有するペプチド３（１−１２）［ＭＣＰ−１  ］はすべてのＭＣＰ−１  誘発ＴＨＰ−マイグレーションを阻止する。
【０３９０】
【表６】
2005506947.tif 000043
【０３９１】
ペプチドがＭＣＰ−１  レセプターアンタゴニストであるかどうかを決定するために、このペプチドを下方のコンパートメント中のケモカインと引き合わせた（上記実験では上方のコンパートメント中の細胞に対してと対照して。トランス−ウェルＴＨＰ−１  マイグレーションアッセイ）。これらの条件下では、配列番号２を有するペプチド１［ＭＣＰ−１  ］は、ペプチド１［ＭＣＰ−１  ］（配列番号２）を細胞とインキュベートした時の１０％阻害に比較して、該細胞とインキュベートした時に  １００μＭで４８％のＭＣＰ−１  誘発マイグレーションを阻害し、ＭＣＰ−１  誘発ケモカインマイグレーションの今までそうであったものより有効な阻害剤であった。この結果は、ペプチド１［ＭＣＰ−１  ］（配列番号２）及びその誘導体がＭＣＰ−１  の二量体を崩壊し、不活性なモノマーを形成することによって作用することを示す、出版された記事と矛盾がない。
【０３９２】
したがって、ペプチド１［ＭＣＰ−１  ］（配列番号２）はＭＣＰ−１  機能の古典的なレセプターレベルのアンタゴニストではない。全く対照的に、配列番号１を有するペプチド３（１−１２）［ＭＣＰ−１  ］は該細胞とよりもケモカインとインキュベートした時、非常に有効でなく（＞９９％の阻害に比べて、１００μＭで１７％の阻害）、これは、配列番号１を有するペプチドが、ケモカインリガンドを結合することによるよりも、むしろ、該細胞と直接的に相互作用することによりＭＣＰ−１  誘発マイグレーションを阻害することを示唆している。この観察を確認するために、ペプチド３（１−１２）［ＭＣＰ−１  ］（配列番号１）のＮ末端ビオチニル化誘導体の結合親和性を測定した。この誘導体はＴＨＰ−１  細胞の表面に約１０μＭのｋａで結合した。
【０３９３】
ペプチド３（１−１２）［ＭＣＰ−１  ］（配列番号１）もＭＣＰ−１  の他の機能を阻害した。これは、レセプターの異なった組み合わせにより仲介されるのかもしれない。ＭＣＰ−１  は、培養された平滑筋細胞のための  ０．５％ウシ胎児血清との弱い共分裂促進因子であると報告されていた。  １００μＭのペプチド３（１−１２）［ＭＣＰ−１  ］（配列番号１）が培養された平滑筋細胞についてのＭＣＰ−１  の共分裂促進作用を完全に阻止することが見い出され、これも、ペプチド３（１−１２）［ＭＣＰ−１  ］（配列番号１）はＭＣＰ−１  レセプターアンタゴニストであるという仮説と矛盾しない。ペプチド３（１−１２）［ＭＣＰ−１  ］（配列番号１）が異なった細胞型におけるＭＣＰ−１  に対する異なった応答を完全に阻害するという観察は、ペプチド３はＭＣＰ−１  に結合し、ＭＣＰ−１  に応答してシグナルを出すことができる、すべてのケモカインレセプターの一般的なアンタゴニストであるかもしれないことを示唆している。
【０３９４】
ペプチド３阻害のレセプター特異性を調査するために、ＭＣＰ−１  レセプターよりも異ったレセプターによりシグナルを与えるケモカインにより誘発されたＴＨＰ−１  マイグレーションのペプチド３（１−１２）［ＭＣＰ−１  ］（配列番号１）阻害についてＥＤ５０を決定した。代表的なケモカインは、β−ケモカイン（「ＣＣ」）、  ＭＩＰ−１α及びＲＡＮＴＥＳ並びに２つのα−ケモカイン（「ＣＸＣ  」）、ＩＬ−８及び  ＳＤＦ−１αを包含する。したがって、ケモカインレセプターに対するペプチド３（１−１２）［ＭＣＰ−１  ］（配列番号１）の特異性を決定するために、ケモカインファミリーに関連しないマイグレーション誘発剤として、そして、同定された、関連しないレセプターによりシグナルを与えることにより生物活性を引き出す試薬として  ＴＧＦ−βを選択した。
【０３９５】
ペプチド３（１−１２）［ＭＣＰ−１  ］（配列番号１）は、選択されたすべての４つのケモカインに対して、  ＭＩＰ−１α≧ＭＣＰ−１  ＞ＳＤＦ１α≧ＩＬ−８の効能の順で、ＴＨＰ−１  マイグレーション誘発応答を阻害した（表２参照）。対照的に、ペプチド１［ＭＣＰ−１  ］（配列番号２）またはペプチド２（１−１５）［ＭＣＰ−１  ］（配列番号３）は、  １００μＭであったとしても、これらのケモカインのいかなるものに応答しても、２０％より多くはマイグレーションを阻害しなかった（表２）。ペプチド３は、約１０μＭの会合定数でＴＨＰ−１  細胞に結合する。
【０３９６】
【表７】
2005506947.tif 000044
【０３９７】
さらに、配列番号１を有するペプチド３（１−１２）［ＭＣＰ−１  ］（並びにペプチド１［ＭＣＰ−１  ］（配列番号２）及びペプチド２（１−１５）［ＭＣＰ−１  ］（配列番号３））は、  １００μＭですら、  ＴＧＦ−βにより誘発されたＴＨＰ−１  マイグレーションを有意に阻害しなかった。まとめると、これらの結果は、ペプチド３（１−１２）［ＭＣＰ−１  ］（配列番号１）は、ケモカインシグナル化の一般的な（すなわち、すべての試験したケモカインを阻害する）及び特異的な（すなわち、ケモカインのみを阻害する）阻害剤であることを示している。ペプチド３（１−１２）［ＭＣＰ−１  ］（配列番号１）はＣＸＣ  ケモカインよりもＣＣケモカインに対して弱い選択性を示すにもかかわらず、  １００μＭでは、ペプチド３（１−１２）［ＭＣＰ−１  ］（配列番号１）は試験されたケモカインファミリーのいずれかの任意のケモカインにより誘発されたマイグレーションの＞９９％を阻害する（表２）。したがって、ＭＣＰ−１  は多関連レセプターによりシグナルを与えるけれども、ペプチド３（１−１２）［ＭＣＰ−１  ］（配列番号１）は、ＭＣＰ−１  によって引き起こされた走化性及び分裂促進性シグナル化経路にあずかるすべてのレセプターを阻止する。
【０３９８】
ペプチド３（１−１２）［ＭＣＰ−１  ］（配列番号１）が一次ヒト単球によりＴＨＰ−１  細胞について有効であるという可能性を排除するために、３人のドナーからの新しく調製された末梢血液単球のケモカイン誘発マイグレーションについてのペプチド３（１−１２）［ＭＣＰ−１  ］（配列番号１）の効果を試験した。ＴＨＰ−１  細胞に対する結果と同様に、  １００μＭのペプチド３（１−１２）［ＭＣＰ−１  ］（配列番号１）は、（ペプチド１［ＭＣＰ−１  ］（配列番号２）またはペプチド２（１−１５）［ＭＣＰ−１  ］（配列番号３）はそうでないが）、４つのケモカインの各々により誘発されるマイグレーションのすべてまたはほとんどすべて（＞９５％）を阻害したが、  ＴＧＦ−β誘発マイグレーションには影響を及ぼさなかった。したがって、ペプチド３（１−１２）［ＭＣＰ−１  ］（配列番号１）は、広範囲の標的細胞（平滑筋細胞、ＴＨＰ−１，Ｊｕｒｋａｔ  Ｔ−細胞系統及び一次ヒド単球）に作用する、広範囲の炎症性ケモカイン前駆体（ｐｒｏ−ｉｎｆｌａｍｍａｔｏｒｙ  ｃｈｅｍｏｋａｉｎｅ）の阻害剤である。ＴＨＰ−１  細胞とは対照的に、一次ヒト単球のＭＣＰ−１  誘発マイグレーションのペプチド２（１−１５）［ＭＣＰ−１  ］（配列番号３）の阻害（２０％）は統計学的に有意であることに留意すること（表２）。
【０３９９】
実施例２．ペプチド３（１−１２）［ＭＣＰ−１  ］及びペプチド２［ＭＣＰ−１  ］の断片及び変異体の結晶化
ペプチド３の断片が生物的活性及び選択性を有するか否かを決定するため、「半ペプチド」（ｈａｌｆ−ｐｅｐｔｉｄｅ）を分析した（表３）：ペプチド３（１−３）［ＭＣＰ−１  ］に対応するＥＩＣＡＰＰ（配列番号：８）、及びペプチド３（７−１２）［ＭＣＰ−１  ］に対応するＫＱＫＷＵＱ（配列番号：９）。ペプチド３（７−１２）［ＭＣＰ−１  ］（配列番号：９）はＣＣケモカインシグナル伝達の阻害剤としてペプチド３（１−１２）［ＭＣＰ−１  ］（配列番号：１）と同様に活性であったが、ＣＸＣ  ケモカインの阻害剤としてより顕著に活性であった。これに対してペプチド３（１−６）［ＭＣＰ−１  ］（配列番号：８）は、阻害剤として、ペプチド３（１−１２）［ＭＣＰ−１  ］（配列番号：１）に比べて非常に低活性であった。
【０４００】
【表８】
2005506947.tif 000045
【０４０１】
【表９】
2005506947.tif 000046
【０４０２】
ペプチド３（７−１２）［ＭＣＰ−１  ］（配列番号：９）は本質的に選択性を示さず、７〜９μＭの範囲内で、ＥＤ５０で、試験したすべてのケモカインによる移動の阻害を示した。すなわち、これは全ケモカイン阻害剤であった。ペプチド３（１−６）［ＭＣＰ−１  ］（配列番号：８）は、ペプチド３（１−１２）［ＭＣＰ−１  ］（配列番号：１）に比べてＣＣケモカインをあまり阻害せず（ＥＤ５０＝約３０μＭ）、しかしＣＸＣ  ケモカインをやや阻害した。選択性比率は、ＭＣＰ−１  及びＭＣＰ−１  αの平均ＥＤ５０をＩＬ−８及びＳＤＦ１αの平均ＥＤ５０で除したものとして定義される。１より大きい選択性比率はＣＸＣ  ケモカインに比べてＣＣケモカインのより大きい阻害を示し；１より小さい選択性比率にＣＣケモカインに比べてＣＸＣ  ケモカインのより大きい阻害を示し；そして選択性比率１はケモカインのファミリーが同程度に阻害されることを示す。これは全体としてケモカインシグナル伝達の非常に弱い阻害剤であるが、ペプチド３（１−６）［ＭＣＰ−１  ］（配列番号：８）はＣＸＣ  ケモカインについて２倍の選択性を示した。従って、ペプチド３（１−６）［ＭＣＰ−１  ］（配列番号：８）は、  ０．７の選択性をもってＣＸＣ  ケモカインの好ましい阻害剤であり、ペプチド３（７−１２）［ＭＣＰ−１  ］（配列番号：９）は、選択性  １．１をもって、ケモカインの両クラスの好ましい阻害剤である。
【０４０３】
ペプチド３（３−１２）［ＭＣＰ−１  ］（配列番号：７）はペプチド３（１−１２）［ＭＣＰ−１  ］（配列番号：１）に非常に類似した性質を有していた。この結果が示唆するところによれば、ＭＣＰ−１  以外のケモカイン配列中で保存されていないペプチド３（１−１２）［ＭＣＰ−１  ］（配列番号：１）配列の位置１及び２のグルタミン酸（Ｅ）及びイソロイシン（Ｉ）残基は受容体結合のために重要ではない。ペプチド３領域におけるすべてのヒトケモカイン配列の整列は、α及びβサブファミリーのほとんどすべてのケモカイン中に存在する共通の保存されたモチーフを示す。このモチーフはＣＸ１ＤＰＸ２Ｘ３Ｘ４ＷＸ５Ｑ  である。
【０４０４】
さらに、種々の位置ｘ１  〜ｘ５  にアミノ酸のパターンが存在し、これはこれらの位置のアミノ酸の性質が受容体結合の選択性の決定に役割をはたすことを示唆する。例えば、ＣＣケモカインファミリーにおいて。位置ｘ１  は通常アラニン（Ａ）によりしめられており、この位置は、ＳＤＦ１（ＳＤＦ−１  中ではイソロイシン（Ｉ））における場合を除き、ＣＸＣ  ケモカイン中では共通にロイシン（Ｌ）である。この仮定を試験するため、Ｌｅｕ４ペプチド３（１−１２）［ＭＣＰ−１  ］（配列番号：１０）の選択性をペプチド３（１−１２）［ＭＣＰ−１  ］（配列番号：１）と比較した。Ｌｅｕ４ペプチド３（１−１２）［ＭＣＰ−１  ］（配列番号：１０）は、Ａｌａ  含有ペプチド３（１−１３）［ＭＣＰ−１  ］（配列番号：１）と比べて、ＣＸＣ  ケモカインの阻害剤として約４倍の効力の増加を示したが、ＣＣケモカイン阻害の効力の低下は存在しなかった（表４）。すなわち、、Ｌｅｕ４ペプチド３（１−１２）［ＭＣＰ−１  ］（配列番号：１０）はいくつかのＣＸＣ  選択性を示し（選択性比率０．３７）、そしてトリペプチド以外の試験したすべての誘導体の最大のＣＸＣ  選択性であった（下に示す）。
【０４０５】
上記位置ｘ１  について示されるように、３種の異るアミノ酸のみが位置ｘ５  に存在する（表１）。ＣＸＣ  ケモカインＩＬ−８及びＭＩＰ  がそうであるように、ほとんどのケモカインが位置ｘ５  にバリン（Ｖ）を有する。これに対して、ＳＤＦ−１  及びＩＰ１０はこの位置にイソロイシン（Ｉ）を有し、他方ＥＮＡ７８  はこの位置にロイシン（Ｌ）を有する唯一のケモカインである。これらの結果が示すところによれば、Ｉｌｅ１１  ペプチド３（１−１２）［ＭＣＰ−１  ］（配列番号：１３）は、Ｌｅｕ３ペプチド３（１−１２）［ＭＣＰ−１  ］（配列番号：１０）（選択性比率０．９）ほど顕著ではないが幾らかのＣＸＣ  選択性を示し、しかしながら予想外に、ＳＤＦ−１  ではなくＩＬ−８（この位置にバリンを有する）に最大の選択性を示した。この類似体は、トリペプチド以外で、ＩＬ−８シグナル伝達の最中選択的な阻害剤であった。すなわち、この類似体は他のケモカインに比べて約３倍のＩＬ−８選択性を有していた。
【０４０６】
Ｌｅｕ４及びＩｌｅ１１  置換の両方を有する類似体は、ＣＸＣ  ケモカインの阻害剤として、単一変異体Ｌｅｕ４ペプチド３（１−１２）［ＭＣＰ−１  ］（配列番号：１０）又はＬｅｕ１１  ペプチド（１−１２）［ＭＣＰ−１  ］（配列番号：１３）に比べてなんらより高い選択性を示さなかった（表６）。しかしながら、Ｌｅｕ４  Ｉｌｅ１１ぺプチド３（１−１２）［ＭＣＰ−１  ］（配列番号：４）は、ＣＣケモカインの阻害剤としては、ペプチド３（１−１２）［ＭＣＰ−１  ］（配列番号：１）、又は単一変異体Ｌｅｕ４ペプチド３（１−１２）［ＭＣＰ−１  ］（配列番号：１０）もしくはＩｌｅ１１  ペプチド３（１−１２）［ＭＣＰ−１  ］（配列番号：１３）に比べて約５倍高い活性を示した。従って、Ｌｅｕ４ペプチド３（１−１２）［ＭＣＰ−１  ］（配列番号：１４）は、ペプチド３（１−１２）［ＭＣＰ−１  ］（配列番号：１）についての１０μＭに比べて、平均  ２．３μＭのＥＤ５０をもってより高活性の一般的ケモカイン阻害剤であった。さらに、Ｌｅｕ４  Ｉｌｅ１１ペプチド３（１−１２）［ＭＣＰ−１  ］（配列番号：１４）は、予想外にも、２．０  の選択性比率２．０  をもって、ペプチド３（１−１２）［ＭＣＰ−１  ］の中程度のＣＣ選択性を維持した。従って、驚くべきことには、ペプチド３（１−１２）［ＭＣＰ−１  ］（配列番号：１）がヒトＭＣＰ−１  からの同系の（ｃｏｇｎａｔｅ  ）配列を含有するという事実にもかかわらず、Ｌｅｕ４  Ｉｌｅ１１ぺプチド３（１−１２）［ＭＣＰ−１  ］（配列番号：１）は、ＭＣＰ−１  シグナル伝達の阻害剤として、ペプチド３（１−１２）［ＭＣＰ−１  ］（配列番号：１）に比べて約５倍高い活性を示した。さらに、Ｌｅｕ４  Ｉｌｅ１１ぺプチド３（１−１２）［ＭＣＰ−１  ］（配列番号：１）は、Ｌｅｕ４  Ｉｌｅ１１ぺプチド３（１−１２）［ＭＣＰ−１  ］（配列番号：１４）と同様に、ペプチド３（１−１２）［ＭＣＰ−１  ］（配列番号：１）のより高い親和性ペプチド類似体であった。
【０４０７】
位置ｘ２  〜ｘ４  について、今日までに記載されているすべてのケモカインは、このトリペプチド領域に少なくとも１個の荷電したアミノ酸を有する（表１）。多くのケモカインがｘ２  及びｘ４  をしめる２個の塩基性残基を有し（例えばＭＣＰ−１  中のＫＱＫ、  ＭＣＰ−２  中のＫＥＲ、及びＳＤＦ−１  中のＫＬＫ）他のものは２個の酸性残基を有する（例えば、ＭＩＰ１α中のＳＥＥ、ＭＩＰ１β中のＳＥＳ、及びＲＡＮＴＥＳ中のＳＥＳ  ）。最近の版透（Ｍａｔｕｒｅ  Ｍｅｄ．  ３，  ３６７  （１９９７））が示唆するところによれば、ケモカイン受容体の細胞外ループ中の電荷は、リガンド特異性の重要な決定因子であり、例えばＳＤＦ−１  に結合するＣＸＣＲ４  は負に荷電しており、他方ＭＩＰ１α、ＭＩＰ１β及びＲＡＮＴＥＳに結合するＣＣＲ５は正に荷電している。従って、残基ｘ２  〜ｘ４  は受容体特異性に重要な役割を演ずるであろう。
【０４０８】
この仮定を試験するため、幾つかの変異体を調製した：Ｓｅｒ７ペプチド３（１−１２）［ＭＣＰ−１  ］（配列番号：１１）は、ＭＣＰ−１、ＭＣＰ−２、エオタキシン（Ｅｏｔａｘｉｎ）、ＩＬ−８及びＳＤＦ−１中に存在する正に荷電したＫ残基を、  ＭＩＰ−１α、ＭＩＰ１β及びＲＡＮＴＥＳ中に存在するヒドロキシル化Ｓ残基により置換する。しかしながら、この変化は選択性を顕著には変えなかった。特に、この変化は、ＭＣＰ−１  シグナル伝達の阻害の効力を低下させず、ＭＩＰ１αシグナル伝達の阻害の効力を増加させなかった（表４）。唯一の穏和な変化は、ペプチド３（１−１２）［ＭＣＰ−１  ］（配列番号：１）の中程度のＣＣ選択性からＳｅｒ７ペプチド３（１−１２）［ＭＣＰ−１  ］（配列番号：１１）変異体の中程度のＣＸＣ  選択性（選択性比率０．５）への穏和な移行であった。ＭＣＰ−１  配列の同系（ｃｏｇｎａｔｅ）からＭＩＰ１α配列の同系にペプチドを変更する他の変異体Ｓｅｒ７Ｇｌｕ８Ｇｌｕ９  ペプチド３（１−１２）［ＭＣＰ−１  ］（配列番号：１２）は、より選択的なＭＩＰ１α阻害剤をもたらした。但し、他のすべてのケモカインに比率したＭＩＰ  についての選択性はわずかに約３倍であった。
【０４０９】
ペプチド３（１−１２）［ＭＣＰ−１  ］変異体はいずれも、  １００μＭにおいてさえ、ＴＨＰ−１  細胞の  ＴＧＦ−β誘導移動の阻害剤としてなんだ検出可能な活性を示さなかった（表４）。従って、これらすべての変異体は、ケモカイン誘導シグナル伝達の高度に選択性の阻害剤であった。ペプチド３（１−１２）［ＭＣＰ−１  ］中のアミノ酸残基を、誘導される一般的ケモカイン阻害の効力を顕著に低下せしめる上記のケモカイン配列中に見出される他のアミノ酸への置換は存在しなかった。しかしながら、ある種の変更は選択性のシフトをもたらした。例えば、ペプチド３（１−１２）［ＭＣＰ−１  ］（配列番号：１）のＣＣ選択性を、位置４（ｘ１）におけるＡからＬへの変更、又は位置１１（ｘ５）におけるＶからＩへの変更により、ＣＸＣ  選択性は変えることができる。特に、２つの変異体は、他のすべてのものについての平均ＥＤ５０に対して１つのケモカインについての３倍以上の選択性を有していた。すなわち、Ｉｌｅ１１  ペプチド３（１−１３）［ＭＣＰ−１  ］（配列番号：１３）はＩＬ−８阻害について弱い全体的選択性を有し、そしてＳｅｒ７Ｇｌｕ８Ｇｌｕ９ペプチド３（１−１２）［ＭＣＰ−１  ］（配列番号：１２）はＭＩＰ１αについて弱い全体的選択性を有していた。
【０４１０】
要約すると、ペプチド３（１−１２）［ＭＣＰ−１  ］変異体はそれらのＥＤ５０及びケモカインのαファミリー又はβファミリーについてのＥＤ５０において小さい程度に変化するが、これらはすべてペプチド３（１−１２）［ＭＣＰ−１  ］（配列番号：１）に類似していた。表６の結果が示すところによれば、ペプチド３（１−１２）［ＭＣＰ−１  ］（配列番号：１）及びペプチド３（１−１２）［ＭＣＰ−１  ］変異体は、ＭＣＰ−１  、ＭＩＰ１α、ＩＬ−８及びＳＥＦ１αケモカインにより誘導される移動を類似の程度に変化させた。幾つかのペプチド又はペプチド変異体はＣＣケモカインについてわずかな優位性を示したが、他はＣＸＣ  ケモカインについてわずかな優位性を示し、２倍を超えるＣＣ−特異性を示すものはなかった。ペプチド３（１−１２）［ＭＣＰ−１  ］（配列番号：１）、ペプチド３（１−６）［ＭＣＰ−１  ］（配列番号：８）及びペプチド３（１−１２）［ＭＣＰ−１  ］（配列番号：９）も有意なＣＣ又はＣＸＣ  選択性を示さなかった。
【０４１１】
実施例３．インビボ用途のための本発明の療法剤の同定、調製及び特性決定
Ａ．誘導体
ペプチドは一般に化学的及び酵素的加水分解に感受性である。特に、ペプチドは胃内の酸性又はタンパク質分解的環境において安定でないので、通常、径口経路により取り入れられない。すなわち、化学的又は酵素的加水分解はインビボでのペプチドの非常に短い半減期をもたらす。インビボで加水分解に対して感受性の剤の半減期を延長するために、活性剤は、径口的に取り入れられ、改良された薬理動態を有し、そしてその投与がケモカインの活性を阻害する血中濃度を達成するように、修飾される。例えば、サイクリック−リバーズ（ｃｙｃｌｉｃ−ｒｅｖｅｒｓｅ）−Ｄ  （ＣＲＤ）ペプチドを調製することができる。ＣＲＤ  ペプチドは、逆の立体異性体（Ｌアミノ酸の代りにＤ−アミノ酸）を用いてのペプチドの逆転配列（Ｃ−末端からＮ−末端）を合成することにより調製される。次に、得られたペプチドはＮ−及びＣ−末端システイン残基を介して酸化される。これらの誘導体は、非−ＣＲＤ  ペプチドに非常に類似する原子の立体配置を維持するが、酵素的加水分解を受けない。インビボで延長された半減期を示す他の誘導体にはチエニル又はピリジル誘導体が含まれる（例えば、米国特許Ｎｏ．４，９９２，４６３；米国特許Ｎｏ．５，０９１，３９６）。
【０４１２】
例えば、ペプチド３誘導体を調製するために、Ｊａｍｅｓｏｎ  ら、Ｎａｔｕｒｅ，  ３６８，  ７４４  （１９９４）に従ってペプチド３（１−１２）［ＭＰ−１］が修飾され、ＣＲＤ−Ｃｙｓ１３Ｌｅｕ４Ｉｌｅ１１ペプチド３（３−１２）［ＭＣＰ−１  ］（図３）が得られた。上に記載したインビトロ測定においてペプチド３（１−１２）［ＭＣＰ−１  ］（配列番号：１）に非常に類似する性質を有するＣＲＤ−Ｃｙｓ１３Ｌｅｕ４Ｉｌｅ１１ペプチド３（１−１２）［ＭＣＰ−１  ］は、酸加水分解（ｐＨ２．０  にて２時間３７℃で分解１０％未満）及び酵素的分解（３７℃、５ユニットのトリプシンにより２時間）の両方に対して安定であることが見出された。ＣＲＤ−Ｃｙｓ１３Ｌｅｕ４Ｉｌｅ１１ペプチド３（１−１２）［ＭＣＰ−１  ］もまた、インビボ加水分解に対して酸性であり、そして療法的に有用な血漿濃度が達成されることが認められた（２５０μｌ塩水中１ｍｇのＣＲＤ−Ｃｙｓ１３Ｌｅｕ４Ｉｌｅ１１ペプチド３（３−１２）［ＭＣＰ−１  ］の単一般腔内投与の２４時間後＞１０μＭ）。
【０４１３】
Ｌｅｕ４Ｉｌｅ１１ペプチド３の、サイクリック−レバーズＤ（ＣＲＤ）、鎖状レバーズ−Ｄ（ＬＲＤ）、サイクリックフォワード（ｃｙｃｌｉｃ  ｆｏｒｗａｒｄ）Ｌ（ＣＦＬ）、及び鎖状フォワードＬ（ＬＦＬ）（すなわちペプチドの標準型）誘導体を調製し、そしてＴＨＰ−１  トランスウェル測定におけるそれらのＭＣＰ−１  阻害活性を決定した。結果は、
ＬＦＬ−Ｌｅｕ４Ｉｌｅ１１ペプチド３          １−５μＭ
ＬＲＤ−Ｌｅｕ４Ｉｌｅ１１ペプチド３          ２００−４００ｎＭ
ＣＦＬ−Ｃｙｓ１３Ｌｅｕ４Ｉｌｅ１１ペプチド３      ５００−７００ｎＭ
ＣＲＤ−Ｃｙｓ１３Ｌｅｕ４Ｉｌｅ１１ペプチド３      ５−１００ｎＭ
であった。
【０４１４】
これらの結果は、幾分驚くべきことには、環化及び逆−Ｄ誘導体化の両者は独立に活性を改良することを示している。この改良は、ＣＲＤ  誘導体においては相加的である。すなわち、環化は、おそらくペプチドのコンホーメーションを拘束することにより活性を改良した。しかしながら、逆転−Ｄ誘導体は、おそらく分子の安定性を増加することにより有利であるとは予想されなかった。ＣＲＤ−Ｃｙｓ１３Ｌｅｕ４Ｉｌｅ１１ペプチド３（３−１２）［ＭＣＰ−１  ］は、ＭＣＰ−１  により誘導されるＴＨＰ−１  移動の非常に活性な阻害剤であることが見出された（ＥＤ５０が約１〜１０μＭ）。親Ｌｅｕ４Ｉｌｅ１１ペプチド３（１−１２）［ＭＣＰ−１  ］（配列番号：１４）に比べての上記の増加した活性は、インビトロにおいても、増加した安定性を反映しているであろう。あるいはそれはペプチドの増加したコンホメーション安定性を反映しているであろう。さらに、この化合物は、生来の全長ＭＣＰ−１  と同一の親和性をもってシグナル伝達受容体に結合するが、シグナルを発生しない。
【０４１５】
ＣＲＤ−Ｌｅｕ４Ｉｌｅ１１Ｃｙｓ１３ペプチド３（３−１２）［ＭＣＰ−１  ］が培養におけるコンカナバリンＡ又は破傷風毒素に対するＴ又はＢ細胞の増加を阻害するか又は増強するかを決定するため、ＣＤ４Ｔ細胞及びＢ細胞の増加をＣＦＳＥ−ＦＩＴＣ  細胞ラベリングにより測定した。５０ｍｇのＣＲＤ−Ｌｅｕ４Ｉｌｅ１１Ｃｙｓ１３ペプチド３（３−１２）［ＭＣＰ−１  ］はＣＤ４Ｔ細胞のＣｏｎＡ増加を５０％阻害し、そして５ｍｇのＣＲＤ−Ｌｅｕ４Ｉｌｅ１１Ｃｙｓ１３ペプチド３（３−１２）［ＭＣＰ−１  ］はＣＤ４Ｔ細胞のＣｏｎＡ増加を＜３％低下せしめた。ＣＲＤ−Ｌｅｕ４Ｉｌｅ１１Ｃｙｓ１３ペプチド３（３−１２）［ＭＣＰ−１  ］は破傷風毒素に対するＢ細胞増加に効果を有しなかった。
【０４１６】
特定のアミノ酸置換がペプチド誘導体ＣＲＤ−Ｌｅｕ４Ｉｌｅ１１Ｃｙｓ１３ペプチド３（３−１２）［ＭＣＰ−１  ］のコンホーメーションに影響するか否かを決定するため、コンピューターモデルを用いた。ペプチド配列をＨｙｐｅｒＣｈｅｍ  ５．０  （ＨｙｐｅｒＣｕｂｅ）に入力した。Ａｍｂｅｒ  Ｆｏｒｃｅ  Ｆｉｅｌｄ  パラメーター及びＰｏｌａｋ−Ｒｉｂｉｅｒｅ  アルゴリズムを用いて最小エネルギーコンホーメーションを探した。最初のモデルは、分子ダイナミックシミュレーション（３００°Ｋ、２ｎ秒）及び手動側鎖ローテーションの両方により操作され、次に数学的最適化を行い、これを見かけグローバル最小エネルギーコンホーメーションに達するまで行った。収劍標準（ｃｏｎｖｅｒｇｅｎｃｅ  ｃｒｉｔｅｒｉｏｎ  ）は＜０．０１Ｋｃａｌ／ｍｏｌÅであった。この方法を用いて、約２１３．４Ｋｃａｌ／ｍｏｌ  のエネルギーをもって、コンホーメーションが得られた。動揺（ｐｅｒｔｕｒｂａｔｉｏｎ）に対するモデルペプチドの感受性を試験するためジスルフィド結合を形成する末端システイン以外の各残基を各々にＤからＬに変化せしめ、そして全Ｄペプチドの最小コンホーメーションから始めて幾何再最適化した。これらの動揺について、各変異体はまず幾何最適化ルーチンを通り、次に分子ダイナミックシミュレーションし、次に別の幾何最適化を行った。得られた変異体ペプチドを、ジスルフィド結合と隣接する１個の原子とをオーバーレイすることにより、全Ｄ型と比較し、そしてペプチド主鎖間の相異を視覚的に評価した。全体的コンホーメーションは位置２，３，４，８，９及び１０のキラリティーの変化に対して非感受性であったが、位置５，６及び７のキラリティーの変化に対して感受性であった。一般に、側鎖位置の変化は、主鎖のコンホーメーションが有意に変化する場合を除き、小さかった。変異体のエネルギーは−１８７．９〜−２２６．１Ｋｃａｌ／ｍｏｌ  で変化したが、このエネルギー変化（初期コンホーメーションについて−２１３．４）は、コンホーメーション変化と関連しなかった。
【０４１７】
さらに、９位のアスパラギン酸を修飾する効果が、その側鎖カルボキシル基をＤ−アラニルアミドに変えることにより試験した。修飾されたペプチドの最小エネルギーコンホーメーションは、同じ最小エネルギーコンホーメーションから出発して、キラル変異の場合と同じルーチンを用いて求めた。残基９側鎖カルボキシルへのＤ−アラニンの縮合がペプチドのコンホーメーションの大きな変化を生じさせた。これは、ＣＲＤ−Ｌｅｕ４Ｉｌｅ１１Ｃｙｓ１３ペプチド３（３−１２）［ＭＣＰ−１  ］に比べてのＤ−ａｌａ  ペプチドの生物活性の有意なロスを示したインビトロ単球移動データーと一致する。すなわち、ＣＲＤ−Ｃｙｓ１３Ｌｅｕ４Ｉｌｅ１１ペプチド３（３−１２）を合成し（図１３の左パネル）、そしてＭＣＰ−１  により誘導されるＴＨＰ−１  移動の阻害剤として、そのＤ−ａｌａ  誘導体に比べて１０００倍活性であることが見出された（図１３の右パネル）。Ｄ−アラニンは、アスパラギン酸とリジン残基との間の塩架橋の形成を妨害し、そしてこの誘導体を  １００μＭの濃度においてさえ不活性にする。
【０４１８】
分子モデルが示すところによれば、Ｄ−Ｌｅｕ  がＬ−Ｌｅｕ  により置換されたＣＲＤ−Ｌｅｕ４Ｉｌｅ１１Ｃｙｓ１３ペプチド３（３−１２）［ＭＣＰ−１  ］であるＬ−Ｌｅｕ−ＣＲＤ−Ｌｅｕ４Ｉｌｅ１１Ｃｙｓ１３ペプチド３（３−１２）［ＭＣＰ−１  ］はペプチド主鎖のコンホーメーションにほとんど変化をもたらさないはずである。Ｌ−Ｌｅｕ  誘導体を用いてのインビトロ移動研究は、それが同様に機能的活性を維持したことを示した。すなわち、本発明の生物的に活性な分子のコンホーメーションを維持する特定のアミノ酸置換を選択するために、分子モデルを使用することができるであろう。
【０４１９】
下記のＤ−アミノ酸からＬ−アミノ酸への変化は、モデル化により評価されるペプチド主鎖の構造に有意なインパクトを有しなかった。
【０４２０】
【表１０】
2005506947.tif 000047
【０４２１】
下記のＤ−アミノ酸からＬ−アミノ酸への変化は、この技法で評価したペプチド主鎖の構造に有意なインパクトを有していた。
【０４２２】
【表１１】
2005506947.tif 000048
【０４２３】
Ｂ．ＤＡＲＣ結合
生物学的利用能についてのさらなる考察は、治療薬の非特異的結合である。赤血球は、ケモカイン用ダフィ式抗原受容体（ＤＡＲＣ）と呼ばれるシグナリング欠乏ケモカイン受容体または結合蛋白質を有する。この受容体はシグナル伝達をしないけれども、この受容体はケモカインに対する高い親和性（１０ｎＭ）を有し、循環系からケモカインを取り除く役割を演ずることができる。残念ながら、ＤＡＲＣに対する高い親和性を有するケモカイン受容体アンタゴニストはいずれも赤血球上の結合部位の膨大なプールによって封鎖されるがゆえに、他の組織における増殖性ケモカインシグナリングの阻害には利用できない。同様に、高い親和性によってＤＡＲＣを結合するアゴニストは、特定のケモカイン受容体による増殖性シグナリングには利用できない。生体内での使用においては、糸球体濾過による１回目のパスにおいてＤＡＲＣに結合しないペプチドが速やかに取り除かれるので、本発明の薬剤は、ＤＡＲＣに対する若干の親和性を有しているのが好ましい。従って、好ましい薬剤は、  １００ｎＭ〜１ｍＭの範囲、より好ましくは１μＭ  〜  １００μＭ  の範囲、さらにより好ましくは１０〜  １００μＭ  の範囲のＤＡＲＣ結合（親和性定数）を有する。
【０４２４】
ケモカインとＤＡＲＣとの相互作用は親和性が高い（結合定数は５〜１０ｎＭ）けれども、動力学的には、この相互作用は、結合速度および解離速度が極めて速いことを特徴とする。結果として、標識ケモカインと共に定温放置するとＤＡＲＣの結合部位の飽和につながるけれども、結合されなかった標識を除去すると、数分以内に、結合された標識の殆どが失われる（９０％超が３分以内に失われる）。結果として、この速い解離速度のために、結合された標識の量の測定が不可能または不正確なものとなるので、ビオチン化ペプチドの直接結合を分析することによってペプチドのＤＡＲＣに対する結合を直接測定するのは難しい。
【０４２５】
この困難を克服するために、種々の濃度のペプチドの存在下で、ＤＡＲＣを発現している赤血球を  １２５Ｉ標識ＭＣＰ−１  と共に定温放置することによって、ＤＡＲＣと、ペプチド３（１−１２）［ＭＣＰ−１］（ＳＥＱ  ＩＤ  ＮＯ：１）およびペプチド２（１−１５）［ＭＣＰ−１］（ＳＥＱ  ＩＤ  ＮＯ：３）との会合のＫａを見積もった。９ｍＬの新たに採取した血液を、１ｍＬの  ３．８％クエン酸ナトリウムが入っている試験管に移し、室温において１５分間放置した。５ｍＬの凝固防止血液を  ３．５ｍＬの  Ｐｏｌｙｍｏｒｐｈｐｒｅｐ  （ＮｙｃｏｍＥＤ  Ｐｈａｒｍａ，  Ｏｓｌｏ）  の上に重層し、約４９００ｍ／ｓ２（  ５００Ｇ）において３５分間遠心分離した。赤血球を除去し、結合媒体（ＰＢＳ  および１ｍｇ／ｍＬの脂肪酸の無いＢＳＡ  、ｐＨは  ７．４である）を用いて元の容量に戻し、約８８００ｍ／ｓ２（  ９００Ｇ）において１０分間遠心分離した。これを４回繰り返し、赤血球を数え、「ｖ」底のマイクロタイター用プレートにおいてウェルあたり１×１０８  個の赤血球となるように調整した。赤血球を約６６００ｍ／ｓ２（  ６７０Ｇ）において５分間沈殿させ、非標識ＭＣＰ−１  または試験薬剤の存在下で  ０．５ｎＭの  １２５Ｉ標識ＭＣＰ−１  （比放射能は２０００Ｃｉ／ミリモルである、Ａｍｅｒｓｈａｍ）を含有している結合媒体中に再懸濁した。
【０４２６】
結合が平衡に達した（３７℃において３０分）後、蔗糖密度勾配遠心法による５分間の遠心分離によって、結合されなかった標識から赤血球を分離した。次に、γ線計数シンチグラフィーによって、赤血球と会合した数を測定した。すべてのペプチドが無い状態での、ヒト赤血球上の  １２５Ｉ標識ＭＣＰ−１  についての会合定数は５．４５ｎＭであった（この値は先述の報告書によるものである）。そのうえ、スキャッチャード分析により、赤血球あたりに  ５００〜１０００の複写を有する単一の高親和性結合部位の存在が確認された（ＤＡＲＣの既知の性質と一致する）。従って、種々の濃度のペプチド（複数種であってもよい）の存在下でのこの分析による赤血球に結合している  １２５Ｉ標識ＭＣＰ−１  の測定により、ペプチドのＤＡＲＣに対する会合定数を正確に見積もることが可能となる。
【０４２７】
また、ＤＡＲＣ特異性比も測定した。このＤＡＲＣ特異性比は、ＤＡＲＣとの会合について見積もられたＫａを生物学的活性についてのＥＤ５０で割ったものであると定義する。１よりも大きいＤＡＲＣ特異性比は、ペプチドがＤＡＲＣと不十分にしか会合せず、アンタゴニストまたはアゴニストのいずれかとして、ケモカインシグナリングの変更において、生物学的に利用可能であることを示す。約１のＤＡＲＣ特異性比は、ペプチドがＤＡＲＣおよびＴＨＰ−１  シグナリング受容体に同等の親和性で結合することを示す。従って、このようなペプチドをさらに改質すること無しには、このようなペプチドを（ケモカイン阻害剤として）生物学的に活性な濃度とするのが困難である。１よりも小さいＤＡＲＣ特異性比は、ＤＡＲＣに対する親和性が、ケモカインシグナリング受容体に対する親和性よりもはるかに大きいことを示す。
【０４２８】
ペプチド１［ＭＣＰ−１］（ＳＥＱ  ＩＤ  ＮＯ：２）（ケモカイン受容体には結合しないけれども、主にネガティブな様式で機能する）は、ＤＡＲＣへの結合をまったく示さなかった（見積もられたＫａは  １００μＭ  超であった）。著しく対照的に、弱いアゴニストであるペプチド２（１−１５）［ＭＣＰ−１］（ＳＥＱ  ＩＤ  ＮＯ：３）は、ＤＡＲＣへの高親和性結合を示した。ＴＨＰ−１細胞上のケモカイン受容体に対するペプチド２（１−１５）［ＭＣＰ−１］（ＳＥＱ  ＩＤ  ＮＯ：３）の会合定数を、２μＭ  において、競合結合分析を使用して見積もった。しかしながら、このペプチドは、赤血球を使用する競合結合分析によって評価しても、ＤＡＲＣに対する親和性が  ５００ｎＭ未満であった。従って、ペプチド２（１−１５）［ＭＣＰ−１］（ＳＥＱ  ＩＤ  ＮＯ：３）は、ＴＨＰ−１細胞のケモカイン受容体に結合するけれども、これらの受容体によるシグナリングを阻害せず、そしてさらにより強くＤＡＲＣに結合する（ＤＡＲＣ選択性比は  ０．１〜  ０．２である）。従って、ペプチド２は、マラリアの治療または予防（ＤＡＲＣ阻害を必要とするけれども、ケモカインシグナリングの変更を必要としない作用）のための好ましい治療薬である。
【０４２９】
ＤＡＲＣ受容体に対する非常に高い親和性を有するペプチド２（１−１５）［ＭＣＰ−１］（ＳＥＱ  ＩＤ  ＮＯ：３）などのペプチドは（インビトロでは単に弱いアゴニストまたは中性のアゴニストであるけれども）、生体内において、強い生物学的アゴニスト活性を有する。そのうえ、ペプチド２、その変形および誘導体は、生体内において前炎症性が強いか、または、ＤＡＲＣがケモカインに結合する機能を発揮することを妨げることによって、現存する炎症を強く悪化させる。循環系からケモカインを除去するためのシンクとしてＤＡＲＣが機能する場合、ペプチド２の存在により、ケモカインの濃度が著しく高まる。ケモカインが循環系中に放出されている条件下（例えば、炎症時）では、ペプチド２は炎症を悪化させ、そのペプチドが無い状態よりも長く炎症を持続させ、さもなくば、炎症反応の質的性状を変化させ得る。これらの理由のために、低いＤＡＲＣ特異性比を有するペプチドは、改良された免疫機能を必要とする状態、病理学的に不適当な炎症反応を特徴とする状態の治療に有用である。
【０４３０】
ＭＩＰ１−αは、大きな親和性をもってＤＡＲＣに結合しない唯一のケモカインであることが示されている。ペプチド２（１−９）［ＭＣＰ−１］が約５０μＭ  のダフィ式親和性を有していたのに対して、ペプチド２（１−１５）［ＭＩＰ１−α］（ＳＥＱ  ＩＤ  ＮＯ：５）は、ＭＩＰ１−α受容体のための有効な受容体結合剤であり、ＤＡＲＣに関する優秀な特異性を有していた。すなわち、ペプチド２（１−１５）［ＭＩＰ１−α］（ＳＥＱ  ＩＤ  ＮＯ：５）はＤＡＲＣに結合しなかった（会合定数が５０μＭ  より大きい）けれども、ＴＨＰ−１細胞上のケモカイン受容体には強く結合した（会合定数は  １００〜  ９００ｎＭであり、結合部位の数は細胞あたり約  １５０，０００である）。そのうえ、この薬剤は、ＭＣＰ−１、ＭＩＰ１−α、ＩＬ−８、またはＳＤＦ１−αによって誘起されるＴＨＰ−１細胞遊走を阻害しない。従って、この後者の薬剤は、生体内における中性のケモカイン受容体結合剤として特に有用であり、ＤＡＲＣに関する選択性が高い。
【０４３１】
ペプチド３（１−１２）［ＭＣＰ−１］（ＳＥＱ  ＩＤ  ＮＯ：１）は、ケモカイン受容体に結合するのと同等の親和性（低いμＭ  の濃度範囲）でＤＡＲＣに結合するけれども、ＤＡＲＣにも結合する。Ｌｅｕ４  Ｉｌｅ１１ペプチド３（１−１２）［ＭＣＰ−１］（ＳＥＱ  ＩＤ  ＮＯ：１４）は、およそ１μＭ  の濃度においてＭＣＰ−１  誘起遊走を阻害するけれども、ＤＡＲＣ結合力が本質的にまったく無い（かつ、ＴＨＰ−１細胞上の受容体に対して少なくとも２０倍の選択性を有する）。従って、Ｌｅｕ４  Ｉｌｅ１１ペプチド３（１−１２）［ＭＣＰ−１］（ＳＥＱ  ＩＤ  ＮＯ：１４）などのペプチド３誘導体は、生体内においてアンタゴニスト特性を達成することができる。
【０４３２】
ペプチド３［ＭＣＰ−１］のより短い断片（例えば、ペプチド３（７−１２）［ＭＣＰ−１］（ＳＥＱ  ＩＤ  ＮＯ：９））は、ペプチド３（１−１２）［ＭＣＰ−１］（ＳＥＱ  ＩＤ  ＮＯ：１）についての  １．０に対して、段々により高いＤＡＲＣ特異性比を示した（ペプチド３（７−１２）［ＭＣＰ−１］（ＳＥＱ  ＩＤ  ＮＯ：９）については約  ３．０であった）。このことは、ケモカインシグナリング受容体特性が望まれる場合には、一般に、ケモカインのアンタゴニスト活性またはアゴニスト活性を十分に保持している、より短いペプチド断片が、全長ペプチドよりも好ましいことを示している。
【０４３３】
ペプチド３（１−１２）［ＭＣＰ−１］（ＳＥＱ  ＩＤ  ＮＯ：１）（ＤＡＲＣ特異性比は１．００である）は、生体内におけるパン−ケモカイン阻害剤として有用でありそうもないけれども、Ｌｅｕ４  Ｉｌｅ１１ペプチド３［ＭＣＰ−１］（ＳＥＱ  ＩＤ  ＮＯ：１４）（ＤＡＲＣ特異性比は  ３７．８３である）、または、ＤＡＲＣには弱く結合する（会合定数は９０μＭ  である）けれども、ＴＨＰ−１細胞上のケモカイン受容体には非常に強く結合する（会合定数は  １００〜  ５００ｎＭであり、結合部位の数は細胞あたり約  １５０，０００である）その誘導体（例えばＣＲＤ−Ｃｙｓ１３Ｌｅｕ４  Ｉｌｅ１１ペプチド３（３−１２）［ＭＣＰ−１］）は、アテローム性動脈硬化症、骨粗鬆症、および自己免疫性疾患、およびＨＩＶ感染のための好ましい態様である（ケモカインシグナリング受容体結合機能）。そのうえ、ＣＲＤ−Ｃｙｓ１３Ｌｅｕ４  Ｉｌｅ１１ペプチド３（３−１２）［ＭＣＰ−１］）は、非常に類似のＥＤ５０を有しつつ、ＭＣＰ−１、ＭＩＰ１−α、ＩＬ−８、およびＳＤＦ１によって誘起されるＴＨＰ−１細胞遊走を阻害した。
【０４３４】
ＣＲＤ−ペプチド２（１−１５）［ＭＣＰ−１］は、ＬＦＬ誘導体と比較して、より多くの機能的潜在力、より低いダフィ式結合活性を有する。ＬＲＤペプチド２（１−１５）［ＭＣＰ−１］は、ダフィ式結合がおよそ  １００倍少なかった（ＬＦＬについての  １００μＭ  に対して２５μＭ  であった）。
【０４３５】
生物学的に利用可能な薬剤を調製するための代替法は、ケモカインの非ペプチド類似体の調製である（以下の例１７〜２２を参照されたい）。本発明の典型的な非ペプチド類似体には、ＷＩＱの同配体（例えば、ＺがＣＨ３  であり、ＹがＯであり、ＸがＣＨ３  であり、そしてＡｒがインドリルである、式（ＩＶ）の化合物）が含まれる。この化合物は、ＤＡＲＣには結合しなかった（会合定数は３０μＭ  以上であった）けれども、ＴＨＰ−１細胞上のケモカイン受容体には非常に強く結合した（会合定数は  １００ｎＭ〜１μＭ  であり、結合部位の数は細胞あたり約  １５０，０００であった）。この薬剤は、非常に類似のＥＤ５０を有しつつ、ＭＣＰ−１、ＭＩＰ１−α、ＩＬ−８、およびＳＤＦ１−αによって誘起されるＴＨＰ−１細胞遊走を阻害した。
【０４３６】
他の好ましい類似体にはＷｘＱの類似体が含まれる。例えば、ｘがＧｌｙ（Ｈ）、Ａｌａ（Ｍｅ）、ＥｔＧｌｙ（エチル）、Ｖａｌ（イソプロピル）、Ｉｌｅ（イソブチル）およびａｌｌｏＩｌｅ（アロイソブチル）である系列を使用したところ、もっとも活性の高い化合物はもっとも小さいアルキル側鎖を有するもの（ＧｌｙおよびＡｌａ）であり、Ｉｌｅがもっとも活性が低い傾向がある（すなわち、ＷＧＱ＞ＷＡＱ≫ＷＥｔＧ＝ＷＶＱ＝ＷＡｌｌｏＩＱ＞ＷＩＱ）ことが見出された。
【０４３７】
【表１２】
2005506947.tif 000049
【０４３８】
脚注
ａ  「ＣＣ特異性」とは、ＳＤＦ１およびＩＬ−８に対する平均阻害性ＥＤ５０をＭＣＰ−１およびＭＩＰ１−αに対する平均阻害性ＥＤ５０で割ったものである。
【０４３９】
ｂ  「ダフィ式選択性」とは、赤血球への結合について見積もられたＫａを各々のケモカインに対する平均阻害性ＥＤ５０で割ったものである（ペプチド２については除く。以下の脚注ｄを参照されたい）。
【０４４０】
ｃ  「平均ＥＤ５０」とは、各々のケモカインによって誘起されるＴＨＰ−１遊走の阻害についての平均阻害性ＥＤ５０である（ペプチド２については除く。以下の脚注ｅを参照されたい）。
【０４４１】
ｄ  ペプチド２系については、「平均ＥＤ５０」は、ＴＨＰ−１細胞への結合について見積もられたＫａである。
【０４４２】
ｅ  ペプチド２系については、「ダフィ式選択性」は、赤血球への結合についてのＫａをＴＨＰ−１細胞についてのＫａで割ったものとして計算される。
【０４４３】
ｆ  この印が付いているトリペプチド誘導体については、当該ペプチドが、４種の典型的なケモカインの１種に対して非常に特異的である。これらの場合、示されているＥＤ５０は、上記ケモカインの阻害についてのものである。
【０４４４】
ｎ．ｄ．＝測定されていない。
略語
ＣＲＤ＝環状の逆Ｄ誘導体
ＬＲＤ＝線状の逆Ｄ誘導体
ＣＦＬ＝標準的なＬ型ペプチドの環状誘導体
ＬＦＬ＝標準的な線状Ｌ型ペプチド［注意：特に述べない限り、すべてのペプチドはＬＦＬである］
イタリック体のアミノ酸はＤ型アミノ酸であり、他のすべてはＬ型である。
【０４４５】
−−＝この印が付いている２つのシステインの環化結合
例４
本発明のトリペプチド治療薬の調製およびキャラクタリゼーション
ペプチド３（１−１２）［ＭＣＰ−１］の断片が生物学的活性を有しているかどうかを特定するために、ペプチド３の断片を調製した。ペプチド３（１−１２）［ＭＣＰ−１］（すなわち、ＷＶＱ）は、試験したすべてのケモカインの有効な阻害剤であることが見出された（表ＶＩ）。ＳＤＦ１は配列ＷＩＱを有するけれども、多くの他のケモカイン（例えば、ＭＣＰ−３、ＭＩＰ１−α、ＭＩＰ１−β、ＲＡＮＴＥＳ、ＥＯＴＡＸＩＮ、およびＩＬ−８）においては、１０−１２位（ＷＶＱ）のアミノ酸残基が保存される。ＷＶＱは、ペプチド３（１−１２）［ＭＣＰ−１］（ＳＥＱ  ＩＤ  ＮＯ：１）とは異なり、ＭＣＰ−１以外のすべてのケモカインのより有効な阻害剤であり、およそ１μＭ  のＥＤ５０を有していたけれども、試験した典型的なケモカインの４種すべてを阻害した。従って、これらのペプチド（ＷＶＱおよびＷＩＱ）並びにこれらのトリペプチドをベースとする非ペプチド類似体は、全特異性ケモカイン阻害剤である。そのうえ、ＷＶＱは良好なＤＡＲＣ選択性を有する（すなわち、１０の選択性）ことが見出された。
【０４４６】
ペプチド３（７−９）［ＭＣＰ−１］（すなわち、ＫＱＫ）は、ＤＡＲＣに結合しなかった（会合定数は５０μＭ  以上であった）けれども、ＴＨＰ−１細胞上のケモカイン受容体には非常に強く結合した（会合定数は  ５００ｎＭ〜１μＭ  であり、結合部位の数は細胞あたり約  １５０，０００であった）。この薬剤は、ＭＣＰ−１によって誘起されるＴＨＰ−１細胞遊走を阻害した得れども、ＭＩＰ１−α、ＩＬ−８、またはＳＤＦ１−αによって誘起されるＴＨＰ−１細胞遊走は阻害しなかった。従って、２〜５μＭ  のＥＤ５０を有するＫＱＫは、ＭＣＰ−１の特異的な阻害剤であることが見出された（すなわち、たとえ  １００μＭ  においてさえも、ＭＩＰ１−α、ＳＤＦ１−α、またはＩＬ−８によって誘起される活性にはまったく影響を及ぼさなかった）。４種のトリペプチドおよびランダムな配列のジペプチド（ＲＧＤ、ＧＧＲ、ＴＴＴ、ＡＰＧ、およびＶＥ）もまた試験した。これらはいずれも、上記ケモカインのいずれによって誘起された遊走を大きく阻害しなかった。従って、このトリペプチドＫＱＫは、ＭＣＰ−１活性の阻害に対して特異的であり、試験したすべてのケモカインよりも、ＭＣＰ−１に対して  １００倍を超える特異性を示した。
【０４４７】
次に、ケモカイン配列において保存されるシステイン酸基の配列に基づく、ＭＩＰ１−α、ＳＤＦ１−α、およびＩＬ−８からのＫＱＫのトリペプチド当量を、ケモカインによって誘起されるＴＨＰ−１遊走のそれらによる阻害について試験した。各々の場合において、トリペプチドは、その同源のケモカインに対して非常に特異的であった（各々の場合における特異性が  １００倍を超える）。例えば、ＳＥＥ（ＭＩＰ−αからの同源ペプチド）は、他のケモカインよりも、ＭＩＰ−αに対して  １００倍を超える特異性を示した。そのうえ、ＫＬＫはＳＤＦ１の特異的かつ有効な阻害剤であり、ＫＥＮはＩＬ−８の特異的かつ有効な阻害剤であった。保存的置換基が作られるトリペプチドは近縁のトリペプチドと同じ特異性を有し得ることが想定される。そのうえ、他のケモカインにおける対応するトリペプチドは、それらの同源ケモカインに対して特異的であり得る。
【０４４８】
【表１３】
2005506947.tif 000050
【０４４９】
示されている各々のペプチド（ＷＶＱを除く）について、各数値は、  １００μＭ  の濃度のそのトリペプチドによる、その化学的誘引剤によって誘起される遊走の阻害率を示す（２回の実験の平均±範囲）。ダッシュは、統計的に有意な遊走の低減が無いことを示す（化学的誘引剤およびトリペプチドのすべての組み合わせを試験した）。トリペプチドＷＶＱは、試験したすべての化学的誘引剤に応ずる遊走を阻害した。このトリペプチドについて示した数値は、阻害についてのＥＤ５０である（少なくとも２回の測定の平均）。示したトリペプチドはいずれも、  １００μＭ  におけるＴＧＦ−β１によって誘起された遊走を阻害しなかったことに注目されたい。太字の値は、各々のペプチドが誘導された元となる化学的誘引剤によって誘起された遊走の、各々のペプチドによる阻害を示す（すなわち、例えばＫＱＫはＭＣＰ−１から誘導された）。
【０４５０】
ａ  ＤＡＲＣに結合するＫＱＫの親和性定数は１５μＭ  である。
【０４５１】
ｂ  ＭＣＰ−１によって誘起される遊走を阻害するＫＱＫについてのＥＤ５０は７μＭ  である。
【０４５２】
ｃ  ＤＡＲＣに結合するＷＶＱの親和性定数は２μＭ  である。
例５
生体内における薬動力学および毒性
３Ｈ−Ｄ−Ａｌａペプチド３（１−１２）［ＭＣＰ−１］（  ３Ｈ−Ｄ−ＡｌａをＡｓｐに結合させた）を静脈内（ＩＶ）ボーラスまたは皮下（ＳＱ）ボーラスとしてマウスに与えた場合、血清濃度は１時間以内にピークに達した。この放射性識別ペプチドは、主に腎臓を介して、速やかに排出された（およそ４時間）。生体分布データは、主たる標的器官は腎臓であり、血液、肝臓および腸においてははるかに少量しか検出されなかったことを示した。  ３Ｈ−Ｄ−Ａｌａペプチド３（１−１２）［ＭＣＰ−１］（ＤＡＲＣ結合が無く、速やかに取り除かれた）とＣＲＤ−Ｌ−Ｌｅｕ４  Ｉｌｅ１１Ｃｙｓ１３ペプチド３（３−１２）［ＭＣＰ−１］（ダフィ結合が弱く、血清半減期が良好であった）との直接比較は、本発明の薬剤が他の薬剤の半減期を増大させるのに特に有用であり得ることを示している。
【０４５３】
変形ＬＤ５０技法を使用して、ＣＲＤ−Ｌ−Ｌｅｕ４  Ｉｌｅ１１Ｃｙｓ１３ペプチド３（３−１２）［ＭＣＰ−１］についてのマウス静脈内ＬＤ５０値を測定した。この  ＬＤ５０は１１．４ｍｇ／マウスＩＶであった（これは  ５６９ｍｇ／ｋｇである）。これは、喘息モデルまたは内毒素血症モデルのいずれかにおいて見られる有効量の１０倍多い（以下の例を参照されたい）。１１ｍｇの腹腔内投与では死に至らなかった。組織学的には、毒性は腎臓およびリンパ組織に限られた。
【０４５４】
致死量においては、脾臓および腸に付随するリンパ組織において、リンパ球のアポトーシスが見られた。律速毒性は腎臓に対するものであった。急性腎細管性ネフローゼにおいて、量依存性増大があった。これは、腎臓によって非常に速やかに（１回目のパスで）排出される、より低分子量のペプチドの大量静脈内ボーラス（  ５６９ｍｇ／ｋｇ）に起因するものと思われる。挫傷または大規模溶血後のミオグロビンまたはヘモグロビンの大規模放出を伴う患者においては、急性管状組織ネフローゼも見られる。
【０４５５】
生体内における１または１０ｍｇのＣＲＤ−Ｌ−Ｌｅｕ４  Ｉｌｅ１１Ｃｙｓ１３ペプチド３（３−１２）［ＭＣＰ−１］の急性ラット毒性研究の生体実験段階を使用したところ、試験薬剤投与に伴う臨床的に検出可能な変化は、１０ｍｇまでの量においては見出されなかった。すなわち、すべての動物がずっと臨床的に正常なままであった。血清化学、ＣＢＣ、尿分析、屍検、または組織学において、量依存性変化または臨床的に有意な変化は見られなかった。約４３μｇ／時のＣＲＤ−Ｌ−Ｌｅｕ４  Ｉｌｅ１１Ｃｙｓ１３ペプチド３（３−１２）［ＭＣＰ−１］を連続的に７日間（  ７．２ｍｇ）送出する浸透小型ポンプの皮下埋め込み術を用いる、ラットにおける７日間反復量毒性研究において、処理された動物における血清化学、ＣＢＣ、尿分析、屍検、または組織学において、量依存性変化または臨床的に有意な変化は見られなかった。
【０４５６】
従って、毒性研究により、ＣＲＤ−Ｌ−Ｌｅｕ４  Ｉｌｅ１１Ｃｙｓ１３ペプチド３（３−１２）［ＭＣＰ−１］は、効力を示す量の１０倍を超える量で、齧歯類において安全であることが示されている（以下を参照されたい）。従って、有効な全ケモカイン阻害剤の全身投与は、急性または慢性（７日間まで）の副作用を伴わない。ゆえに、ケモカインの全阻害は、新規な抗炎症治療のための生存可能な戦略である。
【０４５７】
例６
ラット皮膚炎モデルにおける本発明のＣＲＤ−ペプチドの使用
ラットのリポ多糖類（ＬＰＳ）−及びＭＣＰ−誘発皮膚炎の予防において、本発明の薬剤の効力を評価するために、ＣＲＤ−Ｌｅｕ４Ｉｌｅ１１Ｃｙｓ１３ペプチド３（３−１２）［ＭＣＰ−１］の３種類の投与量を投薬した。内毒素を含まないリン酸緩衝された食塩ビヒクルと一緒に５００ｎｇ  ＭＣＰ−１又は１００ｎｇ  ＭＣＰ−１を、皮下（腹部）注射し（陰性対照として）、そしてバクテリアリポ多糖類（ＬＰＳ、陽性対照として）を皮下注射することによって、炎症反応を顕在化させた。各物質を異なる部位に注射した。動物から得られた結果を、ＣＲＤ−Ｌｅｕ４Ｉｌｅ１１Ｃｙｓ１３ペプチド３（３−１２）［ＭＣＰ−１］処置され、そしてＰＢＳ（希釈剤対照）処置された動物と比較した。皮膚内作用薬の投与の前３０分に、パン−ケモカイン抑制剤ＣＲＤ−Ｌｅｕ４Ｉｌｅ１１Ｃｙｓ１３ペプチド３（３−１２）［ＭＣＰ−１］の、静脈内使用投与量（３、３０又は３００ｍｇ）及び皮下蓄積投与量（０．１、１又は１０ｍｇ）（背側に）を受けた（例えば、図１２を参照されたい）。注射後、２０〜２４時間で動物を犠牲にした。血清と尿を集めた。作用薬注射した皮膚部位を集め、二分し、炎症反応の範囲を、例えば、３μｇ／ｍＬ、一晩、４℃で、ＭＣＰ−１注射後、皮膚内の単核細胞／マクロファージの数を、抗ＣＤ１４（Ｓｅｒｏｔｅｃ製ＭＣＡ３４２；クローンＥＤ２）を用いて測定する、病理学検査と定量免疫螢光検査（固定及び凍結）によって評価した。第二抗体は、室温で６時間、２８μｇ／ｍＬでの抗マウスＦＩＴＣ（Ｊａｋｓｏｎ  ＩｍｍｕｎｏＲｅｓｅａｒｃｈ製４１５−０９６−１００）であった。さらに、ＣＲＤ−Ｌｅｕ４Ｉｌｅ１１Ｃｙｓ１３ペプチド３（３−１２）［ＭＣＰ−１］の毒性を、組織分析のための１０％中性に緩衝されたホルマリン中の組織試料：肺、肝臓、腎臓、脾臓、胸腺、心臓及び拮抗薬（試験薬）注射部位を集めることによって評価した。
【０４５８】
典型的な試験結果を図７Ａ及び７Ｂに示す。ＣＲＤ−Ｌｅｕ４Ｉｌｅ１１Ｃｙｓ１３ペプチド３（３−１２）［ＭＣＰ−１］での全身処置は、ＭＣＰ−１誘発された単核細胞／マクロファージの漸増を完全に破壊した。これは、この薬剤を使った試験官内で見られるＭＣＰ−１誘発されたミグレーションの効力のある抑制と一致した。さらに、ＣＲＤ−Ｌｅｕ４Ｉｌｅ１１Ｃｙｓ１３ペプチド３（３−１２）［ＭＣＰ−１］は、ＰＢＳ単独を受けた部位、そしてまた未処置皮膚の常在組織単核細胞／マクロファージの数を減少させた。このことは、ＣＲＤ−Ｌｅｕ４Ｉｌｅ１１Ｃｙｓ１３ペプチド３（３−１２）［ＭＣＰ−１］を用いた単独処置後２４時間内の単核細胞／マクロファージ漸増の全身低下変動率と一致する。反対に、以下に記載する実験では、Ｄ−ａｌａ誘導体（図１３）は、ミグレーションアッセイでのその試験官内活性の欠乏に従って、試験官内で効力を有しなかった（ｐ＝０．７５４）。
【０４５９】
注射された細菌性ＬＰＳに反応する漸増した単核細胞／マクロファージの数の実質的な減少（＞８０％）も認められた。ＬＰＳは、５００ｎｇ投与量においても、ＭＣＰ−１よりも強力なマクロファージ漸増誘発物質であった。前述の実験は、ＴＮＦ−αに対する抗体の中和化が、ＬＰＳ誘発炎症を大きく低下させたので、ＬＰＳ媒介マクロファージ蓄積は、ＴＮＦ−α（非ケモカイン化学誘因物質）に大きく依存することを示唆した。しかし、内毒素血症モデル（例１０）では、ＣＲＤ−Ｌｅｕ４Ｉｌｅ１１Ｃｙｓ１３ペプチド３（３−１２）［ＭＣＰ−１］は、血しょうＴＮＦ−αのＬＰＳ誘発増加を大きく低下させ、ケモカインがＴＮＦ−αの誘発の役割を果たすことができ、ケモカイン信号化及びＴＮＦ−α信号化が、最大のＬＰＳ−誘発炎症のために必要となることができることを教示する。
【０４６０】
ＭＣＰ−１は、単核細胞／マクロファージ化学誘因物質としてかなり特効が有るけれども、ＬＰＳの皮下注射は、広範囲の白血球（Ｔ細胞及びＢ細胞並びに好中球を含む）の漸増を誘発する。ラットＢ細胞（Ｓｅｒｏｔｅｃ製ＭＣＡ１４３２）に対する特定の抗体を、１０μｇ／ｍＬ、一晩、４℃で用いて、ＣＲＤ−Ｌｅｕ４Ｉｌｅ１１Ｃｙｓ１３ペプチド３（３−１２）［ＭＣＰ−１］が、この白血球部分集団の漸増に影響を与えたかどうかを測定した。第二の抗体は、マウスＦＩＴＣ（Ｊａｋｓｏｎ  ＩｍｍｕｎｏＲｅｓｅａｒｃｈ製４１５−０９６−１００）であった。単核細胞／マクロファージに関して、ＣＲＤ−Ｌｅｕ４Ｉｌｅ１１Ｃｙｓ１３ペプチド３（３−１２）［ＭＣＰ−１］は、ＬＰＳ注射部位に対するＢ細胞の漸増を実質的に抑制した（図７Ｂ）。
【０４６１】
別の実験では、ラットの３つの群（ｎ＝５）を、ＰＢＳ、「不活性」ペプチド３（図３に示すＤ−ａｌａ誘導体）、又はＣＲＤ−Ｌｅｕ４Ｉｌｅ１１Ｃｙｓ１３ペプチド３（３−１２）［ＭＣＰ−１］（２００μＬ皮下中１０ｍｇ）を用いて皮下注射した。３０分後、ＰＢＳ、５０ｎｇ  ＬＰＳ及び５００ｎｇ  ＭＣＰ−１を、各ラットの腹側腹部の３つの別個の部位に注射した。２４時間後に動物を犠牲にし、皮膚内部位を切除し、ＯＣＴ  包埋媒体中で凍結した。５μｍ切片標本を、各ラットの皮膚内部位から集め、−２０℃で保存した。単核細胞（抗ラットＣＤ１４、Ｓｅｒｏｔｅｃ）、Ｔ細胞、好中球（抗ラット顆粒球、Ｈａｒｌａｎ  Ｓｅｒａｌａｂ）、Ｂリンパ球（抗ラットＢ細胞、Ｓｅｒｏｔｅｃ）、並びにＭＣＰ−１、ＩＬ−８、及びＴＮＦ−α（抗マウスＴＮＦ−α、Ｒ及びＤ系）を測定した。８個の試験切片標本及び２個の対照切片標本を、２．５ｍｍの距離をとおして、各動物の各部位のところを染色した。染色の最大変動は、一つの標本中よりも標本間であるので、ＮＩＨ画像を用いて各動物及び各群において、中央値パーセンテージ領域を測定した。
【０４６２】
図１４のパネルＡは、単核細胞のラットスキン表面パトロールの通常レベルを示す。ＭＣＰ−１を５００ｎｇ、ラット腹部に注射すると、単核細胞染色の著しい増加がある（図１４、パネルＢ）。ＰＢＳ（即ち、対照ペプチド）で処置すると、これらのレベルは変わらないままである。しかし、ラットを１０ｍｇのＣＲＤ−Ｌｅｕ４Ｉｌｅ１１Ｃｙｓ１３ペプチド３（３−１２）で処置すると、炎症反応は破壊される（図１４のパネルＣ及びＤ）。
【０４６３】
ＬＰＳ炎症部位（合計で３匹のラット）由来の切片標本を、定量免疫螢光検査法を用いるプロ−炎症サイトカイン及び細胞浸潤のために染色した。好中球、単核細胞、ＣＤ４＋Ｔリンパ球、及びＢリンパ球のための特定の抗体を用いると、データは、ＰＢＳ及び不活性ペプチド対照と比較して、各場合において各細胞タイプのために染色された中央値パーセンテージ領域が破壊されたことを示した（図１５）。さらに、ＴＮＦ−α、ＩＬ−８、及びＭＣＰ−１を、同じ切片標本で測定すると、ＴＮＦ−α、ＩＬ−８、及びＭＣＰ−１も、ラットを活性ペプチド（パン−ケモカイン抑制剤）で処置すると実質的に減少した。さらに、いくつかの群は、種々の個々のケモカインに対する抗体の中和化を用いると、マウス内毒素血症モデルにおけるＬＰＳ炎症反応を変えなかったことを示した。従って、複数ケモカインが炎症反応経路においてＴＮＦ−αの上流に位置し、それらの単独での抑制は、ＴＮＦ−αに上向き変動を抑制しないが、同時に複数の抑制（例えば、本発明のパン−ケモカイン抑制剤に対する反応）が、ＴＮＦ−αの上向き変動を抑制又は破壊する。
【０４６４】
従って、ＣＲＤ−Ｌｅｕ４Ｉｌｅ１１Ｃｙｓ１３ペプチド３（３−１２）［ＭＣＰ−１］並びに他のペプチド３誘導体、類縁物及び変異体の抗−炎症効果は、マクロファージ（単核細胞）蓄積の低下又は抑制に限定されず、他の白血球サブセット（例えば、Ｂ細胞、好中球、及びＣＤ＋Ｔリンパ球）も抑制し、さらに、損傷内レベルのＴＮＦ−α、ＩＬ−８及びＭＣＰ−１を抑制した。
【０４６５】
例７
ネズミの内毒素血症モデルにおける本発明のＣＲＤ−ペプチドの使用
マウス内毒素血症モデルを用いて、迅速様式での試験官内機能性抗炎症活性のために本発明の薬剤をスクリーニングした。雌ＣＤ−１マウスに、５８３μｇ  ＬＰＳを用いて、最初の場所（腹側腹部）に注射した。そして、ＴＮＦ−α、ＩＦＮ−γ、ＩＬ−４及びＭＣＰ−１並びに炎症反応の他のマーカーのｍＲＮＡ及びプロテインレベルを測定した。ＬＰＳ投与の３０分前に、ＣＲＤ−Ｌｅｕ４Ｉｌｅ１１Ｃｙｓ１３ペプチド３（３−１２）［ＭＣＰ−１］の３種類の投与量の一つを、静脈内使用投与量及び皮下ボルス投与量（背中）として投与した。ＬＰＳ投与をしたＰＢＳ処置動物とＬＰＳ投与をしないＰＢＳ処置動物が陽性対照と陰性対照であった。２時間後、動物を安楽死させ血清を集めた。血清をセルペレットから分離し、サイトカインレベルのＥＬＩＳＡ分析まで凍結した。ｍＲＮＡ分析と組織病理学のために肺及び肝臓サンプルを集めた。ＣＲＤ−Ｌｅｕ４Ｉｌｅ１１Ｃｙｓ１３ペプチド３（３−１２）［ＭＣＰ−１］は、血清ＴＮＦ−αの投与量依存減少を実証した。ＩＬ−４、ＩＦＮ−γ及びＭＣＰ−１の血清レベル並びにｍＲＮＡレベルを測定した。
【０４６６】
血清ＭＣＰ−１及び肝臓ＭＣＰ−１  ＲＮＡのレベルは、ＣＲＤ−Ｌｅｕ４Ｉｌｅ１１Ｃｙｓ１３ペプチド３（３−１２）［ＭＣＰ−１］による変調無しにＬＰＳ処置された動物では上昇した。血清ＩＬ−４及びＩＦＮ−γ並びに肝臓ＩＬ−４  ＲＮＡのレベルは、全ての動物で低下したか、検出されなかった。肝臓ＩＦＮ−γＲＮＡは、ＬＰＳ処置した全ての動物で増加した。ＣＲＤ−Ｌｅｕ４Ｉｌｅ１１Ｃｙｓ１３ペプチド３（３−１２）［ＭＣＰ−１］処置した動物の血清ＴＮＦ−αでは、投与量依存性があり、高投与量群では、統計学的有意性に到達した。肝臓ＴＮＦ−α  ＲＮＡはＬＰＳ処置した全ての動物で高かった。
【０４６７】
従って、ＣＲＤ−Ｌｅｕ４Ｉｌｅ１１Ｃｙｓ１３ペプチド３（３−１２）［ＭＣＰ−１］処置したマウスは、ＴＮＦ−αレベルでの変化によって免疫反応を変調できる。
【０４６８】
例８
正常なサル及びマウス並びにネズミ喘息モデルにおける本発明のＣＲＤ−ペプチドの使用
ＣＲＤ−Ｌｅｕ４Ｉｌｅ１１Ｃｙｓ１３ペプチド３（３−１２）［ＭＣＰ−１］の投与量を増加すると、正常なマウスの肺内の細胞数及び細胞タイプが変わるかどうかを決定するために、ＣＲＤ−Ｌｅｕ４Ｉｌｅ１１Ｃｙｓ１３ペプチド３（３−１２）［ＭＣＰ−１］を使って、静脈内、静脈内及び気管内、又は気管内単独注射を行った。注射後２０〜２４時間でマウスを犠牲にした。細胞の分離のために肺を集め、その後計数し、ＣＤ３、ＣＤ４、ＣＤ８、Ｂ２２０及びＭａｃ−１のために表面染色することによって特徴付けした。肺から分離された細胞の総数は、ＰＢＳ処置したマウスと比較して、ＣＲＤ−Ｌｅｕ４Ｉｌｅ１１Ｃｙｓ１３ペプチド３（３−１２）［ＭＣＰ−１］を低投与量（０．３μｇ  ＩＶ及び／又は１０μｇ  ＩＴ）受けた全ての群において高かった。ＰＢＳ対照と比較して、ＣＲＤ−Ｌｅｕ４Ｉｌｅ１１Ｃｙｓ１３ペプチド３（３−１２）［ＭＣＰ−１］を高投与量処置したマウスの肺から分離された細胞の総数においては大きな差は無かった。
【０４６９】
ＦＡＣＳ分析によると、高投与量ＣＲＤ−Ｌｅｕ４Ｉｌｅ１１Ｃｙｓ１３ペプチド３（３−１２）［ＭＣＰ−１］は、ＰＢＳ対照と比較して、投与の全ての経路によるＣＤ３、ＣＤ４、及びＢ２２０細胞の比率を大きく低下させた。反対に、投与の全ての経路において、低投与量ＣＲＤ−Ｌｅｕ４Ｉｌｅ１１Ｃｙｓ１３ペプチド３（３−１２）［ＭＣＰ−１］で処置された群のＣＤ３、ＣＤ４、又はＢ２２０細胞の比率に大きな差は無かった。
【０４７０】
さらに３つの実験によって、オバルブミンを気管内攻撃されたマウスの肺と血液の、肺疾患炎症性浸潤の低下、ＩｇＥ抗体増加の抑制、及び特定の炎症性細部の比率変更のために、ＣＲＤ−Ｌｅｕ４Ｉｌｅ１１Ｃｙｓ１３ペプチド３（３−１２）［ＭＣＰ−１］の二種類の投与量増加の能力を評価した。Ｇｏｎｚａｌｏ等のＪ．  Ｃｌｉｎ．  Ｉｎｖｅｓｔ，  ９８，２３３２（１９９６）；  Ｇｏｎｚａｌｏ等のＪ．  Ｅｘｐ．  Ｍｅｄ．，  １８８，  １５７（１９９８）を参照されたい。
【０４７１】
最初の実験では、ケモカイン抑制剤を感作前とその後の攻撃前の両方に適用した。腹膜内の１００μＬ  ＰＢＳ（希釈剤対照）中オバルブミン（ＯＶＡ）０．１ｍｇを用いてマウスを感作した。感作後８日目に、マウスは、パン−ケモカイン抑制剤ＣＲＤ−Ｌｅｕ４Ｉｌｅ１１Ｃｙｓ１３ペプチド３（３−１２）［ＭＣＰ−１］の静脈内使用投与量（０．３又は３０μｇ）及び皮下（ｄｅｐｏ）投与量（１０μｇ又は１ｍｇ）を受けた。ＣＲＤ−Ｌｅｕ４Ｉｌｅ１１Ｃｙｓ１３ペプチド３（３−１２）［ＭＣＰ−１］投与の３０分後、気管内に１％オバルブミン又はＰＢＳ（希釈剤対照）でマウスを攻撃した。感作後２１日目に、マウスは、パン−ケモカイン抑制剤ＣＲＤ−Ｌｅｕ４Ｉｌｅ１１Ｃｙｓ１３ペプチド３（３−１２）［ＭＣＰ−１］の第二の静脈内使用投与量（０．３又は３０μｇ）及び皮下投与量（１０μｇ又は１ｍｇ）を受けた。ＣＲＤ−Ｌｅｕ４Ｉｌｅ１１Ｃｙｓ１３ペプチド３（３−１２）［ＭＣＰ−１］投与の３０分後、気管内に２％オバルブミン又はＰＢＳ（希釈剤対照）でマウスを攻撃した。２１日目のオバルブミン攻撃後３時間で、マウスを犠牲にした。組織検査並びに総細胞数計数微及びＦＡＣＳ分析のための細胞分離のために、肺を集めた。ＦＡＣＳ分析のためにＰＢＬを集めた。
【０４７２】
ＦＡＣＳ分析によると、ＯＶＡ攻撃の前にＰＢＳを受けたマウスと比較して、ＣＲＤ−Ｌｅｕ４Ｉｌｅ１１Ｃｙｓ１３ペプチド３（３−１２）［ＭＣＰ−１］の２種類の投与量（０．３  ＩＶ／１０μｇ静脈内又は３０μｇ  ＩＶ／１ｍｇ皮下）で処置したマウスの肺中のＣＤ３、ＣＤ４、Ｂ２２０及びＭａｃ−１細胞の数が大きく低下した。ＣＤ８細胞の比率は全ての群で同じであった。さらに、ＣＲＤ−Ｌｅｕ４Ｉｌｅ１１Ｃｙｓ１３ペプチド３（３−１２）［ＭＣＰ−１］マウスの肺から分離された細胞の総数はＰＢＳ処置したマウスと同じであったが、ＯＶＡとＰＢＳで処置したマウスより著しく少なく、この薬剤が肺中の炎症性細胞のトラフィッキングを変えたことを示唆した。血液中では、ＯＶＡ処置マウス（陽性対照）とＰＢＳ処置マウス（希釈剤対照）と比較して、ＣＲＤ−Ｌｅｕ４Ｉｌｅ１１Ｃｙｓ１３ペプチド３（３−１２）［ＭＣＰ−１］の２種類の投与量で処置したマウスのＣＤ３及びＣＤ４細胞の比率が著しく高く、Ｂ２２０の比率が低かった。高投与量処置されたマウスは、他の全ての群と比較して、ＰＢＬ区画ではＭａｃ−１細胞がより少なかった。
【０４７３】
組織学的には、高用量のＣＲＤ−Ｌｅｕ４Ｉｌｅ１１Ｃｙｓ１３ペプチド３（３−１２）〔ＭＣＰ−１〕で処置した全てのマウスは、ＰＢＳのみで処置したマウスと同様に肺における炎症性浸潤物が最小〜皆無であった。低用量のＣＲＤ−Ｌｅｕ４Ｉｌｅ１１Ｃｙｓ１３ペプチド３（３−１２）〔ＭＣＰ−１〕を投与したマウスも、ＰＢＳとＯＶＡで処置したマウスに比較して最小の炎症を有した。ＰＢＳ  ＯＶＡグループ（陽性対照）にのみ珍しい好酸球が観察されたが、これはＯＶＡ感作に対する予想通りの応答である。
【０４７４】
ＩｇＥレベルは他の全てのグループに比べてＰＢＳとＯＶＡで処置したマウスで有意に高かった。ＩｇＥは、ＣＲＤ−Ｌｅｕ４Ｉｌｅ１１Ｃｙｓ１３ペプチド３（３−１２）〔ＭＣＰ−１〕で処置したマウスの全グループでバックグラウンド以上には検出されなかった。よって、感作前とチャレンジ前のパン−ケモカイン阻害剤ＣＲＤ−Ｌｅｕ４Ｉｌｅ１１Ｃｙｓ１３ペプチド３（３−１２）〔ＭＣＰ−１〕による処置は、ＯＶＡに応答していずれかの炎症応答が起こるのを予防した。
【０４７５】
ＣＲＤ−Ｌｅｕ４Ｉｌｅ１１Ｃｙｓ１３ペプチド３（３−１２）〔ＭＣＰ−１〕が試験物質の非存在下で感作されたマウスにおいてＯＶＡに対する炎症応答を減少させることができるかどうかを調べるために、オボアルブミン誘発過敏症モデルにおいて第二の実験を行った。マウスを０．１  ｍｇのオボアルブミンまたはＰＢＳ（希釈剤対照）で腹腔内感作した。感作の８日後、マウスに皮下用量（１０．３μｇ，１０３μｇまたは１．０３  ｍｇ）のパン−ケモカイン阻害剤ＣＲＤ−Ｌｅｕ４Ｉｌｅ１１Ｃｙｓ１３ペプチド３（３−１２）〔ＭＣＰ−１〕を投与した。ＣＲＤ−Ｌｅｕ４Ｉｌｅ１１Ｃｙｓ１３ペプチド３（３−１２）〔ＭＣＰ−１〕投与から３０分後、マウスを１％オボアルブミンまたはＰＢＳ（希釈剤対照）で気管内チャレンジした。感作から１５日、１８日および２１日後、マウスに皮下用量（１０．３μｇ，１０３μｇまたは１．０３  ｍｇ）のパン−ケモカイン阻害剤ＣＲＤ−Ｌｅｕ４Ｉｌｅ１１Ｃｙｓ１３ペプチド３（３−１２）〔ＭＣＰ−１〕を投与した。ＣＲＤ−Ｌｅｕ４Ｉｌｅ１１Ｃｙｓ１３ペプチド３（３−１２）〔ＭＣＰ−１〕投与の３０分後、マウスを２１日目に２％オボアルブミンまたはＰＢＳで気管内チャレンジした。チャレンジ後３時間目にマウスを犠牲にした。組織病理学検査のためと全細胞計数とＦＡＣＳ分析用の細胞の単離のために肺を回収した。ＩｇＥおよびＩＬ−４レベルの測定のため血清を収集した。
【０４７６】
ＩｇＥ（６０％）、ＩＬ−４（８５％）、肺中の全細胞数（約５０％）およびマクロファージ（７４％）の用量依存性減少が観察された（図１６Ａ）。
【０４７７】
ＦＡＣＳ分析によると、ＯＶＡでのチャレンジ前にＰＢＳのみを投与したマウスに比べて、１００μｇのＣＲＤ−Ｌｅｕ４Ｉｌｅ１１Ｃｙｓ１３ペプチド３（３−１２）〔ＭＣＰ−１〕で処置したマウスでは肺中のマクロファージの比率が有意に低かった（図１６Ｂ）。よって、ＣＲＤ−Ｌｅｕ４Ｉｌｅ１１Ｃｙｓ１３ペプチド３（３−１２）〔ＭＣＰ−１〕はそれらの細胞の流入（ｔｒａｆｆｉｃｋｉｎｇ）を変更した。組織学的には、高用量または中用量のＣＲＤ−Ｌｅｕ４Ｉｌｅ１１Ｃｙｓ１３ペプチド３（３−１２）〔ＭＣＰ−１〕で処置した全てのマウスにおいて、該ペプチドで処置しなかったがＯＶＡでチャレンジしたマウス（陽性対照）に比較して、肺中の炎症性浸潤物が少なかった。ＰＢＳのみで処置したマウスは肺中の炎症が最小〜皆無であった。ＯＶＡでチャレンジした全てのマウスが肺に好酸球を有した。ＰＢＳのみで処置したマウス（陰性対照）と同様に、ＰＢＳとＯＶＡで処置したマウス（陽性対照）に比べてＣＲＤ−Ｌｅｕ４Ｉｌｅ１１Ｃｙｓ１３ペプチド３（３−１２）〔ＭＣＰ−１〕で処置したマウスではＩｇＥレベルが有意に低かった（図１６Ｂ）。同様に、血清ＩＬ−４レベルはマウスで有意に減少した（図１６Ｃ）。よって、ＯＶＡチャレンジ直前のＣＲＤ−Ｌｅｕ４Ｉｌｅ１１Ｃｙｓ１３ペプチド３（３−１２）〔ＭＣＰ−１〕による処置が、感作マウスにおけるＯＶＡに対する炎症性応答を有意に減少させる。
【０４７８】
第三の実験は、ＯＶＡで誘発される肺炎症を減少させるためのＣＲＤ−Ｌｅｕ４Ｉｌｅ１１Ｃｙｓ１３ペプチド３（３−１２）〔ＭＣＰ−１〕の毎日投与の効能を評価するものであった。マウスを試験物質の非存在下で腹腔内的に０．１  ｍｇのオボアルブミンまたはＰＢＳ（希釈剤対照）で感作した。初期感作から８日後、マウスを皮下経路により１０．３μｇもしくは１．０３  ｍｇのＣＲＤ−Ｌｅｕ４Ｉｌｅ１１Ｃｙｓ１３ペプチド３（３−１２）〔ＭＣＰ−１〕または１．０３  ｍｇの不活性Ｄ−ａｌａペプチドのいずれかで処置した。それらの処置は８日目から２１日目まで毎日行った。８日目に、処置から３０分後に１％オボアルブミンまたはＰＢＳにより気管内チャレンジした。１５，１８および２１日目に、処置から３０分後に２％オボアルブミンまたはＰＢＳにより気管内チャレンジした。２１日目に、オボアルブミンチャレンジの３時間後にマウスを犠牲にした。組織病理学検査のためと全細胞数およびＦＡＣＳ分析用の細胞の単離のために肺を回収した。エイコシノイドレベルの測定のため気管支肺胞洗浄液（ＢＡＬ）を収集した。ＩｇＥおよびＩＬ−４レベルの測定のため血清を収集した。サイトカインリコール応答のため脾臓を回収した。
【０４７９】
低用量（１０．３μｇ）のＣＲＤ−Ｌｅｕ４Ｉｌｅ１１Ｃｙｓ１３ペプチド３（３−１２）〔ＭＣＰ−１〕で処置したマウスの肺では、陽性対照または不活性ペプチドで処置したマウスに比べて、有意に（ｐ＜０．０５）低い全細胞数が観察された（図４１）。ＦＡＣＳ分析によると、低用量（１０．３μｇ）のＣＲＤ−Ｌｅｕ４Ｉｌｅ１１Ｃｙｓ１３ペプチド３（３−１２）〔ＭＣＰ−１〕で処置したマウスでは、陽性対照または不活性ペプチドで処置したマウスに比べて、肺中のマクロファージ数とＢ細胞数が有意に少なかった（図４０）。加えて、高用量（１．０３  ｍｇ）のＣＲＤ−Ｌｅｕ４Ｉｌｅ１１Ｃｙｓ１３ペプチド３（３−１２）〔ＭＣＰ−１〕で処置したマウスでは、対照マウスに比べて、Ｂ細胞数が有意に（ｐ＜０．０５）減少した（図４０）。Ｔ細胞数には有意な差が見られなかった。組織学的には、高用量または中用量のＣＲＤ−Ｌｅｕ４Ｉｌｅ１１Ｃｙｓ１３ペプチド３（３−１２）〔ＭＣＰ−１〕で処置した全てのマウスで、炎症は減少したが取り除かれなかったけれども、該ペプチドで処置しなかったがＯＶＡでチャレンジしたマウス（陽性対照）または不活性ペプチドで処置したマウスと比較して肺中の炎症性浸潤物がより少なかった。ＰＢＳのみで処置したマウスは肺中の炎症が最小〜皆無であった。ＣＲＤ−Ｌｅｕ４Ｉｌｅ１１Ｃｙｓ１３ペプチド３（３−１２）〔ＭＣＰ−１〕で処置したマウスを包含する、ＯＶＡでチャレンジした全てのマウスが、肺中に好酸球を有した。
【０４８０】
一連の試験管内実験において、ＯＶＡに対する感作動物からの培養脾細胞のリコール応答を実施した。ＣＲＤ−Ｌｅｕ４Ｉｌｅ１１Ｃｙｓ１３ペプチド３（３−１２）〔ＭＣＰ−１〕で処置したマウスからの脾細胞は、未処置のマウス（ＯＶＡ陽性対照）からまたは不活性ペプチドで処置したマウスからの脾細胞よりも、ＯＶＡに応答して起こるＩＬ−４の生産が有意に少なかった（未感作マウスからの脾細胞における生産と同様に）（図４０）。どの用量のＣＲＤ−Ｌｅｕ４Ｉｌｅ１１Ｃｙｓ１３ペプチド３（３−１２）〔ＭＣＰ−１〕で処置したマウスでも、対照と比較して、ＩｇＥレベルが有意に減少した（ｐ＜０．０５）（図４１）。不活性ペプチドはＢＡＬ中のトロンボキサンＢ２を有意に減少させた（ｐ＜０．０５）（図４０）。異なる量がグループ内に人為的な差と大きな変動を加えるかもしれないけれども、好酸球レベル（トロンボキサンＢ２，ロイコトリエンＢ４またはプロスタグランジンＥ２）に有意な差は見られなかった。
【０４８１】
それらの結果は、ＯＶＡチャレンジの直前に皮下注射により、８日目〜２１日目まで毎日投与すると、ＣＲＤ−Ｌｅｕ４Ｉｌｅ１１Ｃｙｓ１３ペプチド３（３−１２）〔ＭＣＰ−１〕が抗原ＯＶＡに対する暴露後に肺中へのマクロファージとＢ細胞の流入を減少させることを確証した。より重要なのは、ＣＲＤ−Ｌｅｕ４Ｉｌｅ１１Ｃｙｓ１３ペプチド３（３−１２）〔ＭＣＰ−１〕は、喘息に強い関係がある、血清中のＩｇＥ抗体レベルと脾臓リコール培養物からの上清中のＩＬ−４レベルを減少させたことである。ＩｇＥ応答はＩＬ−４とＩＬ−５を生産するＴｈ２細胞応答に依存する。従って、ＣＲＤ−Ｌｅｕ４Ｉｌｅ１１Ｃｙｓ１３ペプチド３（３−１２）〔ＭＣＰ−１〕がＯＶＡでのチャレンジにしてＩｇＥを減少させる効果をもつという知見は、ＣＲＤ−Ｌｅｕ４Ｉｌｅ１１Ｃｙｓ１３ペプチド３（３−１２）〔ＭＣＰ−１〕がＩＬ−４とＩＬ−５を減少させることを強く意味する。
【０４８２】
別の実験において、ＢＡＬＢ／ｃマウスを０．１  ｍｇのオボアルブミン（ＯＶＡ）またはＰＢＳ（希釈剤対照）で腹腔内感作した。初期感作から８日後、マウスを１％オボアルブミンまたはＰＢＳ（希釈剤対照）で気管内チャレンジした。１５，１８，２１および３４日目に、マウスを２％オボアルブミンまたはＰＢＳで気管内チャレンジした。１回量のＣＲＤ−Ｌｅｕ４Ｉｌｅ１１Ｃｙｓ１３ペプチド３（３−１２）〔ＭＣＰ−１〕が確定された喘息表現型を有するマウスにおいて肺炎症、ＩＬ−４またはＩｇＥを減少させる効果を有するかどうかを調べるために、マウスを１００μｇ  ｉ．ｖ．ボーラスのＣＲＤ−Ｌｅｕ４Ｉｌｅ１１Ｃｙｓ１３ペプチド３（３−１２）〔ＭＣＰ−１〕またはＰＢＳで処置した。処置から３０分後にマウスを２％ＯＶＡにより気管内チャレンジし、そしてＯＶＡチャレンジから３時間後にマウスを犠牲にした。１００μｇのＣＲＤ−Ｌｅｕ４Ｉｌｅ１１Ｃｙｓ１３ペプチド３（３−１２）〔ＭＣＰ−１〕での毎日処置が肺炎症の後退を引き起こしそしてＩＬ−４とＩＬ−５レベルを減少させるかどうかを調べるために、２１日目から３４日目まで毎日ＣＲＤ−Ｌｅｕ４Ｉｌｅ１１Ｃｙｓ１３ペプチド３（３−１２）〔ＭＣＰ−１〕またはＰＢＳをマウスに皮下注射した。３４日目に、マウスを２％ＯＶＡかまたはＰＢＳのいずれかで気管内再チャレンジした。チャレンジから３時間後にマウスを犠牲にした。２１日目と３４日目の犠牲後、組織病理学検査のためと全細胞数およびＦＡＣＳ分析用の細胞の単離のために肺を回収した。ＩｇＥおよびＩＬ−４レベルの測定のため血清を収集した。サイトカインと抗体のリコール応答のため脾臓を回収した。
【０４８３】
二週間の間ＣＲＤ−Ｌｅｕ４Ｉｌｅ１１Ｃｙｓ１３ペプチド３（３−１２）〔ＭＣＰ−１〕で毎日処置し、次いでＯＶＡで再チャレンジしたマウスは、ＰＢＳで処置しそしてＯＶＡまたはＰＢＳで再チャレンジしたマウス（陽性対照）に比べて、肺中の全細胞数が有意に（ｐ＜０．０１）少なかった（図２７Ａ）。ＦＡＣＳ分析によると、ＣＲＤ−Ｌｅｕ４Ｉｌｅ１１Ｃｙｓ１３ペプチド３（３−１２）〔ＭＣＰ−１〕で処置したマウスでは、陽性対照に比べて、肺中のマクロファージ、Ｂ細胞およびＣＤ４＋  Ｔ細胞の数も有意に少なかった（図２７Ｂ，ＣおよびＤ）。加えて、ＣＲＤ−Ｌｅｕ４Ｉｌｅ１１Ｃｙｓ１３ペプチド３（３−１２）〔ＭＣＰ−１〕で処置したマウスは、陽性対照に比べて有意に（ｐ＜０．０５）減少した血清ＩｇＥレベルを有した（図２８と表１０）。ＯＶＡでの脾細胞の感作後（ＣＲＤ−Ｌｅｕ４Ｉｌｅ１１Ｃｙｓ１３ペプチド３（３−１２）〔ＭＣＰ−１〕添加なし）、ＣＲＤ−Ｌｅｕ４Ｉｌｅ１１Ｃｙｓ１３ペプチド３（３−１２）〔ＭＣＰ−１〕により生体内処置したマウスからの培養上清中のＩＬ−４，ＩｇＥ並びに全ＩｇＧおよびＩｇＭレベルは、陽性対照に比べて有意に（ｐ＜０．０５）減少した（図３０Ａ，ＢおよびＣ；表９）。リコール培養物において１週間まで抗体産生の完全な抑制が持続した（図３０ＡとＢ；表８と１１）。
【０４８４】
しかしながら、培養２週間後は、ＣＲＤ−Ｌｅｕ４Ｉｌｅ１１Ｃｙｓ１３ペプチド３（３−１２）〔ＭＣＰ−１〕で処置したマウスからの上清中の抗体レベルは陰性対照のものより高く、ＰＢＳで再チャレンジしたマウスのものと同等であり、そしてＯＶＡで再チャレンジしたマウスのものより有意に（ｐ＜０．０５）低かった（図３０ＡとＢ）。組織学的には、ＣＲＤ−Ｌｅｕ４Ｉｌｅ１１Ｃｙｓ１３ペプチド３（３−１２）〔ＭＣＰ−１〕で毎日処置したマウスからの肺は、正常マウスの肺と類似しており、そしてＰＢＳで処置した後ＯＶＡで再チャレンジしたマウス（陽性対照）に比較して肺中の炎症性浸潤物が著しく少なかった。ＰＢＳのみで処置しそしてＯＶＡで一度もチャレンジしなかったマウスは肺中の炎症が最小〜皆無であった。ＯＶＡでチャレンジした全てのマウスが肺中に好酸球を有した。しかしながら、ＣＲＤ−Ｌｅｕ４Ｉｌｅ１１Ｃｙｓ１３ペプチド３（３−１２）〔ＭＣＰ−１〕で処置したマウスの肺では、好酸球を含むいずれの炎症細胞の数も少なかった。
【０４８５】
２１日目にＯＶＡでチャレンジする前に１回量のＣＲＤ−Ｌｅｕ４Ｉｌｅ１１Ｃｙｓ１３ペプチド３（３−１２）〔ＭＣＰ−１〕で処置しそして２１日目に犠牲にしたマウスでは、肺中の全細胞数の有意な減少は見られなかった（図２９Ｄ）．しかしながら、ＯＶＡでの脾細胞の感作後には、ＰＢＳで処置したマウスに比べてＩＬ−４およびＩｇＥレベルの有意な（ｐ＜０．０５）減少が観察された（図２９Ｅと３８）。
【０４８６】
これは、ＣＲＤ−Ｌｅｕ４Ｉｌｅ１１Ｃｙｓ１３ペプチド３（３−１２）〔ＭＣＰ−１〕が、確定された喘息表現型を有するマウスに２週間に渡り毎日投与すると、肺の炎症の後退を引き起こすことを確証した。加えて、ＯＶＡで再チャレンジした時、ＣＲＤ−Ｌｅｕ４Ｉｌｅ１１Ｃｙｓ１３ペプチド３（３−１２）〔ＭＣＰ−１〕で処置したマウスは肺へのマクロファージ、Ｂ細胞およびＣＤ４＋  Ｔ細胞の流入を減少させた。このことは、そのような処置が抗原暴露の部位において炎症の再発を抑制することを示唆する。より意義深いのは、ＣＲＤ−Ｌｅｕ４Ｉｌｅ１１Ｃｙｓ１３ペプチド３（３−１２）〔ＭＣＰ−１〕が脾臓リコール培養物からの上清中のＩＥ−４レベルと血清ＩｇＥ抗体レベルを減少させたということである。脾細胞培養物中で生産される全ＩｇＧおよびＩｇＭ抗体の著しい減少も観察された。
【０４８７】
【表１４】
2005506947.tif 000051
【０４８８】
【表１５】
2005506947.tif 000052
【０４８９】
【表１６】
2005506947.tif 000053
【０４９０】
【表１７】
2005506947.tif 000054
【０４９１】
【表１８】
2005506947.tif 000055
【０４９２】
【表１９】
2005506947.tif 000056
【０４９３】
【表２０】
2005506947.tif 000057
【０４９４】
シノモルガス（ｃｙｎｏｍｏｌｇｕｓ）サルを単鎖Ｆｖ（ｓｃＦｖ）タンパクである抗原で免疫化した。各動物は事前に抗原の３回のｉ．ｖ．インジェクションを受け、全て高い血清値を発現した。５頭の動物をランダムに２つのグループに分けた。２頭の動物はＰＢＳ処置した対照として用いられ、そして３頭の動物は５０ｍｇ／ｋｇ  ＣＲＤ−Ｌｅｕ４Ｉｌｅ１１Ｃｙｓ１３ペプチド３（３−１２）［ＭＣＰ−１］でｉ．ｖ．処置した。ＣＲＤ−Ｌｅｕ４Ｉｌｅ１１Ｃｙｓ１３ペプチド３（３−１２）［ＭＣＰ−１］処置の３０分後に、全ての動物に３．５ｍｇ／ｋｇの抗原をｉ．ｖ．チャレンジした。さらに、以下の各々５０μｌの体積のＰＢＳ、５０μｇの抗原、５μｇの抗原、０．５μｇの抗原、５００ｎｇのＭＣＰ−１又は５０ｎｇのＬＰＳを動物の皮内にチャレンジした。１０分、３０分、６０分、４時間及び２４時間で血清を回収した。ＣＲＤ−Ｌｅｕ４Ｉｌｅ１１Ｃｙｓ１３ペプチド３（３−１２）［ＭＣＰ−１］インジェクションの２４時間後に動物を屠殺し、そして完全な検死を行い、そして組織を組織病理検査のためにフィックスした。フィックスしそして凍結した皮膚のサンプルを組織病理検査及び免疫組織化学検査のために取った。血液、脾臓及びリンパ節をマイグレーションアッセイ、増殖アッセイ並びに抗原特異性抗体及びシトキンリコールでの細胞機能評価のために取った。また、血液学的パラメータ及び血清化学検査のために血液をＣＲＤ−Ｌｅｕ４Ｉｌｅ１１Ｃｙｓ１３ペプチド３（３−１２）［ＭＣＰ−１］インジェクション前及びＣＲＤ−Ｌｅｕ４Ｉｌｅ１１Ｃｙｓ１３ペプチド３（３−１２）［ＭＣＰ−１］インジェクション後に分析した。ＬＣ−ＭＳ法（限界量＝１μｇ／ｍｌ）によって、処置前、及び、インジェクションの１０分後、３０分後、６０分後、４時間後及び２０〜２４時間後に血清レベルを評価した。ＣＲＤ−Ｌｅｕ４Ｉｌｅ１１Ｃｙｓ１３ペプチド３（３−１２）［ＭＣＰ−１］インジェクションの前及び後に検尿を行なった。
【０４９５】
ＰＢＳ処置した対照（動物番号１３７及び１４４）と比較して、ＣＲＤ−Ｌｅｕ４Ｉｌｅ１１Ｃｙｓ１３ペプチド３（３−１２）［ＭＣＰ−１］インジェクションの１回投与で処置した全ての３頭のサル（動物番号１３８、１４１及び１４３）は脾細胞、リンパ節細胞及び末梢血液リンパ球のリコール応答において抗原特異性抗体の検知可能なレベルが最も低かった（ポジティブ対照動物のＰＢＬは培養に不充分な細胞数であるために評価を行なわなかった）（図３３）。ＩＬ−４はＰＢＳ処置した対照のうちの１頭である１頭の動物（＃１４４）で検知された。マイグレーションアッセイ及び増殖アッセイでは、一貫した応答／非応答動物がなかった。皮内インジェクションサイトを組織病理学的に評価したが、２頭のポジティブ対照（ＭＣＰ−１又はＬＰＳ）に対して炎症応答がなく、それ故、これらのサンプルについてはさらなる分析を行なわなかった。どの動物においても、臨床学的に有意な変化は血液学的結果において記録されなかった。ＣＲＤ−Ｌｅｕ４Ｉｌｅ１１Ｃｙｓ１３ペプチド３（３−１２）［ＭＣＰ−１］で処置した後の血清化学プロファイルにおいて臨床学的に有意な変化は記録されなかった。血清中のＣＲＤ−Ｌｅｕ４Ｉｌｅ１１Ｃｙｓ１３ペプチド３（３−１２）［ＭＣＰ−１］のレベルをＬＣ−ＭＳを用いて測定した。ＰＢＳ投与したサルではＣＲＤ−Ｌｅｕ４Ｉｌｅ１１Ｃｙｓ１３ペプチド３（３−１２）［ＭＣＰ−１］を検知しなかったが、５０ｍｇ／ｋｇのＣＲＤ−Ｌｅｕ４Ｉｌｅ１１Ｃｙｓ１３ペプチド３（３−１２）［ＭＣＰ−１］を投与したサルではＣＲＤ−Ｌｅｕ４Ｉｌｅ１１Ｃｙｓ１３ペプチド３（３−１２）［ＭＣＰ−１］を検知した。処置後に両方のグループに属する幾つかの動物では尿のｐＨが下がり、そして比重が上がった。ＣＲＤ−Ｌｅｕ４Ｉｌｅ１１Ｃｙｓ１３ペプチド３（３−１２）［ＭＣＰ−１］で処置した全ての３頭の動物の尿中には少量のタンパクがあった。両方のグループの幾つかの動物では尿中にケトンがあった。全ての３頭の処置した動物は処置の最初の４時間の後には検知可能なレベルの薬物があった（図４１）。２０〜２４時間までに、薬物レベルは定量レベルを下回るまで落ちた（＜１μｇ／ｍｌ）。
【０４９６】
この研究では、ＣＲＤ−Ｌｅｕ４Ｉｌｅ１１Ｃｙｓ１３ペプチド３（３−１２）［ＭＣＰ−１］が１回投与でデリバリーされたときには、脾細胞、リンパ節及び末梢血液リンパ球のリコール応答において抗原特異性抗体応答が低減されることが判った。行なった他のアッセイでは応答の欠如が一貫しない応答であった。小さいサンプルサイズは統計的分析を妨害する。作用物質をチャレンジしたサイトではなぜ皮内炎症応答が起こらなかったのか不明である。このように、ＣＲＤ−Ｌｅｕ４Ｉｌｅ１１Ｃｙｓ１３ペプチド３（３−１２）［ＭＣＰ−１］の１回投与は、２つの異なる種でリコール応答で測定したときに、抗原特異性抗体応答を抑制する。
【０４９７】
データは、また、ＣＲＤ−Ｌｅｕ４Ｉｌｅ１１Ｃｙｓ１３ペプチド３（３−１２）［ＭＣＰ−１］が確立された炎症応答の後退を生じさせることを示し、このため、化学刺激抑制がＴ及びＢリンパ球リコール応答の低減をもたらすことも示す。Ｔリンパ球リコール応答は、オバルブミンで刺激された細胞によるＩＬ−４産生の評価により測定した。Ｂリンパ球リコール応答は、オバルブミンで刺激された細胞によるイミュノグロブリン産生の評価により測定した。両方の場合に、インビボでのＣＲＤ−Ｌｅｕ４Ｉｌｅ１１Ｃｙｓ１３ペプチド３（３−１２）［ＭＣＰ−１］の１回投与は、抗原チャレンジに応答して、ＩＬ−４，ＩｇＧ＋ＩｇＭ又はＩｇＥを産生する細胞の能力の統計的に有意な低減をもたらした。
【０４９８】
これは、化学刺激抑制剤が既知のアレルゲンに対するＢ及びＴ細胞でのリコール応答を抑制することを初めて示したものである。これはアレルギー疾患における治療に非常に重要であり、そしてＩＬ−４又はＩｇの異常増加が病態生理学的に寄与する自己免疫疾患、例えば、喘息、接触過敏症、アレルギー性鼻炎、リウマチ様関節炎、炎症性腸疾患、並びに、異常イミュノグロブリン産生又はハイパーガンマグロブリネミアにより起こる疾患、例えば、免疫媒介糸球体腎炎、マルチプル骨髄腫（特に、ベンスジョーンズタンパク（すなわち、尿中のイミュノグロブリン）を有する患者）、自己免疫溶血性貧血、重症筋無力症、グッドパスツール症候群（抗糸球体ベースメント膜誘導腎炎）自己免疫ブドウ膜炎、自己免疫甲状腺炎及び自己免疫膵臓島細胞破壊の疾患に非常に重要である。さらに、本発明の薬剤は、抗原に対する抗体の応答を抑制しようとする適応症に有用であることができる（例えば、投与制限性免疫抗原性を有する幾つかの免疫治療製品、例えば、抗体ベースの製品との組み合わせで）。
【０４９９】
このように、ＣＲＤ−Ｌｅｕ４Ｉｌｅ１１Ｃｙｓ１３ペプチド３（３−１２）［ＭＣＰ−１］が静脈及び皮下に、又は、皮下のみにデリバリーされるときに、抗原への暴露後に、肺へのリンパ球の輸送を変更した。より有意には、ＣＲＤ−Ｌｅｕ４Ｉｌｅ１１Ｃｙｓ１３ペプチド３（３−１２）［ＭＣＰ−１］は肺中の細胞の炎症、ＩｇＥ応答及び血清中のＩＬ−４濃度を低減し、それらは喘息と強い相関がある。ＩｇＥ応答はＴｈ２Ｔ細胞応答に依存し、それはＩＬ−４及びＩＬ−５を産生する。それ故、ＣＲＤ−Ｌｅｕ４Ｉｌｅ１１Ｃｙｓ１３ペプチド３（３−１２）［ＭＣＰ−１］がオバによるチャレンジ時にＩｇＥを低減する効果が観測されることは、ＣＲＤ−Ｌｅｕ４Ｉｌｅ１１Ｃｙｓ１３ペプチド３（３−１２）［ＭＣＰ−１］がＩＬ−４及びＩＬ−５も低減しうることを強く示している。
【０５００】
例９
好ましいトリペプチド及びその類似体
本発明の好ましいポリペプチドは、Ｘが２０種の天然のアミノ酸の１つであるＫＸＫペプチド、例えば、ＫＱＫ及びＫＬＫ、並びに、ＫＸＫを有するペプチドを含む。下記のとおり、ＫＸＫペプチドは２つの明確なメカニズムにより抗炎症性である。幾つかのＫＸＫペプチドはＴＧＦベータアクチベータであり、そして他のものが化学刺激拮抗物質であり、幾つかはその両方である（表１１を参照されたい）。
【０５０１】
【表２１】
2005506947.tif 000058
【０５０２】
ＫＸＫトリペプチドがＴＧＦ−ベータを活性化するか否かを試験するために、直接ＥＬＩＳＡタイプのアッセイを使用することができる。ＣＨＯ細胞で産生するリコンビナントヒト潜在ＴＧＦ−β１（Ｒ＆Ｄ  Ｓｙｓｔｅｍｓ）を試験アクチベータでインキュベートした。例えば、２００ｎｇの潜在ＴＧＦ−β１（２０μｇ／ｍｌ）を試験ペプチドで１００ｎＭの最終濃度で３７℃で９０分間インキュベートした。インキュベーションの後に、ＴＧＦ−βは、ＴＧＦ−β１の潜在形態でなく、活性形態のみに結合するタイプＩＩ  ＴＧＦ−β１レセプター（Ｒ２Ｘ）のリコンビナントエクストラセルドメインでインキュベートされる（Ｃｌｉｎ．Ｃｈｉｍ．Ａｃｔａ．，２３５，１１（１９９５）。例えば、１μｇの精製されたＲ２Ｘは、５０μｌの１００ｍＭの炭酸ナトリウム中で４℃で２時間でマクシソープＥＬＩＳＡプレートウェル上にコーティングし、そして非特異的なタンパク結合が、その後、室温で１時間、トリス緩衝塩溶液中の５％スクロース５％Ｔｗｅｅｎ−２０でインキュベーションをブロックする。
【０５０３】
ＴＧＦ−βサンプルは、その後、振盪しながら室温で２時間、コートされそしてブロックされたウェルでインキュベートされる。各インキュベーションの間に、０．０５％のＴｗｅｅｎ−２０を含むトリス緩衝塩溶液でウェルを３回すばやく洗浄する。試験ペプチドによるインキュベーションで潜在ＴＧＦ−β１のいずれかが活性化されるならば、それはＲ２Ｘにより捕獲され、一方、残りの潜在ＴＧＦ−β１は洗い流される。捕獲された活性ＴＧＦ−β１は、その後、適切な検知剤、例えば、ペルオキシダーゼ結合ポリクロナール抗ＴＧＦ−β抗体によるインキュベーションにより検知される。例えば、振盪しながら室温で９０分間、２００μｌの、ワサビペルオキシダーゼに結合したＢＤＡ１９チキン抗ＴＧＦ−β抗体でウェルをインキュベートする。結合したペルオキシダーゼは、その後、適切な色素源基質（例えば、Ｋ−ＢＬＵＥ  ＴＭＢ基質溶液）を用いて検知される。活性ＴＧＦ−βの発生量は既知の量の活性ＴＧＦ−β１（Ｒ＆Ｄ  Ｓｙｓｔｅｍｓ）を用いて構成される標準曲線の外挿により評価される。
【０５０４】
化学刺激拮抗物質の活性は上記のＴＨＰ−１トランスウェルマイグレーションアッセイを用いて決定され、ここで、ペプチドは細胞とともに上部コンパートメントでインキュベートされ、一方、化学刺激物質は下部コンパートメントでケモアトラクタントとして使用される。４つの化学刺激物質を試験した：ＩＬ−８、ＳＤＦ−１α、ＭＣＰ−１及びＭＩＰα。表１１の＋はペプチドがこれらの４つのケモアトラクタント化学刺激物質のうちの少なくとも１つにより誘導されるマイグレーションの抑制剤として活性であったことを示す。＋の数は各アッセイでの各ペプチドの活性の定量指示である。−はアッセイで検知可能な活性がないことを示し、ｎ．ｄ．はこのアッセイで与えられたペプチドの活性を評価する試みがこれまでなされていないことを示す。
【０５０５】
ＫＦＫはＲＦＫと同じくらい活性であった（Ｓｃｈｕｌｔｚ−Ｃｈｅｒｒｙら、Ｊ．Ｂｉｏｌ．Ｃｈｅｍ．，２７０，７３０４（１９９５））。しかしながら、以前の報告とは非常に対照的に、ＫＸＫの他のメンバーもＴＧＦ−βアクチベータとして活性であった。例えば、ＫＹＫはＫＦＫよりも活性であった。このため、リシンについてのアルギニンの置換は２位でのアミノ酸の範囲を増加し、それはＴＧＦ−βを活性化する。
【０５０６】
ＫＬＫ及びＫＩＫはこれらの薬剤がデュアル作用抗炎症性分子であるから特に興味深い。これらのトリペプチドはＳＤＦ−１αレセプターＣＸＣＲ４の特異的な拮抗物質であり、また、ＴＧＦ−βを活性化する。このように、ＫＬＫ、ＫＩＫ及びその類似体及び誘導体は、それ故、幅広い範囲の抗炎症性疾患の予防又は治療のための特に有用な医薬となりそうである。
【０５０７】
激しい移植拒絶に関係するようなグラフト好酸球減少症では、好酸球減少症リクルートメントの選択的抑制剤又はパン−化学刺激抑制剤（例えば、ＫＫＫ又はその類似体）は特に有利であることができる。このような薬剤は単独で使用されても、又は、通常投与よりも少量のステロイド、例えば、激しい拒絶反応を抑制するために現在使用されているプレドニソロンとともに使用されてもよい。激しい副作用は激しい拒絶の間に使用されるプレドニソロン（又は他のステロイド）の多量投与に関連があり、ステロイドを投与する必要を低減するか又は無くす薬剤の使用は特に有用である。
【０５０８】
ＫＸＫ  ペプチドのアナログ、例えばＫＱＫ  のアナログも考慮される。（置換基としてＲ７を有する式Ｖの化合物中の）中央の鎖は、一般的な置換基Ｒにより置換される。ここで、Ｒはいずれかのアミノ酸からの側鎖である。これらのアナログ（例えば式（ＶＩ）の化合物のフルオロアルテンの一般的なクラス）は、  ＴＧＦ−βの活性化及び／又はケモカインシグナル伝達の阻害が要求される広範囲の多様な疾患の治療のために役立つ。このクラスの分子の好適なメンバーを選択することにより、要求される分子の特性を操作することが可能である。従って、ＫＹＫ  アナログの選択は、ケモカイン阻害の欠如下で  ＴＧＦ−βの強力な活性化を供するが、ＫＬＫ  のアナログは両方の特性を有する。ＫＱＫ  のアナログは１又は複数のケモカインレセプターに対して阻害作用を有するが、  ＴＧＦ−βは活性化しない。従って、ＫＹＫ  、そのアナログ、及び誘導体は、  ＴＧＦ−β上昇制御が特に有益である疾患において、例えばアテローム性動脈硬化症又は骨粗しょう症において用いるために選択することができる。対照的に、ＫＱＫ  のアナログは、ケモカイン阻害が要求されるが  ＴＧＦ−β上昇制御が有益であり得ない場合、例えばＨＩＶ  感染の治療において選択することができる。
【０５０９】
ＫＸＫ  ペプチド及びそのアイソスターは、  ＴＧＦ−β上昇及びＭＣＰ−１  の選択的阻害が特に相乗的であるような場合に、低い骨無機質密度を治療するために役立ち得る。
【０５１０】
ＫＸＫ  クラスの誘導体又はアナログは、単独で、又は炎症性疾患、又は本明細書に記載されるような他の疾患もしくは徴候の治療のための他の治療法と組み合わせて用いることができる。例えばＫＹＫ  の誘導体又はアナログは炎症状態の治療のためにステロイドと一緒に用いることができ、通常用いるステロイドの標準的な投与量を低下させ、慢性的なステロイド使用に関わる副作用を減少させることができる。
【０５１１】
位置１及び３におけるアミノ酸の保存性置換は分子の活性に影響を与えないことも考慮される。従って、（ペプチド内又は（ＶＩ）のようなアナログ内のいずれかの）リシン側鎖の一方又は両方を、アルギニル側鎖又はオルニチニル側鎖で置換することができる。
【０５１２】
例１０
本発明の剤の結合親和性
また、例示したもの以外の部分（ケモカインペプチド２又は３の同族体、その変種又は誘導体で、ＤＡＲＣ及び／又はケモカインレセプターに特異親和力をもって結合するもの、例えば、機能性ケモカインレセプターに高親和力をもって結合するがＤＡＲＣには低親和力をもって結合するもの、あるいはＤＡＲＣには高親和力をもって結合するがケモカインレセプターには低親和力をもって結合するもの、を含む）を例えば上記したもののような方法を使用して同定してもよいということが予見される。さらに、本発明の剤は、ケモカインレセプターの機能的マッピングにおいて有用である。例えば、ケモカインペプチド２とペプチド３の両方はナチュラルなケモカインリガンドが競争方法で結合するのを阻止する。しかし、それらのものは、それらのものが互いに結合するのを阻止せず、それらのものがレセプターの別個の領域に結合すること、そしてこれらの領域がナチュラルなリガンドの結合にとって重要であることを示している。加えて、ペプチド２は、それらの機能活性が異なる点においてペプチド３と区別される。ペプチド３は、レセプターに結合するばかりでなく、ケモタクシスの抑制によって示されるように、レセプターのシグナル化の機能活性を阻止する。ペプチド２はケモタクシスを抑制しない。したがって、これらのペプチドは、一緒になった場合、機能活性を異にすることが重要であるケモカインレセプターの領域を同定するのにとりわけ有用である。これらの領域を一旦同定したとすると、構造的には出発化合物には関連がないかもしれないが機能的には関連する別のケモカインファンクションに対する特異抑制体に関して、コンビナトリアルライブラリーあるいはコンパウンドブランクをスクリーニングするためにそれらの領域を使用することができる。
【０５１３】
さらに加えて、ケモカインの場合、ダイマーを形成して、興味あるレセプターを活性化することが重要である。本発明のペプチドの場合、ケモカインダイマーの形成に重要と思われるアミノターミナルドメインを欠いている。セルのシグナル化のためにダイマー形成が必要であるならば、本発明の剤が活性化を抑制することができる。それらの剤は、レセプターに結合できるが、例えばネーティブなケモカインリガンドをもってダイマーを形成することは不可能であるからである。
【０５１４】
例１１
ペプチド３の結合の研究
ビオチニル化ペプチド３はＴＨＰ−１  上のセル表面分子と相互作用することが示されたけれども、クローン化ケモカインレセプターを表すセルラインについてラジオリガンド競争実験で、ペプチド３は、ケモカインレセプターに対する結合に関して競争しなかった。ペプチド３がケモカインレセプターに結合するか否かを決定するため、ＴＨＰ−１  マイグレーションアッセイを使用して、ビオチニル化誘導体の抑制活性を評価し、かつそれを同じペプチドの標識なしのものと比較した。さらに、標識化合物が機能ビオチンを含有するか否かということ、すなわち、ビオチンがストレプタビジンを結合可能であるか否かということを示すため、競争ＥＬＩＳＡ  を使用した。
【０５１５】
材料
ヨウ素化ＰＡＮＴＥＳ及びヨウ素化ＭＣＰ−１（Ａｍｅｒｓｈａｍ  ）をＭｉｌｌｉＱ水中で更新して、濃度５０ｎＭ（０．１μＣｉ／μｌ）、特異活性２０００Ｃｉ／ｍｍｏｌｅ  となした。ヨウ素化ストレプタビジン（Ａｍｅｒｓｈａｍ）を原液濃度４７ｎＭ（０．１μＣｉ／μｌ）及び特異活性３８μＣｉ／μｇ（５５，０００Ｄａ）で得た。冷ＰＡＮＴＥＳ及びＭＣＰ−１  をＲ＆Ｄシステム社（Ｍｉｎｎｅａｐｏｌｉｓ，  ＭＮ  ）から購入し、１０μｇ／ｍｌ（１．２５μＭ）の無菌の  ＰＢＳ＋１ｍｇ／ｍｌ脂肪酸不含ＢＳＡ  （ＦＡＦ−ＢＳＡ）  （Ｓｉｇｍａ  Ａ−６００３  ）中で更新した。冷ストレペタビジン（Ｃａｌｂｉｏ−ｃｈｅｍ  ）を無菌のＭｉｌｌｉＱ中で濃度４ｍｇ／ｍｌ（９０μｍ）に更新した。
【０５１６】
ＦＡＦ−ＢＳＡ  を一貫して使用した。すべての実験を、特に断りのある場合を除いて、Ｒｕｆｆｉｎｇ  ら（Ｃｅｌｌ．  Ｉｍｍｕｎｏｌ．）１８９，  １６０  （１９９８））によって記載されるように、結合媒体（５０ｍＭ  ＨＥＰＥＳ，  １ｍＭ  ＣａＣｌ２，  ０．５％  ＦＡＦ−ＢＳＡ，  ｐＨ７．５  ）中で実施した。反応はすべて、特に断りのある場合を除いて、４℃で実施しかつすべての緩衝液を４℃に予備冷却した。
【０５１７】
ビオチニル化ペプチドをシーケンスｎ’−ＣＬＤＰＫＯＫＷＩＱＣ−ｃ’  （Ａｆｆｉｎｉｔｉ  Ｒｅｓｅａｒｃｈ）のＮ−ターミナルビオチンコンジュゲートとして合成し、ＨＰＬＣにより純度＞９０％と確認した。あらゆる分子が、それと組み合わさったビオチンを有している。このペプチドをＭｉｌｌｉＱ水中で１０ｍＭ原液濃度に更新し、必要となるまで、少量のアリコート中で凍結保存した。ポジチブコントロールとして、ペプチド２（１−１５）［ＭＣＰ−１  ］のＮ−ターミナルビオチン−標識誘導体を使用した。
【０５１８】
ＡＩＤＳリージントプログラムからＨＯＳ  ペアレンタルセルとＣＣＲ１−１５  及びＣＸＣＲ４  形質転換体を得、供給元のデータシートに記載のように保持した。ケモカインレセプター表示のプラスミドに関する選択を培養の全体を通して維持した。ＣＨＯ  ペアレンタルセルとＣＸＣＲ１及びＣＸＣＲ２  形質転換体をＤｒ．  Ｊ．  Ｎａｖａｒｒｏ  （Ｓｏｕｔｈ  ｗｅｓｔｅｒｎ  Ｕｎｉｖｅｒｓｉｔｙ）  ＴＸ，  ＵＳＡ  ）から得、ケモカインレセプター発現の一定の選択下、供給元に指示されるようにして保持した。すべてのセルをほぼ４日ごとに約１：１０の希釈比で分割し、既知濃度でリシーディング（ｒｅｓｅｅｄｉｎｇ  ）した。実験のため、フラスコからセルをＥＤＴＡで分離し、実験前の１８〜２４時間、約２×１０５  セル／ウェル（４．４×１０４セル／ｃｍ２）で記載される２４個又は１２個のウェルにリシーディングした。実験の時点で、すべてのウェルは公称濃度３×１０５  セル／ウェルであった。
【０５１９】
結果
ビオチニル化ペプチドの性質
標準ＴＨＰ−１  マイグレーションバイオアッセイを使用して、ビオチニル化ペプチドをそれに対応する標識なしのペプチドと比較した。使用したケモカイン化学誘引物質は、ＲＰＭＩ  １６４０＋１０％  ＦＣＳ  中の  １００ｎｇ／ｍｌのＭＣＰ−１  であった。３７℃で、５μｍのフィルターを介して４時間にわたってマイグレーションを行わせた。化学誘引物質としてのＭＣＰ−１  は、マイグレートしたセルの数をほぼ３倍まで増加させ、また、ドーズ（ｄｏｓｅ）依存形態の場合、標識なしのペプチドの存在によってこれが抑制された。抑制についてのＥＤ５０は約９μＭであり、このペプチドに関して先に報告されているデータ（２〜３μＭ）と一致している。標識したペプチドもまたＭＣＰ−１  誘起のマイグレーションを抑制し、より小さなＥＤ５０（約４μＭ）（図２０）を示した。この実験を２度反復したが、標識したペプチドと標識なしのペプチドの間に統計学的に有意な差は認められなかった。したがって、標識の添加は分子の機能に悪影響を及ぼさなかった。
【０５２０】
ストレプタビジンの結合を可能とした標識ペプチドにおけるバイオチン部分の存在を競争ＥＬＩＳＡ  によって確認した。簡単に述べると、ストレプタビジンをＥＬＩＳＡ  プレートウェル（Ｎｕｎｃ  Ｍａｘｉｓｏｒｐ  Ｐｌａｔｅ  ）上に、４℃の５０ｍＭ炭酸ナトリウムｐＨ８．５  中、１０ｐｍｏｌｅ  ／ウェルで４５分間にわたって塗布した。ブロッキング（ＴＢＳ中で５％サッカロース／５％  Ｔｗｅｅｎ２０）後、プレートをいろいろな濃度の標識ペプチド３（塗布したストレプタビジンについて０．１倍から１，０００倍モル過剰）と室温で１時間にわたってインキュベートした。洗浄後、ビオチニル化マウス  ＩｇＧ  （もしもストレプタビジンが標識ペプチドによってブロックされていなければ、その時のみに結合するであろう）を添加することによって、残留する遊離ストレプタビジンの検出を行った。結合したマウスＩｇＧ  を検出するために抗マウスペルオキシダーゼを使用した。反応条件下、不動化ストレプタビジンに対する標識ペプチド３の結合は、機能的に見て不可逆的であった。したがって、ビオチニル化マウスＩｇＧ  の引き続く結合を防止するのに必要な標識ペプチド３の濃度は、機能ビオチンを備えたペプチド３分子（すなわち、ストレプタビジンに結合可能なもの）（図２１）の割合を示す尺度である。標識効率の割合は  １００％であると評価され、ビオチンが同時合成的に添加されている事実と一致した。
【０５２１】
ケモカインレセプターのオーバー発現ライン（Ｏｖｅｒ−ｅｘｐｒｅｓｓｉｎｇ  ｌｉｎｅｓ）の特徴づけ
ＣＣＲ５に結合した標識ＲＡＮＴＥＳの速度論を確立するため、ＣＣＲ５セルとそれらのペアレンタルラインを  ５００倍過剰の標識なしＲＡＮＴＥＳの不存在もしくは存在において０．０５ｎＭで標識ＲＡＮＴＥＳにさらした。３０分間〜４時間の間のいろいろな時間について、４℃もしくは室温のいずれかで結合を行わせた。すべてのデータを３回集めた。４℃でよりも室温のとき、僅かにす早く平衡が達成され、また、両ケースとも、２時間までに結合が完結した（図２２Ａ）。さらに、ペアレンタルラインに較べてＣＣＲ５で、冷時競争性が顕著に大であった（なお、ペアレンタルラインもまた、統計学的に顕著な高親和力のＲＡＮＴＥＳ結合を示し、これらのセルについてＣＣＲ５レセプターがバックグラウンドレベルにあることを示した）（図２２Ｂ）。この実験にもとづいて、すべての結合実験を４℃で２時間にわたって実施した。
【０５２２】
平衡結合を発現させるために定められた条件の下でＳｃａｔｃｈａｒｄ  分析を行った。この実験の目的は、セル表面における高親和力結合部位（ＣＣＲ５レセプター）の数を推定することにあった。なぜなら、Ｓｃａｔｃｈａｒｄ  分析の全体は、結合部位の有効性によって結合が制限されるような条件下で行なわれ、加えたＲＡＮＴＥＳ分子の数に依存しないからである。その結果、ペアレンタルラインでは約８０，０００結合部位／セルでありかつ高発現ＣＣＲ５ラインえでは約  ２００，０００〜４００，０００  結合部位／セルであることが判った。この情報を使用して、結合部位の数によって制限される平衡時に１２ポイントのＳｃａｔｃｈａｒｄ  分析をフルに行うのに必要な条件を計算した。選んだ条件は、０．０６〜２５ｎＭ（２倍〜８００  倍過剰）の濃度の冷ＲＡＮＴＥＳの不存在もしくは存在において、３×１０５  個のセルに対して４℃で２時間にわたって添加される０．０３ｎＭの標識ＲＡＮＴＥＳ  １．２５ｍｌ  であった。非特異結合の尺度として  ８００倍過剰のものを使用して、結合データについてＳｃａｔｃｈａｒｄ  分析を実行した。判明したところによると、部位における親和力は約１ｎＭ（ＣＣＲ５の予想の性質と一致；ｋｄ＝０．４ｎＭ）であり、ペアレンタルラインでは  １０，０００部位／セルでありかつＣＣＲ５のオーバー発現ラインでは  ２００，０００部位／セルであった。このことから、このセルラインにおいてはＣＣＲ５レセプターのオーバー発現をプラスミドが引き起こしていることを確認できる。
【０５２３】
ＣＣＲ５オーバ表現ラインにおけるＣＣＲ５レセプターの存在を直接標識（ＦＩＴＣ−共役）のアンチＣＣＲ５抗体（Ｐｈａｒｍｉｎｇｅｎ  ；  Ｃｌｏｎｅ  ２Ｄ７）を用いたイムノステイニング（Ｉｍｍｕｎｏｓｔａｉｎｉｎｇ）によって確認した。この抗体の場合、１０μｇ／ｍｌで顕著に高いステイニングを与え、ＦＩＴＣ−標識の対照抗体（図２３）でセル表面におけるＣＣＲ５プロテインの存在が確認された。より低い希釈比のとき、顕著なステイニングは観察されなかったけれども、共通して多くの直接標識抗体があり（多価検出の抗体結合のために増幅工程がない場合）、この抗体は約２５μｇ／ｍｌ程度の濃度のときに使用が推奨される。機能面のデータとイムノフルオレセンスのデータの両方に基づいて、ＣＣＲ５ラインが機能ＣＣＲ５レセプターを発現していることは非常にあり得ることである。
【０５２４】
ＣＸＣＲ１  及びＣＸＣＲ２  特異抗体を使用してフローサイトメトリーを行ったところ、ＣＸＣＲ１  ラインはＣＸＣＲ１  を発現したけれどもＣＸＣＲ２  は発現しなかったこと、一方、ＣＸＣＲ２  ラインはＣＸＣＲ２  を発現したけれども１は発現しなかったことが判った（図２４）。ＣＣＲ２のファンクショナルアッセイのため、ＲＡＮＴＥＳを使用したフルＳｃａｔｃｈａｒｄ  分析と同一の条件下で、ラジオ−ヨウ素化ＭＣＰ−１  を使用して短縮Ｓｃａｔｃｈａｒｄ  分析を行った。ペアレンタルセルライン（最高親和力の結合部位のｋａ＞２５０ｎＭ）あるいはＣＣＲ−２  のオーバー発現ラインにおいて高親和力の結合部位は検出されなかった。機能ＭＣＰ−１  結合部位を検出可能でなかったような条件下では、ＣＣＲ−２  オーバー発現部位がプラスミドをそのまま維持しなかったことがうかがわれる。
【０５２５】
本発明の標識ペプチドの合成
ペアレンタルＨＯＳ  、ペアレンタルＣＨＯ  及び８つのケモカインレセプターラインに対する標識ペプチド２及び標識ペプチド３の結合を比較した。それぞれの場合において、１２５Ｉ  のラジオヨウ素化ストレプタビジンを使用してバイオチン標識ペプチドの結合体を検出した。それぞれの場合に、ストレプタビジンの添加量は、ケモカインレセプター部位の数よりも約５０倍の過剰であることが計算された。さらに、（１０μＭで）添加された標識ペプチドの分子の数は、見積られた結合部位の数よりも１０５  倍の過剰であった。したがって、これらの実験はすべて、結合部位の数が制限されるような条件の下で実施した。試験したセルラインのいずれに対しても標識ペプチド３の検出可能な結合は存在していないことが観察された（カウントされた結合の数は、ペプチドを添加しなかった場合に比較して顕著に多くはなかった）。しかし、ペプチド２は、ペアレンタルラインを含めたすべてのセルラインに対して、ほぼ同じ程度で結合していることが明らかであった（図２５）。
【０５２６】
ペプチド２のこの明らかな結合がセルに依存するか否か、あるいはプラスチック（あるいはセル培養中に使用された子ウシ胎児の血清の何らかの成分）に結合しているか否かを決定するため、次のような実験を行った。３種類のプレートを評価した：１つのものはＨＯＳ  ペアレンタルセルを有し、もう１つのものはＣＣＲ５オーバー発現体を有し、そして第３のものは、セルを有しなかったが、ＦＣＳ  含有の培地でインキュベートした。ペプチド２と、非常に少ない量のペプチド３が、セルを有していないウェルに結合した。数学的な分析から判ったところによると、セルを存在させた時に観察された結合はすべて、セルを有していないウェルに対してペプチドが結合できる能力として説明できる。また、ペプチド２の場合、ペプチド２の９５％より多くがウェルに結合していることが、一方、ペプチド３の場合、そのペプチドの約５〜１０％がウェルに結合していることが、これにより判った。
【０５２７】
これらのペプチド物質が疎水性表面（例えばウェルのプラスチック）に結合するという性質はまた、実験用のプロトコールをある部位から他の部位に移した場合に（例えば、ペプチド物質を取り扱うために異なるプラスチックチューブを使用する場合に）認められるかなりの変動可能性としても説明することができる。
【０５２８】
ペプチド３の場合、組み換えヒトケモカインレセプターのいずれに対してもそれが結合するという証拠は存在しなかった。発生した結合は非常に低い親和力（＞＞１０μｍ）を有し、この相互作用がペプチド３に帰するケモカイン抑制活性に応答可能であるという可能性を排除するものであった。
【０５２９】
結論
したがって、ペプチド３は、ケモカインレセプターの相互作用の研究に通常使用されている結合条件下あるいはいくつかのその他の結合条件下では、生体外において明らかな親和力をもってヒトのケモカインレセプターに結合しないということがわかる。１つの可能性をあげると、ペプチド３は、衝突的カップリングによって、あるいは非常に短いレジデンス時間を伴うメカニズムによって、ケモカインレセプターと相互反応できる。最も可能性のあるデータを判定すると、ペプチド３は機能性ケモカイン抑制体であり、直接レセプターきっ抗作用によるか、例えば、機能性レセプターリガンドの相互作用を防止することによるか、さもなければ、リガンドの機能に必要な第３の成分（レセプター又はリガンド以外）に結合させることによる。したがって、ペプチド３は、既知のケモカインレセプターとは別のセル表面部位／レセプターに結合でき、セル外のマトリクス又はセル膜に組み合わさった成分（以下のものに制限されないが、グリコスアミノグリカン（ＧＡＧ）、例えばプラズマ膜のＧＡＧ  成分、グリコチャリックス、プロテオグリカン、フィブリノーゲン、コンドロイチンサルフェート、ヘパリンサルフェート、ケラチンサルフェート、ヒアルロン酸、コラーゲン及びサルフェート化表面部分を含む）に結合でき、あるいは直接的又は間接的な手法でシグナル形質導入メカニズムに相互作用することができる。
【０５３０】
別のレセプターあるいはセル外のマトリクスあるいはセル膜に組み合わさった成分に対するペプチド３の結合に関して、一旦結合が行われると、ペプチド３はケモカイン活性と相互作用するけれども、セルに結合しているリガンドを除去することもなければ障害することもない。ＴＨＰ−１  上におけるペプチド３の結合部位（レセプター）の数は、１０００レセプター／セルであることが認められた（図２８及び図２９）。このレセプターを精製するため、レセプターの架橋剤補助の精製のために合成の光活性化型誘導体を使用してもよく、さもなければ、リガンドブロッティングのアプローチを使用してもよい。リガンドブロッティングの場合、ＴＨＰ−１  セル（レセプターを有する）及びＨＯＳ（ヒトの骨肉しゅのセルライン）のセル（機能性レセプターを有しない）からのセル膜プロテインをゲル電気泳動法によって分離し、好ましくはプロテインの復元（例えば、一定の時間についてＳＤＳ  の段階的低下を使用）後、バイオチン標識のペプチド３とインキュベートし、そしてストレプタビジンペルオキシダーゼで検出を行った。
【０５３１】
別法により、あるいは上記に追加して、架橋性の親和性プローブ、例えばバイオチン−ＳＬＤＰＫＱＫＷＩＱＣ−Ｘ  （Ｌ−アミノ酸の前方リニアシーケンス）を合成する。Ｓｅｒ  の目的は、分子内に１つのｃｙｃ  残基のみを除すためのものである。合成後、光活性化可能な架橋基をスルファヒドリル基を介して残存Ｃｙｓ１３  残基、例えばＡＰＤＰ（Ｎ−［４−（ｐ−アジドサリチルアミノ）ブチル］−３’−（２’−ピリジルジチオ）プロピオンアミド）に結合させる。次いで、この誘導体をＴＨＰ−１  セルとインキュベートしてＴＨＰ−１  セル上のレセプターと結合させ、次いで、レセプターに対するＡＰＤＰ基の共有架橋結合を誘導するＵＶ光で反応物をフラッシュ露光する。次いで、セルを破壊し、膜プロテインを抽出し、変性させる。プロテインミックスをストレプタビジンのカラムを通過させる。次いで、フルの変性（例えば、１０Ｍの尿素を使用）によるかもしくはペプチドからＡＰＤＰのカプリングを外してレセプターをフリー化するであろう２−メルカプトエタノールを使用することによって、ペプチドとレセプターをストレプタビジンのカラムから分離する。次いで、精製したレセプターをＮ−ターミナルシーケンシング法によってかタンデム型のナノエレクトロスプレ方式を使用した質量分光法によって同定する。
【０５３２】
ペプチド３がそのレセプターに結合した後、レスポンスを行うのに必要なプロテインをブロックしてもよく（例えば、ケモカイン誘起のマイグレーションに必要な特定のインテグリンをブロックしてもよく、但しＳＭＬＰ又はＴＧＦｂ誘起のマイグレーションではない）、ケモカインレセプターをダウンレギュレートしてもよく、あるいはシグナル形質導入メカニズムを干渉してもよい。シグナル形質導入メカニズムの干渉は、直接的又は間接的な方法（例えば、セル内カルシウムフラックス、ｃＡＭＰ、ｐ１３  、キナーゼ活性及びＤＡＧ  を測定するアッセイを使用）で検出することができる。特に、カルシウムフラックスに関して、ＣＲＤ−Ｌｅｕ４Ｉｌｅ１３  ペプチド３（３−１２）［ＭＣＰ−１  ］は、ＭＣＰ−１  誘起のカルシウムフラックスをブロックしなかったが、ＳＤＦ−１  誘起のカルシウムフラックスをブロックした（図３８）。
【０５３３】
実施例１２
虚血再潅流損傷のモデル
管内縫合糸（ＩＬＴ）モデルは虚血再潅流損傷の象徴であり、それは虚血性病巣を与え、神経保護活性について候補化合物を試験するために製薬業界で広く使われている。雄Ｓｐｒａｇｕｅ  Ｄａｗｌｅｙ飼育ラット（Ｃｈａｒｌｅｓ  Ｒｉｖｅｒｓ，  約３３０ｇ）を７０／３０％  Ｎ２Ｏ／Ｏ２中２％ハロタンにより麻酔し、ＩＬＴ  アプローチを使って左中大脳動脈を９０分間閉塞した（ＭＣＡｏ）。ＭＣＡｏは内頚動脈中に３／０ナイロン縫合糸を置き、糸の先端がＭＣＡ  の起点より約１ｍｍ向こうに置かれるように、その糸を大動脈分岐から約１８ｍｍほど前進させることにより達成される。必要な虚血期間の後、ナイロン縫合糸を外頚動脈の中に引き出し、通常の順行方向から損傷部分を再潅流させる。
【０５３４】
手術期間の間を通して、直腸温度をモニタリングして熱ブランケットとフィードバック直腸温度プローブを使って３７℃に維持し、そしてＭＣＡｏの前と直後に動脈血液ガスを測定した。虚血期間の間に、神経学的欠乏の評価を可能にするために再潅流前にラットを回復させた。神経学的欠損スコアを使って、閉塞の「質」を間接的に評価することができる。自発性右側円状歩行は良好な閉塞を表し、神経学的欠損が低い動物はその後の研究から除外した。
【０５３５】
虚血の９０分後、ラットを再び麻酔し、ＩＬＴ  を撤回した。データ収集者は試験化合物の正体に関して盲目であった。溶液ＡまたはＢ（それぞれ、ＰＢＳ  かまたはＰＢＳ  中  ０．５ｍｇ／ｍｌのＣＲＤ−Ｌｅｕ４Ｉｌｅ１１Ｃｙｓ１３ペプチド３（３−１２）［ＭＣＰ−１  ］）を２ｍｇ／ｍｌの用量で正中静脈穿刺により投与した。大腿静脈カニューレを挿入し、皮膚下にトンネルさせ、頚の後ろから外に出した。これを利用して、一定静脈内注入（０．５ｍｇ／ｋｇ／ｈｒ）によりその後７２時間に渡り化合物ＡまたはＢを投与した。実験の３日間の時間枠は、このモデルを使ってラットに典型的に観察される最大炎症応答を包含する。
【０５３６】
虚血性損傷は、従来型ＭＲＩ  （Ｔ２、分散およびプロトン密度列）により、ＭＣＡｏ後１日、２日および３日目に評価した。全てのＭＲ操作について、麻酔を行い、酸素中１％（ｖ／ｖ）ハロタンにより維持した。直腸温度は３７℃に維持した。ＭＲＩ  はＳＩＳ−２００  画像診断分光計（Ｓｐｅｃｔｏｒｏｓｃｏｐｙ  Ｉｍａｇｉｎｇ  Ｓｙｓｔｅｍｓ，  Ｆｒｅｍｏｎｔ，  ＣＡ，  ＵＳＡ）と直径７５ｍｍの家庭用８脚バードケージ高周波コイルを使って４．７Ｔで実施した。４×４ｃｍの視界をカバーする  １２８×１２８  の取得行列を使って、目線の高さで始まり、吻から大脳を通って尾の方に進んでいく、２５の連続冠スライスを取得した。各スライスは厚さ  ０．９ｍｍであった。
【０５３７】
発作後７２時間目の最終ＭＲ分析後、ラットを断頭し、脳を切除し、浸潤白血球の定量的免疫組織学分析の前まで−７０℃で凍結保護溶媒中に新鮮保存した（図３４）。ＣＲＤ−Ｌｅｕ４Ｉｌｅ１１Ｃｙｓ１３ペプチド３（３−１２）［ＭＣＰ−１  ］で処置した動物は、全ての時点において平均梗塞容積の５０％減少（ｐ＜０．０００１）を有した。
【０５３８】
１００  μｍごとに脳を切片にし、好中球染色し、そして各損傷部分および対側性スライドに関して脳の４領域からの画像を収集した。損傷部分の陰影部において好中球蓄積の完全な抑制が観察された（定量的免疫蛍光測定により測定すると）（図４７）。領域２と３は梗塞のコア部と重複しており、陰影部分により多くの好中球が観察された。これはおそらく、陰影部分が完全に潅流状態のままであるが、梗塞領域は血液供給が不足しているかまたは皆無であり、大部分壊死しているためであろう。領域１は大部分が陰影部分であり、最大の好中球数を有した。試験薬剤による阻害は陰影部分において統計的に有意（領域４でｐ＜０．０１、領域１でｐ＜０．０２）である。脳の対側性部位では有意な好中球蓄積も該薬剤の効果も観察されなかった。
【０５３９】
例１３
３Ｈ−ＣＲＤ−Ｌ−Ｌｅｕ４Ｉｌｅ１１Ｃｙｓ１３ペプチド３（３−１２）［ＭＣＰ−１  ］及び標識なしのＣＲＤペプチドのＳＤラット及びマウスにおける薬理速度論
オス（ｎ＝５、平均体重：  ３０５ｇ）及びメス（ｎ＝５、平均体重：  ２５１ｇ）のＳＤラットで頸静脈に手術用のカニューレを挿入したものをＨｉｌｌｔｏｐ  Ｌａｂｏｒａｔｏｒｉｅｓから入手した。これらの動物を研究期間中Ｎａｌｇｅｎｅ  代謝ケージで飼育し、エサと水を適宜与えた。
【０５４０】
放射性同位元素標識のＣＲＤ−Ｌ−Ｌｅｕ４Ｉｌｅ１１Ｃｙｓ１３ペプチド３（３−１２）［ＭＣＰ−１  ］ペプチド（分子量約１３６０，  ２．０Ｃｉ  ｍｍｏｌ−１、注射用の滅菌水（ＳＷＩ）中で）と標識なしのペプチドを調製した。合投与量に対するトリチウム含有ペプチド物質の影響を考慮に入れて、  １００μｇの全ペプチド及び  ２００μｌのＰＢＳ  中の２０μＣｉの３Ｈ−ＣＲＤ−Ｌ−Ｌｅｕ４Ｉｌｅ１１Ｃｙｓ１３ペプチド３（３−１２）［ＭＣＰ−１  ］の用量を調製した。それぞれのラットに約  ２００〜３００  μｌのペプチド溶液を含有する計量済みの注射器を使用して尾の側面の静脈にｉ．ｖ．注射した。注射器を再び計量し、それぞれ別々の用量についての注射量を計算した。同じ溶液から、放射性同位元素標識のカウント用スタンダードを調製した。
【０５４１】
注射後  ０．１７、０．５、１、２、４、６、２０、２８及び４８時間に、頸静脈のカテーテルから一連の血液サンプル（約  ３００〜４００  μＬ／タイムポイント）を取り出し、直ちに  ＭＩＣＲＯＴＡＩＮＥＲ（商標）血清分離チューブ（Ｂｅｃｔｏｎ  Ｄｉｃｋｉｎｓｏｎ）に注入した。カテーテルを少量（２０μＬ）のヘパリン溶液でフラッシュして凝固を防止し、そして、各サンプリングの際、血液容積分を  ４００μＬの食塩水で置き換えた。血清チューブを遠心分離し、得られた血清（１００μＬ）とセルペレット（計量済み）をＭｏｄｅｌ  ３０７  Ｐａｃｋａｒｄ  サンプルオキシダイザーにより処理するためにサンプルコーン上に載置した。残った血清にアリコートを加え、後日の分析のために凍結した。０〜４、４〜６、６〜１０、１０〜２０、２０〜２８、２８〜４８、そして４８〜７２時間の時間間隔で尿をサンプリングした。別々に集めた尿のそれぞれ  １００μＬを酸化のためのサンプルコーン上に載置し、その残りをＨＰＬＣ及びＬＣ−ＭＳ  による後日の分析のために凍結した。７２時間のとき、ラットに麻酔をかけ、心臓に穿刺して採血し、頸部脱臼により安楽死させ、そして３Ｈ−ＣＲＤ−Ｌ−Ｌｅｕ４Ｉｌｅ１１Ｃｙｓ１３ペプチド３（３−１２）［ＭＣＰ−１  ］の生分布を調べるために解剖した。処理後のサンプルをＰａｃｋａｒｄ  でカウントした。
血清薬物動態学
雄および雌の両方で、血清由来の放射能標識は急速に消失した。両性についての濃度対時間の線形プロットを図３７Ａに示す。注射から１０分後の濃度は、雌で１２３８±１３８ｎｇ・ｍｌ−１（注射された量（ｉ．ｄ．）の１２．４５±１．３９％に相当）であり、雄について１１４１±２８３ｎｇ・ｍｌ−１（１４．３８±３．４６％ｉ．ｄ．に相当）であった。雌で絶対濃度値が小さかったようであるが、適用量が体重に合っていなかったことが、注射された量の百分率が示しているように、この違いの原因である。注射から４時間後では、注射された量のわずかに約０．１％が血液中に存在していた。６時間後のデータを報告するが、これらの試料中に存在する放射能の量はバックグラウンドレベルの２倍を下回っていた。この低い放射能レベルは、構造に関連して特徴づけられるものではなく、動力学的モデリングの部分として考慮するに十分に強いものでもない。
【０５４２】
血液中に存在する放射能の大部分は、血清分画中にある（合計数の１２％未満は１０分の時点で未洗浄の細胞ペレットにあった）が、この日は経時変化した（図３８Ｂおよび３８Ｃ）。細胞ペレットのデータは、４〜２８時間の間で信頼性が低い（少ない数に帰因する）。４８時間のデータは、細胞に関係する放射能の点で「リバウンド」を示唆するものであるが、極端に少ない量の材料を表している。この放射能が完全なペプチドの存在を反映しているのかどうかは分からない。
【０５４３】
このデータは、両方の組の動物における２相クリアランスを示す。血清データに対して基本的な２コンパートメント・バイエクスポネンシャルモデル（ｔｗｏ−ｃｏｍｐａｒｔｍｅｎｔ  ｂｉｅｘｐｏｎｅｎｔｉａｌ  ｍｏｄｅｌ）を使用して曲線フィッティング薬物動態分析を行った。実際の時間および濃度データをフィッティングプログラム（ＰＫ  Ａｎａｌｙｓｔ，  ＭｉｃｒｏＭａｔｈ  Ｓｃｉｅｎｔｉｆｉｃ  Ｓｏｆｔｗａｒｅ，  Ｓａｌｔ  Ｌａｋｅ  Ｃｉｔｙ，  ＵＴ）に入力し、モデル選択（例えば、静脈投与用塊薬、２コンパートメントディストリビューション）によりフィッティングした。計算濃度値を生じさせ、曲線をデータにフィットした。
【０５４４】
このフィッティングから、以下の薬物動態学的パラメーターが生じた：
2005506947.tif 000059
尿排出
雌のラットの尿のサンプリングは実験的操作エラーに支配された。５番のラットだけが、最初の４時間のうちに注射された適用量の＞７５％が除かれる雄のラットにおける排出と一貫するパターンを示した。雄のラット（１４番のラットを除く全てのラットについて操作エラーを修正した。）の尿が最も一貫したデータをもたらした（図３７Ｄ）。投与された量の大部分が、最初の４時間で尿中に排除された（８６．６±１６．５％ｉ．ｄ．）。その後の実験によって、１．０または１０．０ｍｇの３Ｈ−ＣＲＤ−Ｌ−Ｌｅｕ４Ｉｌｅ１１Ｃｙｓ１３ペプチド３（３−１２）［ＭＣＰ−１］を投与された雌のラットも、＞８０％ｉ．ｄ．排出した。この場合に、注射後、最初の２時間にわたって測定した。この高い尿排出速度は、血液由来の３Ｈ−ＣＲＤ−Ｌ−Ｌｅｕ４Ｉｌｅ１１Ｃｙｓ１３ペプチド３（３−１２）［ＭＣＰ−１］の急速な排除、およびその後、解剖したラットで求められた低器官保持値と一貫する。
【０５４５】
雄のラットから得られた尿を０．２μフィルターに通して濾過し（単位体積当たりの放射能量は減少せず）、そしてオンライン放射線検出を用いる勾配逆相ＨＰＬＣにより分析した。ラット１２および１６から０〜４時間で、注射された調製物（標準として）の共溶出が観察された。放射能の単一ピークが両方の尿試料で確認された。このことは、完全な部分としての３Ｈ−ＣＲＤ−Ｌ−Ｌｅｕ４Ｉｌｅ１１Ｃｙｓ１３ペプチド３（３−１２）［ＭＣＰ−１］の排出と一貫する。排出された分子の最も信頼のおける構造特性評価のため、雄のラットからの全ての尿試料をＬＣ−ＭＳ−ＭＳにより分析した。
【０５４６】
電子スプレーイオン化（ＥＳＩ）を使用するＬＣＤイオントラップ質量分析器（Ｔｈｅｒｍｏｑｕｅｓｔ  Ｆｉｎｎｉｇａｎ，  Ｓａｎ  Ｊｏｓｅ，  ＣＡ）を正イオンモードで操作した。加熱キャピラリーを２００℃に設定し、電子スプレーニードルに４．２５ｋＶを印加した。シースガス流量を５０ユニットに設定し、一方、補助ガスを止めた。５００ミリ秒の最長イオン時間および１回の全マイクロスキャンでデータを得た。ｍ／ｚ  ２８０〜１５００のフルスキャンＭＳと、２．０ａｍｕの分離幅および２８％の衝突エネルギーに設定されたｍ／ｚ  ６８０．１の２の電荷を有するイオンの断片化により生じるｍ／ｚ  １２５〜１３００のデータ依存フルスキャンＭＳ／ＭＳの２つの走査種目を使用して分析を行った。
【０５４７】
ＨＰＬＣグレードの溶剤（Ｂａｋｅｒ  Ａｎａｌｙｚｅｄ）をＪ．  Ｔ．  Ｂａｋｅｒ（Ｐｈｉｌｌｉｐｓｂｕｒｇ，  ＮＪ）から購入し、そしてギ酸（９９％，ＡＣＳ）をＳｉｇｍａ（Ｓｔ．  Ｌｏｕｉｓ，  ＭＯ）から購入した。Ｃ１８カートリッジ（Ｐｈｏｎｏｍｅｎｅｘ，  Ｔｏｒｒｅｎｃｅ，  ＣＡ）を含む“Ｓａｆｅ  Ｇｕａｒｄ”安全カラムを備えたＺｏｒｂａｘ  Ｅｃｌｉｐｓｅ  ＸＤＢ−Ｃ１８  ３．０×１５０ｍｍ，  ３．５ミクロン（“Ｚｏｒｂａｘ”，  Ｈｅｗｌｅｔｔ−Ｐａｃｋａｒｄ，  Ｐａｌｏ  Ａｌｔｏ，  ＣＡ）をカラム温度３５℃および最高圧力４００ｂａｒで操作した。ＨＰ１１００バイナリーシステム（Ｈｅｗｌｅｔｔ−Ｐａｃｋａｒｄ，  Ｐａｌｏ  Ａｌｔｏ，  ＣＡ）は、０．５００ｍｌ／分の流量で、０．０分から０．８分までで水／０．１％ギ酸（Ａ）中２％Ｂ（アセトニトリル）からある傾きを生じ、次に５分間で２０％Ｂ（アセトニトリル）まで勾配を成した。親油性混入物または代謝生成物を溶離させるために６．５５分で０．８００ｍｌ／分までの流量の増加と組み合わさって、有機内容物は、６分の時点でさらに増加して６．５分の時点で９５％Ｂとなった。１．４５分後、２％Ｂで０．８００ｍｌ／分の流量でカラムを２分間再平衡化させた。ＨＰ１１００自動試料採取器（Ｈｅｗｌｅｔｔ−Ｐａｃｋａｒｄ，  Ｐａｌｏ  Ａｌｔｏ，  ＣＡ）を使用して各試料の１０μｌを注射した。これらの条件下、ＣＲＤ−Ｌｅｕ４Ｉｌｅ１１Ｃｙｓ１３ペプチド３（３−１２）［ＭＣＰ−１］溶出物の保持時間は５．１７分であった。
【０５４８】
“Ｓｔｅｒｉｌｅ  Ａｃｒｏｄｉｓｃ  １３  ０．２μｍ”フィルター（Ｇｅｒｍａｎ  Ｓｃｉｅｎｃｅｓ，  製品番号４４５４）により濾過されたラットの尿に様々なレベルの３Ｈ−ＣＲＤ−Ｌ−Ｌｅｕ４Ｉｌｅ１１Ｃｙｓ１３ペプチド３（３−１２）［ＭＣＰ−１］を添加することにより標準的な被検体を調製した。以下のレベルの３Ｈ−ＣＲＤ−Ｌ−Ｌｅｕ４Ｉｌｅ１１Ｃｙｓ１３ペプチド３（３−１２）［ＭＣＰ−１］標準をそれぞれ３回注射し、そして分析して標準曲線を作製した：０μｇ／ｍｌ（標準添加せず）、０．５μｇ／ｍｌ、１．０μｇ／ｍｌ、２．０μｇ／ｍｌ、３μｇ／ｍｌ、５μｇ／ｍｌおよび１０μｇ／ｍｌ。８６．４％の未標識化合物および１３．６％のトリチウム標識化合物を含む１回の適用量１００μｇの３Ｈ−ＣＲＤ−Ｌ−Ｌｅｕ４Ｉｌｅ１１Ｃｙｓ１３ペプチド３（３−１２）［ＭＣＰ−１］を静脈注射した後、ラットの尿の試料を様々な時点で集めた。試料を、先に述べたように濾過した後、分析した。検出方法はたんに試料の未標識フラクションの分析を可能にするもので、全濃度は、測定した濃度に１００／８６．４を掛けることにより計算した。
【０５４９】
最初の２〜３回目の採取（投与後２０時間経過まで）で得た試料だけが、質量分析器の検出限界の範囲内で評価可能であった。幾つかの実験的矛盾（おそらくは方法エラーおよび低い試料濃度に帰因する、検定される量と計数データの変動）があったが、データから尿中の注入された放射能の＞８０％が、完全な環化した構造と整合する質量を有することが判った。これらの分析において、線状ペプチドを対照として検定した。線状の形態のものは、室温の尿中で急速に環化することが確認された。ラット血清での同様なインキュベーションからこれらの生体液中のペプチドの好ましいコンフォメーションが環化化合物であるらしいことを裏付ける、同様な結果が得られた。血清中での環化する傾向を考慮すると、３Ｈ−ＣＲＤ−Ｌ−Ｌｅｕ４Ｉｌｅ１１Ｃｙｓ１３ペプチド３（３−１２）［ＭＣＰ−１］が、尿中でその線状形態物への有意なｉｎ  ｖｉｖｏ還元を経て、そして酸化されて環化した形態のものに戻るということは起こりそうにないが、初期の時点（０〜６時間）全てにおける一連の血清分析から３Ｈ−ＣＲＤ−Ｌ−Ｌｅｕ４Ｉｌｅ１１Ｃｙｓ１３ペプチド３（３−１２）［ＭＣＰ−１］の存在が確認されるまではこの可能性は排除できない。注射から１０分後の血清のＬＣ−ＭＳ−ＭＳ分析から、完全な３Ｈ−ＣＲＤ−Ｌ−Ｌｅｕ４Ｉｌｅ１１Ｃｙｓ１３ペプチド３（３−１２）［ＭＣＰ−１］の存在が確認された。
標識ペプチドの要約
比較的小さい極性の高い分子についての薬物動態学的特徴は、３Ｈ−ＣＲＤ−Ｌ−Ｌｅｕ４Ｉｌｅ１１Ｃｙｓ１３ペプチド３（３−１２）［ＭＣＰ−１］についての上記パラメータ値および構造と整合している。比較のため、抗生作用のあるアミカシン（比較的小さい（分子量約５８０）ポリカチオン性アミノグリコシド）は、同様な薬物動態学的特徴を示す（Ｔ１２約２時間、尿排出９８％、Ｖｄ＝０．２７Ｌ／ｋｇ）。この分配容量範囲内の分子は、細胞外液体に急速に分配されることがある。３Ｈ−ＣＲＤ−Ｌ−Ｌｅｕ４Ｉｌｅ１１Ｃｙｓ１３ペプチド３（３−１２）［ＭＣＰ−１］は、腎臓排出を通じて急速かつほぼ定量的に取り除かれるようである。静脈塊薬投与後の血清濃度は急速に減少し、２時間までには血液中に１％ｉ．ｄ．未満残留していた。同じ間隔にわたる血清／全血液における減少と蓄積的尿排出物における増加の間のバランスを考慮すると、３Ｈ−ＣＲＤ−Ｌ−Ｌｅｕ４Ｉｌｅ１１Ｃｙｓ１３ペプチド３（３−１２）［ＭＣＰ−１］のかなりのフラクションが組織中でキレート形成されることを想像することは困難である。別の研究から得られた生体分布データは、この推測を実証しているようである。注射から３時間後に、検定した２５の組織および器官で、たった約１１％ｉ．ｄ．であった。
【０５５０】
マウスでの研究を行い、雌ＢＡＬＢ／ｃマウスは、１０μｇの３Ｈ−ＣＲＤ−Ｌ−Ｌｅｕ４Ｉｌｅ１１Ｃｙｓ１３ペプチド３（３−１２）［ＭＣＰ−１］の皮下投与を受けた（図３９〜４０）。注射後３０分で、平均血清濃度は５０３ｎｇ／ｇであり、この濃度は、同じ時点で雌ラットで記録された５９１ｎｇ／ｇと比較してより好ましい。これらのマウスについての３０分の時点での生体分配データは、ラットについて得られた値と同様である。両方の種が同様な血液クリアランスおよび分配特性を示した。
未標識ペプチド
材料および方法
化学物質および試薬
ＨＰＬＣグレードの水およびアセトニトリル（“Ｂａｋｅｒ  Ａｎａｌｙｚｅｄ”）をＪ．  Ｔ．  Ｂａｋｅｒ（Ｐｈｉｌｌｉｐｓｂｕｒｇ，  ＮＪ）から購入した。ギ酸（９９％，ＡＣＳ）、トリフルオロ酢酸（９９＋％，分光測定グレード）および１２−エタンジチオール（９０＋％）をＳｉｇｍａ（Ｓｔ．  Ｌｏｕｉｓ，  ＭＯ）から購入した。リン酸塩緩衝塩化ナトリウム溶液（Ｄｕｌｂｅｃｃｏ’ｓリン酸塩緩衝塩化ナトリウム溶液、１×）をＧｉｂｃｏＢＲＬ（Ｇｒａｎｄ  Ｉｓｌａｎｄ，  ＮＹ）から購入した。質量分析にシースガスとして使用した窒素は、Ｂｙｒｎｅ  Ｓｐｅｃｉａｌｔｙ  Ｇａｓｅｓ（Ｓｅａｔｔｌｅ，  ＷＡ）から購入した液体窒素シリンダー（純度９９．９９８％）から抜き取った。注射用のヘパリンナトリウム、ＵＳＰ、１０００単位／ｍｌは、Ｐｒｏｖｅｔ（Ｓｅａｔｔｌｅ，  ＷＡ）から購入した。検定標準の調製のための血清は、Ｈｉｌｌｔｏｐ  Ｌａｂ  Ａｎｉｍａｌｓ（Ｓｃｏｔｔｄａｌｅ，  ＰＡ）から入手したＳｐｒａｇｕｅ−Ｄａｅｌｅｙラット（平均体重２６５ｇ）の血液から調製されたばかりのものであった。
ペプチド
ＣＲＤ−Ｌｅｕ４Ｉｌｅ１１Ｃｙｓ１３ペプチド３（３−１２）［ＭＣＰ−１］は、１３５７．７Ｄａ（モノアイソトピック）の分子量を有し、Ｃ末端でアミド化されており、純度＞９７％の三酢酸塩として製造（Ｍｕｌｔｉｐｌｅ  Ｐｅｐｔｉｄｅｓ  Ｓｙｓｔｅｍｓ，  Ｓａｎ  Ｄｉｅｇｏ，  ＣＡ）されたものであった。
【０５５１】
ＣＲＤ−Ｌ−Ｌｅｕ４Ｉｌｅ１１Ｃｙｓ１３ペプチド３（３−１２）［ＭＣＰ−１］は１３５７．７Ｄａ（モノアイソトピック）の分子量を有するもので、ＣＲＤ−Ｌｅｕ４Ｉｌｅ１１Ｃｙｓ１３ペプチド３（３−１２）［ＭＣＰ−１］のジアステレオ異性体である。このジアステレオ異性体は、以下のようにしてＤ−ロイシンの変わりにＬ−ロイシンを挿入する固相ペプチド合成により合成したものであった：ペプチド合成は、ＦｍｏｃケミストリーとＲｉｎｋアミド樹脂（ＰＥ  Ａｐｐｌｉｅｄ  Ｂｉｏｓｙｓｔｅｍｓ，  Ｆｏｓｔｅｒ  Ｃｉｔｙ，  ＣＡ）を使用してＡＢＩ  Ａｐｐｌｉｅｄ  Ｂｉｏｓｙｓｔｅｍｓ  Ｐｅｐｔｉｄｅ  Ｓｙｎｔｈｅｓｉｚｅｒ  ４３０Ａ（Ｆｏｓｔｅｒ  Ｃｉｔｙ，  ＣＡ）により行った。この合成の完了後、線状ペプチドをトリフルオロ酢酸／１２−エタンジオチオール／水（９５／２．５／２．５）により樹脂から切断した。そのペプチドを、光ダイオード検出器（Ｒａｉｎｉｎ  Ｉｎｓｔｒｕｍｅｎｔ  Ｃｏｍｐａｎｙ，  Ｉｎｃ．，  Ｗｏｂｕｒｎ，  ＭＡ）を備えたＤｙｎａｍａｘ  ＨＰＬＣを使用し、０．１％のトリフルオロ酢酸を含む水／アセトニトリルを適用して、調製用ＲＰ−ＨＰＬＣにより精製した。単離された線状ペプチド（１３５９．７Ｄａ，モノアイソトピック）の正確な分子量を、Ｆｉｎｎｉｇａｎ  ＬＣＱイオントラップ（Ｓａｎ  Ｊｏｓｅ，  ＣＡ）による非縮合化合物のＥＳＩ／ＭＳ分析により確認した。線状ペプチドを、ペプチドの非常に稀釈された水溶液を、開放フラスコ内室温で、ｐＨ８．５で２日間攪拌することにより酸化的に環化させて頭−尾ジスルフィド結合を形成した。分子内結合ペプチドを、先に述べたような調製用ＲＰ−ＨＰＬＣにより精製した。得られたトリフルオロ酢酸塩を水に溶解させ、そして３６倍モル過剰の予め洗浄されたＡＧ  １−Ｘ２強陰イオン交換樹脂［分析グレード、２００〜４００メッシュ、アセテート形態（Ｂｉｏ−Ｒａｄ  Ｌａｂｏｒａｔｏｒｉｅｓ，  Ｒｉｃｈｍｏｎｄ，  ＣＡ）］を充填したカラムに通して濾過した。溶出したペプチド三酢酸を集め、そして凍結乾燥した。ジアステレオマーの正しい分子量を、Ｆｉｎｅｇａｎ  ＬＣＱイオントラップ（Ｓａｎ  Ｊｏｓｅ，  ＣＡ）により非縮合化合物のＥＳＩ／ＭＳ分析値によって確認した。先に述べたように光ダイオードアレイ検出器と結合したＲＰ−ＨＰＬＣと、非縮合化合物のＥＳＩ／ＭＳ分析値により純度を評価した。
ＬＣ−ＭＳ分析
脱気装置、バイナリーポンプ、自動試料採取器およびカラムコンパートメント（Ｈｅｗｌｅｔｔ−Ｐａｃｋａｒｄ，  Ｐａｌｏ  Ａｌｔｏ，  ＣＡ）を具備するＨＰシリーズ１１００システムによりクロマトグラフ分離を行った。このクロマトグラフにＺｏｒｂａｘ  Ｅｃｌｉｐｓｅ  ＸＤＢ−Ｃ１８  ３．０×１５０ｍｍ，  ３．５ミクロンカラム（Ｈｅｗｌｅｔｔ−Ｐａｃｋａｒｄ，  Ｐａｌｏ  Ａｌｔｏ，  ＣＡ）と、Ｃ１８カートリッジ（Ｔｏｒｒａｎｃｅ，  ＣＡ）を備えたＰｈｅｎｏｍｅｎｅｘ“ＳａｆｅＧｕａｒｄ”安全カラムとを取り付け、そしてカラム温度３５℃、最大圧力４００ｂａｒで操作した。５００μｌ／分の流量を用いた。ＣＲＤ−Ｌｅｕ４Ｉｌｅ１１Ｃｙｓ１３ペプチド３（３−１２）［ＭＣＰ−１］およびＣＲＤ−Ｌ−Ｌｅｕ４Ｉｌｅ１１Ｃｙｓ１３ペプチド３（３−１２）［ＭＣＰ−１］の分離のための移動相は、１％のギ酸（緩衝剤Ａ）およびアセトニトリル（緩衝剤Ｂ）を含む水から構成されていた。加えた勾配は、０．５分間以内の１７％Ｂへの２分間のすすぎで２％Ｂであり、次に無勾配的に７．５分間溶出させた。洗浄工程で９５％Ｂを８００μｌ／分の高流量で３分間添加し、次に２％Ｂで３分間の平衡化工程を行った。１つの試料につき１０μｌを注入した。ＣＲＤ−Ｌｅｕ４Ｉｌｅ１１Ｃｙｓ１３ペプチド３（３−１２）［ＭＣＰ−１］は８．３分間の保持時間で溶出し、ＣＲＤ−Ｌ−Ｌｅｕ４Ｉｌｅ１１Ｃｙｓ１３ペプチド３（３−１２）［ＭＣＰ−１］は８．９分間の保持時間で溶出した。分析カラムを、ＥＳＩを使用するＴｈｅｒｍｏｑｕｅｓｔ／Ｆｉｎｎｉｇａｎ  ＬＣＱイオントラップ（Ｓａｎ  Ｊｏｓｅ，  ＣＡ）につないだ。質量分析器を正イオンモードで操作した。加熱キャピラリーを２００℃に設定し、電子スプレーニードルに４．２５ｋＶを印加した。シースガス流量を５５ユニットに設定し、一方、補助ガスを止めた。最長イオン時間５００ミリ秒および全マイクロスキャン１回の自動化ゲインを使用するフルスキャンＭＳモード（ｍ／ｚ［３３５〜１４００Ｄａ／ｚ］）でデータを得た。ＨＰＬＣ溶出物を分析の最初の６分間廃棄し、次に電子スプレー源に４分間送った。
検定用標準および試料の調製
ＣＲＤ−Ｌｅｕ４Ｉｌｅ１１Ｃｙｓ１３ペプチド３（３−１２）［ＭＣＰ−１］三酢酸塩およびＣＲＤ−Ｌ−Ｌｅｕ４Ｉｌｅ１１Ｃｙｓ１３ペプチド３（３−１２）［ＭＣＰ−１］三酢酸塩の２つの一次原液を水中１１．３ｍｇ／ｍｌの濃度で調製した。ＣＲＤ−Ｌｅｕ４Ｉｌｅ１１Ｃｙｓ１３ペプチド３（３−１２）［ＭＣＰ−１］三酢酸塩の使用溶液（ｗｏｒｋｉｎｇ  ｓｏｌｕｔｉｏｎ）を、その原液を水で１０倍稀釈し、次に２００倍に稀釈する一連の稀釈工程により調製した。さらに、ＣＲＤ−Ｌ−Ｌｅｕ４Ｉｌｅ１１Ｃｙｓ１３ペプチド３（３−１２）［ＭＣＰ−１］三酢酸塩の１．１３ｍｇ／ｍｌの使用溶液を、その原液を水で稀釈することにより調製した。血清は、Ｍｉｃｒｏｔａｉｎｅｒ血清分離管（Ｂｅｃｔｏｎ  Ｄｉｃｋｉｎｓｏｎ  ａｎｄ  Ｃｏ．，  Ｆｒａｎｋｌｉｎ  Ｌａｋｅｓ，  ＮＪ）に未処理ラットの採取したばかりの血液を入れ、次に１６，０００ｇで１０分間遠心分離にかけ、そして上層を採取することにより調製した。
【０５５２】
標準曲線を生じさせるため、ＣＲＤ−Ｌｅｕ４Ｉｌｅ１１Ｃｙｓ１３ペプチド３（３−１２）［ＭＣＰ−１］三酢酸塩使用溶液のうちの１つの２μｌと、ＣＲＤ−Ｌ−Ｌｅｕ４Ｉｌｅ１１Ｃｙｓ１３ペプチド３（３−１２）［ＭＣＰ−１］三酢酸塩使用溶液のうちの１つの２μｌを、未処理ラットから調製されたばかりの血清９６μｌに加えることによって、１３の検定用標準を調製した。処理されたラットにおけるＣＲＤ−Ｌｅｕ４Ｉｌｅ１１Ｃｙｓ１３ペプチド３（３−１２）［ＭＣＰ−１］のレベルを求めるために、ペプチド注射後の一連の時間で採取された血液から血清を単離し、ＣＲＤ−Ｌｅｕ４Ｉｌｅ１１Ｃｙｓ１３ペプチド３（３−１２）［ＭＣＰ−１］処理ラットからの各血清試料９８μｌに２μｌの内部標準ＣＲＤ−Ｌ−Ｌｅｕ４Ｉｌｅ１１Ｃｙｓ１３ペプチド３（３−１２）［ＭＣＰ−１］三酢酸塩使用溶液を加えた。検定用標準およびラット血清試料の各々を４００μｌの氷温のアセトニトリルと混合し、そして１６，０００ｇで１０分間遠心分離した。４００μｌの上澄みをＥｐｐｅｎｄｏｒｆ遠心分離管（Ｆｉｓｈｅｒブランドのポリプロピレン，Ｆｉｓｈｅｒ  Ｓｃｉｅｎｔｉｆｉｃ，  Ｐｉｔｔｓｂｕｒｇｈ，  ＰＡ）に移し入れ、Ｓａｖａｎｔ  Ｖａｃ（Ｈｏｌｂｒｏｏｋ，  ＮＹ）内で一晩減圧乾燥し、そして１００μｌのＨＰＬＣグレードの水に溶解させた。試料を１６，０００ｇで１０分間回転させ、そしてその７０μｌを、ＬＣ−ＭＳ分析用の２ｍｌのＨＰＬＣバイアル（Ｈｅｗｌｅｔｔ−Ｐａｃｋａｒｄ，  Ｐａｌｏ  Ａｌｔｏ，  ＣＡ）内に置かれた１００μｌのガラスインサートに入れた。検定用標準の最終濃度は、ＣＲＤ−Ｌｅｕ４Ｉｌｅ１１Ｃｙｓ１３ペプチド３（３−１２）［ＭＣＰ−１］０．００８μｇ／ｍｌ，０．０４μｇ／ｍｌ，０．０８μｇ／ｍｌ，０．２μｇ／ｍｌ，０．４μｇ／ｍｌ，０．８μｇ／ｍｌ，２μｇ／ｍｌ，４μｇ／ｍｌ，８μｇ／ｍｌ，２０μｇ／ｍｌ，４０μｇ／ｍｌ，８０μｇ／ｍｌおよび２００μｇ／ｍｌであった。全ての試料は、１６μｇ／ｍｌの内部標準ＣＲＤ−Ｌｅｕ４Ｉｌｅ１１Ｃｙｓ１３ペプチド３（３−１２）［ＭＣＰ−１］を含んでいた。ブランク試料は、未処理ラットからの血清９６μｌに４μｌの水を加え、次に液／液抽出し、そして先に述べたようにＬＣ−ＭＳ分析のために再構成することにより調製した。
定量分析
ＬＣＱｕａｎプログラム（Ｆｉｎｎｉｇａｎ，  Ｓａｎ  Ｊｏｓｅ，  ＣＡ）を使用し、分離幅３ｕを使用してフルスキャン全イオンクロマトグラフィーから抽出されたＣＲＤ−Ｌｅｕ４Ｉｌｅ１１Ｃｙｓ１３ペプチド３（３−１２）［ＭＣＰ−１］およびＣＲＤ−Ｌ−Ｌｅｕ４Ｉｌｅ１１Ｃｙｓ１３ペプチド３（３−１２）［ＭＣＰ−１］の３、２および１の電荷を有するイオン（ｍ／ｚ  ４５３．６［Ｍ＋３Ｈ］３＋、ｍ／ｚ  ６８０．０［Ｍ＋２Ｈ］２＋およびｍ／ｚ  １３５８．７［Ｍ＋Ｈ］＋）のイオン電流の和をモニターすることによって、ＣＲＤ−Ｌｅｕ４Ｉｌｅ１１Ｃｙｓ１３ペプチド３（３−１２）［ＭＣＰ−１］のレベルを求めた。それぞれ１６μｇ／ｍｌのＣＲＤ−Ｌ−Ｌｅｕ４Ｉｌｅ１１Ｃｙｓ１３ペプチド３（３−１２）［ＭＣＰ−１］を含む、先に述べたように血清中に調製された１３個の検定用標準を３回分析した。各標準で３つのデータ点を平均した後、ＣＲＤ−Ｌ−Ｌｅｕ４Ｉｌｅ１１Ｃｙｓ１３ペプチド３（３−１２）［ＭＣＰ−１］に対するＣＲＤ−Ｌｅｕ４Ｉｌｅ１１Ｃｙｓ１３ペプチド３（３−１２）［ＭＣＰ−１］の濃度比を対照として、被検体とＣＲＤ−Ｌｅｕ４Ｉｌｅ１１Ｃｙｓ１３ペプチド３（３−１２）［ＭＣＰ−１］と内部標準ＣＲＤ−Ｌ−Ｌｅｕ４Ｉｌｅ１１Ｃｙｓ１３ペプチド３（３−１２）［ＭＣＰ−１］のピーク面積比をプロットすることにより検定用曲線を作成した。非重み付き線形回帰直線を、２００ｎｇ／ｍｌ〜２００μｇ／ｍｌのＣＲＤ−Ｌｅｕ４Ｉｌｅ１１Ｃｙｓ１３ペプチド３（３−１２）［ＭＣＰ−１］の濃度範囲をカバーするＣＲＤ−Ｌ−Ｌｅｕ４Ｉｌｅ１１Ｃｙｓ１３ペプチド３（３−１２）［ＭＣＰ−１］に対するＣＲＤ−Ｌｅｕ４Ｉｌｅ１１Ｃｙｓ１３ペプチド３（３−１２）［ＭＣＰ−１］の濃度比にフィットさせた。シグナル対ノイズ比が３：１を超える最低濃度の検定用標準のレベルとして定量の下限（ＬＬＯＱ）を求めた。この方法の正確さを、相対誤差（％）（ＲＥ）として計算し、そして精度を相対標準偏差（％）（ＲＳＤ）として表した。
薬物動態学的分析
外科的に挿入された頸静脈を有する５匹の雌Ｓｐｒａｇｕｅ−Ｄａｗｌｅｙラット（平均体重２６５ｇ）をＨｉｌｌｔｏｐ  Ｌａｂ  Ａｎｉｍａｌｓ（Ｓｃｏｔｔｄａｌｅ，  ＰＡ）から入手し、そしてｔｈｅ  Ａｓｓｏｃｉａｔｉｏｎ  ｆｏｒ  ｔｈｅ  Ａｓｓｅｓｓｍｅｎｔ  ａｎｄ  Ａｃｃｒｅｄｉｔａｔｉｏｎ  ｏｆ  Ｌａｂｏｒａｔｏｒｙ  Ａｎｉｍａｌ  Ｃａｒｅにより承認された施設で飼育した。動物の使用を伴う全ての実験法は、ｔｈｅ  ｉｎｓｔｉｔｕｔｉｏｎａｌ  Ａｎｉｍａｌ  Ｃａｒｅ  ａｎｄ  Ｕｓｅ  Ｃｏｍｍｉｔｔｅｅにより承認されたものであり、動物はＮａｌｇｅｎｅ代謝ケージ（Ｎａｌｇｅｎｅ  Ｃｏｍｐａｎｙ，  Ｒｏｃｈｅｓｔｅｒ，  ＮＹ）内で飼育し、アドリビタムに食餌および水を与えた。
【０５５３】
６０ｍｇのＣＲＤ−Ｌｅｕ４Ｉｌｅ１１Ｃｙｓ１３ペプチド３（３−１２）［ＭＣＰ−１］三酢酸塩を１．８ｍｌのリン酸塩緩衝塩化ナトリウム溶液に溶解させ、そして３００μｌを各ラットの尾の側面部に注射した（８．８ｍｇ）。各ラットに注射したＣＲＤ−Ｌｅｕ４Ｉｌｅ１１Ｃｙｓ１３ペプチド３（３−１２）［ＭＣＰ−１］の正確な量は、シリンジの注射前後の質量に基づいて計算した。
【０５５４】
５匹のラットの各々から、処理前（採血前）ならびに注射後０．０８時間、０．２５時間、０．５時間、１時間、２時間、４時間、６時間、２４時間、４８時間および７２時間で、頸静脈カテーテルを通じて各約３００μｌの血液試料を採取した。採取した血液を等容量のリン酸塩緩衝塩化ナトリウム溶液に置き換え、続いて抗凝固剤として約３０μｌのヘパリンを注射した。血液試料は即座に血清分離管に入れ、そして先に述べたように処理および分析した。０〜４時間、４〜６時間、６〜１０時間、１０〜２８時間、２８〜４８時間、および４８〜７２時間の各間隔で尿を採取し、そしてＡｃｒｏｄｉｓｃフィルター（Ｓｔｅｒｉｌｅ  Ａｃｒｏｄｉｓｃ  １３，  ０．２μｍ，Ｇｅｌｍａｎ  Ｓｃｉｅｎｃｅｓ）に通して濾過した。
【０５５５】
ＣＲＤ−Ｌｅｕ４Ｉｌｅ１１Ｃｙｓ１３ペプチド３（３−１２）［ＭＣＰ−１］の濃度を、先に述べたようにＬＣ−ＭＳ分析により求めた（図示していないが尿試料のデータ）。次式：Ｃｏｎｃ（Ｔｉｍｅ）＝Ａ・ｅ−α・Ｔｉｍｅ＋Ｂ・ｅ−β・Ｔｉｍｅに従う薬物適用量入力と一次出力（モデル番号７）の基本的なバイエクスポネンシャル２コンパートメントモデルを使用するシミュレーションプログラム（ＰＫ  Ａｎａｌｙｓｔ，  ＭｉｃｒｏＭａｔｈ  Ｓｃｉｅｎｔｉｆｉｃ  Ｓｏｆｔｗａｒｅ，  Ｓａｌｔ  Ｌａｋｅ  Ｃｉｔｙ，  ＵＴ）を使用して曲線フィッティング薬物動態分析を行った。
結果
ＬＣ−ＭＳ分析
ＣＲＤ−Ｌｅｕ４Ｉｌｅ１１Ｃｙｓ１３ペプチド３（３−１２）［ＭＣＰ−１  ］及びＣＲＤ−Ｌ−Ｌｅｕ４Ｉｌｅ１１Ｃｙｓ１３ペプチド３（３−１２）［ＭＣＰ−１  ］の検出のために質量スペクトルパラメーターを  ５００μｌ／ｍｉｎ  の流速において最適化し、そして作製したＥＳＩ  陽性質量スペクトルはｍ／ｚ  ４５３．６（［Ｍ＋３Ｈ］３＋）、ｍ／ｚ  ６８０．０（［Ｍ＋２Ｈ］２＋）及びｍ／ｚ  １３５８．７（［Ｍ＋Ｈ］）の３，２および１の電荷を有する分子イオンを示した。解析した濃度範囲で観察された最も豊富なイオンは［Ｍ＋３Ｈ］３＋又は［Ｍ＋２Ｈ２＋］イオンのいずれかであった。ラット血清中のＣＲＤ−Ｌｅｕ４Ｉｌｅ１１Ｃｙｓ１３ペプチド３（３−１２）［ＭＣＰ−１  ］及びＣＲＤ−Ｌ−Ｌｅｕ４Ｉｌｅ１１Ｃｙｓ１３ペプチド３（３−１２）［ＭＣＰ−１  ］の基底線分分離は逆相ＨＰＬＣ（ＲＰ−ＨＰＬＣ）により達成され、ＣＲＤ−Ｌｅｕ４Ｉｌｅ１１Ｃｙｓ１３ペプチド３（３−１２）［ＭＣＰ−１  ］が８．３３（±０．０４，ｎ＝１０８）分でまず溶出し、そしてＣＲＤ−Ｌ−Ｌｅｕ４Ｉｌｅ１１Ｃｙｓ１３ペプチド３（３−１２）［ＭＣＰ−１  ］が８．９４（±０．０５，ｎ＝１０８）分で溶出した。血清中で調製したサンプル及びペプチド処置した動物の血清から単離したサンプルは全て２つの微量な物質を示した。それらの微量物質はＣＲＤ−Ｌｅｕ４Ｉｌｅ１１Ｃｙｓ１３ペプチド３（３−１２）［ＭＣＰ−１  ］及びＣＲＤ−Ｌ−Ｌｅｕ４Ｉｌｅ１１Ｃｙｓ１３ペプチド３（３−１２）［ＭＣＰ−１  ］の前に溶出した。一の微量物質はＣＲＤ−Ｌｅｕ４Ｉｌｅ１１Ｃｙｓ１３ペプチド３（３−１２）［ＭＣＰ−１  ］から形成され、他方はＣＲＤ−Ｌ−Ｌｅｕ４Ｉｌｅ１１Ｃｙｓ１３ペプチド３（３−１２）［ＭＣＰ−１  ］から形成された。この反応を計算するため、ＣＲＤ−Ｌｅｕ４Ｉｌｅ１１Ｃｙｓ１３ペプチド３（３−１２）［ＭＣＰ−１  ］をその対応の微量物質及びＣＲＤ−Ｌｅｕ４Ｉｌｅ１１Ｃｙｓ１３ペプチド３（３−１２）［ＭＣＰ−１  ］のピークとして積分し、一方ＣＲＤ−Ｌ−Ｌｅｕ４Ｉｌｅ１１Ｃｙｓ１３ペプチド３（３−１２）［ＭＣＰ−１  ］はＣＲＤ−Ｌ−Ｌｅｕ４Ｉｌｅ１１Ｃｙｓ１３ペプチド３（３−１２）［ＭＣＰ−１  ］の対応の微量物質及びＣＲＤ−Ｌ−Ｌｅｕ４Ｉｌｅ１１Ｃｙｓ１３ペプチド３（３−１２）［ＭＣＰ−１  ］のピークとして積分した。干渉ピークはブランク血清サンプルでは検出されなかった。
定量分析
二重又は三重に荷電した種のシングルイオンモニタリング、あるいは二重又は三重に荷電した種から発生した生成イオンを検出する選択イオンモニタリングによる除タンパクしたラットの血清試料にスパイクされたＣＲＤ−Ｌｅｕ４Ｉｌｅ１１Ｃｙｓ１３ペプチド３（３−１２）［ＭＣＰ−１  ］の既知の量を定量する最初の試みは、２０％超のＲＳＤ  を有する高度に可変な結果をもたらした。同一の試料の一重、二重及び三重に荷電した種の合計のイオン電流を統合するためにＳＩＭ  を利用する場合、再現性はＲＳＤ  ＜１５％と有意に向上した（データは示さない）。故に、ラット血清中のＣＲＤ−Ｌｅｕ４Ｉｌｅ１１Ｃｙｓ１３ペプチド３（３−１２）［ＭＣＰ−１  ］の濃度は、ＳＩＭ  モードのＬＣ−ＭＳ  によって定量した。
【０５５６】
安定な同位体無しに、ジアステレオマーＣＲＤ−Ｌ−Ｌｅｕ４Ｉｌｅ１１Ｃｙｓ１３ペプチド３（３−１２）［ＭＣＰ−１  ］は、内部標準として含めた。血清中の０．００８、０．００４、及び０．０８μｇ／ｍｌのＣＲＤ−Ｌｅｕ４Ｉｌｅ１１Ｃｙｓ１３ペプチド３（３−１２）［ＭＣＰ−１  ］を含む、解析した３つの最小のひとまとめの検量曲線の濃度は、検出が十分に可能ではなく、そしてＬＬＯＱは  ０．２μｇ／ｍｌ未満として決定された（注射１回につき２ｎｇ）。検量範囲外で１２％未満のＲＳＤ  、１日に±１１％以内の正確性が精度のＲＥであった。ＣＲＤ−Ｌ−Ｌｅｕ４Ｉｌｅ１１Ｃｙｓ１３ペプチド３（３−１２）［ＭＣＰ−１  ］に対するＣＲＤ−Ｌｅｕ４Ｉｌｅ１１Ｃｙｓ１３ペプチド３（３−１２）［ＭＣＰ−１  ］の濃度比に対してプロットした脱タンパクしたラットの血清中のＣＲＤ−Ｌ−Ｌｅｕ４Ｉｌｅ１１Ｃｙｓ１３ペプチド３（３−１２）［ＭＣＰ−１  ］に対するＣＲＤ−Ｌｅｕ４Ｉｌｅ１１Ｃｙｓ１３ペプチド３（３−１２）［ＭＣＰ−１  ］の濃度比の応答は、  ２００ｍｇ／ｍｌ〜  ２００μｇ／ｍｌのＣＲＤ−Ｌｅｕ４Ｉｌｅ１１Ｃｙｓ１３ペプチド３（３−１２）［ＭＣＰ−１  ］の範囲で直線だった（ｒ２＝０．９９９６、傾き０．８４８８±０．００５８４３）。曲線のＹのインターセプト０．０２６５３±０．０２４１６は、有意でない妨害する不純物の量を示した。
【０５５７】
ジアステレオマーが同一のプロトン化部位の存在する場合、ｔｈｅｉのイオン化効率は同じであることが予想された。しかし、血清の検量曲線の傾きは、感度の差異を示す０．８４８８（±０．００５８４３）として計算され、これはＣＲＤ−Ｌｅｕ４Ｉｌｅ１１Ｃｙｓ１３ペプチド３（３−１２）［ＭＣＰ−１  ］とＣＲＤ−Ｌ−Ｌｅｕ４Ｉｌｅ１１Ｃｙｓ１３ペプチド３（３−１２）［ＭＣＰ−１  ］との間の電荷の競合における差異の結果であろう。
薬物動態分析
ＣＲＤ−Ｌｅｕ４Ｉｌｅ１１Ｃｙｓ１３ペプチド３（３−１２）［ＭＣＰ−１］を８．８ｍｇの投与量でｉ．ｖ．ボーラス投与で一回処置した５匹のラットの血清プロフィールを作成するために、本方法を適用した。注射後１５分のラット５＃から採集した一試料（この試料は１７．７％のＲＳＤを示した）以外は、すべてのラット試料の分析では、ＲＳＤが１０％未満であり、良好な精度を示した。得られた５つの動物血清濃度曲線は、排出完了に近い後のサンプリング時点でＳＴＤＥＶ％を増加するにつれ、互いに近似した平行線となった。血清濃度は４時間以内にＬＬＯＱ以下に低下し、ＣＲＤ−Ｌｅｕ４Ｉｌｅ１１Ｃｙｓ１３ペプチド３（３−１２）［ＭＣＰ−１］は極めて迅速な排泄動態を示し、血清の平均半減期が略１０分であることを示唆した。血清薬物動態を評価するために、血清データセットすべての平均を、曲線適合薬物動態シミュレーション・プログラム（ＰＫ分析）により処理した。ボーラスｉ．ｖ．インプットと一次アウトプットを有する基本的な二指数曲線２コンパートメントモデルを用いると、得られたデータと予測データはよく一致した（ｒ２＝０．９９９９）。前記の定量法を用いて、注射後いくつかの時点で採集した試料中の、尿レベルのＣＲＤ−Ｌｅｕ４Ｉｌｅ１１Ｃｙｓ１３ペプチド３（３−１２）［ＭＣＰ−１］を測定して、蓄積尿排泄プロフィールを得た。全体で投与量の約７０％が２４時間で回収され、５５％より多くが最初の２時間で排泄された。この高速度の尿排泄は、血管区間からのＣＲＤ−Ｌｅｕ４Ｉｌｅ１１Ｃｙｓ１３ペプチド３（３−１２）［ＭＣＰ−１］の迅速排泄と一致し、かつイオン性の高極性小分子の薬学動態プロフィールと一致する。
検討
生物学的分子、例えば、ペプチド及びプロテインのＥＳＩポジティブ質量スペクトルは、プロトン化にアクセスできる多くの塩基性部位の存在のために、多重荷電種の特徴的なパターンを通常示す。一連の異なる荷電状態にあるイオンの強度比率は、かなり変動することがあるので、単一イオン又は選択的反応モニタリングを用いるＬＣ−ＭＳによる多重荷電化合物の定量を困難なものにする。すべての検出された荷電状態の合計イオン流から得られる曲線下の全領域を得るためにＳＩＭを用いると、定量データの再現性を顕著に改良することができる。Ｃａｒｒａｓｃａｌ等、Ｊ．Ｐｈａｒｍ．Ｂｉｏ．Ａｎａ．，１７，１１２９（１９９８）；Ｃｌａｒｋｅ等、ＦＥＢＳ  Ｌｅｔｔ．，４３０，４１９（１９９８）。
【０５５８】
粗い分析法に沿って高精度の定量測定を行うには、適切な内部基準を取入れることが更に必要である。質量スペクトル分析のための理想的な内部基準は、分析対象物とは分析上識別可能であるが、尚試料調製の際の分析対象物の減少量、マトリックス効果及び質量分析計に流れるイオン流を補正するように、略同等の物理的及び化学的性質を示すものである。これらの基準に極めてよく合致する一群の化合物は、安定な同位体類縁物である。しかしながら、安定な同位体類縁物は合成が困難であることが多く、高価であり、かつ分析を妨害する同位体不純物を含有することが多い。安定な同位体が容易に入手できない場合は、分子量並びに物理的及び化学的性質が異なる構造上関連する分子が、内部基準として用いられることが多い。例えば、ＬＣ−ＥＳＩ／ＭＳによるペプチドの定量分析のためには、ペプチド同位形が内部基準として用いられてきた（Ｃａｒｒａｓｃａｌ等、１９９８）。しかしながら、この場合、試料処理後に変動しうる回収量、並びに計器上の不一致を補償するためには二つの内部基準を取入れること必要であった。
【０５５９】
安定な同位体類縁物と同様、アトロプ異性体及びジアステレオマーを含むある種の立体異性体は、類似の物理的及び化学的性質を有するにもかかわらず、分析上識別可能である（３月号、Ａｄｖａｎｃｅｄ  Ｏｒｇａｎｉｃ  Ｃｈｅｍｉｓｔｒｙ，Ｒｅａｃｔｉｏｎｓ，Ｍｅｃｈａｎｉｓｍｓ，ａｎｄ  Ｓｔｒｕｃｔｕｒｅ，９４〜１１６頁、Ｊｏｈｎ  Ｗｉｌｅｙ  ＆  Ｓｏｎｓ，Ｉｎｃ．，ＮＹ（１９９２）ので、内部基準として良い適格性を有する。ＥＳＩ／ＭＳ定量データの再現性をさらに向上させるためには、ＳＩＭを適用して、すべての検出された荷電状態の合計イオン流から得られる曲線下の全領域を得ることができる。
【０５６０】
ペプチドジアステレオマーであるＣＲＤ−Ｌｅｕ４Ｉｌｅ１１Ｃｙｓ１３ペプチド３（３−１２）［ＭＣＰ−１］及びＣＲＤ−Ｌ−Ｌｅｕ４Ｉｌｅ１１Ｃｙｓ１３ペプチド３（３−１２）［ＭＣＰ−１］は、同一のアミノ酸組成、配列及び疎水性を有するので、試料調製の際、同様に分配し且つ反応することが期待される。ＲＰ−ＨＰＬＣでは、３個の対数目盛りにわたる濃度範囲で基線分離が得られるが、前記ジアステレオマーは、同等のＥＳＩ質量スペクトルを示すので同一の質量スペクトル分析法を用いて分析することができる。その結果、得られる検量曲線は、広範な動態範囲にわたって良好な厳密性及び精度を示した。処置ラットから採集した血清試料中のＣＲＤ−Ｌｅｕ４Ｉｌｅ１１Ｃｙｓ１３ペプチド３（３−１２）［ＭＣＰ−１］の定量分析にこの方法を適用すると、良好な再現性を示し、予想される血清の薬学動態はイオン性高極性小分子の薬学動態と一致した。
【０５６１】
結論として、容易に合成されるジアステレオマーであるＣＲＤ−Ｌｅｕ４Ｉｌｅ１１Ｃｙｓ１３ペプチド３（３−１２）［ＭＣＰ−１］は、内部標準として安定な同位体類縁物の好適な代替物であることが証明された。更に安定な同位体類縁物で導入される共溶出化合物又は同位体不純物の部分重複に起因する妨害の問題も引き起こさなかった。したがって、生物学的液体中の多重荷電ペプチドについての、手軽で信頼しうる定量が、内部基準としてのジアステレオマーを取入れたＳＩＭ法でＬＣ−ＭＳを用いて達成された。
実施例１４
Ｔ細胞−依存性抗体応答の阻害
ＣＲＤ−Ｌｅｕ４Ｉｌｅ１１Ｃｙｓ１３ペプチド３（３−１２）［ＭＣＰ−１］で処理すると、Ｔ細胞−依存性抗体応答が阻害されるが、ヒツジ赤血球で免疫化されたマウスではＴ細胞−非依存性抗体応答を阻害しなかった（図３６）。
実施例１５
ペプチド３配列の例示
本発明の好ましいペプチド３剤としては、Ｄ−アミノ酸で形成される逆配列、例えば、ａｑｉｗｋｑｋｐｄｌｃ，  ｃｑｉｗｋｑｋｐｄｌｃ，  ｄｑｉｗｋｑｋｐａｌｃ，  ｅｑｉｗｋｑｋｐｄｌｃ，  ｆｑｉｗｋｑｋｐｄｌｃ，  ｇｑｉｗｋｑｋｐｄｌｃ，  ｈｑｉｗｋｑｋｐｄｌｃ，  ｉｑｉｗｋｑｋｐｄｌｃ，  ｋｑｉｗｋｑｋｐｄｌｃ，  ｌｑｉｗｋｑｋｐｄｌｃ，  ｍｑｉｗｋｑｋｐｄｌｃ，  ｎｑｉｗｋｑｋｐｄｌｃ，  ｐｑｉｗｋｑｋｐｄｌｃ，  ｑｑｉｗｋｑｋｐｄｌｃ，  ｒｑｉｗｋｑｋｐｄｌｃ，  ｓｑｉｗｋｑｋｐｄｌｃ，  ｔｑｉｗｋｑｋｐｄｌｃ，  ｖｑｉｗｋｑｋｐｄｌｃ，  ｗｑｉｗｋｑｋｐｄｌｃ，  ｙｑｉｗｋｑｋｐｄｌｃ並びに太字位置の各々にＬ−アミノ酸を有する剤、例えば、Ｃｑｉｗｋｑｋｐｄｌｃが挙げられる。前記の逆配列が環状化されているものも好ましい。本発明の他の好ましいペプチド３剤としては、以下に限定されないが、ペプチド３（３−１２）［ＭＣＰ−１］の第二位に１９個のアミノ酸の一つを有するもの、例えば、ｃａｉｗｋｑｋｐｄｌｃ、ｃｃｉｗｋｑｋｐｄｌｃ、ｃｄｉｗｋｑｋｐｄｌｃ及びｃｙｉｗｋｑｋｐｄｌｃ、並びにペプチド３（３−１２）［ＭＣＰ−１］の第二位にＬ−アミノ酸を有するもの、例えば、ｃＱｉｗｋｑｋｐｄｌｃが挙げられる。本発明の他の好ましいペプチド３剤は、ペプチド３（３−１２）［ＭＣＰ−１］の前記位置の各々に１９個のアミノ酸の一つを有するもの、並びにそれらの位置にＬ−アミノ酸を有するもの、例えば、ｃｑａｗｋｑｋｐｄｌｃ，  ｃｑｙｗｋｑｋｐｄｌｃ，  ｃｑＩｗｋｑｋｐｄｌｃ  ｃｑｉｗｋｑｋｐｄｌｃ，  ｃｑｉｗｋｑｋｐｄｌｄ，  ｃｑｉｗｋｑｋｐｄｌｙ及びａｎｄｃｑｉｗｋｑｋｐｄｌＣである。一連のペプチド３バリアント全体を、それらのケモカイン阻害活性について試験し、活性を有するものについてはそれらの効力（ＥＤ５０）について試験した。
例１６
ヘパリンをコートしたアガロースビーズへのＭＣＰ−１結合の阻害
ケモカインは細胞表面上のグリコスアミノグリカンに結合し、これはケモカイン受容体結合及びその後のシグナリングを促進する。ＣＤＲ−Ｌｅｕ４Ｉｌｅ１１Ｃｙｓ１３ペプチド３（３−１２）［ＭＣＰ−１］、パンケモカインインヒビターが競争的に１２５Ｉ−ＭＣＰ−１のヘパリンをコートしたアガロースビーズへの結合を阻害するか否かを調べるため、Ｈｏｏｇｅｒｗｅｒｆらにより記載された方法（Ｂｉｏｃｈｅｍｉｓｔｒｙ，  ３６，  １３５７０  （１９９７））を用いた。約１０−１０〜１０−７ＭのＭＣＰ−１の濃度を高めることにより、結合した１２５Ｉ−ＭＣＰ−１が増加し、ＭＣＰ−１マルチマー形成と一致した。これは約１０−７〜１０−５ＭのＭＣＰ−１の濃度における単相置換曲線に従った。対照的に、ＣＲＤ−Ｌｅｕ４Ｉｌｅ１１Ｃｙｓ１３ペプチド３（３−１２）［ＭＣＰ−１］は１０−１１〜１０−４Ｍの濃度においてヘパリンをコートしたアガロースビーズからＭＣＰ−１を置換せず、１０−３Ｍほどの濃度のＣＲＤ−Ｌｅｕ４Ｉｌｅ１１Ｃｙｓ１３ペプチド３（３−１２）［ＭＣＰ−１］はＭＣＰ−１と同じ程度にヘパリンへのＭＣＰ−１結合を阻害しなかった。このことは、ＣＲＤ−Ｌｅｕ４Ｉｌｅ１１Ｃｙｓ１３ペプチド３（３−１２）［ＭＣＰ−１］は生理学的に意味のある濃度においてヘパリン結合の競争抑制によりケモカインインヒビターとして機能しないことを示唆している（図４２）。
例１７
３−（ウンデカ−１０−エノイルアミノ）−ジヒドロピリジン−２，６（１Ｈ，２Ｈ）−ジオン（Ｒ１が９−デセニルであり、Ｒ２が水素であり、Ｒ３及びＲ４がそれらが結合している原子と一緒になって５つの炭素原子及びＮ（Ｈ）を含む６員複素環を形成し、Ｒ５が水素であり、＊で示す中心が（Ｓ）形態を有する式ＸＶの化合物）の合成
Ｌ−グルタミン（１４．６２ｇ、０．１ｍｏｌ）及びＫＯＨ（１１．２ｇ、０．２ｍｏｌ）を２０℃において水（２００ｍＬ）に溶解した。次いでＴＨＦ（２００ｍＬ）中の１０−ウンデセノイルクロリド（２０．３ｇ、０．１ｍｏｌ）の溶液を１０分かけて加えた。この反応溶液を２０℃において１６時間攪拌し、次いで真空中で約２５０ｍＬにした。この溶液のｐＨが１になるまで濃ＨＣｌ（約１２Ｍ）を滴加した。濾過によって白色の固体沈殿を集めた。この固体を水（１００ｍＬ）及びジエチルエーテル（１００ｍＬ）で洗浄した。次いでこの固体を還流トルエン（５００ｍＬ）に溶解し、存在する過剰の水をＤｅａｎ−Ｓｔａｒｋトラップを用いて周囲圧力において蒸留によって除去した。次いでこの溶液を２０℃まで冷却した。１６時間後、白色固体沈殿を濾過によって集め、ＥｔＯＡｃ（５００ｍＬ）から再結晶化させた。この固体を真空中で乾燥させ、白色粉末としてＮ−α−ウンデカ−１０−エノイルグルタミン酸（９．３６ｇ、３０％）を得た。
【０５６２】
Ｎ−α−ウンデカ−１０−エノイルグルタミン酸（８．００ｇ、２５．６ｍｍｏｌ）をＴＨＦ（２００ｍＬ）とＤＭＦ（２０ｍＬ）の混合物に溶解し、この溶液を０℃に冷却した。Ｎ−ヒドロキシスクシンイミド（２．９４ｇ、２５．６ｍｍｏｌ）を加え、次いでＤＣＣ（５．２６ｇ、２５．６ｍｍｏｌ）を加えた。この反応溶液を０℃において１時間攪拌し、次いで２５℃まで温め、この温度において２４時間攪拌した。これを濾過し、濾液をＥｔＯＡｃ（４００ｍＬ）と０．５ＭのＨＣｌ（ａｑ）（３００ｍＬ）の間で分配した。有機層を０．５ＭのＨＣｌ（ａｑ）（３００ｍＬ）で２回以上洗浄し、Ｎａ２ＳＯ４上で乾燥させ、真空中で蒸発させ、白色固体を得、これをクロマトグラフ（ＳｉＯ２／ＥｔＯＡｃ）にかけ、白色粉末を得た。この物質をＥｔＯＡｃから再結晶化させ、白色結晶固体（３．１４ｇ、４２％）を得た。
例１８
３−（ウンデカ−１０−エノイルアミノ）−ジヒドロキシピリジン−２，６（１Ｈ，２Ｈ）−ジオンの他の合成法
（Ｓ）−３−（ｔｅｒｔ−ブトキシカルボニルアミノ）グルタルイミド（Ｒ１がｔｅｒｔ−ブトキシであり、Ｒ２が水素であり、Ｒ３及びＲ４がそれらが結合している原子と一緒になって５つの炭素原子及びＮ（Ｈ）を含む６員複素環を形成し、Ｒ５が水素であり、＊で示す中心が（Ｓ）形態を有する式ＸＶの化合物、２２８ｍｇ、１ｍｍｏｌ）をＣＨ２Ｃｌ２（２ｍＬ）に溶解し、この溶液を０℃に冷却した。トリフルオロ酢酸（１ｍＬ）を滴加し、この反応溶液を１時間攪拌した。この反応溶液を真空中で蒸発させ、粘稠なオイルとして粗（Ｓ）−グルタルイミジル−３−アンモニウムトリフルオロアセテートを得た。この物質をＤＭＦ（１．５ｍＬ）及び（ｉ−Ｐｒ）２Ｎｅｔ（１．５ｍＬ）に溶解させ、得られた溶液を２５℃においてＤＭＦ中のＢＯＰ（４４２ｍｇ、１ｍｍｏｌ）及び１０−ウンデセン酸（１ｍｍｏｌ）の溶液に加えた。この反応溶液を２４時間攪拌し、次いでＥｔＯＡｃ（３０ｍＬ）と０．５ＭのＨＣｌ（ａｑ）（２０ｍＬ）の間で分配した。有機層を０．５ＭのＨＣｌ（ａｑ）（２０ｍＬ）で２回以上洗浄し、Ｎａ２ＳＯ４上で乾燥させ、真空中で蒸発させ、白色固体を得、これをクロマトグラフ（ＳｉＯ２／ＥｔＯＡｃ）にかけ、表題の化合物を得た。
例１９
ヨヒンバミド（Ｙ−ＩＩ、Ｒ１がアミノであり、Ｒ２がヒドロキシであり、Ｒ３が水素であり、Ｒ４が水素であり、そしてｎが０である式ＸＩＶの化合物）の合成
ヨヒンビン（２ｇ）を新たに調製したソーダミド（還流下で約１００ｍＬのアンモニアに３．６ｇのナトリウム金属を加えることにより調製）に加えた。この混合物を５〜６時間攪拌し、次いで冷却器を取り外し、液体アンモニアを蒸発させた。残留物質を温水と酢酸エチルの混合物（約１：１）に溶解した。振盪後、溶媒を分離させ、ロータリーエバポレータを用いて酢酸エチルを除去した。得られたオレンジ色の粉末を真空中で乾燥させ、表題のヨヒンバン−１７−アミド（Ｙ−ＩＩ、１．８ｇ、９０％）を得た。その構造はＮＭＲで確認した。
例２０
リゼルジルグルタミン（Ｒ１がメチルであり、Ｒ２がアミン窒素原子を介して結合し、アミドを形成するグルタミンである式ＸＶＩＩの化合物）の合成
リゼルグ酸（２ｇ）を乾燥ＤＭＦに溶解し、１．８ｇのＰｙＢＯＰの添加によって活性化した。この反応溶液を室温において１時間攪拌し、１．４ｇのＦｍｏｃ−Ｌ−グルタミンを加えた。１６時間後、この反応混合物を濾過し、濾液を酢酸エチル（４００ｍＬ）と０．５Ｍの水酸化ナトリウム（２００ｍＬ）の間で分配した。有機層をアルカリで２回以上洗浄し、硫酸ナトリウム上で乾燥させ、真空中で蒸発させて白色固体を得た。これを酢酸エチルから再結晶化させ、白色結晶固体としてリゼルジルグルタミン（Ｌ−ＩＩ、１．１ｇ、５５％）を得た。化合物Ｌ−ＩＩはバリウム（Ｖａｌｉｕｍ）と同様の溶解性を有することが見出された。従って、Ｌ−ＩＩはバリウムの配合に有効であることが知られているキャリヤと組み合わせて投与用に配合することができる。例えば、Ｌ−ＩＩは適当なポリヒドロキシキャリヤ（例えばポリプロピレングリコール）を含む医薬組成物で投与することができる。化合物Ｌ−ＩＩはポリヒドロキシキャリヤ及び適当なアルコールを含む医薬組成物（例えば約１０％〜５０％ポリプロピレングリコール及び約５％〜１５％エタノール、好ましくは約４０％ポリプロピレングリコール及び１０％エタノールを含む組成物）で投与することができる。
例２１
ペプチド同族体のインビトロ及びインビボ評価
ＷＧＱは約１．７５μＭのＥＤ５０でＭＣＰ−１により誘導されるＴＨＰ−１移動を阻害する（図４３）。ＷＧＱの１４の同族体が合成され、トランスウェルＴＨＰ−１移動アッセイにおいて評価した（図４３）。構造的に関連する化合物であるサリドマイドについても評価した。すべての化合物はＤＭＳＯ中で再構成した。
【０５６３】
図４３は、１００μＭにおけるこれらの化合物の効果及びＭＣＰ−１により誘導されるＴＨＰ−１移動の阻害率を示している。例えば、Ｎ−ウンデセ−１０−エノイル類はＭＣＰ−１により誘導されるＴＨＰ−１移動をコントロールレベルまで阻害し、一方ベンゾイル類は１００μＭにおいて不活性であった（４０％未満阻害）。興味深いことに、サリドマイドは１００μＭにおいてＭＣＰ−１により誘導されるＴＨＰ−１移動を阻害した。
【０５６４】
５０％以上ＴＨＰ−１移動を阻害した化合物について、ＥＤ５０を測定した（図４５）。１つの化合物Ｎ−ウンデセ−１０−エノイルアミノテトラヒドロピリジンジオン（ＮＲ５８，４又はＡ）はＷＧＱよりも１０倍以上（１〜１００μＭ）ＴＨＰ−１移動を阻害した。５０％以上ＴＨＰ−１移動を阻害する他の化合物のほとんどは約１０〜２０μＭのＥＤ５０を有していたが、バンジルグルタミド同族体は約４０μＭのＥＤ５０を有していた（図４５）。サリドマイドは約５０μＭのＥＤ５０を有していた．
ＮＲ５８，５及びサリドマイドがネズミの致死以下内毒素モデルにおいて炎症を抑制することを調べるため、３６匹のメズのＣＤ−１マウスを６つの群に分けた（表１２）。各動物には首の後ろのうなじに皮下投与により前処理（２００μｌ）を行った。すべての前処理剤は動物１匹あたり１ｍｇ投与した（約４０〜５０ｍｇ／ｋｇ）。３０〜４５分後、群２〜６の動物に、腹膜内投与により３００μｌのＰＢＳ中の７５０μｇの細菌リポ多糖（ＬＰＳ）を投与した。群１の動物にはＰＢＳのみを投与した。
【０５６５】
３時間後（ＬＰＳ後２時間）、すべての動物を麻酔し、心臓穿刺により殺した。約１ｍｌの血液を採取し、血清を調製した。血液は室温において約２時間凝固させ、次いでこの血塊を広げ、血清を分け、テストを行うまで−２０℃で保存した。各動物からの血清を、Ｑｕａｎｔｉｋｉｎｅ  Ｍキット（Ｒ  ＆  Ｄ  ｓｙｓｔｅｍ）を用いてＴＮＦ−αについて２回アッセイを行い、標準曲線の内挿により検量した。
【０５６６】
問題とならない動物（＜１０ｐｇ／ｍｌ）ではほとんどＴＮＦ−αは存在しなかったが、ＬＰＳ（約１５００ｐｇ／ｍｌ）に対する応答は大きかった（図４６及び表１２）。このＬＰＳ刺激の投与量依存阻害はＣＲＤ−Ｌｅｕ４Ｉｌｅ１１Ｃｙｓ１３ペプチド３（３−１２）［ＭＣＰ−１］により観察された。予想通り、負対照化合物（不活性Ｄ−ａｌａ誘導体）では効果がなかった。ＣＲＤ−Ｌｅｕ４Ｉｌｅ１１Ｃｙｓ１３ペプチド３（３−１２）［ＭＣＰ−１］についての投与量応答は動物あたり約１００μｇの半最大量であった。動物あたり１ｍｇにおけるＮＲ５８，４のカリウム塩はＴＮＦ−αを６０％以上低下させた。しかし、ＮＲ５８，４はＣＲＤにまたはそれ以上にＴＮＦ−α放出を抑制し、これはインビトロにおいてケモカインインヒビターとして同じ能力を有するＮＲ５８，４がインビトロにおいて同様の抗炎症性をも有することを示唆している。
【０５６７】
このマウスはこの医薬による治療の間に急性毒性を示さなかったが、ＮＲ５８，４の投与部位に炎症がみられ、これは投与した溶液（カリウム塩を用いた）の比較的高いｐＨによるものであろう。
【０５６８】
このように、ＮＲ５８，４は少なくともＣＲＤ−−Ｌｅｕ４Ｉｌｅ１１Ｃｙｓ１３ペプチド３（３−１２）［ＭＣＰ−１］と同程度に抗炎症剤として有効である（これは＜１００μＭかつ≦１０ｎＭにおいて活性である）。さらに、ＮＲ５８，４は、親油性分子として、インビボでかなり長い滞留時間を有しているであろう。興味深いことに、サリドマイドもインビボにおいてＴＮＦ−αレベルの低下において有効であるが、ケモカイン阻害によりその効果がやわらげられるかどうかは疑問である。それは、サリドマイドはＮＲ５８，４と比較してケモカインインヒビターとしての能力が４桁以上低いからである。
【０５６９】
【表２２】
2005506947.tif 000060
【０５７０】
多くの物質についてのＥＤ５０（走化性アッセイにおけるＭＣＰ−１により誘導される移動を５０％抑制するに必要な濃度）を表１３に示す。
【０５７１】
【表２３】
2005506947.tif 000061
【０５７２】
テストを行った各物質について、１００ｐＭ〜１００μＭのテスト濃度（図５１）及びＭＣＰ−１、ＲＡＮＴＥＳ又はＭＩＰ−１αにおいて「広範囲」アッセイを行った。ＳＤＦ−１α及びＩＬ−８についても同様のデータを集めた（表１４を参照されたい）。この「広範囲」アッセイにおいて使用範囲を概算したならば、「狭い範囲」アッセイを概算したＥＤ５０のいずれかのサイドで行う（図５１）。これは３回繰り返し、正確なＥＤ５０の値を得る。
例２２
本発明の物質の結合特異性の特性決定
材料及び方法
α２−アドレノレセプター結合について、膜（Ａ−２１３、ＲＢＩ／Ｓｉｇｍａ）を結合緩衝液（７５ｍＭトリスｐＨ７．４、１２．５ｍＭ  ＭｇＣｌ２及び２ｍＭ  ＥＤＴＡ）に希釈した。例えば、１０μｌの膜を５００μｌの結合緩衝液に希釈し（すなわち１：５０希釈）、これをチューブに入れた。冷競争剤又はテスト競争剤、例えば５μｌの１ｍＭオキシメタゾリン（Ｏ−１１０、ＲＢＩ／Ｓｉｇｍａ、ＭｉｌｌｉＱ水中の１ｍＭストック）を加える。次いで放射性配位子（３Ｈ−ＲＳ−７９９４８−１９７、ＴＲＫ  １０３６、Ａｍｅｒｓｈａｍ、２５０μｌ中５０μＣｉ、９５Ｃｉ／ｍｍｏｌにおいて２．１μＭ）を加えた。競争について調べるため、１ｎＭを用いる。市販ストックを結合緩衝液に１：２０で希釈することにより１００×ストック（すなわち１００ｎＭ）を調製し、各チューブに５μｌ加える。対照チューブは放射性配位子を有するが、膜は有しない。この混合物を攪拌し、簡単に回転させる。次いでこの混合物を水槽中で２７℃において１時間インキュベートする。この混合物を真空中でＧＦ／Ｃフィルターに通して濾過する。各フィルターはポリエチレンイミン（水中０．３％、３３ｍｌのＭｉｌｌｉＱ水に１０％ストック（Ｐ−２６１、ＲＢＩ／Ｓｉｇｍａ）を１ｍｌ加える）をあらかじめ吸収させておく。このチューブを２〜３ｍｌの洗浄緩衝液（５０ｍＭＴｒｉｓ  ｐＨ７．４）で洗浄し、濾過する。次いでフィルターを３×５ｍｌの洗浄緩衝液で洗浄し、風乾し、シンチレーションバイアルに入れ、４．５ｍｌのシンチラントを加える。次いでフィルター上の活性を測定する。
【０５７３】
５ＨＴ１ａセロトニンレセプターについて、膜（Ｓ−１６０、ＲＢＩ／Ｓｉｇｍａ）を結合緩衝液（５０ｍＭトリスｐＨ７．４、１０ｍＭ  ＭｇＣｌ２及び０．５ｍＭ  ＥＤＴＡ、使用直前に１ｍｇ／ｍｌでアスコルベートを加える）に希釈した。例えば、１０μｌの膜を５００μｌの結合緩衝液に希釈する（すなわち１：５０希釈）。冷競争剤又はテスト競争剤、例えば５μｌの１ｍＭオキシメタゾリンのような１００×ストック溶液５μｌを加える。次いで放射性配位子（３Ｈ−８−ＯＨ−ＤＰＡＴ、ＴＲＫ  ８５０、Ａｍｅｒｓｈａｍ、２５０μｌ中２５０μＣｉ、２２２Ｃｉ／ｍｍｏｌにおいて４．４μＭ）を加えた。競争について調べるため、配位子を用いる（例えば、市販ストックを結合緩衝液に１：３０で希釈することにより１００×ストック（すなわち１５０ｎＭ）を調製する）。放射性配位子を有するが、膜は有しない対照チューブを準備する。このチューブを攪拌し、簡単に回転させる。この混合物を４℃において１時間インキュベートする。この混合物を真空中でポリエチレンイミン（Ｍｉｌｌｉｑ水中０．３％）をあらかじめ吸収させておいたにＧＦ／Ｃフィルターに通して濾過する。このチューブを２〜３ｍｌの洗浄緩衝液で洗浄し、濾過する。次いでフィルターを３×５ｍｌの洗浄緩衝液で洗浄し、風乾する。シンチレーションバイアル中の乾燥させたフィルターに４．５ｍｌのシンチラントを加え、トリチウムチャンネルにてフィルターをカウントする。
【０５７４】
ドーパミンレセプター結合について、膜（Ｄ−１７９、ＲＢＩ／Ｓｉｇｍａ）を結合緩衝液（７５ｍＭトリスｐＨ７．４、１２．５ｍＭ  ＭｇＣｌ２及び２ｍＭ  ＥＤＴＡ）に希釈する。例えば、１０μｌの膜を５００μｌの結合緩衝液に希釈し（すなわち１：５０希釈）、これをチューブに入れる。冷競争剤又はテスト競争剤、例えば５μｌの１００×ストック溶液、５μｌのハロペリドール溶液（Ｈ−１００、ＲＢＩ／Ｓｉｇｍａ、ＤＭＳＯ中）を加える。次いで放射性配位子（３Ｈ−Ｓｐｉｐｅｒｏｎｅ、ＴＲＫ  ８１８、Ａｍｅｒｓｈａｍ、２５０μｌ中２５０μＣｉ、９５Ｃｉ／ｍｍｏｌにおいて１０．５μＭ）を加える。競争について調べるため、０．５ｎＭを用いる。市販ストックを結合緩衝液に１：２１０で希釈することにより１００×ストック（すなわち５０ｎＭ）を調製し、各チューブに５μｌ加える。対照チューブは放射性配位子を有するが、膜は有しない。この混合物を攪拌し、簡単に回転させる。次いでこの混合物を水槽中で２７℃において１時間インキュベートする。この混合物を真空中でＧＦ／Ｃフィルターに通して濾過する。各フィルターはポリエチレンイミン（水中０．３％、３３ｍｌのＭｉｌｌｉＱ水に１０％ストック（Ｐ−２６１、ＲＢＩ／Ｓｉｇｍａ）を１ｍｌ加える）をあらかじめ吸収させておく。このチューブを２〜３ｍｌの洗浄緩衝液（５０ｍＭＴｒｉｓ  ｐＨ７．４）で洗浄し、濾過する。次いでフィルターを３×５ｍｌの洗浄緩衝液で洗浄し、風乾し、シンチレーションバイアルに入れ、４．５ｍｌのシンチラントを加える。次いでフィルター上の活性を測定する。
【０５７５】
オピオイドレセプター結合について、膜（Ｏ−１１６、ＲＢＩ／Ｓｉｇｍａ）を結合緩衝液（７５ｍＭトリスｐＨ７．４、１２．５ｍＭ  ＭｇＣｌ２及び２ｍＭ  ＥＤＴＡ）に希釈する。例えば、１０μｌの膜を５００μｌの結合緩衝液に希釈し（すなわち１：５０希釈）、これをチューブに入れる。冷競争剤又はテスト競争剤、例えば５μｌの１００×ストック溶液、５μｌの１００μＭナルトリンドール溶液（Ｎ−１１５、ＲＢＩ／Ｓｉｇｍａ、ＤＭＳＯ中）を加える。次いで放射性配位子（３Ｈ−Ｄｉｐｒｅｎｏｒｐｈｉｎｅ、ＴＲＫ  １０６０、Ａｍｅｒｓｈａｍ、２５０μｌ中２５０μＣｉ、９５Ｃｉ／ｍｍｏｌにおいて１０．５μＭ）を加える。競争について調べるため、０．５ｎＭを用いる。市販ストックを結合緩衝液に１：２１０で希釈することにより１００×ストック（すなわち５０ｎＭ）を調製し、各チューブに５μｌ加える。対照チューブは放射性配位子を有するが、膜は有しない。この混合物を攪拌し、簡単に回転させる。次いでこの混合物を水槽中で２７℃において１時間インキュベートする。この混合物を真空中でＧＦ／Ｃフィルターに通して濾過する。各フィルターはポリエチレンイミン（水中０．３％、３３ｍｌのＭｉｌｌｉＱ水に１０％ストック（Ｐ−２６１、ＲＢＩ／Ｓｉｇｍａ）を１ｍｌ加える）をあらかじめ吸収させておく。このチューブを２〜３ｍｌの洗浄緩衝液（５０ｍＭＴｒｉｓ  ｐＨ７．４）で洗浄し、濾過する。次いでフィルターを３×５ｍｌの洗浄緩衝液で洗浄し、風乾し、シンチレーションバイアルに入れ、４．５ｍｌのシンチラントを加える。次いでフィルター上の活性を測定する。
結果
競争結合アッセイを用いてケモカインレセプターへのＡ−Ｉの結合を調べた。これらの実験は「Ｈｏｒｕｋ」条件（Ｈｅｓｓｅｌｇｅｓｓｅｒら、Ｊ．  Ｂｉｏｌ．  Ｃｈｅｍ．，  ２７３，  １５６８７  （１９９８））にて行った。但し、ＣＣＲ−２又はＣＸＣＲ−２発現ＣＨＯ細胞（ＡＩＤＳ  Ｒｅａｇｅｎｔ  Ｐｒｏｇｒａｍ，  ＭＲＣ  Ｌｏｎｄｏｎ）を用いた。各ケースにおいて、０．２５ｎＭのラベルした配位子の細胞への特異的結合を、１００ｎＭ冷配位子により競争された結合したカウントとして調べた。各実験において、Ａ−ＩはＤＭＳＯ中のストック溶液から加えた（アッセイ中のＤＭＳＯ最終濃度＜０．１％）。
【０５７６】
２つの典型的実験を図５３に示す。ここでＡ−Ｉは、表１４に示すＥＤ５０と同様のｋ１条件でＣＣＲ−２へのＭＣＰ−１結合及びＣＸＣＲ−２へのＩＬ−８結合を阻害する。インキュベーション緩衝液としてＰＢＳを用いて同様のデータが得られた。
【０５７７】
【表２４】
2005506947.tif 000062
【０５７８】
関連するＧ蛋白結合７ＴＭレセプター、例えばα２アドレノレセプター、５−ＨＴ−１αセロトニンレセプター、Ｄ２ｓドーパミンレセプター、及びδ−オピオイドレセプターに対するある種の物質の特異性を表１５に示す。すべてのケースにおいて、１００μＭがテストした最も高い濃度であった。＞１００μＭを示す場合、いずれの濃度（１００μＭを含む）においても十分な効果は観察されなかった。
【０５７９】
このように、ＣＲＤ−Ｌｅｕ４Ｉｌｅ１１Ｃｙｓ１３ペプチド３（３−１２）［ＭＣＰ−１］、Ａ−Ｉ、ヨヒンバミド（Ｙ−ＩＩ）、Ｌ−ＩＩ及びＷＶＱは他のレセプターよりもケモカインに対する特異性が高い。対照的に、ヨヒンビン及びタリドマイドはケモカインインヒビターであるが、テストした他のＧ蛋白結合レセプターに対して高い活性を有している。例えば、ヨヒンビンはケモカインよりもアドレノレセプターに対して選択的であり、タリドマイドはケモカインよりもドーパミンレセプターに対して選択的である。Ａ−Ｉは最も選択的である（セロトニンレセプター結合よりもＭＣＰ−１（Ｙ−ＩＩ）に対して約４０，０００倍選択的）。ＭＣＰ−１（Ｙ−ＩＩ）に対するほとんどの蛋白剤は選択性が低く、αアドレノレセプター結合のケモカイン阻害についてわずかに１５００倍の選択性を示す。
【０５８０】
【表２５】
2005506947.tif 000063
【０５８１】
例２３
グルコース抱合体の血漿ハーフライフ
本発明の物質の糖抱合体が高い血漿ハーフライフを有するか否か調べるため、ＣＲＤ−Ｌｅｕ４Ｉｌｅ１１Ｃｙｓ１３ペプチド３（３−１２）［ＭＣＰ−１］のグルコース抱合体を調製し、ラットに投与した。この抱合体はＤ−グルコース（５０ｍＭ）とＣＲＤ−Ｌｅｕ４Ｉｌｅ１１Ｃｙｓ１３ペプチド３（３−１２）［ＭＣＰ−１］（１ｍＭ）をリン酸緩衝生理食塩水中で混合し、室温において１６時間インキュベートすることにより合成した。次いでこの反応混合物を分析用ＨＬＰＣにかけ、約３０％の収率を示した。次いでこの物質をシアノボロヒドリドで処理し、シッフ塩基結合を減少させ、精製のためにグルコシドを安定化した。次いで安定化されたグルコシドを調製ＨＰＬＣにかけ、一置換及び二置換グリコシドを別々に調製した。このモノグルコシドは＞９０％の純度で約１０％の収率で得た。これはＬｙｓ５−グルコシドとＬｙｓ−７グルコシドの混合物である。
【０５８２】
ＣＤＲ−Ｌｅｕ４Ｉｌｅ１１Ｃｙｓ１３ペプチド３（３−１２）［ＭＣＰ−１］モノグルコシドを３匹のラットに投与した（滅菌したＰＢＳ中、皮下にラットあたり５ｍｇ）。様々な時間においてｉ．ｖ．カニューラから血液サンプルを採取し、血清中のＣＤＲ−Ｌｅｕ４Ｉｌｅ１１Ｃｙｓ１３ペプチド３（３−１２）［ＭＣＰ−１］グルコシドを定量した。データについてワンコンパートメントフィットを用いて、ＣＤＲ−Ｌｅｕ４Ｉｌｅ１１Ｃｙｓ１３ペプチド３（３−１２）［ＭＣＰ−１］モノグルコシドについてのＴ１／２αは約７時間であることが測定され、これは未改質環式ペプチド（Ｔ１／２α＝１５分）に比較して２５倍以上の増加を示した。
例２４
アゴニスト活性
ＣＤＲ−Ｌｅｕ４Ｉｌｅ１１Ｃｙｓ１３ペプチド３（３−１２）［ＭＣＰ−１］のアゴニスト活性を評価するため、ＣＤＲ−Ｌｅｕ４Ｉｌｅ１１Ｃｙｓ１３ペプチド３（３−１２）［ＭＣＰ−１］を様々な濃度で移動チャンバーの下のコンパートメントに入れ、５０，０００ＴＨＰ−１細胞を上のコンパートメントに入れた。４時間後の下のコンパートメント中の細胞の数をバイタル染料ＭＴＴを用いて測定した。ケモカイン誘導移動に対する阻害効果がみられる濃度範囲（＞１μＭ）においてはアゴニスト活性は検出されなかった。高い濃度（１μＭ及び１０μＭ）において、この実験で移動の小さな刺激がみられたが、この移動応答の大きさは３．２５ｎｇ／ｍｇ再構成ＭＣＰ−１にみられるよりも低かった。ＣＤＲ−Ｌｅｕ４Ｉｌｅ１１Ｃｙｓ１３ペプチド３（３−１２）［ＭＣＰ−１］はインビボ濃度において十分なアゴニスト活性を有している。
【０５８３】
ケモタキスチャンバーの底におけるＭＩＰ−１αの濃度はプレートの上チャンバー（細胞を有する）の半最大活性投与量の存在又は非存在で変化する。上記観察と一致し、インヒビターの非存在下においてＭＩＰ−１の濃度の増加によりまず移動を刺激し（約５ｎｇ／ｍｌ間での濃度において）、その後ＭＩＰ−１αの増加が移動を低下させる。１００ｎｇ／ｍｌのＭＩＰ−１αにおいて、移動の刺激はない（図４９）。この２相（又はベル形の曲線）は、ケモカインと同様の純粋なケモタクチック（ケモキネチックではない）であるプロ移動剤によりみられる。このウェルの底におけるより高い濃度において、拡散は膜を通過する勾配を破壊し、標的細胞の周囲のレセプターはケモカインにより完全に占められる。勾配が存在しないと、ケモタクチック剤は移動を刺激しない。ＭＩＰ１αに対する投与量応答をインヒビターの最大以下の投与量の存在下で行うと、同様の２相（又はベル形曲線）がみられる。しかし、この投与量応答曲線は高い濃度に著しくシフトする（このアッセイは予想されるシフトの程度を正確に示していないが、５〜１００倍の範囲内にある）。この実験はＭＩＰ１α誘導ケモタキスに対して作用するインヒビターの作用の競争モードについての証拠となる。この実験は３つの繰り返し実験の典型であり、ＭＣＰ−１を用いて行った。
【０５８４】
例２５
本発明の剤の結合アフィニティ
特定のアフィニティーでＤＡＲＣおよび／又はケモカインレセプターに結合するケモカインペプチド２または３の類似体、それらの変種または誘導体を含む、例示された以外の部分、例えば、それらは機能的なケモカインレセプターに高アフィニティで結合するが、ＤＡＲＣには低いアフィニティーで結合するか、またはＤＡＲＣには高アフィニティで結合するが、ケモカインレセプターに低いアフィニティーで結合するものは、上記したもの等の方法を用いて同定することができると想像される。本発明の剤は、ケモカイン・レセプターの機能的なマッピングにおいて有用である。例えばケモカインペプチド２およびペプチド３の両方とも、競争的方法で天然のケモカインリガンドの結合をブロックする。しかしながら、それらは互いの結合をブロックせず、それらがレセプターの別個の領域に結合すること、およびこれらの領域の両方ともについて天然のリガンドの結合のために重要であることを示唆している。加えて、ペプチド２は、更に、それらの異なる機能的な活性で、ペプチド３から区別される。ペプチド３はレセプターに結合するのみならず、化学走性の阻害によって示されるように、レセプター信号送りの機能的な活性をもブロックする。ペプチド２は、化学走性の阻害しない。したがって、これらのペプチドは一緒に、異なる機能的な活性において重要な、ケモカイン・レセプターの領域を同定するために特に有用である。一旦これらの領域が確認されたならば、構造的には出発化合物に関連しない可能性があるが、機能的には関連している別個のケモカイン機能に対する特異的インヒビターのためのバンク、またはコンビナトリアル・ライブラリをスクリーニングするために使用することができる。
【０５８５】
加えて、ケモカインが問題となるレセプターを活性化するために二量体を形成することは重要である可能性がある。本発明のペプチドは、ケモカイン二量体形成にとって重要であると考えられるアミノ末端ドメインを欠いている。もし二量体形成が、細胞信号送りのために必要であるならば、本発明の剤は、それらがレセプターに結合することができるが、例えば、天然のケモカインリガンドによっては二量体を形成することができないように、活性化を阻害することができる。
【０５８６】
例２６
本発明の剤の抗ＨＩＶ活性
本発明の剤が、細胞のＨＩＶ結合および感染を阻害することを示すために、（ｉ）阻害剤無し、（ｉｉ）非活性のコントロールペプチドとしてのペプチドＣ（表１７）、（ｉｉｉ）１００μＭペプチド３（１−１２）［ＭＣＰ−１］（ＳＥＱ  ＩＤ  ＮＯ：１）、または、（ｉｖ）全てのＣＸＣＲ−４レセプターと結合してこれをブロックすべき１００ｎｇ／ｍｌ  ＳＤＦ−１の存在下で、感染性Ｔ−トロピックＨＩＶアイソレートと、ヒトＴ細胞由来Ｊｕｒｋａｔ細胞をインキュベートした。培養において３週間後、培地の逆転写酵素アッセイによってウイルスのレプリカ作成を評価した。ペプチド３（１−１２）［ＭＣＰ−１］（ＳＥＱ  ＩＤ  ＮＯ：１）が、ＨＩＶによるＪｕｒｋａｔ細胞感染の有効なインヒビターであることが見出された。
【０５８７】
ペプチド２（ｌ−１５）［ＭＣＰ１］（ＳＥＱ  ＩＤ  ＮＯ：３）は、Ｊｕｒｋａｔ細胞（Ｋａ＝２５０ｎＭ；Ｂ＝  ５５，０００  サイト／細胞）、およびＴＨＰ−１細胞；（Ｋａ＝３００ｎＭ；Ｂ＝  １３０，０００サイト／細胞）の表面上でケモカインレセプターに結合するが、ケモカインによる増殖性のシグナリングを阻害しないため、ペプチド２（１−１５）［ＭＣＰ−１）（ＳＥＱ  ＩＤ  ＮＯ：３）が、細胞エントリのためにＨＩＶによって用いられるが、信号送りのためにＭＣＰ−１によって用いられないエピトープと結合し、阻害することが可能である。この仮説をテストするため、ペプチド２（１−１５）［ＭＣＰ−１］（ＳＥＱ  ＩＤ  ＮＯ：３）がＪｕｒｋａｔ細胞のＨＩＶ感染を阻害するかどうか調べるために、上記と同様の感染アッセイを用いた。１００μＭでは、ペプチド２（１−１５）［ＭＣＰ−１］（ＳＥＱ  ＩＤ  ＮＯ：３）は、ペプチド３［ＭＣＰ−１］（ＳＥＱ  ＩＤ  ＮＯ：１）より更に効果的であり、且つウィルスエントリの防止においてＳＤＦ１αと同様に効果的であった。
【０５８８】
ペプチド２誘導体（図５２）は、ペプチド３誘導体よりも、ＨＩＶ（ＣＸＣＲ４仲介イベント）によるＪｕｒｋａｔ  Ｔ細胞感染のより良好な阻害剤であるが、他方、驚くべきことにペプチド３誘導体がＴＨＰ−１細胞感染（ＣＣＲ−５仲介イベント）のより良好な阻害剤であるに。したがって、ペプチド２およびペプチド３の組み合わせは、抗ＨＩＶ療法、例えばＭ−トロピックおよびＴ−トロピック  アイソレートによって、増殖性の感染を阻害するのために特に有用である可能性がある。
【０５８９】
更に、ＬＲＤペプチド２（ｌ−１５）［ＭＣＰ−１］が、ＣＣＲ５／ＣＸＣＲ４に対して１００のｎＭまたはこれより低いアフィニティ定数を有し、ＬＦＬペプチド２［ＭＣＰ−１］と比較してダフィー（Ｄｕｆｆｙ）結合において１００倍の減少を示すため、ＬＲＤ誘導体は、それらのＬＥＬ対応物（２５μＭ対ＬＥＬのための１００μＭ）より更に有効である可能性がある。
【０５９０】
ＨＩＶの阻害のための現在の療法は、ウィルス、例えば逆転写酵素阻害剤またはウイルスのプロテアーゼインヒビターに集中している。これらの療法は、限られた期間のためにのみ効果的である。個々の場合、ウィルスが急速なレプリカ作成を経ており、且つ阻害剤に耐性の突然変異体に有利な選択があるため、その効力は低減される。組合せ治療はより効果的であるが、それらは感染したる個人からのウィルスのクリアランスを与えそうにない。結局、薬剤カクテルを回避する突然変異体ウィルスが生じ、今や耐性のある個人において進行が再び生じるであろう。したがって、共レセプターを回避するためにウイルスにおけるより大規模な突然変異が必要であるため、共レセプター阻害（すなわちウイルスのエントリ）に基づき、ウイルスタンパク質よりむしろ、宿主タンパク質をターゲットとする戦略が、より増大した効力を有する可能性がある。真に、ＣＣＲ−５Δ３２  ホモ接合体の感染に対する耐性は、少なくともウィルス個体群が小さい間は、ウィルスが容易に代替的な共レセプターの使用に適応さできないことを示唆する。したがって、本発明の剤、他の抗ウイルス療法（例えばプロテアーゼ阻害剤、逆転写酵素阻害剤または、それらの組み合わせ）との組合せで使用することができる。
【０５９１】
好ましくは、ペプチド２（１−１５）［ＭＣＰ−１］のＳｅｒｌ０変異体（ＳＹＲＲＩＴＳＳＫＳＰＫＥＡＶ）またはそのＬＲＤ  Ｃｙｓ０Ｓｅｒ１０Ｃｙｓ１６誘導体（ｃｖａｅｋｐｓｋｓｓｔｉｒｒｙｓｃ）、またはＣＲＤ誘導体が使用される。ＳＹＲＲＩＴＳＳＫＳＰＫＥＡＶのＤＡＲＣ結合は、２０μＭ〜１００μＭの範囲であり、抗ＨＩＶ剤として１〜１００ｎＭの範囲において活性である。
【０５９２】
例２７
伝染力のための迅速スクリーニング方法
インビトロのＨＩＶ感染症のための現在のアッセイは、時間がかかり、且つ再現性に欠ける。例えば、感染は、放射標識されたＲＴ基質を用いて、ウィルス性逆転写酵素（ＲＴ）活性の産生によってモニターされる。残念なことに、例えばＪｕｒｋａｔヒトＴセルライン等の高許容ラインを感染させるために実験室適合のＨＩＶ株を用いた際であっても、ＲＴ産生は低い。その結果、ＲＴ産生を測定可能にするように、充分な感染を生じさせるために、感染細胞を２週間以上培養することが必要である。時間がかかることに加えて、このアッセイは多くの他の不利な点を有している；最も重大には、ＲＴ活性を検出可能にするように充分にウイルスのタイターを増大させるために、二次感染の多数ラウンドに依存する。その結果、一次感染における小さい差異が拡大し、および一次感染頻度が低いため、同じく処理したウェルの間の確率論的な差異が有意になる。そのアッセイはしたがって、ルーチンに用いられている２４程度に多い反復試験で、個々の分析のための多くの反復試験ウェルを必要とする。例えば典型的なアッセイにおいて、９６−ウェルプレートにおいて２４ウェルのＪｕｒｋａｔ細胞がＨＩＶウィルスストックの反復試験アリコートにより感染され、１つの群がケモカイン補助受容体阻害剤としてのペプチド２による処理を受け；他の群はＳＤＦ１α（ＣＸＣＲ−４天然リガンド）を受け、第３の群は未処理である。３週間の後、細胞を収穫し、ＲＴ活性を測定した。未処理ウェルにおける変化係数は３７％であった。その結果、ペプチド２は７５％で、ＲＴ活性を阻害したが、これは高いウェル対ウェル変動性のためにｐ＝０．０２でのみ有意であった。これは、多くの反復試験を必要として、スクリーニング目的のためのアッセイを厄介なものとする。
【０５９３】
代替的な方法は、例えば、免疫蛍光顕微鏡法によってＨＩＶタンパクの直接可視化を用いることである。残念なことに、最も高度に発現されたＨＩＶタンパク質（ｐ２４ｇａｇ等）でも、細胞中でかなり低いレベルで存在する。したがって、感染の後、最も早い段階での直接検出は困難であり、エラーを生じやすい。したがって、免疫蛍光の感度を高めるために以下の方法が使用され、感染の後、２４時間と７２時間の間で正確にＨＩＶ感染細胞の数を正確に決定させたる。更に、この技術のＳＮ比は、イメージ解析ソフトウェアを用いる感染細胞の自動化した計数を可能とする。
【０５９４】
ＴＨＰ−１細胞のために、それらの細胞を、ＰＭＡとヒドラコルチゾンを用いてガラスマルチウェルスライド（例えば、１６−ウェルチャンバー・スライド；ヌンク（Ｎｕｎｃ））に付着させる。それらの細胞は、次いで種々のテスト剤の存在下でチャンバースライド内でウィルスに晒される。Ｊｕｒｋａｔ細胞等の非付着性細胞に対しては、感染は、例えば、ＲＴアッセイに関しての９６−ウェル培養プレートにおいて、しかしながら分析より前に、製造者の指示に従ってｃｙｔｏｓｐｉｎ装置を用いてガラススライドに付着される。ガラススライド上の感染細胞は、例えば氷冷アセトン中にスライドを浸すことにより、感染の後、２４時間と７２時間の間で固定される。免疫蛍光法に適合性を有する他の定量的な固定方法を用いてもよい（Ｊ．  Ｈｉｓｔｃｈｅｍ．  Ｃｙｔｏｃｈｅｍ．，４４，１０４３（１９９７）の定量的な免疫蛍光法手順の議論を参照）。固定の後、例えば室温において３０分間リン酸緩衝食塩水（ＰＢＳ中３％のＦＡＦ−ＢＳＡ）中の３％ｗ／ｖ脂肪酸フリーのウシ血清アルブミン中でのインキュベートにより、度細胞へのタンパク質の非特異的な結合をブロックする。または、他のブロック溶液（例えばＰＢＳ中５％のショ糖、５％のＴｗｅｅｎ−２０）を用いてもよい。ブロックしたセクションを、例えば、ｐ２４ｇａｇに特異的な抗血清を用いてＨＩＶタンパク質のために次いで染める。スライドを、ＰＢＳで３％のＦＡＦ−ＢＳＡ中で、適当な濃度（通常特異的ＩｇＧの１〜１００μｌ／ｍｌの範囲）で、抗血清で培養する。ｐ２４ｇａｇ等の比較的高度に発現された抗原が好ましいが、他のＨＩＶ抗原に対する抗体を用いてもよい。
【０５９５】
このインキュベーションは、少なくとも１６時間、放置されるべきである。従来の免疫蛍光法手順は、典型的には１〜２時間の長さの一次抗体インキュベーション期間を用いるが、より長いインキュベーションは、バックグランドを増大せることなく、シグナルを増大させる（Ｊ．  Ｈｉｓｔｃｈｅｍ．  Ｃｙｔｏｃｈｅｍ．，  ４４，  １０４３  （１９９７））。インキュベーションを、信号のノイズ比に対する有害な影響なしで、最高３６時間放置することができる。非結合抗体を、次いで洗浄して除く。他の洗浄レジーメンを使用できるが（洗浄の比較のためにＪ．  Ｈｉｓｔｃｈｅｍ．  Ｃｙｔｏｃｈｅｍ．，  ４４，  １０４３  （１９９７）を参照）、典型的には、これはＰＢＳ中、３×３分の洗浄を含む。非結合一次抗体を検出するために、通常は、適切な蛍光団で標識された二次抗体を次いで用いる。しかしながら、一次抗体が抗原から脱落することを防止するため、一次抗体をその部分に後固定（ｐｏｓｔ−ｆｉｘｅｄ）する。
【０５９６】
これは、例えば新たに製造されたＰＢＳ中の４％のパラホルムアルデヒドで室温で１０分間スライドをインキュベートすることによって、達成することができる。更に３回の洗浄（例えばＰＢＳ中で３×３分間）の後、蛍光団に結合された一次抗体に特異的な二次抗体（例えば、抗体ウサギ−ＩｇＧ  ＦＩＴＣコンジュゲート、１〜１００のμｌ／ｍｌで）にスライドを晒す。このインキュベーションにおいて、非特異的な核の染料が含まれているべきである。例えば、ヘキスト（Ｈｏｅｃｈｓｔ）３３３４２を、１〜１００ｎｇ／ｍｌにおいて使用することができ、またはプロピジウム  アイオダイドを１〜１００ｎｇ／ｍｌにおいて使用することができた。このインキュベーションは最小で約４時間、好ましくは少なくとも８時間であり、シグナル対ノイズの比に対して有害な効果なしで２４時間まで放置することができる。非結合の二次抗体を除去するために、スライドを次いで、例えば、ＰＢＳ中３×３分で洗浄し、Ｃｉｔｉｆｌｕｏｒ  ＡＦＩ等の適当なマウンティング剤でマウントする。マウントに続いて分析の前に、暗箱内で少なくとも１８時間、しかしながら約７２時間未満でスライドを放置する。
【０５９７】
選択された二次抗体蛍光団（例えばＦＩＴＣ）、および選択された非特異的核染色（例えばヘキスト３３３４２）の蛍光と別個に調べることを可能とするために、エピ蛍光可視化能力を有し、適当なフィルタセットを有する任意の適当な顕微鏡を用いて、分析をマニュアル的に行うことができる。視野の各場における細胞の数を、非特異的核染色数を視覚化するフィルタを用いて、核を計数することによって決定する。視野の同じ場におけるＨＩＶに感染した細胞を、二次抗体に結合された蛍光団を視覚化するフィルタセットをスイッチすることによって次いで決定する。個々の場合、細胞の数をマニュアル計数によって求めることができる。または、イメージ解析ソフトウェア（例えば、ＯｐｅｎＬａｂ  ｓｏｆｔｗａｒｅ；ｉｍｐｒｏｖｉｓｉｏｎ、英国）一貫したスレショルドを各像に適用し、そのスレショルドを超える別個の目的の数を数えるために用いることができる。スライドの上での密度によって必要ならば、像解析の分野において標準的な脱アグロメレーション  アルゴリズムを適用することができる。イメージ取得の間照明条件の一定のセットが使用されるならば、および一定のスレショルドが適用されるならば、ＨＩＶ染色細胞のフラクションは、主観的な考慮なしで迅速に、および正確に決定することができる。
【０５９８】
例２８
ｇｐ１２０結合をブロックするための本発明の剤の使用
多くの研究（例えばキメラのレセプターを用いる）は、ＨＩＶエンベロープタンパク質ｇｐ１２０と、ＣＣＲＳレセプター上のケモカインリガンドに対する結合部位を局所化することを開始した。これらの報告は、ｇｐ１２０およびケモカイン結合の両方にとってＮ−末端領域が重要なことを示唆する（Ｗｅｌｌｓら、Ｍｅｔｈｏｄｓ，  １０、１２６（１９９６）；Ｒｏｓｓら、Ｊ．  Ｖｉｏｌ．，  ７１、１９１８（１９９８）；Ａｌｋｈａｔｉｂら、Ｊ．  Ｂｉｏｌ．  Ｃｈｅｍ．，  ２７２，１９７７１（１９９７）；Ｄｒａｇｉｃら、Ｊ．  Ｖｉｏｌ．，  ２２，２７９（１９９８）；Ｍｏｎｔｅｃｌａｒｏら、Ｊ．  Ｂｉｏｌ．  Ｃｈｅｍ．，  ２７２，２３１８６（１９９７）が、Ｎ末端領域のみならずレセプターの細胞外ループだをも含む同一でないサイトを除いては、二つの結合がオーバーラップすることをも示唆する（Ｒｏｓｓら、Ｊ．  Ｖｉｏｌ．，  ７１、１９１８（１９９８）；Ｆａｒａｎら。Ｊ．  Ｂｉｏｌ．  Ｃｈｅｍ．，  ２７２，６８５４（１９９７））。
【０５９９】
方法
ペプチド  標準的な固相化学によりＡｆｆｉｎｉｔｙ（Ｅｘｅｔｅｒ、英国）ペプチドを製造し、続いて逆相ＨＰＬＣによって９５％を超える純度に精製した。ペプチド２（成熟したヒトのＭＣＰ−１のアミノ酸２８〜４２に由来）は、シーケンスＳＹＲＲＩＴＳＳＫＣＰＫＥＡＶ（ＳＥＱ  ＩＤ  ＮＯ：３）を有する。ペプチド３（成熟したヒトのＭＣＰ−１のアミノ酸５１〜６２に由来）は、シーケンスＥＩＣＡＤＰＫＱＫＷＶＱ（ＳＥＱ  ＩＤ  ＮＯ：１）を有する。標識したペプチドを、Ｎ末端ビオチン部分で合成した。ＨＩＶ−１  ＩＩＩｂおよびＨＩＶ−１  Ｂａｌからのｇｐ１２０のＶ３ループ（末端システイン残基を含む）の全長シーケンスと対応するペプチドをも合成した。全てのペプチドをＴＦＡ塩として製造し、滅菌ＭｉｌｌｉＱに溶解して、１０ｍＭのストック溶液を与え、それを使用するまで−２０℃で貯蔵した。
【０６００】
結合アッセイ  １０％のウシ胎仔血清、２ｍＭのグルタミン、２０μＭのβ−メルカプトエタノール、１００Ｕ／ｍｌのペニシリン、および１００μｇ／ｍ１のストレプトマイシンを補充したＲＰＭＩ  １６４０培地中で、細胞（Ｊｕｒｋａｔ  Ｔ−細胞またはＴＨＰ−１細胞）を増殖させ、２×１０５および１×１０６細胞／ｍｌで維持した。結合アッセイを行う前に、細胞をスピンアウトし（１００×ｇ；４分間）、および氷冷ＰＢＳで回洗浄した。１０６細胞（Ｊｕｒｋａｔ細胞のために）、または４×１０５細胞（ＴＨＰ−１細胞のために）を含むＰＢＳ中の細胞サスペンジョンの体積を、Ｖ−底９６ウェルプレート（ギブコＢＲＬ）の各ウエルにピペットで入れ、スピンアウトした（１００×４分間）。種々の濃度の未標識のペプチドの存在下または不存在下で、標識ペプチドを含む１００μｌの結合媒体（０．１％の脂肪酸フリーのウシ血清アルブミン（ＢＳＡ）を含むＰＢＳ  ｐＨ  ７．２）中に、三つ組のウェルを次いで再懸濁した。プレートを、次いで氷上で９０分間インキュベートした。細胞を３８０μｌの氷冷ＰＢＳで３回洗浄し、各回に細胞をスピンアウトし（１００×ｇ；４分間）、および１：１０００希釈でストレプトアビジン−ペルオキシダーゼ（アメルシャム（Ａｍｅｒｓｈａｍ）インターナショナル）を含む１００μｌの結合媒体中に再懸濁した。細胞を更に１５分間氷上でインキュベートして、任意の結合ビオチン化ペプチドを標識させ、次いで４回上記のように洗浄した。細胞を、次いで２００μｌのＴＭＢ基質（Ｋ−Ｂｌｕｅ、Ｂｉｏｎｏｓｔｉｃｓ）と室温で２０分間インキュベートし、５０μｌの２Ｍ  ＨＣｌを加えて、反応を停止させた。そのプレートをスピンし（３，０００×ｇ；３分）、および着色した生成物の２００μｌを空の９６ウェル  ＥＬＩＳＡプレートに移し、４５０ｎｍでの吸光度を求めた。各アッセイのために、ブランク反応（ペプチドを加えない）の吸光度を、更なる分析の前に全ての読み取りから減じた。
【０６０１】
スキャッチャード分析のために、既知量の標識化ペプチドが個々のペプチドのシステイン残基を介して誘導化セファロースビーズ（活性化チオール−セファロース４Ｂ；シグマ  Ｔ８５１２）にカップリングした標準曲線を参照して、４５０ｎｍにおける吸光度読み取りをカリブレートした。端的に、既知量のビオチン−標識したペプチド（１ｆモル〜１ｐモル）を、１００μｌのＰＢＳ中で、１ｍｇの活性化チオール−セファロースビーズと３７℃で１時間インキュベートした。遊離活性チオールを、次いで最終濃度１０ｍＭにシステインの添加によってブロックした。ペプチド−複合化ビーズを、次いでＰＢＳ中で５回洗浄し、細胞に関して正確に上記したように処理した。ペプチドの既知量がビーズに結合された際に得られた４５０ｎｍの読み取りを標準曲線を得るために用い、細胞で得られた吸光度読み取りを、結合した標識ペプチドの分子数に変換するためにその標準曲線を用いた。この方法は、結合標識ペプチドの１ｆモル未満の感度を有し、アフィニティーが中程度である場合、または結合部位の数が比較的に小さい場合でも、結合のスキャッチャード分析を与える。
【０６０２】
標識ペプチド２による結合実験を、個々の反応において１０ｎＭの標識ペプチドで行った。標識ペプチド３を２５０ｎＭで用い、特に断らない限り、ＨＩＶ−１からのｇｐ１２０のＶ３ループからの標識ペプチドを、１００ｎＭで用いた。
【０６０３】
ｐ２４ｇａｇの免疫蛍光検出
Ｌａｂｏｆｕｇｅ  ｃｅｎｔｒｉｆｕｇｅ（Ｈａｅｒａｅｕｓ）中のプレートロータを３，０００×ｇで５分間用いてスライドをスピニングすることにより、ＨＩＶ感染に続くＪｕｒｋａｔ細胞を、８−ウェルチャンバスライド（ベクトン−ディキンソン）に対してに付着させた。次いで、それらのスライドを氷冷７０％のエタノールに９０秒間浸すことによって、付着したＪｕｒｋａｔ細胞またはＴＨＰ−１細胞を固定した。ＴＢＳ中３％の脂肪酸フリーのの３％のＢＳＡにより室温で１時間インキュベートすることにより、非特異的結合をブロックした。細胞を、マウスモノクローナル抗−ｐ２４  ｇａｇ抗体ＥＨ１２Ｅ１（Ｆｅｒｎｓら、Ｌ．  Ｇｅｎ．  Ｖｉｒｏｌ．，  ６８、１５４３（１９８７））；  エイズ試薬プログラム、ＮＩＢＳＣ）と室温でＴＢＳ中３％のＢＳＡの１０μｇ／ｍｌとインキュベートした。非結合抗体をＰＢＳ中３×３分間洗浄で除去し、室温で１０分間３．８％のリン酸緩衝ホルマリンｐＨ  ７．２でインキュベーションすることにより結合抗体をスライドに固定し、次いで更にＰＢＳ中更に３回、３分間で洗浄した。室温で６時間、３％ＢＳＡ／ＴＢＳ＋１ｎｇ／ｍｌヘキスト３３３４２中で３０μｇ／ｍｌでロバ抗マウスＩｇＧ−ＦＩＴＣコンジュゲート（７１５−０９５−１５０；ジャクソン  イムノリサーチ）を用いて、結合抗体を可視化した。ＦＩＴＣ照射条件（ＮＩＢＡフィルターブロック、λｅｘ  ＝４７０〜４９０ｎｍ、ダイクロイックミラー＝５０５ｎｍ、λｅｍ＝５１５〜５５０ｎｍ）およびＵＶ照射条件（Ｃｈｒｏｍａ  ３ｌ０００；λｅｘ＝３４０−３８０ｎｍ、ダイクロイックミラー＝４００ｎｍ、λｅｍ＝４３５〜４８５）両方で、Ｏｐｅｎｌａｂイメージ分析ソフトウェア（Ｉｍｐｒｏｖｉｓｉｏｎ）を実行しているＰｏｗｅｒ  Ｍａｃｉｎｔｏｓｈ  ８５００に接続されたオリンパスＰｒｏｖｉｓ  ＡＸ電子顕微鏡を用いて、チャンバスライドの各ウェルから、１２の視野（１００の倍率）を捕らえた。ＤｌＧ  Ｓｎａｐｐｅｒ  ｆｒａｍｅグラッバーに接続された、１２３０〜１０２４画素フィールドにおいて１０ビット深さのハママツＣ４７４２−０５単色デジタルでイメージを取得した。撮影時間、増幅器ゲイン、およびオフセット値をＯｐｅｎＬａｂソフトウェアで制御し、実験を通して一定に維持した。バックグランド（対物レンズの下でスライドなしで捕らえられたイメージ）を、デジタル的にあらゆるイメージから減じた。スレショルドを個々のイメージに適用したが、それは、同一の条件の下での非感染の染めたのイメージの画素の＜１％を検出した最低のスレショルドであった。視野の個々の場でこのスレショルドを上回っている対象の数を、数えた。例えば、このプロセスは、図５４Ｄの上部パネルにおいて示された視野で、９個の対象を検出し、下部パネルにおいて示された視野で１個の対象を検出した。ＵＶ照射条件の下で捕らえられたイメージを用いて、視野の同じ場における核の合計数を求めるために、同様の手順を用いた。視野の個々の場における核に対する陽性に染められた対象の割合を、ｐ２４  ｇａｇに対して染められた細胞のパーセンテージとして報告した。
【０６０４】
結果
ＴＩＰ−１およびＪｕｒｋａｔ細胞に対するペプチドの結合
ペプチド２およびペプチド３が、ケモカインレセプターの同じまたは異なるサイトに結合する可能性があるか否かをテストするのために、ビオチン化ペプチドの結合に対する非標識ペプチド３の影響、およびその逆を分析した。ＴＨＰ−１細胞に対するペプチド３の結合のためのアフィニティ定数は、１００μＭのペプチド２の存在下（８μＭ）および不存在下（７μＭ）において同様であった。同様に、ペプチド２のためのアフィニティ定数は、１００μＭのペプチド３（個々の場合に２５０ｎＭ）によって影響されなかった。これらのデータは、ペプチド２およびペプチド３が、ケモカインレセプター上で別個のサイトに結合することを示す。同様のデータは、Ｊｕｒｋａｔ  Ｔ細胞を用いて得られた。
ｇｐ１２０  結合に対するペプチドの効果
ケモカインレセプターに対するｇｐ１２０  の結合はｇｐ１２０  のＶ３ループ内の配列が関与するようである（Ｒｏｓｓら、Ｐｒｏｃ．  Ｎａｔｌ．  Ａｃａｄ．  Ｓｃｉ．  ＵＳＡ，  ９５，  ７６８２  （１９９８）  ；  Ｃｏｃｃｈｉら、Ｎａｔ．  Ｍｅｄ．，  ２，  １２４４  （１９９６）  ；  Ｊｉａｎｇら、Ｎａｔ．  Ｍｅｄ．，  ３，  ３６７  （１９９７））。従って、ペプチド配列をＭ好性Ｂａｌ  株及びＴ好性ＩＩＩ  Ｂ株のＶ３ループから合成し、そしてこれらのビオチン化ペプチドのＴＨＰ−１  及びジャーカット細胞への結合を解析した。ｇｐ１２０：Ｖ３  （Ｂａｌ）のＴＨＰ−１  細胞への特異的結合が  １００μＭにて検出された（表１７）。これは細胞当りの結合部位の数の少なさとこの相互作用の中程度の親和力との組合せが結合の正確なスキャッチャード解析を妨げるにかかわらずである。対照的に、ｇｐ１２０：Ｖ３  （Ｂａｌ）のジャーカット細胞への特異的結合は  ５００μＭまでの濃度でさえも検出されなかった（表１７）。これらの所見は、ｇｐ１２０：Ｖ３  （Ｂａｌ）が、ジャーカットＴ細胞でなく、ＴＨＰ−１  単球細胞の表層上で発現されるＣＣＲ５に特異的に結合する仮設と一致する、
【０６０５】
【表２６】
2005506947.tif 000064
【０６０６】
Ｂａｌ  ＨＩＶ  ＩＩＩｂ由来のＶ３ループ配列に対応するＮ末端ビオチニル化ペプチド（ｇｐ１２０（ＩＩＩｂ）の末端システイン、残基３０３−３３９  を含む）を  １００μＭにてジャーカット細胞（反応当り１０６  細胞）又はＴＨＰ−１  細胞（反応当り４×１０５  細胞）と４℃で結合媒質の中でインキュベーションした。次に結合したペプチドをストレプトアビジン−ペルオキシダーゼでラベル化し、そして発色基質ＴＭＢ  を用いて可視化させた。各反応はビオチンラベルを欠く  １００倍過剰量の同ペプチドの不存下又は存在下の双方で三重測定で実施し、非特異的結合の寄与を検討した。
【０６０７】
１００  μＭでのｇｐ１２０：Ｖ３  （ＩＩＩｂ）のジャーカットＴ細胞及びＴＨＰ−１  細胞の双方に対する特異的結合が検出されたが、ここでも細胞当りの結合部位の数の少なさ及び相互作用の中程度の親和力が結合の正確なスキャッチャード解析の妨げとなった。ジャーカット細胞への特異的結合力はＴＨＰ−１  細胞に対するものよりも約５倍高かった（表１７）。これらの所見はｇｐ１２０：Ｖ３  （ＩＩＩｂ）がＴＨＰ−１  及びジャカット細胞の双方で発現されるが、Ｔ細胞系ではより高レベルで発現されるＣＸＣＲ４  に特異的に結合するという仮設と一致した。
インビトロにおけるＨＩＶ  感染に対するペプチドの効果
実験室で改作したＴ−向性単離物ＩＩＩｂを用いたＪｕｒｋａｔ  Ｔ−細胞のＨＩＶ  感染を、２つの異なるアッセイを用いてモニターした。まず、９６−ウェル・プレート内のＪｕｒｋａｔ  Ｔ−細胞を、１時間、ペプチド２、ペプチド３、媒体（ネガティブ・コントロールとしてのもの）又はＳＤＦ１α（ポジティブ・コントロールとしてのもの）のいずれかで前処理し、次に、ＨＩＶ  ウィルス（１０６  ＴＣＩＤ５０）に晒し、そして２〜３日間隔で、適宜、ペプチド、ＳＤＦ１α又は培地単独でパルスした。培養において２週間後、ウィルス感染の程度を、上記培養におけるウィルス複製の尺度として、その上清中の逆転写酵素活性を計測することにより評価した。ペプチド３（１００μＭ）でなくペプチド２（１００μＭ）は、ＨＩＶ  暴露後のウィルス複製を顕著に阻害した（図５Ａ）。これは、このペプチドが、インビトロにおいてＨＩＶ  感染性を阻害していたことを示唆している。細胞生存能力に対する効果は全く見られなかった。逆転写酵素活性は、６つの類似の実験において平均７５％程阻害され、そして各ケースにおいて、ペプチド２により達成された阻害は、ＳＤＦ−１α  によるものと同様であった。
【０６０８】
Ｊｕｒｋａｔ  Ｔ−細胞のＨＩＶ  感染を、ウィルスｐ２４ｇａｇ発現の高感度定量的免疫蛍光検出によってもモニターした。Ｊｕｒｋａｔ細胞は、上記のように、ペプチド２（１００μＭ）、ペプチド３（１００μＭ）又はＳＤＦ１α（１００ｎｇ／ｍｌ）の存在下又は不存在下でＨＩＶ  により感染された。感染から約４８時間後、上記細胞を、サイトスピンを用いてガラス・スライドに付着させ、そして９０秒間氷冷７０％エタノール中への浸漬により固定した。ｐ２４ｇａｇの発現を、先に記載したように定量的免疫蛍光を用いて測定した（Ｍｏｓｅｄａｌｅ  ｅｔ  ａｌ．，  Ｊ．  Ｈｉｓｔｏｃｈｅｍ．  Ｃｙｔｏｃｈｅｍ．，  ４４，  １０４３  （１９９６））。
【０６０９】
但し、１次抗体を、上記技術の感度を高めるためにパラホルムアルデヒドを用いて、上記切片に事後固定した。ウィルスの感染性を、（Ｈｏｅｃｈｓｔ  ３３３４２  核染色を用いて検出した）細胞の合計数の比率として表したｐ２４ｇａｇについて染色された細胞数として表した。上記逆転写酵素アッセイの結果と一致して、ペプチド２とＳＤＦ１αは、８０％を上廻る程ウィルス感染性（能）を阻害したが（図５４Ｂ）、ペプチド３は感染性はなかった。
【０６１０】
Ｍ−向性単離物によるＴＨＰ−１  細胞の感染は、高レベルのウィルス粒子を作らず、そしてこれ故、上記逆転写酵素アッセイは、上記感染の進行をモニターするためには十分に敏感ではなかった。しかしながら、ｐ２４ｇａｇの高感度免疫蛍光検出を用いてＴＨＰ−１  細胞のＨＩＶ  感染性を評価することができた。ＴＨＰ−１  細胞をヒドロコルチゾンとＰＭＡ  により分化させ、次に  ＴＮＦαで処理した。これは、ガラス・チャンバー・スライド上の接着性単層をもたらした。次にＴＨＰ−１  細胞を、上記Ｊｕｒｋａｔ細胞に関するものと同様に、ペプチド２（１００μＭ）、ペプチド３（１００μＭ）、ＭＩＰ１α（１００ｎｇ／ｍｌ）又はＳＤＦ１α（１００ｎｇ／ｍｌ）で処理した。ＴＨＰ−１  細胞を、容易に検出できる感染を作り出すことが先に確認されていた濃度においてＨＩＶ  株で感染させ、そして固定及びｐ２４ｇａｇのための染色の前７２時間増殖させた。ペプチド２は、２８±５％程ＴＨＰ−１  細胞のＨＩＶ  感染性を阻害したが（ｐ＜０．０５；Ｍａｎｎ−Ｗｈｉｎｅｙ  Ｕテスト）、ペプチド３は、８０％を上廻る程ＴＨＰ−１  細胞の感染を阻害した（図５４Ｃ、Ｄ）。
【０６１１】
表１８は、ＤＡＲＣ結合、ケモカイン及びｇｐ１２０のＥＤ５０、並びに種々のペプチド２配列によるウィルス阻害パーセントを要約する。
考察
ヒトＭＣＰ−１  に由来する２つの異なるオリゴペプチド配列は、インビトロでＨＩＶ−１  単離体による細胞感染を阻害することができる。前記配列の１つであるペプチド２は、Ｍ指向性且つＴ指向性感染を阻害した。このことは、個別のケモカイン受容体を特異的に標的にする薬剤とは異なり（Ｃａｉｒｎｓ  ｅｙ  ａｌ．，  Ｎａｔ．  Ｍｅｄ．，  ４，  ５６３  （１９９８）  ；  Ｓｉｍｍｍｏｎｓ  ｅｔ  ａｌｌ．，  Ｓｃｉｅｎｃｅ，  ２７６，  ２７６  （１９９７）、単一分子よって、広範囲の関連補助受容体の使用を同時に阻害することが可能でありうることを示唆する。更に、このペプチドは実質的に、ＣＸＣＲ４  依存的なＪｕｒｋａｔ  Ｔ細胞に、ＨＩＶ  感染を低下する（逆転写酵素の生産（７５±１０％阻害）又はｐ２４ｇａｇの免疫蛍光染色（８０±３％阻害）のいずれかで検査した）。またペプチド２は、ＣＣＲ５依存的なＴＨＰ−１  細胞のＨＩＶ  感染を低下する（免疫蛍光染色検査により２８％±５阻害）。しかし、ペプチド２は、受容体を介したケモカインのシグナル伝達を阻害しなかった。なぜなら、ＳＤＦ１α及びＭＩＰ１αの両方共が、ペプチド２の存在下で、ＴＨＰ−１  細胞に対して十分に化学走性を示したからである。もう一つのペプチド、ヒトＭＣＰ−１  のアミノ酸５１〜６２に相当するペプチドは、ＣＸＣＲ４  依存性のＪｕｒｋａｔ  Ｔ細胞のＨＩＶ  感染を阻害しなかった（しかしＳＤＦ１αによる化学走性を阻害した）が、ＣＣＲ５介在性のＴＨＰ−１  細胞のＨＩＶ  感染を強く阻害した（免疫蛍光染色検査により８３±７％阻害）。
【０６１２】
【表２７】
2005506947.tif 000065
【０６１３】
選択されたアミノ酸置換を伴うケモカインレセプターを用いる広範囲の先の研究（例えば、Ｒｏｓｓら、Ｊ．  Ｖｉｒｏｌ，  前掲；Ａｌｋｈａｔｉｂら、前掲；Ｄｒａｇｉｃら、前掲及びその中の引用文献を参照のこと）と一致して、本明細書に記載される結果で、ＨＩＶ  ｇｐ１２０  が、同一ではないがケモカインリガンド結合部位とオーバーラップする部位においてＣＸＣＲ４  及びＣＣＲ５の両方に結合することを示唆する。Ｒｏｓｓら（１９９５）及びＤｒａｇｉｃら（１９９８）の両方は、ｇｐ１２０  結合のためのＣＣＲ５のアミノ末端領域中の残基の重要性を強調する。但し、両方の研究は、そのレセプターの他の細胞外ループ内の残基がｇｐ１２０  の生産的結合に役割を果たす可能性があることを認めている。ペプチド２は、ｇｐ１２０：Ｖ３  ループペプチドが細胞に結合するのをブロックするので、これは、ペプチド２がそのレセプターのＮ末端領域内の部位に結合し得ることを仮設的に示唆する（図１６を参照）。これは、ＣＣ−ケモカインのペプチド２領域内の残基がケモカインレセプターのＮ末端と相互作用することを示すＷｅｌｌ及び共同研究者の研究と一致する（Ｍｏｎｔｅｃｌａｒｏら、前掲；Ｌｕｓｔｉ−Ｎａｒａｓｉｍｈａｎら、Ｊ．  Ｂｉｏｌ．  Ｃｈｅｍ．，  ２７０，  ３１４８  （１９９６）  ；  Ｌｕｓｔｉ−Ｎａｒａｓｉｍｈａｎ  ら、Ｊ．  Ｂｉｏｌ．  Ｃｈｅｍ，  ２７０，  ２７１６  （１９９５））。しかしながら、興味あることに、彼らは、ペプチド２配列内の位置２のチロシン残基がレセプター特異性を決定するために重要であることを示した：この位置にロイシンを有するケモカインはＣＸＣＲレセプターに結合したが、チロシンを有するケモカインはＣＣＲ  レセプターに結合した。本明細書に記載される結果は、（全体のケモカインの文脈におけるのと反対の）単離された１５ｍｅｒ  ペプチドとして、ＭＣＰ−１  からのチロシン含有配列はＣＸＣＲ及びＣＣＲ  レセプターの両方と相互作用することができることを示唆する。実際、チロシン含有ペプチド２は、ＣＣＲ５依存性Ｍ−向性感染よりＣＸＣＲ４  依存性Ｔ−向性ＨＩＶ  感染の有効なインヒビターであった。たとえあるとしても、  Ｔｙｒ→Ｌｅｕ  置換をペプチド２配列に導入する効果を決定するのがおもしろいであろう。
【０６１４】
Ｗｅｌｌとその同僚による研究は、ケモカインリガンドの結合にＣＣＲ５のＮ末端領域を関連づけたが（Ｍｏｎｔｅｃａｌａｒｏ  ｅｔ  ａｌ．，  ｓｕｐｒａ  ；  Ｌｕｓｔｉ−Ｎａｒａｓｉｍｈａｍ  ｅｔ  ａｌ．，  Ｊ．  Ｂｉｏｌ．  Ｃｈｅｍ．，  ２７１，  ３１４８  （１９９６）  ；  Ｌｕｓｔ  ：  −Ｎａｒａｓｉｍａｈｎ  ｅｔ  ａｌ．，  Ｊ．  Ｂｉｏｌ．  Ｃｈｅｍ．，  ２７０，  ２７１６  （１９９５））、ペプチド２は、ケモカインの結果及びシグナル伝達に影響することなしにｇｐ１２０：Ｖ３  ループの結合を阻害する。このことは、Ｎ末端領域の複数のアミノ酸置換が、ｇｐ１２０  の結合を阻害するが、天然のケモカインのリガンドによる結合及びシグナル伝達を阻害しないことを明らかにしたＲｏｓｓ等の研究（１９９８）と一致する。はっきりと対照的に、ペプチド３はｇｐ１２０：Ｖ３  ループの結合並びにケモカインの結合及びシグナル伝達の両方に必要なＣＣＲ５上の領域に結合する。従って、ペプチド３を用いる実験は、ＣＸＣＲ４  とＣＣＲ５との特性の差異を示唆し、ペプチド３はＳＤＦ１αのシグナル伝達を阻害するが、ｇｐ１２０：Ｖ３  ループの結合又はＣＸＣＲ４  依存のＨＩＶ  感染に影響しない。ひとまとめに考えて、これらの観察はｇｐ１２０  の結合部位及びケモカインのリガンド結合部位がＣＸＣＲ４  受容体上で更にはっきりしているが（図１６）、完全長のケモカインの結合が更にｇｐ１２０  の結合を阻止しうることを示す（Ｃｏｃｃｈｉ  ｅｔ  ａｌ．，  Ｓｃｉｅｎｃｅ，  ２７０，  １８１１  （１９９５）  ；  Ｚａｑｕｎｙ  ｅｔ  ａｌ．，  Ｐｒｏｃ．  Ｎａｔｌ  Ａｃａｄ．  Ｓｃｉ．  Ｕ．Ｓ．Ａ．，  ９５，  ３８５７  （１９９８）  ；  Ｗｅｌｌｓ  ｅｔ  ａｌ．，  Ｍｅｔｈｏｄｓ，  １０，  １２６  （１９９６））。
【０６１５】
更に、本明細書において報告する所見は、ペプチド２及びペプチド３の双方のケモカインレセプターへの直接結合、並びにｇｐ１２０：Ｖ３  ループ結合及びＨＩＶ−１  感染の阻害と一致する。また、これらのペプチドはｇｐ１２０：Ｖ３  ループ結合を阻害する。しかしながら、単離されたＶ３ループペプチドと細胞との相互作用の親和力は中程度の親和力にすぎず、そしてケモカインレセプターとドッキングするインタクトウィルス粒子についての関連のモデルとはならないであろう。このことは、ｇｐ１２０  のその他の領域、例えばＶ１／Ｖ２ループも共レセプター結合に重要であることを示すデーターと一致する（Ｒｏｓｓら、Ｐｒｏｃ．  Ｎａｔｌ．  Ａｃａｄ．  Ｓｃｉ．  ＵＳＡ，  ９５，  ７６８２  （１９９８））。感染力の抑制は多種多様な機構に由来しうる。これらのペプチドは共レセプターへのウィルス粒子の結合の単純な競合阻害剤として作用しうる。他方、これらのペプチドはＡＯＰ−ＲＡＮＴＥＳについて既に発表されているように（Ｍａｃｋら、Ｊ．  Ｅｘｐ．  Ｍｅｄ．，  １８７，  １２１５  （１９９８））ケモカインレセプターの内在化を誘導し、そのリサイクルを阻害することができ、それはたとえこのメカニズムがｇｐ１２０：Ｖ３  ループ結合の阻害を担わない場合でもそうであり、なぜならこれらの結合実験は４℃で実施したからである。
【０６１６】
まとめると、ケモカインＭＣＰ−１  由来のオリゴペプチド配列はｉｎ  ｖｉｔｒｏで全長ケモカインと似た程度でＨＩＶ  感染を阻害することができる。更に、今日までに発表されているケモカインアンタゴニストの中でとりわけ独特に、これらの配列の一つ（ペプチド２）はＭ好性及びＴ好性ＨＩＶ  感染の双方を阻害し、単独の薬剤が様々なケモカイン共レセプターを利用するＨＩＶ  の能力を同時にブロッキングし得る可能性を高め、それ故ＨＩＶ  感染力に対するより完璧なブロッキングを供しうる。
【図面の簡単な説明】
【図１】
図１は、膜通過移動アッセイの概略図である。たいていの実験では、ペプチド（波線）は、約５０，０００細胞（○）が収容された上方ウエルに添加される。上方ウエルと下方ウエルは、孔のサイズが５μｍまたは８μｍのＰＶＰフリーな膜（−  −  −  −）によって隔てられている。ケモカイン（●）を下方ウエルに添加する。４時間後、膜を通過した細胞の数を測定する（下方ウエルの○）。
【図２】
図２は、ＭＣＰ−１によって誘起されるＴＨＰ−１細胞の移動をペプチド３（配列ＩＤ番号１）が抑制する様子を示した投与量−応答曲線である。
【図３】
図３は、ＣＲＤシステイン１３ロイシン４イソロイシン１１ペプチド３（３〜１２）［ＭＣＰ−１］の構造図である。ジスルフィド結合によって環状になっている。主鎖のα炭素は、ＣＤで示してある。これは、Ｄ型アミノ酸が存在していることを示唆する。
【図４】
図４は、本発明の治療薬を用いることによって、例えば、元のケモカインがケモカイン受容体と結合することにより誘起された機能活性が抑制され、細胞移動が抑制されたことを示す概略図である。ＣＲＣは、本発明の治療薬である。ケモカイン受容体は、黒枠の長方形で示してある。
【図５】
図５は、モデル動物における炎症（Ａ）と内毒素血症（Ｂ）が、ペプチド３（ＣＲＤシステイン１３ロイシン４イソロイシン１１ペプチド３（３〜１２）［ＭＣＰ−１］＝ＮＲ５８−３．１４．３）の投与量に依存して抑制されることを示している。
【図６】
図６は、ペプチドＷＶＱのアナログを示す。
【図７Ａ】
図７Ａは、本発明のペプチドの存在下または不在下で、ラットのＭＣＰ−１の投与部位においてマクロファージが染色された領域の割合を示したグラフである。
【図７Ｂ】
図７Ｂは、本発明のペプチドの存在下または不在下で、ラットのＬＳＰとＭＣＰ−１の投与部位においてＢ細胞が染色された領域の割合を示したグラフである。
【図８】
図８は、さまざまなアミノ酸のコドンを示す。
【図９】
図９は、アミノ酸置換の例を示す。
【図１０】
図１０は、本発明の治療薬の例を示す。
【図１１】
図１１は、本発明のペプチドの中から選択したペプチドについて結合とＥＤ５０データをまとめた表である。
【図１２】
図１２は、皮膚炎のモデル・ラットで薬剤をテストするためのプロトコルの一例を示す（ＣＲＤシステイン１３ロイシン４イソロイシン１１ペプチド３（３〜１２）［ＭＣＰ−１］＝ＮＲ５８−３．１４．３）。
【図１３】
図１３は、ペプチド３のＣＲＤ誘導体であるＣＲＤシステイン１３ロイシン４イソロイシン１１ペプチド３（３〜１２）［ＭＣＰ−１］とそのＤアラニン誘導体（“不活性”）の構造とＥＤ５０を示す。
【図１４】
図１４は、ＭＣＰ−１によってラットの皮膚に誘起された単球浸潤が、ＣＲＤシステイン１３ロイシン４イソロイシン１１ペプチド３（３〜１２）［ＭＣＰ−１］によって抑制される様子を示す。それとは対照的に、そのＤアラニン誘導体（“不活性”）では抑制されない。
【図１５】
図１５は、ＣＲＤシステイン１３ロイシン４イソロイシン１１ペプチド３（３〜１２）［ＭＣＰ−１］の存在下でＬＰＳに暴露したラットの皮膚において、好中球、単球、リンパ球が抑制されている様子と、ＴＮＦ−αのレベルが低下している様子を示す。不活性＝ＣＲＤシステイン１３ロイシン４イソロイシン１１ペプチド３（３〜１２）［ＭＣＰ−１］のＤアラニン誘導体。
【図１６】
図１６は、オボアルブミンで感作したマウスを本発明の薬剤で治療した結果を示す。（Ａ）オボアルブミンで感作したマウスを異なる２通りの量のＣＲＤシステイン１３ロイシン４イソロイシン１１ペプチド３（３〜１２）［ＭＣＰ−１］で治療した場合のそのマウスにあるＩｇＥ、ＩＬ−４、全細胞、マクロファージ。（Ｂ）オボアルブミンで感作したマウスをＣＲＤシステイン１３ロイシン４イソロイシン１１ペプチド３（３〜１２）［ＭＣＰ−１］で治療した場合のＦＡＣＳ解析の結果。ＣＲＤシステイン１３ロイシン４イソロイシン１１ペプチド３（３〜１２）［ＭＣＰ−１］で治療したマウスは、オボアルブミンで感作する前にＰＢＳだけを注入されたマウスよりも肺の中のマクロファージ数が有意に少なかった。（Ｃ）オボアルブミンで感作したマウスをＣＲＤシステイン１３ロイシン４イソロイシン１１ペプチド３（３〜１２）［ＭＣＰ−１］で治療した場合の血清中のＩｇＥとＩＬ−４のレベル。血清中のＩｇＥとＩＬ−４のレベルは、ＣＲＤシステイン１３ロイシン４イソロイシン１１ペプチド３（３〜１２）［ＭＣＰ−１］で治療したマウスにおいて、オボアルブミンで感作する前にＰＢＳだけを注入されたマウスよりも有意に小さかった。
【図１７】
図１７は、１００μＭのペプチドを用いたＴＨＰ−１移動アッセイで得られた結果を示すグラフである。３．１４．３は、ＣＲＤシステイン１３ロイシン４イソロイシン１１ペプチド３（３〜１２）［ＭＣＰ−１］、３．１４．５は、Ｌ−ロイシン４ＣＲＤシステイン１３イソロイシン１１ペプチド３（３〜１２）［ＭＣＰ−１］、３．１４．６は、ＣＲＤチロシン３ロイシン４イソロイシン１１βアラニン１βアラニン２ペプチド３（３〜１２）［ＭＣＰ−１］（Ｎ末端延長）、３．１４．７は、ＣＲＤロイシン４アスパラギン５イソロイシン１１βアラニン３βアラニン４チロシン１５ペプチド３（３〜１２）［ＭＣＰ−１］（Ｃ末端延長）、３．３．０は、ペプチド３（７〜１２）［ＭＣＰ−１］、３．１９．２は、ＬＲＤペプチド３（７〜１２）［ＭＣＰ−１］、３．２０．１は、ＣＦＬペプチド３（７〜１２）［ＭＣＰ−１］、３．２０．３は、ＣＲＤペプチド３（７〜１２）［ＭＣＰ−１］である。
【図１８】
図１８は、本発明の治療薬の例を示す。
【図１９】
図１９は、本発明の薬剤により５０ｎｇ−ｍｌのＭＣＰ−１、１００ｎｇ−ｍｌのＩＬ−８、または１００ｎＭのｆＭＬＰのいずれかによって誘起されたウエル通過アッセイにおけるＴＨＰ−１の移動抑制に関するＥＤ５０を示す。ペプチド１とペプチド２は、ＣＣケモカインまたはＣＸＣケモカインのいずれかによって誘起されるＴＨＰ−１の移動に対し、たとえこれらケモカインが１００μＭでも有意な効果はなかった。ペプチド３とその変異体に関して示してあるＥＤ５０は、３つの異なる実験についての平均値±ＳＥＭである。すべての変異体が、１００μＭのＣＣケモカインとＣＸＣケモカインの両方に応答して９０％を超える割合で移動を抑制した。これは、ペプチド３とその誘導体が全ケモカイン・インヒビターであることを示している。どのペプチドも、非ケモカイン誘因物質である１００μＭ（テストした最高濃度）のｆメチオニン−ロイシン−フェニルアラニン（ｆＭＬＰ）またはＴＧＦ−β１に応答して移動を統計的に有意に抑制することはなかった。さらに、ペプチドは、他のＣＣケモカインとＣＸＣケモカイン（ＭＩＰ−１αとＳＤＦ−１α）と似た性質を示す。
【図２０】
図２０は、ＭＣＰ−１によって誘起された移動が、ペプチド３とビオチン化されたペプチド３によって抑制される様子を示している。
【図２１】
図２１は標識化ペプチド２及び３を増量した時のビオチニル化マウスＩｇＧ結合阻害の図を表している。
【図２２Ａ】
図２２Ａは各種細胞へのＲＡＮＴＥＳの平衡結合を描写している。
【図２２Ｂ】
図２２Ｂは未標識ＲＡＮＴＥＳ有り無しに於ける各種細胞への標識化ＲＡＮＴＥＳ結合の比較を示している。
【図２３】
図２３はＣＣＲ５発現細胞のＦＩＴＣ−抗−ＣＣＲ５抗体染色を表している。
【図２４】
図２４はＣＸＣＲ１及びＣＸＣＲ２発現細胞の、それぞれＦＩＴＣ−抗ＣＸＣＲ１抗体及びＦＩＴＣ−抗−ＣＸＣＲ２抗体染色を表している。
【図２５】
図２５は親及び組換え体ケモカイン受容体発現細胞株へのペプチド２及び３結合を表す。
【図２６Ａ】
図２６Ａは１２５Ｉ−ストレプトアビジンを用いた、ＴＨＰ−１細胞へのビオチニル化ペプチド３結合の棒グラフを表す。
【図２６Ｂ】
図２６Ｂは、３５Ｓ−ストレプトアビジンを用いたＴＨＰ−１細胞へのビオチニル化ペプチド３の結合に関する用量−反応曲線を示す。
【図２７】
図２７はＣＲＤ−Ｌｅｕ４Ｉｌｅ１１Ｃｙｓ１３ペプチド３（３−１２）［ＭＣＰ−１］投与された卵アルブミン処理及び未処理マウスの肺に於ける細胞総数と細胞の型を示す。Ａ）総細胞数、Ｂ）マクロファージ、Ｃ）Ｂ細胞及びＤ）ＣＤ４Ｔ細胞。
【図２８】
図２８はＣＲＤ−Ｌｅｕ４Ｉｌｅ１１Ｃｙｓ１３ペプチド３（３−１２）［ＭＣＰ−１］投与された卵アルブミン処理及び未処理マウスに於けるＩｇＥレベルを示す。
【図２９】
図２９はＣＲＤ−Ｌｅｕ４Ｉｌｅ１１Ｃｙｓ１３ペプチド３（３−１２）［ＭＣＰ−１］投与された卵アルブミン処理及び未処理マウスに於ける脾臓追想反応でのＩｇＥ及び総ＩｇＭとＩｇＧを示す。Ａ）ＩｇＥ、及びＢ）ＩｇＧとＩｇＭ。
【図３０】
図３０はＣＲＤ−Ｌｅｕ４Ｉｌｅ１１Ｃｙｓ１３ペプチド３（３−１２）［ＭＣＰ−１］投与された卵アルブミン処理及び未処理マウスの脾臓追想反応中のＩＬ−４レベルを示す。Ａ）単回投与後のＩＬ−４レベル。Ｂ）ＯＶＡ処理及びブースト後のＩＬ−４レベル。
【図３１】
図３１は未処理及び卵アルブミン処理マウスの肺に於ける細胞総数を示している。
【図３２】
図３２は未処理及び卵アルブミン処理マウスに於ける脾臓追想反応でのＩｇＥを示している。
【図３３】
図３３はＣＲＤ−Ｌｅｕ４Ｉｌｅ１１Ｃｙｓ１３ペプチド３（３−１２）［ＭＣＰ−１］処理されたサルに於ける抗体−特異的追想反応を示す。動物＃１３７及び＃１４４は希釈液（ＰＢＳ）コントロールである。動物＃１３８、＃１４１及び＃１４３はＣＲＤ−Ｌｅｕ４Ｉｌｅ１１Ｃｙｓ１３ペプチド３（３−１２）［ＭＣＰ−１］で処理された。
【図３４】
図３４は発作２４時間後のラットに於ける虚血性再環流障害モデルでの切片毎（頭部から尾部へ）の障害容積を示す。
【図３５】
図３５はＦｕｒａ２を負荷されたＴＨＰ−１細胞内への細胞内カルシウム流入を示す。６．７μｇ／ｍｌのＣＲＤ−Ｌｅｕ４Ｉｌｅ１１Ｃｙｓ１３ペプチド３（３−１２）［ＭＣＰ−１］、アトニストへの曝露及び流入測定前に２５分間ＴＨＰ−１細胞とインキュベーションされた。アゴニストへの２回目の曝露は２分後である。蛍光は５１０ｎｍで測定される。
【図３６】
図３６は、ＣＲＤ−Ｌｅｕ４Ｉｌｅ１１Ｃｙｓ１３ペプチド３（３−１２）［ＭＣＰ−１］によるマウスでのＴ細胞依存型抗体反応の阻害が描かれている。
【図３７】
図３７は、時間０に尾静脈から行われたトリチウム標識３Ｈ−ＣＲＤ−Ｌｅｕ４Ｉｌｅ１１Ｃｙｓ１３ペプチド３（３−１２）［ＭＣＰ−１］の単回静脈投与（１００μｇ）された雄及び雌の静脈内にカニュレーションされたＳｐｒａｇｕｅ  Ｄａｗｌｅｙラットの結果を示している。経時的に血液及び尿を採取し、薬物動態パラメータを確定した。全血、血清、細胞沈査及び尿中のＣＲＤ−Ｌｅｕ４Ｉｌｅ１１Ｃｙｓ１３ペプチド３（３−１２）［ＭＣＰ−１］レベルが測定された。Ａ：ｎｇ／ｍｌ  初期８時間中の血清３Ｈ−ＣＲＤ−Ｌｅｕ４Ｉｌｅ１１Ｃｙｓ１３ペプチド３（３−１２）［ＭＣＰ−１］。Ｂ及びＣ：ｎｇ  ３Ｈ−ＣＲＤ−Ｌｅｕ４Ｉｌｅ１１Ｃｙｓ１３ペプチド３（３−１２）［ＭＣＰ−１］／ｇ雄＝Ｂ、雌＝Ｃ投与後４８時間のサンプル。Ｄ）単回静脈ボーラス投与後のラットでの３Ｈ−ＣＲＤ−Ｌｅｕ４Ｉｌｅ１１Ｃｙｓ１３ペプチド３（３−１２）［ＭＣＰ−１］の代表的尿中排泄。
【図３８】
図３８は１０．３、１０３又は１０３０μｇの３Ｈ−ＣＲＤ−Ｌｅｕ４Ｉｌｅ１１Ｃｙｓ１３ペプチド３（３−１２）［ＭＣＰ−１］の単回皮下ボーラス投与後の経時的な全血クリアランスを示す。値は血液グラム当たりの注射量の％で表されている。
【図３９】
図３９は１００．３μｇの単回皮下ボーラス投与後のマウスに於ける３Ｈ−ＣＲＤ−Ｌｅｕ４Ｉｌｅ１１Ｃｙｓ１３ペプチド３（３−１２）［ＭＣＰ−１］の生体分布を示している。値は組織グラム当たりの３Ｈ−ＣＲＤ−Ｌｅｕ４Ｉｌｅ１１Ｃｙｓ１３ペプチド３（３−１２）［ＭＣＰ−１］μｇとして表されている。Ａ）右から左に組織は：ＰＬ＝血液沈査、ＳＥ＝血清、Ｉｎｊ＝注射部位、ＳＫ＝皮膚、ＨＥ＝心臓、ＴＨ＝胸腺、ＬＵ＝肺、ＬＶ＝肝臓、ＳＰ＝脾臓、ＳＴ＝胃、ＫＤ＝腎臓、ＡＤ＝副腎、ＤＵ＝十二指腸、ＪＥ＝空腸、ＩＬ＝回腸、ＣＥ＝盲腸＋結腸、ＮＤ＝腸間膜リンパ節、ＦＴ＝腹部脂肪、ＭＡ＝骨髄、ＭＵ＝骨格筋、ＢＲ＝脳、ＯＶ＝卵巣、ＵＴ＝子宮。Ｂ）３０分、３時間及び２４時間時の作用物質１０．３μｇ、１０３μｇ及び１０３０μｇの生体分布に関するデータ。
【図４０Ａ−Ｃ】
図４０Ａ−Ｃは、卵アルブミン処理マウスの肺に於ける細胞総数、マクロファージ及びＢ細胞を示す。
【図４０Ｄ−Ｅ】
図４０Ｄ−Ｅは、脾臓追想反応、血清ＩｇＥレベル及び卵アルブミン処理マウスのＢＡＬでのトロンボキサン、ＬＴＢ４及びＰＧＥ２のレベルを表す。
【図４１】
図４１は作用物質が投与されたサルに於けるＣＲＤ−Ｌｅｕ４Ｉｌｅ１１Ｃｙｓ１３ペプチド３（３−１２）［ＭＣＰ−１］の経時的血清レベルを示す。
【図４２】
図４２は、ＭＣＰ−１又はＣＲＤ−Ｌｅｕ４Ｉｌｅ１１Ｃｙｓ１３ペプチド３（３−１２）［ＭＣＰ−１］存在下に１２５Ｉ−ＭＣＰ−１を用いる競合アッセイを示す。
【図４３】
図４３はＴＨＰ−１移動に及ぼすＷＧＱの効果を示す。
【図４４】
図４４はＭＣＰ−１により誘導されたＴＨＰ−１移動に及ぼす、１００μＭのＷＧＱ類似体の効果を示す。値はＴＨＰ−１移動の％阻害±ＳＥＭとして表されており、また２回行った実験の平均である。影付きボックスはＴＨＰ−１移動を５０％異常阻害した化合物を示す。
【図４５】
図４５はＭＣＰ−１により誘導されたＴＨＰ−１移動に及ぼすＷＧＱ類似体のＥＤ５０を示す。
【図４６】
図４６は、各種作用物質又はＰＢＳにて処理され、続いてＬＰＳに暴露されたマウスにおける血清ＴＮＦ−αレベルを示す。作用物質は全てＬＰＳ投与（１ｍｇ／マウス）４５分前に同時に投与された。ＴＨＤ＝タリドマイド。データは３回行った二重実験より集められた。ＮＲ５８，４はカリウム塩として投与された。
【図４７】
図４７は脳卒中に関するラットモデルより得た好中球データを示す（図３４参照）
【図４８】
図４８は、血清中のＣＲＤ−Ｌｅｕ４Ｉｌｅ１１Ｃｙｓ１３ペプチド３（３−１２）［ＭＣＰ−１］−グルコースのレベルを表す。
【図４９】
図４９はＭＩＰ−１α−誘導走化性に及ぼすＣＲＤ−Ｌｅｕ４Ｉｌｅ１１Ｃｙｓ１３ペプチド３（３−１２）［ＭＣＰ−１］の効果を示している。
【図５０】
図５０はＡ）ＭＣＰ−１、Ｂ）ＭＣＰ−１、Ｃ）ＲＡＮＴＥＳ及びＤ）ＭＩＰ−１α存在下でのＡ−Ｉの阻害作用を示している。
【図５１】
図５１は、Ａ）ＭＣＰ−１とＣＣＲ−２、及びＢ）ＩＬ−８とＣＸＣＲ−２存在下でのケモカイン受容体に対するＡ−Ｉの競合的結合を示す。
【図５２】
図５２はＴ向性ＨＩＶによるＪｕｒｋａｔ細胞感染後２１日目の培地中に存在する逆転写酵素活性を示す。ペプチドは０日目、ＨＩＶ分離株による細胞感染１時間前に加えられた。陽性コントロールとしては完全長ケモカインＳＤＦ−１αが利用された。
【図５３】
図５３は、定量的免疫蛍光（ＱＩＦ）アッセイを利用した、ペプチド２又はペプチド３存在下でのＨＩＶ感染ＴＨＰ−１細胞分画の図を表す。
【図５４】
図５４はインビトロでのＨＩＶ感染性のケモカインペプチド阻害を示している。（ａ）Ｊｕｒｋａｔ  Ｔ−細胞培養体中でのＨＩＶ（ＩＩＩｂ）複製は、感染２週後に上清の逆転写酵素活性を測定することで評価された。ペプチド２及びペプチド３は最終濃度１００μＭであり、そしてＳＤＦ−１αはウイルスへの暴露１時間前に最終濃度１００ｎｇ／ｍｌで加えられた。値は１２ウエルの平均値±ＳＥＭであり、コントロールウエルの上清に於ける逆転写酵素活性のパーセンテージとして表された。示された実験は６回行った個別実験の典型例である。（ｂ）Ｊｕｒｋａｔ  Ｔ−細胞のＨＩＶ（ＩＩＩｂ）感染性はｐ２４ｇａｇ発現に関し（ａ）で行われたもとの同一に処理された細胞を染色することで評価された。値は、２個のウエルそれぞれについて１２視野から平均された、ｐ２４ｇａｇを染色された細胞の平均±Ｓ．Ｄ．パーセンテージである。（ｃ）（ｂ）同様に測定されたＴＨＰ−１細胞のＨＩＶ（ＭＮ）感染性。ＭＩＰ−１αは最終濃度１００ｎｇ／ｍｌで用いられた。（ｄ）１００μＭのペプチド３非存在下（上パネル）又は存在下（下パネル）でのＨＩＶ（ＭＮ）への暴露４８時間後の、ｐ２４ｇａｇについて染色されたＴＨＰ−１細胞の免疫蛍光顕微鏡写真。上パネルでは複数の細胞がｐ２４ｇａｇに関する強い斑点状の染色を示しているが、下部パネルではそれがない。いずれの視野も４０−５０細胞（ＵＶ照射条件下にてヘキスト（Ｈｏｅｓｃｈｓｔ）３３３４５）染色を観察し評価した）を含む。図５５はアルカフォア骨格を示している。
【図１】
2005506947.tif 000066
【図２】
2005506947.tif 000067
【図４】
2005506947.tif 000068
【図５Ａ】
2005506947.tif 000069
【図５Ｂ】
2005506947.tif 000070
【図７Ａ】
2005506947.tif 000071
【図７Ｂ】
2005506947.tif 000072
【図８】
2005506947.tif 000073
【図９】
2005506947.tif 000074
【図１０】
2005506947.tif 000075
【図１０】
2005506947.tif 000076
【図１０】
2005506947.tif 000077
【図１１】
2005506947.tif 000078
【図１１】
2005506947.tif 000079
【図１２】
2005506947.tif 000080
【図１３】
2005506947.tif 000081
【図１４】
2005506947.tif 000082
【図１５Ａ】
2005506947.tif 000083
【図１５Ｂ】
2005506947.tif 000084
【図１５Ｃ】
2005506947.tif 000085
【図１６Ａ】
2005506947.tif 000086
【図１６Ｂ】
2005506947.tif 000087
【図１６Ｃ】
2005506947.tif 000088
【図１６Ｄ】
2005506947.tif 000089
【図１７】
2005506947.tif 000090
【図１８】
2005506947.tif 000091
【図１８】
2005506947.tif 000092
【図１８】
2005506947.tif 000093
【図１８】
2005506947.tif 000094
【図１９】
2005506947.tif 000095
【図２０】
2005506947.tif 000096
【図２１Ａ】
2005506947.tif 000097
【図２１Ｂ】
2005506947.tif 000098
【図２２Ａ】
2005506947.tif 000099
【図２２Ｂ】
2005506947.tif 000100
【図２２Ｃ】
2005506947.tif 000101
【図２３】
2005506947.tif 000102
【図２４Ａ】
2005506947.tif 000103
【図２４Ｂ】
2005506947.tif 000104
【図２４Ｃ】
2005506947.tif 000105
【図２５】
2005506947.tif 000106
【図２６Ａ】
2005506947.tif 000107
【図２６Ｂ】
2005506947.tif 000108
【図２７Ａ】
2005506947.tif 000109
【図２７Ｂ】
2005506947.tif 000110
【図２７Ｃ】
2005506947.tif 000111
【図２７Ｄ】
2005506947.tif 000112
【図２８】
2005506947.tif 000113
【図２９Ａ】
2005506947.tif 000114
【図２９Ｂ】
2005506947.tif 000115
【図３０Ａ】
2005506947.tif 000116
【図３０Ｂ】
2005506947.tif 000117
【図３１】
2005506947.tif 000118
【図３２】
2005506947.tif 000119
【図３３Ａ】
2005506947.tif 000120
【図３３Ｂ】
2005506947.tif 000121
【図３４Ａ】
2005506947.tif 000122
【図３４Ｂ】
2005506947.tif 000123
【図３４Ｃ】
2005506947.tif 000124
【図３４Ｄ】
2005506947.tif 000125
【図３４Ｅ】
2005506947.tif 000126
【図３４Ｆ】
2005506947.tif 000127
【図３５】
2005506947.tif 000128
【図３６Ａ】
2005506947.tif 000129
【図３６Ｂ】
2005506947.tif 000130
【図３７Ａ】
2005506947.tif 000131
【図３７Ｂ】
2005506947.tif 000132
【図３７Ｃ】
2005506947.tif 000133
【図３７Ｄ】
2005506947.tif 000134
【図３８】
2005506947.tif 000135
【図３９Ａ】
2005506947.tif 000136
【図３９Ｂ】
2005506947.tif 000137
【図３９Ｂ】
2005506947.tif 000138
【図４０Ａ】
2005506947.tif 000139
【図４０Ｂ】
2005506947.tif 000140
【図４０Ｃ】
2005506947.tif 000141
【図４０Ｄ】
2005506947.tif 000142
【図４０Ｅ】
2005506947.tif 000143
【図４１】
2005506947.tif 000144
【図４２】
2005506947.tif 000145
【図４３】
2005506947.tif 000146
【図４４】
2005506947.tif 000147
【図４５】
2005506947.tif 000148
【図４６】
2005506947.tif 000149
【図４７Ａ】
2005506947.tif 000150
【図４７Ｂ】
2005506947.tif 000151
【図４７Ｃ】
2005506947.tif 000152
【図４７Ｄ】
2005506947.tif 000153
【図４８】
2005506947.tif 000154
【図４９】
2005506947.tif 000155
【図５０Ａ】
2005506947.tif 000156
【図５０Ｂ】
2005506947.tif 000157
【図５０Ｃ】
2005506947.tif 000158
【図５０Ｄ】
2005506947.tif 000159
【図５１Ａ】
2005506947.tif 000160
【図５１Ｂ】
2005506947.tif 000161
【図５２】
2005506947.tif 000162
【図５３】
2005506947.tif 000163
【図５４Ａ】
2005506947.tif 000164
【図５４Ｂ】
2005506947.tif 000165
【図５４Ｃ】
2005506947.tif 000166
【図５５】
2005506947.tif 000167
【国際公開パンフレット】
2005506947.tif 000168
2005506947.tif 000169
2005506947.tif 000170
2005506947.tif 000171
2005506947.tif 000172
2005506947.tif 000173
2005506947.tif 000174
2005506947.tif 000175
2005506947.tif 000176
2005506947.tif 000177
2005506947.tif 000178
2005506947.tif 000179
2005506947.tif 000180
2005506947.tif 000181
2005506947.tif 000182
2005506947.tif 000183
2005506947.tif 000184
2005506947.tif 000185
2005506947.tif 000186
2005506947.tif 000187
2005506947.tif 000188
2005506947.tif 000189
2005506947.tif 000190
2005506947.tif 000191
2005506947.tif 000192
2005506947.tif 000193
2005506947.tif 000194
2005506947.tif 000195
2005506947.tif 000196
2005506947.tif 000197
2005506947.tif 000198
2005506947.tif 000199
2005506947.tif 000200
2005506947.tif 000201
2005506947.tif 000202
2005506947.tif 000203
2005506947.tif 000204
2005506947.tif 000205
2005506947.tif 000206
2005506947.tif 000207
2005506947.tif 000208
2005506947.tif 000209
2005506947.tif 000210
2005506947.tif 000211
2005506947.tif 000212
2005506947.tif 000213
2005506947.tif 000214
2005506947.tif 000215
2005506947.tif 000216
2005506947.tif 000217
2005506947.tif 000218
2005506947.tif 000219
2005506947.tif 000220
2005506947.tif 000221
2005506947.tif 000222
2005506947.tif 000223
2005506947.tif 000224
2005506947.tif 000225
2005506947.tif 000226
2005506947.tif 000227
2005506947.tif 000228
2005506947.tif 000229
2005506947.tif 000230
2005506947.tif 000231
2005506947.tif 000232
2005506947.tif 000233
2005506947.tif 000234
2005506947.tif 000235
2005506947.tif 000236
2005506947.tif 000237
2005506947.tif 000238
2005506947.tif 000239
2005506947.tif 000240
2005506947.tif 000241
2005506947.tif 000242
2005506947.tif 000243
2005506947.tif 000244
2005506947.tif 000245
2005506947.tif 000246
2005506947.tif 000247
2005506947.tif 000248
2005506947.tif 000249
2005506947.tif 000250
2005506947.tif 000251
2005506947.tif 000252
2005506947.tif 000253
2005506947.tif 000254
2005506947.tif 000255
2005506947.tif 000256
2005506947.tif 000257
2005506947.tif 000258
2005506947.tif 000259
2005506947.tif 000260
2005506947.tif 000261
2005506947.tif 000262
2005506947.tif 000263
2005506947.tif 000264
2005506947.tif 000265
2005506947.tif 000266
2005506947.tif 000267
2005506947.tif 000268
2005506947.tif 000269
2005506947.tif 000270
2005506947.tif 000271
2005506947.tif 000272
2005506947.tif 000273
2005506947.tif 000274
2005506947.tif 000275
2005506947.tif 000276
2005506947.tif 000277
2005506947.tif 000278
2005506947.tif 000279
2005506947.tif 000280
2005506947.tif 000281
2005506947.tif 000282
2005506947.tif 000283
2005506947.tif 000284
2005506947.tif 000285
2005506947.tif 000286
2005506947.tif 000287
2005506947.tif 000288
2005506947.tif 000289
2005506947.tif 000290
2005506947.tif 000291
2005506947.tif 000292
2005506947.tif 000293
2005506947.tif 000294
2005506947.tif 000295
2005506947.tif 000296
2005506947.tif 000297
2005506947.tif 000298
2005506947.tif 000299
2005506947.tif 000300
2005506947.tif 000301
2005506947.tif 000302
2005506947.tif 000303
2005506947.tif 000304
2005506947.tif 000305
2005506947.tif 000306
2005506947.tif 000307
2005506947.tif 000308
2005506947.tif 000309
2005506947.tif 000310
2005506947.tif 000311
2005506947.tif 000312
2005506947.tif 000313
2005506947.tif 000314
2005506947.tif 000315
2005506947.tif 000316
2005506947.tif 000317
2005506947.tif 000318
2005506947.tif 000319
2005506947.tif 000320
2005506947.tif 000321
2005506947.tif 000322
2005506947.tif 000323
2005506947.tif 000324
2005506947.tif 000325
2005506947.tif 000326
2005506947.tif 000327
2005506947.tif 000328
2005506947.tif 000329
2005506947.tif 000330
2005506947.tif 000331
2005506947.tif 000332
2005506947.tif 000333
2005506947.tif 000334
2005506947.tif 000335
2005506947.tif 000336
2005506947.tif 000337
2005506947.tif 000338
2005506947.tif 000339
2005506947.tif 000340
2005506947.tif 000341
2005506947.tif 000342
2005506947.tif 000343
2005506947.tif 000344
2005506947.tif 000345
2005506947.tif 000346
2005506947.tif 000347
2005506947.tif 000348
2005506947.tif 000349
2005506947.tif 000350
2005506947.tif 000351
2005506947.tif 000352
2005506947.tif 000353
2005506947.tif 000354
2005506947.tif 000355
2005506947.tif 000356
2005506947.tif 000357
2005506947.tif 000358
2005506947.tif 000359
2005506947.tif 000360
2005506947.tif 000361
2005506947.tif 000362
2005506947.tif 000363
2005506947.tif 000364
2005506947.tif 000365
2005506947.tif 000366
2005506947.tif 000367
2005506947.tif 000368
2005506947.tif 000369
2005506947.tif 000370
2005506947.tif 000371
2005506947.tif 000372
2005506947.tif 000373
2005506947.tif 000374
2005506947.tif 000375
2005506947.tif 000376
2005506947.tif 000377
2005506947.tif 000378
2005506947.tif 000379
2005506947.tif 000380
2005506947.tif 000381
2005506947.tif 000382
2005506947.tif 000383
2005506947.tif 000384
2005506947.tif 000385
2005506947.tif 000386
2005506947.tif 000387
2005506947.tif 000388
2005506947.tif 000389
2005506947.tif 000390
2005506947.tif 000391
2005506947.tif 000392
2005506947.tif 000393
2005506947.tif 000394
2005506947.tif 000395
2005506947.tif 000396
2005506947.tif 000397
2005506947.tif 000398
2005506947.tif 000399
2005506947.tif 000400
2005506947.tif 000401
2005506947.tif 000402
2005506947.tif 000403
2005506947.tif 000404
2005506947.tif 000405
2005506947.tif 000406
2005506947.tif 000407
2005506947.tif 000408
2005506947.tif 000409
2005506947.tif 000410
2005506947.tif 000411
2005506947.tif 000412
2005506947.tif 000413
2005506947.tif 000414
2005506947.tif 000415
2005506947.tif 000416
2005506947.tif 000417
2005506947.tif 000418
2005506947.tif 000419
2005506947.tif 000420
2005506947.tif 000421
2005506947.tif 000422
2005506947.tif 000423
2005506947.tif 000424
2005506947.tif 000425
2005506947.tif 000426
2005506947.tif 000427
2005506947.tif 000428
2005506947.tif 000429
2005506947.tif 000430
2005506947.tif 000431
2005506947.tif 000432
2005506947.tif 000433
2005506947.tif 000434
2005506947.tif 000435
2005506947.tif 000436
2005506947.tif 000437
2005506947.tif 000438
2005506947.tif 000439
2005506947.tif 000440
2005506947.tif 000441
2005506947.tif 000442
2005506947.tif 000443
2005506947.tif 000444
2005506947.tif 000445
2005506947.tif 000446
2005506947.tif 000447
2005506947.tif 000448
2005506947.tif 000449
2005506947.tif 000450
2005506947.tif 000451
2005506947.tif 000452
2005506947.tif 000453
2005506947.tif 000454
2005506947.tif 000455
2005506947.tif 000456
2005506947.tif 000457
2005506947.tif 000458
2005506947.tif 000459
2005506947.tif 000460
2005506947.tif 000461
2005506947.tif 000462
2005506947.tif 000463
2005506947.tif 000464
2005506947.tif 000465
2005506947.tif 000466
2005506947.tif 000467
2005506947.tif 000468
2005506947.tif 000469
2005506947.tif 000470
2005506947.tif 000471
2005506947.tif 000472
2005506947.tif 000473
2005506947.tif 000474
2005506947.tif 000475
2005506947.tif 000476
2005506947.tif 000477
2005506947.tif 000478
2005506947.tif 000479
2005506947.tif 000480
2005506947.tif 000481
2005506947.tif 000482
2005506947.tif 000483
2005506947.tif 000484
2005506947.tif 000485
2005506947.tif 000486
2005506947.tif 000487
2005506947.tif 000488
2005506947.tif 000489
2005506947.tif 000490
2005506947.tif 000491
2005506947.tif 000492
2005506947.tif 000493
2005506947.tif 000494
2005506947.tif 000495
2005506947.tif 000496
2005506947.tif 000497
2005506947.tif 000498
2005506947.tif 000499
2005506947.tif 000500
2005506947.tif 000501
2005506947.tif 000502
2005506947.tif 000503
2005506947.tif 000504
2005506947.tif 000505
2005506947.tif 000506
2005506947.tif 000507
2005506947.tif 000508
2005506947.tif 000509
2005506947.tif 000510
2005506947.tif 000511
2005506947.tif 000512
2005506947.tif 000513
2005506947.tif 000514
2005506947.tif 000515
2005506947.tif 000516
2005506947.tif 000517
2005506947.tif 000518
2005506947.tif 000519
2005506947.tif 000520
2005506947.tif 000521
2005506947.tif 000522
2005506947.tif 000523
2005506947.tif 000524
2005506947.tif 000525
2005506947.tif 000526
2005506947.tif 000527
2005506947.tif 000528
2005506947.tif 000529
2005506947.tif 000530
2005506947.tif 000531
2005506947.tif 000532
2005506947.tif 000533
2005506947.tif 000534
2005506947.tif 000535
2005506947.tif 000536
2005506947.tif 000537
2005506947.tif 000538
2005506947.tif 000539
2005506947.tif 000540
2005506947.tif 000541
2005506947.tif 000542
2005506947.tif 000543
2005506947.tif 000544
2005506947.tif 000545
2005506947.tif 000546
2005506947.tif 000547
2005506947.tif 000548
2005506947.tif 000549
2005506947.tif 000550
2005506947.tif 000551
2005506947.tif 000552
2005506947.tif 000553
2005506947.tif 000554
【国際公開パンフレット（コレクトバージョン）】
2005506947.tif 000555
【国際調査報告】
2005506947.tif 000556
2005506947.tif 000557
2005506947.tif 000558
2005506947.tif 000559
2005506947.tif 000560
2005506947.tif 000561